(57)【要約】  分析物データの無線通信のためのシステム、デバイス、および方法が開示される。実施形態では、糖尿病管理パートナインターフェースを使用して、複数のパートナデバイスとの無線通信用の分析物センサシステムを構成する方法が提供される。この方法は、糖尿病管理パートナインターフェースを介して、分析物センサシステムが、パートナデバイスのうちの１つに、構成パラメータセットへのアクセスを提供する許可を受信すること、を含む。構成パラメータのセットは、分析物センサシステムのメモリに記憶されている。この方法はまた、糖尿病管理パートナインターフェースを介して１つのパートナデバイスから受信された入力に応答して、分析物センサシステムが、１つのパートナデバイスのシステム要件に応じて、構成パラメータセットの修正を設定するかまたは引き起こすことを含む。
2021502141.tif 000002
【特許請求の範囲】
【請求項１】
糖尿病管理パートナインターフェースを使用して、複数のパートナデバイスとの無線通信のための分析物センサシステムを構成する方法であって、
前記分析物センサシステムが、前記糖尿病管理パートナインターフェースを介して、前記パートナデバイスのうちの１つに構成パラメータセットへのアクセスを提供する許可を受信することであって、前記構成パラメータセットが前記分析物センサシステムのメモリに記憶される、前記分析物センサシステムが許可を受信することと、
前記糖尿病管理パートナインターフェースを介して前記１つのパートナデバイスから受信された入力に応答して、前記分析物センサシステムが、前記１つのパートナデバイスのシステム要件に応じて、前記構成パラメータセットの修正を設定するかまたは引き起こすことと、を含む方法。
【請求項２】
前記１つのパートナデバイスが、自動インスリン送達デバイスまたは手動インスリン送達デバイスである、請求項１に記載の方法。
【請求項３】
前記構成パラメータセットが、無線接続性パラメータセット、アクセス制御パラメータセット、および分析物データパラメータセット、のうちの１つ以上を含む、請求項１に記載の方法。
【請求項４】
前記システム要件が、
前記１つのパートナデバイスのバッテリ容量と、
前記１つのパートナデバイスの精度要件と、
前記１つのパートナデバイスによって使用される通信プロトコルと、
前記１つのパートナデバイスに適用可能な規制要件と、
前記１つのパートナデバイスの予想稼働時間と、のうちの１つに関連付けられている、請求項１に記載の方法。
【請求項５】
前記無線接続性パラメータセットが、前記１つのパートナデバイスが前記分析物センサシステムのために管理されているホワイトリストから削除されることとなる条件を含み、
前記分析物センサシステムが前記１つのパートナデバイスの前記システム要件に応じて前記構成パラメータセットの前記修正を設定するかまたは引き起こすことが、前記分析物センサシステムが、前記１つのパートナ送達デバイスのバッテリレベルが閾値を満たすと前記１つのパートナデバイスが前記ホワイトリストから削除されることとなるように前記条件を設定することを含む、請求項３に記載の方法。
【請求項６】
前記無線接続性パラメータセットが、アドバタイズメント構造を含み、
前記分析物センサシステムが、前記１つのパートナデバイスの前記システム要件に応じて、前記構成パラメータセットの前記修正を設定するかまたは引き起こすことが、前記分析物センサシステムが、前記糖尿病管理パートナインターフェースを使用して前記アドバタイズメント構造を設定または修正することを含む、請求項３に記載の方法。
【請求項７】
前記アクセス制御パラメータセットが、
前記分析物センサシステムが接続し得る表示デバイスの数、および
前記分析物センサシステムが前記表示デバイスのうちの１つ以上に与え得るアクセスまたは制御のレベル、のうちの１つ以上を含む、請求項３に記載の方法。
【請求項８】
前記分析物データパラメータセットが、前記分析物センサシステムの較正期間を含み、
前記分析物センサシステムが前記１つのパートナデバイスの前記システム要件に応じて前記構成パラメータセットの前記修正を設定するかまたは引き起こすことが、前記分析物センサシステムが、前記糖尿病管理パートナインターフェースを使用して前記較正期間を設定または修正することを含む、請求項３に記載の方法。
【請求項９】
前記分析物データパラメータセットが、工場較正コードを含み、
前記分析物センサシステムが、前記糖尿病管理パートナインターフェースを使用して、前記１つのパートナデバイスの前記システム要件に応じて、前記１つのパートナデバイスから前記工場較正コードを使用する表示を受信し、
前記分析物センサシステムが前記１つのパートナデバイスの前記システム要件に応じて前記構成パラメータセットの前記修正を設定するかまたは引き起こすことが、前記分析物センサシステムが、前記糖尿病管理パートナインターフェースを使用して前記較正期間をゼロまたは無しに設定または修正することを含む、請求項８に記載の方法。
【請求項１０】
前記無線接続性パラメータセットが、リモートサーバの設定を含み、前記分析物センサシステムが前記１つのパートナデバイスの前記システム要件に応じて前記構成パラメータセットの前記修正を設定するかまたは引き起こすことが、糖尿病管理パートナインターフェースを使用して前記分析物センサを、
前記リモートサーバを介して提供されるサービスを使用し、
前記リモートサーバを介して提供されるサービスに応答して、前記分析物センサシステムに接続された１つ以上の表示デバイスに糖尿病管理フィードバックを伝送し、
前記リモートサーバを介して提供される前記サービスが利用できなくなった場合、前記サービスの使用を無効にし、前記分析物センサシステムに接続された表示デバイスに関連の通知を送信する、ように構成することを含む、請求項３に記載の方法。
【請求項１１】
分析物日付パラメータセットが、ボーラス計算パラメータを含み、
前記分析物センサシステムが前記１つのパートナデバイスの前記システム要件に応じて前記構成パラメータセットの前記修正を設定するかまたは引き起こすことが、前記分析物センサシステムが、前記糖尿病管理パートナインターフェースを使用して、前記１つのパートナデバイスに前記ボーラス計算パラメータへのアクセスを提供することを含む、請求項１０に記載の方法。
【請求項１２】
前記分析物センサシステムが、前記ボーラス計算パラメータを使用して実行された計算に基づいてボーラス推奨を提供することをさらに含む、請求項１１に記載の方法。
【請求項１３】
複数のパートナデバイスとの無線通信のための分析物センサシステムであって、前記分析物センサシステムが、糖尿病管理パートナインターフェースの使用によって構成可能であり、前記分析物センサシステムが、
分析物情報を生成するために使用される分析物センサと、
無線信号を伝送および受信するように適合された送受信機と、
前記無線信号を伝送および受信するための前記送受信機によって使用される構成パラメータセットを記憶するメモリと、
前記送受信機および前記メモリに動作可能に結合され、前記分析物センサシステムに、
前記糖尿病管理パートナインターフェースを介して、前記パートナデバイスのうちの１つに構成パラメータセットへのアクセスを提供する許可を受信し、
前記糖尿病管理パートナインターフェースを介して前記１つのパートナデバイスから受信された入力に応答して、前記パートナデバイスのシステム要件に応じて、前記構成パラメータセットの修正を設定するかまたは引き起こす、ことを行わせるように適合された回路と、を含む分析物センサシステム。
【請求項１４】
前記１つのパートナデバイスが、自動インスリン送達デバイスまたは手動インスリン送達デバイスである、請求項１３に記載の分析物センサシステム。
【請求項１５】
前記構成パラメータセットが、無線接続性パラメータセット、アクセス制御パラメータセット、および分析物データパラメータセット、のうちの１つ以上を含む、請求項１３に記載の分析物センサシステム。
【請求項１６】
前記システム要件が、
前記１つのパートナデバイスのバッテリ容量と、
前記１つのパートナデバイスの精度要件と、
前記１つのパートナデバイスによって使用される通信プロトコルと、
前記１つのパートナデバイスに適用可能な規制要件と、
前記１つのパートナデバイスの予想稼働時間と、のうちの１つに関連付けられている、請求項１３に記載の分析物センサシステム。
【請求項１７】
前記無線接続性パラメータセットが、前記１つのパートナデバイスが前記分析物センサシステムのために管理されているホワイトリストから削除されることとなる条件を含み、
前記回路が、前記分析物センサシステムに、前記１つのパートナデバイスの前記システム要件に応じて、前記１つのパートナ送達デバイスのバッテリレベルが閾値を満たすと前記１つのパートナデバイスが前記ホワイトリストから削除されることとなるように前記条件を設定する、ことを行わせるようにさらに適合されている、請求項１５に記載の分析物センサシステム。
【請求項１８】
前記無線接続性パラメータセットが、アドバタイズメント構造を含み、
前記回路が、前記分析物センサシステムに、前記糖尿病管理パートナインターフェースを使用して前記アドバタイズメント構造を設定または修正する、ことを行わせるようにさらに適合されている、請求項１５に記載の分析物センサシステム。
【請求項１９】
前記アクセス制御パラメータセットが、
前記分析物センサシステムが接続し得る表示デバイスの数、および
前記分析物センサシステムが前記表示デバイスのうちの１つ以上に与え得るアクセスまたは制御のレベル、のうちの１つ以上を含む、請求項１５に記載の分析物センサシステム。
【請求項２０】
前記分析物データパラメータセットが、前記分析物センサシステムの較正期間を含み、
前記回路が、前記分析物センサシステムに、前記糖尿病管理パートナインターフェースを使用して前記較正期間を設定または修正する、ことを行わせるようにさらに適合されている、請求項１５に記載の分析物センサシステム。
【請求項２１】
前記分析物データパラメータセットが、工場較正コードを含み、
前記回路が、前記分析物センサシステムに、
前記糖尿病管理パートナインターフェースを使用して、前記１つのパートナデバイスの前記システム要件に応じて、前記１つのパートナデバイスから前記工場較正コードを使用する表示を受信し、
前記糖尿病管理パートナインターフェースを使用して前記較正期間をゼロまたは無しに設定または修正する、ことを行わせるようにさらに適合されている、請求項２０に記載の分析物センサシステム。
【請求項２２】
前記無線接続性パラメータセットが、リモートサーバの設定を含み、
前記回路が、前記分析物センサシステムに、前記糖尿病管理パートナインターフェースを使用して分析物センサを、
前記リモートサーバを介して提供されるサービスを使用し、
前記リモートサーバを介して提供されるサービスに応答して、前記分析物センサシステムに接続された１つ以上の表示デバイスに糖尿病管理フィードバックを伝送し、
前記リモートサーバを介して提供される前記サービスが利用できなくなった場合、前記サービスの使用を無効にし、前記分析物センサシステムに接続された表示デバイスに関連の通知を送信するように構成する、ことを行わせるようにさらに適合されている、請求項１５に記載の分析物センサシステム。
【請求項２３】
分析物日付パラメータセットが、ボーラス計算パラメータを含み、
前記回路が、前記分析物センサシステムに、前記糖尿病管理パートナインターフェースを使用して、前記パートナデバイスの前記システム要件に応じて、前記１つのパートナデバイスに前記ボーラス計算パラメータへのアクセスを提供するように前記分析物センサシステムを構成する、ことを行わせるようにさらに適合されている、請求項２２に記載の分析物センサシステム。
【請求項２４】
前記回路が、前記分析物センサに、前記ボーラス計算パラメータを使用して実行された計算に基づいてボーラス推奨を提供する、ことを行わせるようにさらに適合されている、請求項２３に記載の分析物センサシステム。
【請求項２５】
システムであって、
ユーザにインスリンを送達するように適合された１つ以上のパートナデバイスと、
分析物情報を生成するように適合された分析物センサシステムであって、前記分析物センサシステムが、無線信号を伝送および受信するために使用される構成パラメータセットを含み、前記構成パラメータが、糖尿病管理パートナインターフェースの使用によって構成可能である、分析物センサシステムと、
前記分析物センサシステムに接続可能であり、分析物情報を表示するように、かつ前記分析物センサシステムが、前記糖尿病管理パートナインターフェースを介して、前記パートナデバイスのうちの１つに、前記構成パラメータセットへのアクセスを提供する許可を提供するように、適合された、表示デバイスと、を含み、
前記１つのパートナデバイスが、前記糖尿病管理パートナインターフェースを使用して、前記パートナデバイスのシステム要件に応じて、前記構成パラメータセットの修正を設定するかまたは引き起こすように適合されている、システム。
【請求項２６】
前記１つのパートナデバイスが、自動インスリン送達デバイスまたは手動インスリン送達デバイスである、請求項２５に記載の分析物センサシステム。
【請求項２７】
前記構成パラメータセットが、無線接続性パラメータセット、アクセス制御パラメータセット、および分析物データパラメータセット、のうちの１つ以上を含む、請求項２５に記載のシステム。
【請求項２８】
前記システム要件が、
前記１つのパートナデバイスのバッテリ容量、
前記１つのパートナデバイスの精度要件、
前記１つのパートナデバイスによって使用される通信プロトコル、
前記１つのパートナデバイスに適用可能な規制要件、および
前記１つのパートナデバイスの予想稼働時間、のうちの１つに関連付けられている、請求項２５に記載のシステム。
【請求項２９】
前記無線接続性パラメータセットが、前記１つのパートナデバイスが前記分析物センサシステムのために管理されているホワイトリストから削除されることとなる条件を含み、
前記１つのパートナデバイスが、前記１つのパートナデバイスの前記システム要件に応じて、前記１つのパートナ送達デバイスのバッテリレベルが閾値を満たすと前記１つのパートナデバイスが前記ホワイトリストから削除されることとなるように、前記糖尿病管理パートナインターフェースを使用して前記条件を設定または修正するように、さらに適合されている、請求項２７に記載のシステム。
【請求項３０】
前記無線接続パラメータセットが、アドバタイズメント構造を含み、
前記１つのパートナデバイスが、前記糖尿病管理パートナインターフェースを使用してアドバタイズメント構造を設定または修正するように、さらに適合されている、請求項２７に記載のシステム。
【請求項３１】
前記アクセス制御パラメータセットが、
前記分析物センサシステムが接続し得る表示デバイスの数、および
前記分析物センサシステムが前記表示デバイスのうちの１つ以上に与え得るアクセスまたは制御のレベル、のうちの１つ以上を含む、請求項２７に記載のセンサシステム。
【請求項３２】
前記分析物データパラメータセットが、前記分析物センサシステムの較正期間を含み、
前記１つのパートナデバイスが、前記糖尿病管理パートナインターフェースを使用して、前記較正期間を設定または修正するように、さらに適合されている、請求項２７に記載のシステム。
【請求項３３】
前記分析物データパラメータセットが、工場較正コードを含み、
前記１つのパートナデバイスが、前記糖尿病管理パートナインターフェースを使用して、
前記工場較正コードを使用する表示を前記１つのパートナデバイスの前記システム要件に応じて前記分析物センサシステムに提供するように、かつ
前記較正期間をゼロまたは無しに設定または修正するように、さらに適合されている、請求項３２に記載のシステム。
【請求項３４】
前記無線接続パラメータセットが、リモートサーバの設定を含み、
前記１つのパートナデバイスが、前記糖尿病管理パートナインターフェースを使用して前記分析物センサを、
前記リモートサーバを介して提供されるサービスを使用し、
前記リモートサーバを介して提供されるサービスに応答して、前記分析物センサシステムに接続可能なデバイスに糖尿病管理フィードバックを伝送し、
前記リモートサーバを介して提供されるサービスが利用できなくなった場合、前記サービスの使用を無効にし、かつ分析物センサシステムに接続可能な表示デバイスに関連の通知を送信する、ように構成するように、さらに適合されている、請求項２７に記載のシステム。
【請求項３５】
分析物日付パラメータセットが、ボーラス計算パラメータを含み、
前記１つのパートナデバイスが、前記糖尿病管理パートナインターフェースを使用して、前記パートナデバイスの前記システム要件に応じて、前記１つのパートナデバイスに前記ボーラス計算パラメータへのアクセスを提供するように前記分析物センサシステムを構成するように、さらに適合されている、請求項３４に記載のシステム。
【請求項３６】
前記１つのパートナデバイスが、前記ボーラス計算パラメータを使用して実行される計算に基づいて前記分析物センサシステムからボーラス推奨を受信する前記糖尿病管理パートナインターフェースを使用するように、さらに適合される、請求項３５に記載のシステム。
【請求項３７】
糖尿病管理パートナインターフェースを使用して分析物センサシステムと１つ以上の表示デバイスおよびパートナデバイスとの相互間の無線通信を構成する方法であって、
分析物センサシステムが第１の無線信号通信経路を有効にすることであって、前記第１の無線通信信号経路が前記分析物センサシステムと前記表示デバイスの間にあり、前記第１の無線通信経路に対して、前記分析物センサシステムが前記表示デバイスに前記分析物センサシステムに対する第１のアクセス度または制御度を提供する、分析物センサシステムが第１の無線信号通信経路を有効にすることと、
前記分析物センサシステムが第２の無線信号通信経路を有効にすることであって、前記第２の無線信号通信経路が前記分析物センサシステムと前記パートナデバイスとの間にあり、前記分析物センサシステムが前記第２の無線信号通信経路を有効にすることが、前記パートナデバイスのシステム要件に応じて第２のアクセス度または制御度を実装するために、前記第１のアクセス度または制御度の修正を引き起こすことを含み、前記修正が、前記糖尿病管理パートナインターフェースを介して前記パートナデバイスから受信された入力に応答して引き起こされる、前記分析物センサシステムが第２の無線信号通信経路を有効にすることと、を含む、方法。
【請求項３８】
前記糖尿病管理パートナインターフェースを使用して前記第１のアクセス度または制御度の前記修正を引き起こすことが、前記パートナデバイスの前記システム要件に応じて、前記分析物センサシステムによって実施された構成パラメータセットを設定または変更することを含む、請求項３７に記載の方法。
【請求項３９】
前記構成パラメータセットが、前記表示デバイスまたは前記パートナデバイスのアクセス制御パラメータ、前記分析物センサシステムの精度または較正パラメータ、および前記分析物センサシステムと前記表示デバイスおよび前記パートナデバイスのうちの１つ以上との相互間で交換される通信の無線通信パラメータ、のうちの１つ以上を含む、請求項３８に記載の方法。
【請求項４０】
前記糖尿病管理パートナインターフェースを使用して前記構成パラメータセットを設定または変更することが、前記糖尿病管理パートナインターフェースを介して前記分析物センサシステムの精度または較正パラメータを構成する許可を前記パートナデバイスに付与することを含む、請求項３９に記載の方法。
【請求項４１】
前記糖尿病管理パートナインターフェースを使用して前記構成パラメータセットを設定または変更することが、前記表示デバイスから許可を取り消して前記分析物センサの前記精度または較正パラメータを構成することを含む、請求項３９に記載の方法。
【請求項４２】
前記アクセス制御パラメータが、前記分析物センサシステムに接続可能なデバイスのホワイトリストを含み、
前記糖尿病管理パートナインターフェースを使用して前記構成パラメータセットを設定または変更することが、前記パートナデバイスが、前記ホワイトリストから削除される前に前記ホワイトリスト上に残ることとなる時間量を設定または修正することを含む、請求項３９に記載の方法。
【請求項４３】
表示デバイスおよびパートナデバイスのうちの１つ以上との無線通信のための分析物センサシステムであって、前記分析物センサシステムが糖尿病管理パートナインターフェースの使用によって構成可能であり、前記分析物センサシステムが、
無線信号を伝送および受信する送受信機によって使用される構成パラメータセットを記憶するメモリと、
前記送受信機および前記メモリに動作可能に結合されており、分析物センサシステムに、
第１の無線信号通信経路を有効にし、前記第１無線通信信号経路が、前記分析物センサシステムと前記表示デバイスとの間にあり、前記第１の無線通信経路に対して、前記分析物センサシステムが、前記表示デバイスに前記分析物センサシステムに対する第１のアクセス度または制御度を提供し、
第２の無線信号通信経路を有効にし、前記第２の無線信号通信経路が、前記分析物センサシステムと前記パートナデバイスとの間にあり、前記第２の無線信号通信経路が、前記分析物センサシステムによって行われた前記第１のアクセス度または制御度の変更によって有効にされ、前記第１のアクセス度または制御度の前記変更が、前記糖尿病管理パートナインターフェースを介して前記パートナデバイスから受信された入力に応答して行われ、前記第１のアクセス度または制御度の前記変更が、前記パートナデバイスのシステム要件に応じた第２のアクセス度または制御度を実装するために行われる、ことと、を含む、分析物センサシステム。
【請求項４４】
前記第１のアクセス度または制御度を修正するために、前記回路が、前記分析物センサシステムに、前記パートナデバイスの前記システム要件に応じて、前記糖尿病管理パートナインターフェースを使用して前記分析物センサシステムによって実装される構成パラメータセットを設定または変更する、ことを行わせるようにさらに適合されている、請求項４３に記載の分析物センサシステム。
【請求項４５】
前記構成パラメータセットが、前記表示デバイスまたは前記パートナデバイスのアクセス制御パラメータ、前記分析物センサシステムの精度または較正パラメータ、および前記分析物センサシステムと前記表示デバイスおよび前記パートナデバイスのうちの１つ以上との相互間で交換される通信の無線通信パラメータ、のうちの１つ以上を含む、請求項４４に記載の分析物センサシステム。
【請求項４６】
前記回路が、前記分析物センサシステムに、前記糖尿病管理パートナインターフェースを介して前記分析物センサシステムの前記精度または較正パラメータを構成する許可を前記パートナデバイスに付与する、ことを行わせるようにさらに適合されている、請求項４５に記載の分析物センサシステム。
【請求項４７】
前記回路が、前記分析物センサシステムに、前記分析物センサの前記精度または較正パラメータを構成する許可を前記表示デバイスから取り消す、ことを行わせるようにさらに適合されている、請求項４５に記載の分析物センサシステム。
【請求項４８】
アクセス制御パラメータが、前記分析物センサシステムに接続可能なデバイスのホワイトリストを含み、
前記回路が、前記パートナデバイスが、前記ホワイトリストから削除される前に前記ホワイトリストに残ることとなる時間量を設定または修正するように、さらに適合されている、請求項４５に記載の分析物センサシステム。
【請求項４９】
分析物センサシステムの糖尿病管理パートナインターフェースを使用して、前記分析物センサシステムと前記分析物センサシステムに接続可能な１つ以上のリモートデバイスとの相互間の無線通信を制御する方法であって、前記１つ以上のリモートデバイスは、表示デバイスとパートナデバイスを含み、前記方法は、
前記分析物センサシステムが、前記リモートデバイスのうちの１つから受信された接続要求が前記１つ以上のリモートデバイス内のパートナクラスから発信されたかどうかを判定することであって、前記パートナクラス内の前記リモートデバイスが薬剤を提供するように適合されており、前記パートナクラスが前記パートナデバイスを含む、判定することと、
前記接続要求が前記パートナクラスから発信された場合、前記糖尿病管理パートナインターフェースが、前記パートナクラスに対応する動作モードの選択を有効にすることであって、前記パートナデバイスのシステム要件をサポートするために、前記動作モードが前記パートナクラスの構成パラメータセットを使用する、有効にすることと、を含む、方法。
【請求項５０】
前記パートナクラスに対応する前記動作モードを使用して前記リモートデバイスのうちの少なくとも１つと前記無線通信を交換することをさらに含む、請求項４９に記載の方法。
【請求項５１】
前記パートナクラスに対応する前記動作モードを使用して前記無線通信を交換することが、使用されている前記動作モードを判定するように前記リモートデバイスのうちの前記少なくとも１つによって使用可能なモードインジケータを伝送することを含む、請求項５０に記載の方法。
【請求項５２】
前記パートナデバイスの前記システム要件をサポートするために使用される前記構成パラメータセットが、前記表示デバイスまたは前記パートナデバイスのアクセス制御パラメータ、前記分析物センサシステムの精度または較正パラメータ、および前記分析物センサシステムと前記リモートデバイスのうちの１つ以上との相互間で交換される通信の無線通信パラメータ、のうちの１つ以上を含む、請求項５１に記載の方法。
【請求項５３】
前記モードインジケータが、前記糖尿病管理パートナインターフェースを使用して、前記アクセス制御パラメータ、前記精度または較正パラメータ、および前記無線通信パラメータ、のうちの１つへの、前記パートナクラス内にない前記リモートデバイスのセットによるアクセスを非アクティブにするように、前記分析物センサシステムによって動作可能であり、
前記分析物センサシステムがリモートデバイスの前記セットに対応する動作モードを使用するとき、前記アクセス制御パラメータ、前記精度または較正パラメータ、および前記無線通信パラメータ、のうちの１つへの、リモートデバイスの前記セットによるアクセスが、アクティブ化される、請求項５２に記載の方法。
【請求項５４】
前記分析物センサシステムが、少なくとも所定の時間量の間、前記パートナデバイスから無線通信を受信していないと判定することと、
前記判定に応答して、および前記パートナクラス内にない前記リモートデバイスのセット内の前記リモートデバイスのうちの１つからの接続要求の受信にさらに応答して、前記分析物センサシステムが、前記パートナクラス内にない前記リモートデバイスの前記セットに対応する動作モードを選択することと、をさらに含み、前記パートナクラス内にないリモートデバイスの前記セットに対応する前記動作モードが、前記パートナクラス内にないリモートデバイスの前記セットに固有の構成パラメータセットに従う、請求項４９に記載の方法。
【請求項５５】
前記パートナデバイスをホワイトリストから削除することをさらに含む、請求項５４に記載の方法。
【請求項５６】
前記分析物センサシステムが、前記糖尿病管理パートナインターフェースを使用して、前記構成パラメータのうちの１つの値を前記パートナデバイスから受信することと、
前記分析物センサシステムが、前記パートナデバイスから受信された前記値を使用して、前記１つの前記構成パラメータを修正することと、をさらに含む、請求項４９に記載の方法。
【請求項５７】
前記分析物センサシステムが、前記構成パラメータの値を前記表示デバイスに送信することをさらに含み、前記値が、
前記分析物センサシステムのために管理されているホワイトリストから前記パートナデバイスが削除されるまでの指定された時間と、
前記ホワイトリストから前記表示デバイスが削除されるまでの指定された時間と、の１つ以上を含む、請求項５６に記載の方法。
【請求項５８】
前記パートナデバイスに対応する前記動作モードを使用して前記無線通信を交換することが、
前記パートナデバイス以外のデバイスのスロットをオフに切り替えるために、前記分析物センサシステムのために管理されているホワイトリストを修正することと、
前記パートナデバイスのみに向けられたアドバタイズメントメッセージを伝送することと、のうちの１つ以上を含む、請求項５０に記載の方法。
【請求項５９】
前記接続要求が前記パートナクラスから発信されたものではない場合、前記分析物センサシステムが、前記パートナクラス内にない前記リモートデバイスのセットに対応する動作モードを選択することをさらに含み、前記パートナクラス内にないリモートデバイスの前記セットに対応する前記動作モードが、前記パートナクラス内にない前記リモートデバイスの前記セットに固有の構成パラメータセットを使用する、請求項４９に記載の方法。
【請求項６０】
前記表示デバイスが、前記パートナクラス内にない前記リモートデバイスの前記セット内にあり、
前記糖尿病管理パートナインターフェースを使用して、前記パートナクラス内にない前記リモートデバイスの前記セットに固有の前記構成パラメータセットへのアクセスを表示デバイスに提供することと、
前記分析物センサシステムが、前記表示デバイスから受信された入力に応答して、前記パートナクラス内にない前記リモートデバイスの前記セットに固有の前記構成パラメータのうちの１つの値を設定または修正することと、をさらに含む、請求項５９に記載の方法。
【請求項６１】
前記パートナクラスに対応する前記動作モードを使用して前記無線通信を交換することが、前記パートナデバイスまたはパートナデバイスコントローラに対してのみアドバタイズするようにアドバタイズメントスロットを修正することを含む、請求項５０に記載の方法。
【請求項６２】
前記パートナクラスに対応する前記動作モードを使用して前記無線通信を交換することが、前記糖尿病管理パートナインターフェースを介して受信されたコマンドに応答して、前記分析物センサシステムが、前記パートナデバイスから受信された接続要求のみを受け入れることを含む、請求項５０に記載の方法。
【請求項６３】
前記コマンドが、前記パートナデバイスから受信される、請求項６２に記載の方法。
【請求項６４】
分析物センサシステムであって、前記分析物センサシステムは、糖尿病管理パートナインターフェースを使用して、前記分析物センサシステムと前記分析物センサシステムに接続可能な１つ以上のリモートデバイスとの相互間の無線通信を制御し、前記１つ以上のリモートデバイスが表示デバイスおよびパートナデバイスを含み、前記分析物センサシステムが、
命令を記憶したメモリに動作可能に結合された回路を含み、前記命令が、実行されると、前記分析物センサシステムに、
前記リモートデバイスのうちの１つから受信された接続要求が、前記１つ以上のリモートデバイス内のパートナクラスから発信されたかどうかを判定し、前記パートナクラス内の前記リモートデバイスが、薬剤を提供するように適合されており、前記パートナクラスが前記パートナデバイスを含み、
前記接続要求が前記パートナクラスから発信された場合、前記糖尿病管理パートナインターフェースを使用して前記パートナクラスに対応する動作モードの選択を有効にし、前記パートナデバイスのシステム要件をサポートするために、前記動作モードが前記パートナクラスの構成パラメータセットを使用する、ことを行わせる、分析物センサシステム。
【請求項６５】
前記メモリが、実行されると、前記分析物センサシステムに、前記パートナクラスに対応する前記動作モードを使用して、前記リモートデバイスのうちの少なくとも１つと前記無線通信を交換する、ことを行わせる命令をさらに記憶している、請求項６４に記載の分析物センサシステム。
【請求項６６】
前記パートナクラスに対応する前記動作モードを使用して交換される前記無線通信が、前記分析物センサシステムによって前記リモートデバイスのうちの前記少なくとも１つに送出されるモードインジケータを含み、前記モードインジケータが、使用されている前記動作モードを判定するように前記リモートデバイスのうちの前記少なくとも１つによって使用可能である、請求項６５に記載の分析物センサシステム。
【請求項６７】
前記パートナデバイスの前記システム要件をサポートするために使用される前記構成パラメータセットが、前記表示デバイスまたは前記パートナデバイスのアクセス制御パラメータ、前記分析物センサシステムの精度または較正パラメータ、および前記分析物センサシステムと前記リモートデバイスのうちの１つ以上との相互間で交換される通信の無線通信パラメータ、のうちの１つ以上を含む、請求項６６に記載の分析物センサシステム。
【請求項６８】
前記モードインジケータが、前記糖尿病管理パートナインターフェースを使用して、前記アクセス制御パラメータ、前記精度または較正パラメータ、および前記無線通信パラメータ、のうちの１つ以上への、前記パートナクラス内にない前記リモートデバイスのセットによるアクセスを非アクティブ化するように、前記分析物センサシステムによって動作可能であり、
前記メモリが、実行されると、前記分析物センサシステムに、前記分析物センサシステムがリモートデバイスの前記セットに対応する動作モードを使用するときに、前記アクセス制御パラメータ、前記精度または較正パラメータ、および前記無線通信パラメータ、のうちの前記１つ以上への、リモートデバイスの前記セットによるアクセスを提供する、ことを行わせる命令をさらに記憶している、請求項６７に記載の分析物センサシステム。
【請求項６９】
前記メモリが、実行されると、前記分析物センサシステムに、
前記分析物センサシステムが、少なくとも所定の時間量の間、前記パートナデバイスから無線通信を受信していないと判定し、
前記判定に応答して、前記パートナクラス内にない前記リモートデバイスのセット内の前記リモートデバイスのうちの１つから受信された接続要求にさらに応答して、前記パートナクラス内にない前記リモートデバイスの前記セットに対応する動作モードを選択し、前記パートナクラス内にないリモートデバイスの前記セットに対応する前記動作モードが、前記パートナクラス内にないリモートデバイスの前記セットに固有の構成パラメータセットに従う、ことを行わせる命令をさらに記憶している、請求項６４に記載の分析物センサシステム。
【請求項７０】
前記メモリが、実行されると、前記分析物センサシステムに、ホワイトリストから前記パートナデバイスを削除する、ことを行わせる命令をさらに記憶している、請求項６９に記載の分析物センサシステム。
【請求項７１】
前記メモリが、実行されると、前記分析物センサシステムに、
前記糖尿病管理パートナインターフェースを使用して、パートナデバイスから前記構成パラメータのうちの１つの値を受信し、
前記パートナデバイスから受信された前記値を使用して、前記１つの前記構成パラメータを修正する、ことを行わせる命令をさらに記憶している、請求項６４に記載の分析物センサシステム。
【請求項７２】
前記メモリが、実行されると、前記分析物センサシステムに、
前記構成パラメータの前記値を前記表示デバイスに送出することを行わせる命令をさらに含み、前記値が、
前記分析物センサシステムのために管理されているホワイトリストから前記パートナデバイスが削除されるまでの指定された時間、および
前記ホワイトリストから前記表示デバイスが削除されるまでの指定された時間、の１つ以上を含む、請求項７１に記載の分析物センサシステム。
【請求項７３】
前記メモリが、実行されると、前記分析物センサシステムに、
前記パートナデバイス以外のデバイスのスロットをオフに切り替えるために、前記分析物センサシステムのために管理されているホワイトリストを修正し、
前記パートナデバイスのみに向けられたアドバタイズメントメッセージを伝送する、ことを行わせる命令をさらに記憶している、請求項６５に記載の分析物センサシステム。
【請求項７４】
前記メモリが、実行されると、前記分析物センサシステムに、前記接続要求が前記パートナクラスから発信されたものではない場合、前記パートナクラス内にない前記リモートデバイスのセットに対応する動作モードを選択し、前記動作モードが、前記パートナクラス内にない前記リモートデバイスの前記セットに固有の構成パラメータセットを使用する、ことを行わせる命令をさらに記憶している、請求項６４に記載の分析物センサシステム。
【請求項７５】
前記表示デバイスが、前記パートナクラス内にないリモートデバイスの前記セット内にあり、前記メモリが、実行されると、前記分析物センサシステムに、
前記糖尿病管理パートナインターフェースを使用して、前記パートナクラス内にない前記リモートデバイスの前記セットに固有の構成パラメータの前記セットへのアクセスを前記表示デバイスに提供し、
前記表示デバイスから受信された入力に応答して、前記パートナクラス内にない前記リモートデバイスの前記セットに固有の前記構成パラメータのうちの１つの値を設定または変更する、ことを行わせる命令をさらに記憶している、請求項７４に記載の分析物センサシステム。
【請求項７６】
前記メモリが、実行されると、前記分析物センサシステムに、前記パートナデバイスまたはパートナデバイスコントローラに対してのみアドバタイズするようにアドバタイズメントスロットを修正する、ことを行わせる命令をさらに記憶している、請求項６５に記載の分析物センサシステム。
【請求項７７】
前記メモリが、実行されると、前記分析物センサシステムに、前記糖尿病管理パートナインターフェースを介して受信されたコマンドに応答して、前記パートナデバイスから受信された接続要求のみを受け入れる、ことを行わせる命令をさらに記憶している、請求項６５に記載の分析物センサシステム。
【請求項７８】
前記コマンドが前記パートナデバイスから受信される、請求項７７に記載の分析物センサシステム。
【請求項７９】
糖尿病管理インターフェースを使用して、パートナデバイスおよび表示デバイスのうちの１つ以上と無線通信を交換する分析物センサシステムの構成可能性を可能にする方法であって、
前記分析物センサシステムが、第１のクラスのリモートデバイス中のリモートデバイスから第１の接続要求が送出されたことを判定することと、
前記分析物センサシステムが、第２のクラスのリモートデバイス中のリモートデバイスから第２の接続要求が送出されたと判定することであって、前記第２のクラスのリモートデバイス中の前記リモートデバイスが、薬剤を送達するように適合されており、前記第１のクラスのリモートデバイスのうちの前記リモートデバイスが、前記第２のクラスのリモートデバイスに属していない、判定することと、
前記分析物センサシステムが、複数の動作モードのうちのいずれか１つを使用することと、を含み、
前記複数のうちの第１の動作モードが、前記第２のクラスのリモートデバイス中のリモートデバイスを利用し、かつ前記第１のクラスのリモートデバイス中のリモートデバイスを利用しない、第１の構成に固有であり、
前記複数のうちの第２の動作モードが、前記第２のクラスのリモートデバイスからのデバイスを利用しない第２の構成に固有であり、
前記複数のうちの第３の動作モードが、前記第１のクラスのリモートデバイス中のリモートデバイスと前記第２のクラスのリモートデバイスからのリモートデバイスとを利用する第３の構成に固有である、方法。
【請求項８０】
前記複数のうちの前記第１の動作モードを使用することが、前記第２のクラスのリモートデバイス中の前記リモートデバイスに、前記第１のクラスのリモートデバイス中の前記リモートデバイスに提供された許可を前記糖尿病管理パートナインターフェースを使用して修正する権限を提供すること、を含む、請求項７９に記載の方法。
【請求項８１】
前記複数のうちの前記第１の動作モードを使用することが、前記第１のクラスのリモートデバイス中の前記リモートデバイスから、前記第２のクラスのリモートデバイス中の前記リモートデバイスが前記分析物センサシステムと通信する許可を受信すること、をさらに含む、請求項８０に記載の方法。
【請求項８２】
前記第１の動作モードを使用することが、前記第２のクラスのリモートデバイス中の前記リモートデバイスから前記糖尿病管理パートナデバイスを介して受信された入力に応答して、前記分析物センサシステムが前記第２のクラスのリモートデバイス中の前記リモートデバイス以外のデバイスとの接続を阻止すること、をさらに含む、請求項７９に記載の方法。
【請求項８３】
前記接続を阻止することが、
第１のアドバタイズメントスロットを使用して、前記第２のクラスのリモートデバイス中の前記リモートデバイスにアドバタイズすることと、
第２のアドバタイズメントスロットを使用して、前記第２のクラスのリモートデバイス中の前記リモートデバイスか、または前記第２のクラスのリモートデバイス中の前記リモートデバイスに対するコントローラに、アドバタイズすることと、を含む、請求項８２に記載の方法。
【請求項８４】
前記接続を防止することが、前記分析物センサシステムが前記糖尿病管理パートナインターフェースを使用して、前記第２のクラスのデバイス中の前記リモートデバイスに専用の単一のアドバタイズメント期間を含むように、アドバタイズメント構造の修正を設定するかまたは引き起こすことを含む、請求項８２に記載の方法。
【請求項８５】
前記接続を阻止することが、前記分析物センサシステムが前記第２のクラスのリモートデバイス中の前記リモートデバイスのみからの接続要求を受け入れることを含む、請求項８２に記載の方法。
【請求項８６】
前記複数のうちの前記第１の動作モードを使用することが、前記分析物センサシステムが、前記糖尿病管理インターフェースを介して前記第２のクラスのリモートデバイス中の前記リモートデバイスから受信された入力を使用して、前記第２のクラスのリモートデバイス中の前記リモートデバイスに関連付けられたタイムアウトルールを修正することをさらに含む、請求項７９に記載の方法。
【請求項８７】
前記複数のうちの前記第２の動作モードを使用することが、
前記第２のクラスのリモートデバイス中の前記リモートデバイスを除外するように、ホワイトリストを修正することと、
前記第２のクラスのリモートデバイス中の前記リモートデバイスから受信された接続要求を拒絶することと、
前記第１のクラスのリモートデバイス中のリモートデバイスに対して排他的にアドバタイズすることと、のうちの１つ以上を含む、請求項７９に記載の方法。
【請求項８８】
前記複数のうちの前記第３の動作モードを使用することが、前記分析物センサシステムが、前記糖尿病管理インターフェースを介して、前記第１のクラスのリモートデバイス中のリモートデバイスに与えられることとなる、前記分析物センサシステムに対するアクセスレベル、の表示を、前記第２のクラスのリモートデバイス中のリモートデバイスから受信すること、を含む、請求項８７に記載の方法。
【請求項８９】
前記分析物センサシステムが、前記糖尿病管理インターフェースを使用して前記アクセスレベルを実装することと、
前記第１のクラスのリモートデバイス中の前記リモートデバイスに、前記アクセスレベルを通知することと、をさらに含む、請求項８８に記載の方法。
【請求項９０】
前記アクセスレベルに応じて、前記第１のクラスのリモートデバイス中の前記リモートデバイスが、前記分析物センサシステムから分析物データを受信することはできるが、前記第３の動作のために前記分析物センサシステムによって使用される精度または較正パラメータにアクセスすることはできない、請求項８８に記載の方法。
【請求項９１】
１つ以上のパートナデバイスと表示デバイスとで無線通信を交換する分析物センサシステムであって、前記分析物センサシステムが、糖尿病管理パートナインターフェースによって構成可能であり、前記分析物センサシステムが、
命令を記憶したメモリに動作可能に結合された回路を含み、前記命令が、実行されると、前記分析物センサシステムに、
第１のクラスのリモートデバイス中のリモートデバイスから第１の接続要求が送出されたと判定し、
第２のクラスのリモートデバイス中のリモートデバイスから第２の接続要求が送出されたと判定し、前記第２のクラスのリモートデバイスのうちの前記リモートデバイスが、薬剤を送達するように適合されており、前記第１のクラスのリモートデバイスのうちの前記リモートデバイスが、前記第２のクラスのリモートデバイスに属しておらず、
複数の動作モードのうちのいずれか１つを使用する、ことを行わせ、
前記複数のうちの第１の動作モードが、前記第２のクラスのリモートデバイス中のリモートデバイスを利用し、かつ前記第１のクラスのリモートデバイス中のリモートデバイスを利用しない、第１の構成に固有であり、
前記複数のうちの第２の動作モードが、前記第２のクラスのリモートデバイスからのデバイスを利用しない第２の構成に固有であり、
前記複数のうちの第３の動作モードが、前記第１のクラスのリモートデバイス中のリモートデバイスと前記第２のクラスのリモートデバイスからのリモートデバイスとを利用する第３の構成に固有である、分析物センサシステム。
【請求項９２】
前記メモリが、実行されると、前記分析物センサシステムに、前記複数のうちの前記第１の動作モードにおいて、前記第２のクラスのリモートデバイス中の前記リモートデバイスに、前記糖尿病管理パートナインターフェースを使用して、前記第１のクラスのリモートデバイス中の前記リモートデバイスに提供された許可を修正する権限を提供する、ことを行わせる命令をさらに記憶している、請求項９１に記載の分析物センサシステム。
【請求項９３】
前記メモリが、実行されると、前記分析物センサシステムに、前記複数のうちの前記第１の動作モードにおいて、前記第１のクラスのリモートデバイス中の前記リモートデバイスから、前記第２のクラスのリモートデバイス中の前記リモートデバイスが前記分析物センサシステムと通信する許可を受信する、ことを行わせる命令をさらに記憶している、請求項９２に記載の分析物センサシステム。
【請求項９４】
前記メモリが、実行されると、前記分析物センサシステムに、前記複数のうちの前記第１の動作モードにおいて、前記第２のクラスのリモートデバイス中の前記リモートデバイスから前記糖尿病管理パートナデバイスを介して受信された入力に応答して、前記第２のクラスのリモートデバイス中の前記リモートデバイス以外のデバイスとの接続を阻止する、ことを行わせる命令をさらに記憶している、請求項９１に記載の分析物センサシステム。
【請求項９５】
前記メモリが、実行されると、前記分析物センサシステムに、
第１のアドバタイズメントスロットを使用して、前記第２のクラスのリモートデバイス中の前記リモートデバイスにアドバタイズし、
第２のアドバタイズメントスロットを使用して、前記第２のクラスのリモートデバイス中の前記リモートデバイスか、または前記第２のクラスのリモートデバイス中の前記リモートデバイスに対するコントローラに、アドバタイズする、ことを行わせる命令をさらに含む、請求項９４に記載の分析物センサシステム。
【請求項９６】
前記メモリが、実行されると、前記分析物センサシステムに、前記糖尿病管理パートナインターフェースを使用して、前記第２のクラスのデバイス中の前記リモートデバイスに専用の単一のアドバタイズメント期間を含むように、アドバタイズメント構造の修正を設定するかまたは引き起こす、ことを行わせる命令をさらに記憶している、請求項９４に記載の分析物センサシステム。
【請求項９７】
前記メモリが、実行されると、前記分析物センサシステムに、前記第２のクラスのリモートデバイス中の前記リモートデバイスのみからの接続要求を受け入れる、ことを行わせる命令をさらに記憶している、請求項９４に記載の分析物センサシステム。
【請求項９８】
前記メモリが、実行されると、前記分析物センサシステムに、前記複数のうちの前記第１の動作モードにおいて、前記糖尿病管理インターフェースを介して前記第２のクラスのリモートデバイス中の前記リモートデバイスから受信された入力を使用して、前記第２のクラスのリモートデバイス中の前記リモートデバイスに関連付けられたタイムアウトルールを修正する、ことを行わせる命令をさらに記憶している、請求項９１に記載の分析物センサシステム。
【請求項９９】
前記メモリが、実行されると、前記分析物センサシステムに、前記複数のうちの前記第２の動作モードにおいて、
前記第２のクラスのリモートデバイス中の前記リモートデバイスを除外するようにホワイトリストを修正し、
前記第２のクラスのリモートデバイス中の前記リモートデバイスから受信された接続要求を拒絶し、
前記第１のクラスのリモートデバイス中のリモートデバイスに対して排他的にアドバタイズする、ことを行わせる命令をさらに記憶している、請求項９１に記載の分析物センサシステム。
【請求項１００】
前記メモリが、実行されると、前記分析物センサシステムに、前記複数のうちの前記第３の動作モードにおいて、前記糖尿病管理インターフェースを介して、前記第２のクラスのリモートデバイス中のリモートデバイスからの、前記第１のクラスのリモートデバイス中の前記リモートデバイスに与えられることとなる、前記分析物センサシステムに対するアクセスレベルの表示を受信する、ことを行わせる命令をさらに記憶している、請求項９９に記載の分析物センサシステム。
【請求項１０１】
前記メモリが、実行されると、前記分析物センサシステムに、
前記糖尿病管理インターフェースを使用して前記アクセスレベルを実装し、
前記第１のクラスのリモートデバイス中の前記リモートデバイスに、前記アクセスレベルを通知する、ことを行わせる命令をさらに記載している、請求項１００に記載の分析物センサシステム。
【請求項１０２】
前記アクセスレベルに応じて、前記第１のクラスのリモートデバイス中の前記リモートデバイスが、前記分析物センサシステムからの分析物データを受信することはできるが、前記第３の動作モードに対して前記分析物センサシステムによって使用される精度または較正パラメータにアクセスすることはできない、請求項１００に記載の分析物センサシステム。
【請求項１０３】
糖尿病管理インターフェースを使用して分析物管理システムとの無線通信の交換を容易にする方法であって、
前記糖尿病管理パートナインターフェースを使用して、前記分析物センサシステムと第１のパートナデバイスとの間の第１の接続を確立することと、
前記分析物センサシステムが、前記第１のパートナデバイスに、糖尿病管理インターフェースを介して構成パラメータセットへのアクセスを提供することと、
前記糖尿病管理パートナインターフェースを介して前記第１のパートナデバイスから受信された入力に応答して、前記構成パラメータセットの第１の修正を設定するかまたは引き起こすことであって、前記第１の修正を前記設定するかまたは引き起こすことが、前記第１のパートナデバイスのシステム要件に応じて行われる、第１の修正を設定するかまたは引き起こすことと、
前記糖尿病管理パートナインターフェースを使用して、前記分析物センサシステムと第２のパートナデバイスとの間の第２の接続を確立することと、
前記分析物センサシステムが、前記第２のパートナデバイスに、前記糖尿病管理インターフェースを介して、前記構成パラメータセットへのアクセスを提供することと、
前記糖尿病管理パートナインターフェースを介して前記第２のパートナデバイスから受信された入力に応答して、前記構成パラメータセットの第２の修正を引き起こすことであって、前記第２の修正が、前記第２のパートナデバイスのシステム要件に応じて行われる、第２の修正を引き起こすことと、を含む方法。
【請求項１０４】
前記糖尿病管理パートナインターフェースを使用して前記第２の接続を確立することが、前記第１の接続が終了した後に行われる、請求項１０３に記載の方法。
【請求項１０５】
前記分析物センサシステムが第３のパートナデバイスに対する識別情報を受信することに応答して、前記糖尿病管理パートナインターフェースを使用して、前記分析物センサシステムと前記第３のパートナデバイスとの間の第３の接続を確立することを試行することと、
前記分析物センサシステムと前記第３のパートナデバイスとの間の前記第３の接続を確立することに応答して、前記糖尿病管理パートナインターフェースを介して受信された入力に応答して、前記構成パラメータセットの第３の修正を引き起こすことであって、前記第３の修正が前記第３のパートナデバイスのシステム要件に応じて行われる、第３の修正を引き起こすことと、をさらに含む請求項１０３に記載の方法。
【請求項１０６】
前記第３のパートナデバイスに対する前記識別情報が、サーバシステムに記憶されており、前記識別情報が、前記第３のパートナデバイスに前記分析物センサシステムと通信する権限があるかどうかを示す、請求項１０５に記載の方法。
【請求項１０７】
前記分析物センサシステムが前記第３のパートナデバイスに対する前記識別情報を受信することが、前記分析物センサシステムが、前記サーバシステムから前記第３のパートナデバイスに対する前記識別情報を受信した表示デバイスから、前記第３のパートナデバイスに対する前記識別情報を受信することを含む、請求項１０６記載の方法。
【請求項１０８】
前記分析物センサシステムが前記第３のパートナデバイスに対する前記識別情報を受信することに応答して、前記第３のパートナデバイスに対する前記識別情報を使用して、前記第３のパートナデバイスに前記分析物センサシステムと通信する権限があるかどうかを判定することと、
前記第３のパートナデバイスに前記分析物センサシステムと通信する権限がないと判定することに応答して、前記分析物センサシステムと前記第３のパートナデバイスとの間の前記第３の接続を確立する前記試行を取り消すことと、
前記第３のパートナデバイスに分析物センサシステムと通信する権限がないと判定することに応答して、前記糖尿病管理パートナインターフェースを使用して、前記分析物センサシステムと前記第３のパートナデバイスとの間の前記第３の接続を確立することと、をさらに含む、請求項１０６に記載の方法。
【請求項１０９】
前記第３のパートナデバイスに前記分析物センサシステムと通信する権限がないと判定することが、第１の時間に行われ、
前記第３のパートナデバイスに前記分析物センサシステムと通信する権限があると判定することが、第２の時間に行われ、
前記第３のパートナデバイスに対する前記識別情報が、前記第１の時間と前記第２の時間との間に前記サーバシステムで更新される、請求項１０８に記載の方法。
【請求項１１０】
前記第３のパートナデバイスのシステム要件がサーバシステムに記憶されており、前記方法が、前記糖尿病管理パートナインターフェースを介して受信された入力に応答して、前記構成パラメータセットの第４の修正を引き起こすことをさらに含み、前記第４の修正が、前記第３のパートナデバイスの前記システム要件の更新されたバージョンに応じて行われる、請求項１０８に記載の方法。
【請求項１１１】
糖尿病管理インターフェースを使用して無線通信の交換を容易にする分析物センサシステムであって、
命令を記憶したメモリに動作可能に結合された回路を含み、前記命令が、実行されると、前記分析物センサシステムに、
前記糖尿病管理パートナインターフェースを使用して、前記分析物センサシステムと第１のパートナデバイスとの間の第１の接続を確立し、
前記糖尿病管理インターフェースを介して、前記第１のパートナデバイスに、構成パラメータセットへのアクセスを提供し、
前記糖尿病管理パートナインターフェースを介して前記第１のパートナデバイスから受信された入力に応答して、前記構成パラメータセットの第１の修正を設定するかまたは引き起こし、前記第１の修正が、前記第１のパートナデバイスのシステム要件に応じて行われ、
前記糖尿病管理パートナインターフェースを使用して、前記分析物センサシステムと第２のパートナデバイスとの間の第２の接続を確立し、
前記糖尿病管理インターフェースを介して、前記第２のパートナデバイスに、前記構成パラメータセットへのアクセスを提供し、
前記糖尿病管理パートナインターフェースを介して前記第２のパートナデバイスから受信された入力に応答して、前記構成パラメータセットの第２の修正を引き起こし、前記第２の修正が、前記第２のパートナデバイスのシステム要件に応じて行われる、ことを行わせる、分析物センサシステム。
【請求項１１２】
前記第２の接続が、前記第１の接続が終了した後に確立される、請求項１１１に記載の分析物センサシステム。
【請求項１１３】
前記メモリが、実行されると、前記分析物センサシステムに、
第３のパートナデバイスに対する識別情報を受信し、
前記第３パートナデバイスに対する識別情報が受信されることに応答して、前記糖尿病管理パートナインターフェースを使用して、前記分析物センサシステムと前記第３のパートナデバイスとの間の第３の接続を確立することを試行し、
前記分析物センサシステムと第３のパートナデバイスとの間の前記第３の接続が確立されることに応答して、前記糖尿病管理パートナインターフェースを介して受信された入力に応答して、前記構成パラメータセットの第３の修正を引き起こし、前記第３の修正が、前記第３のパートナデバイスの要件に応じて行われる、ことを行わせる命令をさらに記憶する、請求項１１１に記載の分析物センサシステム。
【請求項１１４】
前記第３のパートナデバイスに対する前記識別情報が、サーバシステムに記憶されており、前記識別情報が、前記第３のパートナデバイスに前記分析物センサシステムと通信する権限があるかどうかを示す、請求項１１３に記載の分析物センサシステム。
【請求項１１５】
前記メモリが、実行されると、前記分析物センサシステムに、前記第３のパートナデバイスに対する識別情報を受信した表示デバイスから、前記第３のパートナデバイスに対する識別情報を受信する、ことを行わせる命令をさらに記憶している、請求項１１４に記載の分析物センサシステム。
【請求項１１６】
前記メモリが、実行されると、前記分析物センサシステムに、
前記第３のパートナデバイスに対する前記識別情報が受信されることに応答して、前記第３のパートナデバイスに対する前記識別情報を使用して、前記第３のパートナデバイスに前記分析物センサシステムと通信する権限があるかどうかを判定し、
前記第３のパートナデバイスに前記分析物センサシステムと通信する権限がないと判定することに応答して、前記分析物センサシステムと前記第３のパートナデバイスとの間の前記第３の接続を確立する前記試行を取り消し、
前記第３のパートナデバイスに前記分析物センサシステムと通信する権限があると判定することに応答して、前記糖尿病管理パートナインターフェースを使用して、前記分析物センサシステムと前記第３のパートナデバイスとの間の前記第３の接続を確立する、ことを行わせる命令をさらに記憶している、請求項１１４に記載の分析物センサシステム。
【請求項１１７】
前記第３のパートナデバイスに前記分析物センサシステムと通信する権限がないとの前記判定が、第１の時間に行われ、
前記第３のパートナデバイスに前記分析物センサシステムと通信する権限があるとの前記判定が、第２の時間に行われ、
前記第３のパートナデバイスに対する前記識別情報が、前記第１の時間と前記第２の時間との間に前記サーバシステムで更新される、請求項１１６に記載の分析物センサシステム。
【請求項１１８】
前記第３のパートナデバイスのシステム要件がサーバシステムに記憶されており、前記メモリが、実行されると、前記分析物センサシステムに、前記糖尿病管理パートナインターフェースを介して受信された入力に応答して、前記構成パラメータセットの第４の修正を引き起こし、前記第４の修正が、前記第３のパートナデバイスの前記システム要件の更新されたバージョンに応じて行われる、ことを行わせる命令をさらに記憶している、請求項１１３に記載の分析物センサシステム。
【請求項１１９】
方法であって、
分析物センサシステムが、パートナデバイスの使用に固有の動作モードに入る表示を受信することと、
前記分析物センサシステムと前記パートナデバイスとの間の接続を確立することと、
前記分析物管理システムが、糖尿病管理パートナインターフェースを介して前記パートナデバイスから受信された入力に応答して構成パラメータを設定するかまたは修正することであって、前記パートナデバイスから受信された前記入力が、前記動作モードを使用して前記分析物センサシステムと通信するように前記パートナデバイスによって使用されることとなる対応する動作パラメータを示し、前記構成パラメータが、前記パートナデバイスのシステム要件に従って構成されている、設定するかまたは修正することと、
前記パートナデバイスの前記システム要件に適合するように、前記分析物センサシステムの前記動作パラメータを使用して前記パートナデバイスの前記使用に固有の前記動作モードを実装することと、を含む、方法。
【請求項１２０】
前記構成パラメータが、
前記分析物センサシステムに対するセンサセッションの長さを開始、停止、較正、または設定するコマンドまたは制御信号を表示デバイスが発行するための許可パラメータ、
バッテリまたは電源管理パラメータ、
接続モデルパラメータ、
タイムアウトパラメータであって、前記タイムアウトパラメータのうちの１つ以上が、前記パートナデバイスをホワイトリスト上に保持する時間の長さ、アドバタイジングタイムアウト、接続確立タイムアウト、および許可タイムアウト、に関連する、タイムアウトパラメータ、
警告パラメータ、
前記分析物センサシステムの動作モードを管理する構成設定、および
リモートサーバパラメータ、のうちの１つ以上を含む、請求項１１９に記載の方法。
【請求項１２１】
前記分析物センサシステムが、前記パートナデバイスの前記使用に固有の前記動作モードでの実装からの移行の表示を受信することと、
前記分析物センサシステムが、前記パートナデバイスから受信された前記入力に応答して前記構成パラメータを設定または修正する前に存在した以前の状態に前記構成パラメータを復元することと、をさらに含む、請求項１１９に記載の方法。
【請求項１２２】
前記構成パラメータセットを前記以前の状態に復元することが、ホワイトリストから前記パートナデバイスを削除することを含む、請求項１２１に記載の方法。
【請求項１２３】
方法であって、
分析物センサシステムが、無線通信システムが表示デバイスおよびパートナデバイスのうちの１つ以上を含むかどうかを判定することを含み、
前記無線通信システムが前記表示デバイスを含む場合に、
前記分析物センサシステムが、断続接続モデルと連続接続モデルとのうちの一方を使用して前記表示デバイスに接続するかどうかを判定し、
前記システムが前記パートナデバイスを含む場合に、
前記分析物センサシステムが、前記断続接続モデル前記連続接続モデルとのうちの一方を使用して前記パートナデバイスに接続するかどうかを判定し、
前記分析物センサシステムが、前記表示デバイスおよび前記パートナデバイスのうちの１つ以上への接続に前記断続接続モデルまたは前記連続接続モデルのうちのいずれを使用するかを判定することが、糖尿病管理パートナインターフェースを介して前記パートナデバイスから受信された入力を使用して設定または修正された構成パラメータを使用することを含む、方法。
【請求項１２４】
前記分析物センサシステムが前記断続接続モデルに応じて前記パートナデバイスに接続することを判定することが、前記パートナデバイスの電力要件に応答して設定された前記構成パラメータのうちの１つを使用して行われる、請求項１２３に記載の方法。
【請求項１２５】
前記分析物センサシステムが前記連続接続モデルに応じて前記パートナデバイスに接続することを判定することが、前記システムが前記表示デバイスを含むとの判定を使用して行われる、請求項１２３に記載の方法。
【請求項１２６】
方法であって、
表示デバイスの分析物センサアプリケーションが、パートナデバイスに関連付けられたパートナデバイスアプリケーションへのインターフェースを受信することと、
前記分析物センサアプリケーションが、前記インターフェースを使用して、前記パートナデバイスアプリケーションによって集取された情報を収集することであって、前記情報が、ペアリングデータおよび分析物投与量データのうちの１つ以上を含む、収集することと、
前記分析物センサアプリケーションが、前記インターフェースを使用して、分析物センサシステム情報を提供することと、を含み、前記分析物センサ情報が、
前記分析物センサシステムが機能していること、
前記パートナデバイスまたは前記表示デバイスに関して前記分析物センサシステムによって利用される接続モデル、および
前記パートナデバイスおよび前記表示デバイスのうちの１つ以上と通信するために前記分析物センサシステムによって使用される構成パラメータ、のうちの１つ以上を示すために使用される、方法。
【請求項１２７】
前記分析物センサアプリケーションが、前記分析物センサシステムから分析物データを受信することと、
前記分析物センサアプリケーションが、前記分析物データと、前記パートナデバイスアプリケーションによって集取された前記情報と、を含む視覚表示を提供することと、をさらに含む、請求項１２６に記載の方法。
【請求項１２８】
前記分析物センサアプリケーションが、前記分析物センサシステムから分析物値に関する情報を受信することと、
前記分析物センサアプリケーションが、前記インターフェースを使用して、前記分析物値を、前記パートナデバイスアプリケーションを介して前記パートナデバイスに通信することと、をさらに含む、請求項１２６に記載の方法。
【請求項１２９】
前記分析物センサアプリケーションが、前記インターフェースを介して、前記パートナデバイスによって集取された薬剤送達情報を受信することをさらに含む、請求項１２６に記載の方法。
【請求項１３０】
前記分析物センサアプリケーションが、前記インターフェースを介して、前記パートナデバイスから警告を受信することをさらに含み、前記警告が、前記パートナデバイスの機能性に関する問題に関連する、請求項１２６に記載の方法。
【請求項１３１】
前記表示デバイスの前記分析物センサアプリケーションが、前記警告がユーザインターフェースを介して提供されることを引き起こすことをさらに含む、請求項１３０に記載の方法。
【請求項１３２】
前記表示デバイスの前記分析物センサアプリケーションが、前記警告がリモートサーバを介して提供されることを引き起こすことをさらに含む、請求項１３０に記載の方法。
【請求項１３３】
方法であって、
分析物センサシステムとパートナデバイスとの間の接続を確立することと、
前記分析物センサシステムが、糖尿病管理パートナインターフェースを使用して、前記パートナデバイスから構成パラメータ情報を受信することと、を含み、前記構成パラメータ情報が、前記パートナデバイスのシステム要件に従う、前記分析物センサシステムの動作に関連し、前記構成パラメータ情報が、
前記分析物センサシステムに接続可能なリモートデバイスに与えられるアクセス度と、
前記分析物センサシステムと前記パートナデバイスとの間に確立された接続に使用される構成可能性パラメータセットの１つ以上の値と、を含み、前記構成パラメータセットの前記１つ以上の値が、前記パートナデバイスの前記システム要件に従って選択される、方法。
【請求項１３４】
前記構成可能性パラメータセットが、
前記リモートデバイスの接続情報、
前記分析物センサシステムに接続可能な特定のデバイスに使用される接続モデル、
前記リモートデバイスによって読み取られるか、または前記リモートデバイスに送出される接続コマンド関連データ、
前記パートナデバイスの不使用に関する情報、
セキュリティまたはプライバシー関連のパラメータ、
電力制御またはバッテリ使用に関する情報、
前記分析物センサシステムに接続可能なデバイスの数、
前記分析物センサシステムに接続可能な各デバイスのデバイスタイプ、および
前記分析物センサシステムに接続可能なリモートデバイスによって読み取られて送出され得る分析物データに関連する情報のタイプ、のうちの１つ以上を含む、請求項１３３に記載の方法。
【請求項１３５】
前記接続コマンド関連データが、
前記パートナデバイスまたは前記リモートデバイスが、前記分析物センサシステムのホワイトリスト上に含める資格があるかどうか、
前記パートナデバイスまたは前記リモートデバイスが、前記ホワイトリストの期限切れに適合しているかどうか、および
前記パートナデバイスまたは前記リモートデバイスが前記ホワイトリストの期限切れに適合している場合、パートナデバイスまたはリモートデバイスがホワイトリストを期限切れに設定するまでの時間量、のうちの１つ以上を示す、請求項１３４に記載の方法。
【請求項１３６】
電力制御に関連する前記情報が、特定のデバイスを期限切れにして前記分析物センサシステムのバッテリ寿命を延ばす提案を含む、請求項１３４に記載の方法。
【請求項１３７】
電力制御またはバッテリ使用に関連する前記情報が、前記分析物センサシステムと前記パートナデバイスまたは前記リモートデバイスとの間の接続信頼性に対して前記分析物センサシステムのバッテリ寿命のバランスをとる制御メカニズムを介して集取される、請求項１３４記載の方法。
【請求項１３８】
電力制御に関連する前記情報が、前記分析物センサシステムの低電力モードをトリガする、請求項１３４に記載の方法。
【請求項１３９】
前記アクセス度が、分析物センサシステムが、前記パートナデバイスから受信された前記パラメータ情報を使用して修正される前記アクセス度に対する許可を受信した後にのみ、受信される、請求項１３３に記載の方法。
【請求項１４０】
方法であって、
表示デバイスと分析物センサシステムとの間の接続を確立することと、
前記表示デバイスが、前記分析物センサシステムがパートナデバイスに接続しているとの表示を受信することと、
前記パートナデバイスに糖尿病管理パートナインターフェースを介して構成パラメータセットへのアクセスを提供する許可を受信した後に、前記糖尿病管理パートナインターフェースを介して、前記パートナデバイスから発信された警告の構成パラメータを受信することと、
前記表示デバイスが、前記分析物センサシステムから発信された警告と、前記パートナデバイスから発信された警告と、を構成するユーザインターフェースを提供することと、
前記ユーザインターフェースを介して受信された入力を使用して、前記パートナデバイスから発信された前記警告の前記構成パラメータの修正を引き起こすことであって、前記修正が、前記パートナデバイスのシステム要件に従って行われる、前記構成パラメータの修正を引き起こすことと、を含む、方法。
【請求項１４１】
前記ユーザインターフェースを介して、前記分析物センサシステムから発信された警告と前記パートナデバイスから発信された警告とのうちの１つ以上を提供する主デバイスとして使用される、前記表示デバイスを含む、前記パートナデバイスか、または複数のリモートデバイスのうちのリモートデバイスの選択を受信することをさらに含む、請求項１４０に記載の方法。
【請求項１４２】
前記主デバイスのバッテリ容量が閾値を下回った場合に、前記主デバイス以外のデバイスに対して前記警告を提供することをさらに含む、請求項１４１に記載の方法。
【請求項１４３】
前記表示デバイスが、前記ユーザインターフェースを介して、前記パートナデバイスから発信された前記警告と前記分析物センサシステムから発信された前記警告とに対して提供されるそれぞれの警告タイプの選択を受信することをさらに含む、請求項１４０に記載の方法。
【請求項１４４】
主通知デバイスを介して前記警告を提供することと、
前記主通知デバイスを介して前記警告を提供することに応答して肯定応答が受信されない場合に、副通知デバイスを介して前記警告を提供することと、をさらに含み、前記主通知デバイスおよび前記副通知デバイスが、前記パートナデバイス、前記分析物センサシステム、および前記複数のリモートデバイスのうちの少なくとも１つ、からなる群から選択される、請求項１４０に記載の方法。
【請求項１４５】
薬剤送達デバイスの操作性ステータスを監視する方法であって、
前記薬剤送達デバイスから、
リザーバ変更、
ポンプ巻き戻し、
ポンプ呼び水、
カニューレ充填、および
液圧、のうちの１つ以上に関連する薬剤送達デバイス情報を受信することと、
前記分析物送達システム情報と前記分析物センサシステムを使用して生成された分析物データとの組み合わせを判定することと、
前記分析物センサシステムが前記組み合わせを使用して前記薬剤送達デバイスの操作性ステータスを判定することと、を含む、方法。
【発明の詳細な説明】
【技術分野】
【０００１】
関連出願への参照による組み込み
出願データシートで特定されたあらゆる全ての優先権主張、またはそれに対するいかなる修正も、米国特許法施行規則１．５７の下で参照により本明細書に組み込まれる。本出願は、２０１７年１０月３０日に提出された米国仮特許出願第６２／５７９，０６１号の利益を主張する。前述の出願は、参照によりその全体が本明細書に組み込まれ、本明細書の一部として明示的に作成される。
【０００２】
本開示は、一般に、分析物センサシステムを使用して収集された分析物データの無線通信のためのインターフェースに関する。より具体的には、本開示は、表示デバイス、医療デバイス、および／または他の（例えば、電子）デバイスとの無線通信における分析物センサシステムの柔軟性を改善するために糖尿病管理パートナインターフェースを使用するためのシステム、方法、装置、およびデバイスを対象とする。
【背景技術】
【０００３】
真性糖尿病は、膵臓が十分なインスリンを作ることができない（Ｉ型もしくはインスリン依存性）、かつ／またはインスリンが有効ではない（２型もしくは非インスリン依存性）疾患である。糖尿病の状態において、被害者は高血糖に悩まされ、それは、小血管の悪化と関連付けられる多くの生理学的な障害、（腎不全、皮膚潰瘍、または眼球の硝子体液への出血）を引き起こす。低血糖（ｈｙｐｏｇｌｙｃｅｍｉｃ）反応（低血糖（ｌｏｗ  ｂｌｏｏｄ  ｓｕｇａｒ））は、インスリンの不注意の過剰投与によって、または異常な運動もしくは不十分な食物摂取を伴うインスリンもしくはグルコース降下薬の正常な投与後に誘発され得る。
【０００４】
従来、糖尿病の人は自己監視血糖（ＳＭＢＧ）モニタを携帯するが、これには不快な指穿刺法が必要になる場合がある。快適さおよび便利さに欠けるため、糖尿病患者は通常、１日当たり２〜４回自分のグルコースレベルを測定するのみである。残念なことに、これらの時間間隔は非常に離れているため、糖尿病患者は高血糖または低血糖の状態に対して警告されるのが遅すぎる恐れがあり、結果として危険な副作用を引き起こすことがある。実際、糖尿病患者が適時にＳＭＢＧ値を取得する可能性が低いだけでなく、従来の方法の制限により、自分の血糖値が上昇している（高くなる）のか、または下降している（低くなる）のかが分からない。
【０００５】
その結果、血糖値を連続的に検出および／または定量化するために、多様な非侵襲的、経皮的（ｔｒａｎｓｄｅｒｍａｌ）（例えば、経皮的（ｔｒａｎｓｃｕｔａｎｅｏｕｓ））および／または移植可能な電気化学センサが開発されている。これらのデバイスは、一般に、ディスプレイを含むことができるリモートデバイスでの後続の分析のために、生データまたは最小限の処理データを伝送する。無線表示デバイスへの伝送は無線とすることができる。次いで、リモートデバイスは、ユーザの血糖レベルに関する情報をユーザに提供することができる。このような埋め込み型センサを使用するシステムは、より多くの最新の情報をユーザに提供することができるため、ユーザがユーザの血糖レベルを調整することに失敗するリスクを低減し得る。それにもかかわらず、このようなシステムは、通常、例えば注射を行うことによって、ユーザの血糖レベルを調節するための行動を取ることを、依然としてユーザに依拠している。
【０００６】
ユーザの血糖レベルの調節を自動化する特定のデバイスが導入されている。このようなデバイスの導入は、特に、例えば、前述のデバイスが異なる製造者によって展開されている場合、血糖監視に利用され得る他のデバイス（例えば、上述のリモートデバイス）との相互運用性の問題を生じる可能性がある。例えば、自動血糖レベル調節のために導入されたデバイスは、干渉、バッテリ寿命、精度および信頼性などに関する特定の要件の対象となる場合がある。このような要件は、監視デバイスの製造者によって事前に知られていない場合があり、および／またはいくつかの場合において、利用可能なネットワーク接続、接続されているデバイスの数などのエコシステム構成に基づくことを含み、時々要件を変更することが望ましい場合がある。加えて、より多くの電子デバイスがネットワーク接続可能になると、より多くのデバイスを使用して糖尿病などの健康状態を管理することができる。しかし、複数のデバイス相互間の同期された分析物データ通信を維持することは、有用ではあるが、ユーザにとってますます難しくなっている。
【０００７】
したがって、従来のシステムは、特に、このようなデバイスが様々な製造者によって提供されている場合、このようなデバイスが様々なタイプの通信ネットワークおよび／または媒体を介して無線で通信する場合、および特定のレベルの柔軟性および／または適応性が望ましい場合、血糖レベルを監視するデバイスと血糖レベルを調節する追加のデバイスとの展開および統合に適していない。
【発明の概要】
【課題を解決するための手段】
【０００８】
本開示の第１の態様は、糖尿病管理パートナインターフェースを使用して、複数のパートナデバイスとの無線通信のための分析物センサシステムを構成する方法を含む。この方法は、分析物センサシステムが、糖尿病管理パートナインターフェースを介して、パートナデバイスのうちの１つに、構成パラメータセットへのアクセスを提供する許可を受信すること、を含む。構成パラメータのセットは、分析物センサシステムのメモリに記憶されている。この方法はまた、糖尿病管理パートナインターフェースを介して１つのパートナデバイスから受信された入力に応答して、分析物センサシステムが、１つのパートナデバイスのシステム要件に応じて、構成パラメータセットの修正を設定するかまたは引き起こすことを含む。
【０００９】
一般に適用可能であり得るが、第１の態様の任意の他の実装形態に関連して特に適用可能でもある第１の態様の特定の実装形態では、一方のパートナデバイスが自動インスリン送達デバイスまたは手動インスリン送達デバイスである。
【００１０】
一般に適用可能であり得るが、第１の態様の任意の他の実装形態に関連して特に適用可能でもある第１の態様の特定の実装形態では、構成パラメータのセットが、無線接続性パラメータセット、アクセス制御パラメータセット、および分析物データパラメータセットのうちの１つ以上を含む。
【００１１】
一般に適用可能であり得るが、第１の態様の任意の他の実装形態に関連して特に適用可能でもある第１の態様の特定の実装形態では、システム要件は、１つのパートナデバイスのバッテリ容量と、１つのパートナデバイスの精度要件と、１つのパートナデバイスによって使用される通信プロトコルと、１つのパートナデバイスに適用可能な規制要件と、１つのパートナデバイスの予想稼働時間と、のうちの１つに関連付けられている。
【００１２】
一般に適用可能であり得るが、第１の態様の任意の他の実装形態に関連して特に適用可能でもある第１の態様の特定の実装形態では、無線接続性パラメータセットが、１つのパートナデバイスが分析物センサシステムのために管理されているホワイトリストから削除されることとなる条件を含む。実施形態では、分析物センサシステムが１つのパートナデバイスのシステム要件に応じて構成パラメータセットの修正を設定するかまたは引き起こすことが、分析物センサシステムが、１つのパートナ送達デバイスのバッテリレベルが閾値を満たすと１つのパートナデバイスがホワイトリストから除外されることとなるように条件を設定することを含む。
【００１３】
一般に適用可能であり得るが、第１の態様の任意の他の実装形態に関連して特に適用可能でもある第１の態様の特定の実装形態では、無線接続性パラメータセットが、アドバタイズメント構造を含む。実施形態では、分析物センサシステムが、１つのパートナデバイスのシステム要件に応じて、構成パラメータセットの修正を設定するかまたは引き起こすことが、分析物センサシステムが、糖尿病管理パートナインターフェースを使用してアドバタイズメント構造を設定または修正することを含む。
【００１４】
一般に適用可能であり得るが、第１の態様の任意の他の実装形態に関連して特に適用可能でもある第１の態様の特定の実装形態では、アクセス制御パラメータセットが、分析物センサシステムが接続し得る表示デバイスの数と、分析物センサシステムが表示デバイスのうちの１つ以上に与え得るアクセスまたは制御のレベルと、のうちの１つ以上を含む。
【００１５】
一般に適用可能であり得るが、第１の態様の任意の他の実装形態に関連して特に適用可能でもある第１の態様の特定の実装形態では、分析物データパラメータセットが、分析物センサシステムの較正期間を含む。実施形態では、分析物センサシステムが１つのパートナデバイスのシステム要件に応じて構成パラメータセットの修正を設定するかまたは引き起こすことが、分析物センサシステムが、糖尿病管理パートナインターフェースを使用して較正期間を設定または修正することを含む。
【００１６】
一般に適用可能であり得るが、第１の態様の任意の他の実装形態に関連して特に適用可能でもある第１の態様の特定の実装形態では、分析物データパラメータセットが、工場較正コードを含む。実施形態では、分析物センサシステムが、糖尿病管理パートナインターフェースを使用して、１つのパートナデバイスのシステム要件に応じて、１つのパートナデバイスから工場較正コードを使用する表示を受信する。分析物センサシステムが１つのパートナデバイスのシステム要件に応じて構成パラメータセットの修正を設定するかまたは引き起こすことが、分析物センサシステムが、糖尿病管理パートナインターフェースを使用して較正期間をゼロまたは無しに設定または修正することを含み得る。
【００１７】
一般に適用可能であり得るが、第１の態様の任意の他の実装形態に関連して特に適用可能でもある第１の態様の特定の実装形態では、無線接続性パラメータセットが、リモートサーバの設定を含む。分析物センサシステムが１つのパートナデバイスのシステム要件に応じて構成パラメータセットの修正を設定するかまたは引き起こすことが、糖尿病管理パートナインターフェースを使用して、分析物センサを、いくつかの動作を実行するように構成することを含み得る。このような操作は、リモートサーバを介して提供されるサービスの使用を含み得る。このような動作は、リモートサーバを介して提供されるサービスに応答して、分析物センサシステムに接続された１つ以上の表示デバイスに糖尿病管理フィードバックを送信することを含み得る。このような動作は、リモートサーバを介して提供されるサービスが利用できなくなった場合、サービスの使用を無効にし、分析物センサシステムに接続された表示デバイスに関連の通知を送信することを含み得る。
【００１８】
一般に適用可能であり得るが、第１の態様の任意の他の実装形態に関連して特に適用可能でもある第１の態様の特定の実装形態では、分析物日付パラメータセットが、ボーラス計算パラメータを含む。実施形態では、分析物センサシステムが１つのパートナデバイスのシステム要件に応じて構成パラメータセットの修正を設定するかまたは引き起こすことが、分析物センサシステムが、糖尿病管理パートナインターフェースを使用して、１つのパートナデバイスにボーラス計算パラメータへのアクセスを提供することを含む。実施形態では、この方法はまた、分析物センサシステムが、ボーラス計算パラメータを使用して実行された計算に基づいてボーラス推奨を提供することを含む。
【００１９】
本開示の第２の態様は、複数のパートナデバイスとの無線通信のための分析物センサシステムを含む。分析物センサシステムは、糖尿病管理パートナインターフェースの使用によって構成可能である。分析物センサシステムは、分析物情報を生成するために使用される分析物センサを含む。分析物センサシステムは、無線信号を伝送および受信するように適合された送受信機を含む。さらに、分析物センサシステムは、無線信号を伝送および受信するために送受信機によって使用される構成パラメータセットを記憶するメモリを含む。分析物センサシステムはまた、送受信機およびメモリに動作可能に結合され、かつ分析物センサシステムにいくつかの動作を実行することを行わせるように適合された、回路を含む。このような動作は、糖尿病管理パートナインターフェースを介して、パートナデバイスのうちの１つに、構成パラメータセットへのアクセスを提供する許可を受信することを含む。このような動作は、糖尿病管理パートナインターフェースを介して１つのパートナデバイスから受信された入力に応答して、パートナデバイスのシステム要件に応じて、構成パラメータセットの修正を設定するかまたは引き起こすことを含む。
【００２０】
一般に適用可能であり得るが、第２の態様の任意の他の実装形態に関連して特に適用可能でもある第２の態様の特定の実装形態では、一方のパートナデバイスが自動インスリン送達デバイスまたは手動インスリン送達デバイスである。
【００２１】
一般に適用可能であり得るが、第２の態様の任意の他の実装形態に関連して特に適用可能でもある第２の態様の特定の実装形態では、構成パラメータのセットが、無線接続性パラメータセット、アクセス制御パラメータセット、および分析物データパラメータセットのうちの１つ以上を含む。
【００２２】
一般に適用可能であり得るが、第２の態様の任意の他の実装形態に関連して特に適用可能でもある第２の態様の特定の実装形態では、システム要件は、１つのパートナデバイスのバッテリ容量と、１つのパートナデバイスの精度要件と、１つのパートナデバイスによって使用される通信プロトコルと、１つのパートナデバイスに適用可能な規制要件と、１つのパートナデバイスの予想稼働時間と、のうちの１つに関連付けられている。
【００２３】
一般に適用可能であり得るが、第２の態様の任意の他の実装形態に関連して特に適用可能でもある第２の態様の特定の実装形態では、無線接続性パラメータセットが、１つのパートナデバイスが分析物センサシステムのために管理されているホワイトリストから削除されることとなる条件を含む。実施形態において、回路が、分析物センサシステムに、１つのパートナデバイスのシステム要件に応じて、１つのパートナ送達デバイスのバッテリレベルが閾値を満たすと１つのパートナデバイスがホワイトリストから削除されることとなるように条件を設定する、ことを行わせるようにさらに適合されている。
【００２４】
一般に適用可能であり得るが、第２の態様の任意の他の実装形態に関連して特に適用可能でもある第２の態様の特定の実装形態では、無線接続性パラメータセットが、アドバタイズメント構造を含む。実施形態では、回路が、分析物センサシステムに、糖尿病管理パートナインターフェースを使用して、アドバタイズメント構造を設定または修正する、ことを行わせるようにさらに適合されている。
【００２５】
一般に適用可能であり得るが、第２の態様の任意の他の実装形態に関連して特に適用可能でもある第２の態様の特定の実装形態では、アクセス制御パラメータセットが、分析物センサシステムが接続し得る表示デバイスの数と、分析物センサシステムが表示デバイスのうちの１つ以上に与え得るアクセスまたは制御のレベルと、のうちの１つ以上を含む。
【００２６】
一般に適用可能であり得るが、第２の態様の任意の他の実装形態に関連して特に適用可能でもある第２の態様の特定の実装形態では、分析物データパラメータセットが、分析物センサシステムの較正期間を含む。実施形態では、回路が、分析物センサシステムに、糖尿病管理パートナインターフェースを使用して較正期間を設定または修正する、ことを行わせるようにさらに適合されている。
【００２７】
一般に適用可能であり得るが、第２の態様の任意の他の実装形態に関連して特に適用可能でもある第２の態様の特定の実装形態では、分析物データパラメータセットが、工場較正コードを含む。実施形態において、回路は、分析物センサシステムに、糖尿病管理パートナインターフェースを使用して、１つのパートナデバイスのシステム要件に応じて、１つのパートナデバイスから工場較正コードを使用する表示を受信する、ことを行わせるようにさらに適合されている。実施形態では、回路が、分析物センサシステムに、糖尿病管理パートナインターフェースを使用して較正期間をゼロまたは無しに設定または修正する、ことを行わせるようにさらに適合されている。
【００２８】
一般に適用可能であり得るが、第２の態様の任意の他の実装形態に関連して特に適用可能でもある第２の態様の特定の実装形態では、無線接続性パラメータセットが、リモートサーバの設定を含む。実施形態では、回路が、分析物センサシステムに、糖尿病管理パートナインターフェースを使用して追加の動作を実行する、ことを行わせるようにさらに適合されている。１つのこのような動作は、リモートサーバを介して提供されるサービスを使用することである。１つのこのような動作は、リモートサーバを介して提供されるサービスに応答して、分析物センサシステムに接続された１つ以上の表示デバイスに糖尿病管理フィードバックを伝送することである。１つのこのような動作は、リモートサーバを介して提供されるサービスが利用できなくなった場合、サービスの使用を無効にし、分析物センサシステムに接続された表示デバイスに関連の通知を送信することである。
【００２９】
一般に適用可能であり得るが、第２の態様の任意の他の実装形態に関連して特に適用可能でもある第２の態様の特定の実装形態では、分析物日付パラメータセットが、ボーラス計算パラメータを含む。実施形態では、回路が、分析物センサシステムに、糖尿病管理パートナインターフェースを使用して、パートナデバイスのシステム要件に応じて、１つのパートナデバイスにボーラス計算パラメータへのアクセスを提供するように分析物センサシステムを構成する、ことを行わせるようにさらに適合されている。実施形態では、この方法は、分析物センサシステムに、ボーラス計算パラメータを使用して実行された計算に基づいてボーラス推奨を提供する、ことを行わせるようにさらに適合されている。
【００３０】
本開示の第３の態様は、システムを含む。このシステムは、インスリンをユーザに送達するように適合された１つ以上のパートナデバイスを含む。このシステムは、分析物情報を生成するように適合された分析物センサシステムを含む。分析物センサシステムは、無線信号を伝送および受信するために使用される構成パラメータセットを含む。構成パラメータは、糖尿病管理パートナインターフェースの使用によって構成可能である。このシステムはまた、分析物センサシステムに接続可能であり、分析物情報を表示するように、かつ分析物センサシステムが、糖尿病管理パートナインターフェースを介して、パートナデバイスのうちの１つに、構成パラメータセットへのアクセスを提供する許可を提供するように、適合された、表示デバイスを含む。１つのパートナデバイスは、糖尿病管理パートナインターフェースを使用して、パートナデバイスのシステム要件に応じて、構成パラメータセットの修正を設定するまたは引き起こすように適合されている。
【００３１】
一般に適用可能であり得るが、第３の態様の任意の他の実装形態に関連して特に適用可能でもある第３の態様の特定の実装形態では、１つのパートナデバイスが自動インスリン送達デバイスまたは手動インスリン送達デバイスである。
【００３２】
一般に適用可能であり得るが、第３の態様の任意の他の実装形態に関連して特に適用可能でもある第３の態様の特定の実装形態では、構成パラメータセットが、無線接続性パラメータセット、アクセス制御パラメータセット、および分析物データパラメータセットのうちの１つ以上を含む。
【００３３】
一般に適用可能であり得るが、第３の態様の任意の他の実装形態に関連して特に適用可能でもある第３の態様の特定の実装形態では、システム要件が、１つのパートナデバイスのバッテリ容量と、１つのパートナデバイスの精度要件と、１つのパートナデバイスによって使用される通信プロトコルと、１つのパートナデバイスに適用可能な規制要件と、１つのパートナデバイスの予想稼働時間と、のうちの１つに関連付けられている。
【００３４】
一般に適用可能であり得るが、第３の態様の任意の他の実装形態に関連して特に適用可能でもある第３の態様の特定の実装形態では、無線接続性パラメータセットが、１つのパートナデバイスが分析物センサシステムのために管理されているホワイトリストから削除されることとなる条件を含む。実施形態において、１つのパートナデバイスが、１つのパートナデバイスのシステム要件に応じて、１つのパートナ送達デバイスのバッテリレベルが閾値を満たすと１つのパートナデバイスがホワイトリストから削除されることとなるように条件を設定または修正するように、さらに適合されている。
【００３５】
一般に適用可能であり得るが、第３の態様の任意の他の実装形態に関連して特に適用可能でもある第３の態様の特定の実装形態では、無線接続性パラメータセットが、アドバタイズメント構造を含む。実施形態では、１つのパートナデバイスが、糖尿病管理パートナインターフェースを使用してアドバタイズメント構造を設定または修正するようにさらに適合されている。
【００３６】
一般に適用可能であり得るが、第３の態様の任意の他の実装形態に関連して特に適用可能でもある第３の態様の特定の実装形態では、アクセス制御パラメータセットが、分析物センサシステムが接続し得る表示デバイスの数と、分析物センサシステムが表示デバイスのうちの１つ以上に与え得るアクセスまたは制御のレベルと、のうちの１つ以上を含む。
【００３７】
一般に適用可能であり得るが、第３の態様の任意の他の実装形態に関連して特に適用可能でもある第３の態様の特定の実装形態では、分析物データパラメータセットが、分析物センサシステムの較正期間を含む。実施形態では、１つのパートナデバイスが、糖尿病管理パートナインターフェースを使用して較正期間を設定または修正するようにさらに適合されている。
【００３８】
一般に適用可能であり得るが、第３の態様の任意の他の実装形態に関連して特に適用可能でもある第３の態様の特定の実装形態では、分析物データパラメータセットが、工場較正コードを含む。実施形態では、１つのパートナデバイスが、糖尿病管理パートナインターフェースを使用して、工場較正コードを使用する表示を１つのパートナデバイスのシステム要件に応じて分析物センサシステムに提供するように、かつ較正期間をゼロまたは無しに設定または修正するように、さらに適合されている。
【００３９】
一般に適用可能であり得るが、第３の態様の任意の他の実装形態に関連して特に適用可能でもある第３の態様の特定の実装形態では、無線接続性パラメータセットが、リモートサーバの設定を含む。実施形態では、１つのパートナデバイスが、糖尿病管理パートナインターフェースを使用して、分析物センサを、いくつかの動作を実行するように構成するようにさらに適合されている。１つのパートナデバイスは、リモートサーバを介して提供されるサービスを使用するようにさらに適合されている。１つのパートナデバイスは、リモートサーバを介して提供されるサービスに応答して、分析物センサシステムに接続可能な表示デバイスに糖尿病管理フィードバックを伝送するようにさらに適合されている。１つのパートナデバイスは、リモートサーバを介して提供されるサービスが利用できなくなった場合、サービスの使用を無効にし、かつ分析物センサシステムに接続可能な表示デバイスに関連の通知を送信する、ようにさらに適合されている。
【００４０】
一般に適用可能であり得るが、第３の態様の任意の他の実装形態に関連して特に適用可能でもある第３の態様の特定の実装形態では、分析物日付パラメータセットが、ボーラス計算パラメータを含む。実施形態では、１つのパートナデバイスが、糖尿病管理パートナインターフェースを使用して、パートナデバイスのシステム要件に応じて、１つのパートナデバイスにボーラス計算パラメータへのアクセスを提供するように分析物センサシステムを構成するようにさらに適合されている。実施形態では、１つのパートナデバイスが、糖尿病管理パートナインターフェースを使用して、ボーラス計算パラメータを使用して実行される計算に基づいて分析物センサシステムからボーラス推奨を受信するようにさらに適合されている。
【００４１】
本開示の第４の態様は、糖尿病管理パートナインターフェースを使用して、分析物センサシステムと、表示デバイスおよびパートナデバイスのうちの１つ以上と、の相互間の無線通信を構成する方法を含む。この方法は、分析物センサシステムが第１の無線信号通信経路を有効にすることを含む。第１の無線通信信号経路は、分析物センサシステムと表示デバイスとの間である。第１の無線通信経路に対して、分析物センサシステムが、分析物センサシステムに対する第１のアクセス度または制御度を表示デバイスに提供する。この方法はまた、分析物センサシステムが第２の無線信号通信経路を有効にすることを含む。第２の無線信号通信経路は、分析物センサシステムとパートナデバイスとの間である。分析物センサシステムが第２の無線信号通信経路を有効にすることは、パートナデバイスのシステム要件に従って第２のアクセス度または制御度を実装するために、第１のアクセス度または制御度の修正を引き起こすことを含む。修正は、糖尿病管理パートナインターフェースを介してパートナデバイスから受信される入力に応答して引き起こされる。
【００４２】
一般に適用可能であり得るが、第４の態様の任意の他の実装形態に関連して特に適用可能でもある第４の態様の特定の実装形態では、第１のアクセス度または制御度の修正を引き起こすことが、糖尿病管理パートナインターフェースを使用して、パートナデバイスのシステム要件に応じて、分析物センサシステムによって実装される構成パラメータのセットを設定または変更することを含む。
【００４３】
一般に適用可能であり得るが、第４の態様の任意の他の実装形態に関連して特に適用可能でもある第４の態様の特定の実装形態では、構成パラメータセットが、表示デバイスまたはパートナデバイスのアクセス制御パラメータ、分析物センサシステムの精度または較正パラメータ、および分析物センサシステムと表示デバイスおよびパートナデバイスのうちの１つ以上との相互間で交換される通信の無線通信パラメータ、のうちの１つ以上を含む。
【００４４】
一般に適用可能であり得るが、第４の態様の任意の他の実装形態に関連して特に適用可能でもある第４の態様の特定の実装形態では、糖尿病管理パートナインターフェースを使用して構成パラメータセットを設定または変更することが、糖尿病管理パートナインターフェースを介して分析物センサシステムの精度または較正パラメータを構成する許可をパートナデバイスに付与することを含む。
【００４５】
一般に適用可能であり得るが、第４の態様の任意の他の実装形態に関連して特に適用可能でもある第４の態様の特定の実装形態では、糖尿病管理パートナインターフェースを使用して構成パラメータセットを設定または変更することが、糖尿病管理パートナインターフェースを介して分析物センサシステムの精度または較正パラメータを構成する許可を表示デバイスから取り消すことを含む。
【００４６】
一般に適用可能であり得るが、第４の態様の任意の他の実装形態に関連して特に適用可能でもある第４の態様の特定の実装形態では、アクセス制御パラメータが、分析物センサシステムに接続可能なデバイスのホワイトリストを含む。この方法はまた、糖尿病管理パートナのインターフェースを使用して構成パラメータセットを設定または変更することが、パートナデバイスがホワイトリストから削除される前にホワイトリストに留まることとなる時間量を設定または修正することを含む。
【００４７】
本開示の第５の態様は、表示デバイスおよびパートナデバイスのうちの１つ以上との無線通信のための分析物センサシステムを含む。分析物センサシステムは、糖尿病管理パートナインターフェースの使用によって構成可能である。分析物センサシステムは、無線信号を伝送および受信するために送受信機によって使用される構成パラメータセットを記憶するメモリを含む。分析物センサシステムはまた、送受信機およびメモリに動作可能に結合され、かつ分析物センサシステムにいくつかの動作を実行することを行わせるように適合された、回路を含む。１つのこのような動作は、第１の無線信号通信経路を有効にすることである。第１の無線通信信号経路は、分析物センサシステムと表示デバイスとの間である。第１の無線通信経路に対して、分析物センサシステムが、分析物センサシステムに対する第１のアクセス度または制御度を表示デバイスに提供する。別のこのような動作は、第２の無線信号通信経路を有効にすることである。第２の無線信号通信経路は、分析物センサシステムとパートナデバイスとの間である。第２の無線信号通信経路は、分析物センサシステムにより行われた第１のアクセス度または制御度の修正によって有効にされる。糖尿病管理パートナインターフェースを介してパートナデバイスから受信された入力に応答して、第１のアクセス度または制御度の修正が行われる。第１のアクセス度または制御度の修正は、パートナデバイスのシステム要件に従って、第２のアクセス度または制御度を実装するために行われる。
【００４８】
一般に適用可能であるが、第５の態様の任意の他の実装形態に関連して特に適用可能でもある第５の態様の特定の実装形態では、第１のアクセス度または制御度の修正を行うために、回路が、分析物センサシステムに、糖尿病管理パートナインターフェースを使用して、パートナデバイスのシステム要件に従って、分析物センサシステムによって実装される構成パラメータセットを設定または変更することを行わせるように、さらに適合されている。
【００４９】
一般に適用可能であり得るが、第５の態様の任意の他の実装形態に関連して特に適用可能でもある第５の態様の特定の実装形態では、構成パラメータセットが、表示デバイスまたはパートナデバイスのアクセス制御パラメータ、分析物センサシステムの精度または較正パラメータ、および分析物センサシステムと表示デバイスおよびパートナデバイスのうちの１つ以上との相互間で交換される通信の無線通信パラメータ、のうちの１つ以上を含む。
【００５０】
一般に適用可能であり得るが、第５の態様の任意の他の実装形態に関連して特に適用可能でもある第５の態様の特定の実装形態では、回路が、分析物センサシステムに、糖尿病管理パートナインターフェースを介して分析物センサシステムの精度または較正パラメータを構成する許可をパートナデバイスに付与することを行わせるように、さらに適合されている。
【００５１】
一般に適用可能であり得るが、第５の態様の任意の他の実装形態に関連して特に適用可能でもある第５の態様の特定の実装形態では、回路が、分析物センサシステムに、分析物センサの精度または較正パラメータを構成する許可を表示デバイスから取り消すことを行わせるように、さらに適合されている。
【００５２】
一般に適用可能であり得るが、第５の態様の任意の他の実装形態に関連して特に適用可能でもある第５の態様の特定の実装形態では、アクセス制御パラメータが、分析物センサシステムに接続可能なデバイスのホワイトリストを含む。実施形態では、回路は、パートナデバイスがホワイトリストから削除される前にホワイトリストに留まることとなる時間を設定または変更するように、さらに適合されている。
【００５３】
本開示の第６の態様は、分析物センサシステムの糖尿病管理パートナインターフェースを使用して、分析物センサシステムと分析物センサシステムに接続可能な１つ以上のリモートデバイスとの相互間の無線通信を制御する方法を含む。１つ以上のリモートデバイスは、表示デバイスおよびパートナデバイスを含む。この方法は、分析物センサシステムが、リモートデバイスのうちの１つから受信された接続要求が１つ以上のリモートデバイス内のパートナクラスから発信されたかどうかを判定することを含む。パートナクラス内のリモートデバイスは、薬剤を提供するように適合されている。パートナクラスは、パートナデバイスを含む。この方法は、接続要求がパートナクラスから発信された場合、糖尿病管理パートナインターフェースが、パートナクラスに対応する動作モードの選択を有効にすることを含む。パートナデバイスのシステム要件をサポートするために、動作モードがパートナクラスの構成パラメータセットを使用する。
【００５４】
一般に適用可能であるが、第６の態様の任意の他の実装形態に関連して特に適用可能でもある第６の態様の特定の実装形態では、この方法が、パートナクラスに対応する動作モードを使用してリモートデバイスのうちの少なくとも１つと無線通信を交換することを含む。
【００５５】
一般に適用可能であるが、第６の態様の任意の他の実装形態に関連して特に適用可能でもある第６の態様の特定の実装形態では、パートナクラスに対応する動作モードを使用して無線通信を交換することが、使用されている動作モードを判定するようにリモートデバイスのうちの少なくとも１つによって使用可能なモードインジケータを伝送することを含む。
【００５６】
一般に適用可能であり得るが、第６の態様の任意の他の実装形態に関連して特に適用可能でもある第６の態様の特定の実装形態では、構成パラメータセットが、表示デバイスまたはパートナデバイスのアクセス制御パラメータ、分析物センサシステムの精度または較正パラメータ、および分析物センサシステムとリモートデバイスのうちの１つ以上との相互間で交換される通信の無線通信パラメータ、のうちの１つ以上を含む。
【００５７】
一般に適用可能であるが、第６の態様の任意の他の実装形態に関連して特に適用可能でもある第６の態様の特定の実装形態では、モードインジケータが、糖尿病管理パートナインターフェースを使用して、アクセス制御パラメータ、精度または較正パラメータ、および無線通信パラメータ、のうちの１つ以上への、パートナクラス内にないリモートデバイスのセットによるアクセスを非アクティブ化するように、分析物センサシステムによって動作可能である。実施形態では、分析物センサシステムがリモートデバイスのセットに対応する動作モードを使用するときに、アクセス制御パラメータ、精度または較正パラメータ、および無線通信パラメータ、のうちの１つへの、リモートデバイスのセットによるアクセスが、アクティブ化される。
【００５８】
一般に適用可能であるが、第６の態様の任意の他の実装形態に関連して特に適用可能でもある第６の態様の特定の実装形態では、この方法がまた、分析物センサシステムが、少なくとも所定の時間量の間、パートナデバイスから無線通信を受信していないと判定することを含む。この方法はまた、判定に応答して、およびパートナクラス内にないリモートデバイスのセット内のリモートデバイスのうちの１つからの接続要求の受信にさらに応答して、分析物センサシステムが、パートナクラス内にないリモートデバイスのセットに対応する動作モードを選択することを含む。パートナクラス内にないリモートデバイスのセットに対応する動作モードは、パートナクラス内にないリモートデバイスのセットに固有の構成パラメータセットに従う。実施形態において、この方法はまた、ホワイトリストからパートナデバイスを削除することを含む。
【００５９】
一般に適用可能であるが、第６の態様の任意の他の実装形態に関連して特に適用可能でもある第６の態様の特定の実装形態では、この方法が、分析物センサシステムが、糖尿病管理パートナインターフェースを使用して、構成パラメータのうちの１つの値をパートナデバイスから受信することを含む。この方法はまた、分析物センサシステムが、パートナデバイスから受信された値を使用して１つの構成パラメータを修正することを含む。
【００６０】
一般に適用可能であるが、第６の態様の任意の他の実装形態に関連して特に適用可能でもある第６の態様の特定の実装形態では、この方法が、分析物センサシステムが構成パラメータの値を表示デバイスに送信することを含む。値は、経過後に分析物センサシステムのために管理されているホワイトリストからパートナデバイスが削除されることとなる指定時間と、経過後に表示デバイスがホワイトリストから削除されることとなる指定時間と、のうちの１つ以上を含む。
【００６１】
一般に適用可能であるが、第６の態様の任意の他の実装形態に関連して特に適用可能でもある第６の態様の特定の実装形態では、パートナデバイスに対応する動作モードを使用して無線通信を交換することが、パートナデバイス以外のデバイスのスロットをオフに切り替えるために、分析物センサシステムのために管理されているホワイトリストを修正することと、パートナデバイスのみに向けられたアドバタイズメントメッセージを伝送することと、のうちの１つ以上を含む。
【００６２】
一般に適用可能であるが、第６の態様の任意の他の実装形態に関連して特に適用可能でもある第６の態様の特定の実装形態では、この方法が、接続要求がパートナクラスから発信されたものではない場合、分析物センサシステムが、パートナクラス内にないリモートデバイスのセットに対応する動作モードを選択することを含む。パートナクラス内にないリモートデバイスのセットに対応する動作モードは、パートナクラス内にないリモートデバイスのセットに固有の構成パラメータセットを使用する。
【００６３】
一般に適用可能であるが、第６の態様の任意の他の実装形態に関連して特に適用可能でもある第６の態様の特定の実装形態では、表示デバイスが、パートナクラス内にないリモートデバイスのセット内にある。実施形態では、この方法が、糖尿病管理パートナインターフェースを使用して、表示デバイスに、パートナクラスにないリモートデバイスのセットに固有の構成パラメータのセットへのアクセスを提供することをさらに含む。この方法は、分析物センサシステムが、表示デバイスから受信された入力に応答して、パートナクラスにないリモートデバイスのセットに固有の構成パラメータのうちの１つの値を設定または修正することをさらに含み得る。
【００６４】
一般に適用可能であるが、第６の態様の任意の他の実装形態に関連して特に適用可能でもある第６の態様の特定の実装形態では、パートナクラスに対応する動作モードを使用して無線通信を交換することが、パートナデバイスまたはパートナデバイスコントローラに対してのみアドバタイズするようにアドバタイズメントスロットを修正することを含む。
【００６５】
一般に適用可能であるが、第６の態様の任意の他の実装形態に関連して特に適用可能でもある第６の態様の特定の実装形態では、パートナクラスに対応する動作モードを使用して無線通信を交換することが、糖尿病管理パートナインターフェースを介して受信されたコマンドに応答して、前記分析物センサシステムが、前記パートナデバイスから受信された接続要求のみを受け入れることを含む。コマンドは、パートナデバイスから受信され得る。
【００６６】
本開示の第７の態様は、糖尿病管理パートナインターフェースを使用して、分析物センサシステムと分析物センサシステムに接続可能な１つ以上のリモートデバイスとの相互間の無線通信を制御する分析物センサシステムを含む。１つ以上のリモートデバイスは、表示デバイスおよびパートナデバイスを含む。分析物センサシステムは、実行されると分析物センサシステムにいくつかの動作を実行することを行わせる命令を記憶したメモリに動作可能に結合された回路を含む。１つのこのような動作は、分析物センサシステムが、リモートデバイスのうちの１つから受信された接続要求が１つ以上のリモートデバイス内のパートナクラスから発信されたかどうかを判定することである。パートナクラス内のリモートデバイスは、薬剤を提供するように適合されている。パートナクラスは、パートナデバイスを含む。別のこのような動作は、接続要求がパートナクラスから発信された場合、糖尿病管理パートナインターフェースを使用して、パートナクラスに対応する動作モードの選択を有効にすることである。パートナデバイスのシステム要件をサポートするために、動作モードがパートナクラスの構成パラメータセットを使用する。
【００６７】
一般に適用可能であるが、第７の態様の任意の他の実装形態に関連して特に適用可能でもある第７の態様の特定の実装形態では、メモリが、実行されると、前記分析物センサシステムに、前記パートナクラスに対応する前記動作モードを使用して、前記リモートデバイスのうちの少なくとも１つと前記無線通信を交換する、ことを行わせる命令をさらに記憶している。
【００６８】
一般に適用可能であるが、第７の態様の任意の他の実装形態に関連して特に適用可能でもある第７の態様の特定の実装形態では、パートナクラスに対応する動作モードを使用して交換される無線通信が、分析物センサシステムによって少なくとも１つのリモートデバイスに送信されるモードインジケータを含む。モードインジケータは、リモートデバイスのうちの少なくとも１つによって、使用されている動作モードを判定するために使用可能である。
【００６９】
一般に適用可能であり得るが、第７の態様の任意の他の実装形態に関連して特に適用可能でもある第７の態様の特定の実装形態では、パートナデバイスのシステム要件をサポートするために使用される構成パラメータセットが、表示デバイスまたはパートナデバイスのアクセス制御パラメータ、分析物センサシステムの精度または較正パラメータ、および分析物センサシステムとリモートデバイスのうちの１つ以上との相互間で交換される通信の無線通信パラメータ、のうちの１つ以上を含む。
【００７０】
一般に適用可能であるが、第７の態様の任意の他の実装形態に関連して特に適用可能でもある第７の態様の特定の実装形態では、モードインジケータが、糖尿病管理パートナインターフェースを使用して、アクセス制御パラメータ、精度または較正パラメータ、および無線通信パラメータ、のうちの１つ以上への、パートナクラス内にないリモートデバイスのセットによるアクセスを非アクティブ化するように、分析物センサシステムによって動作可能である。実施形態では、メモリが、実行されると、分析物センサシステムに、分析物センサシステムがリモートデバイスのセットに対応する動作モードを使用するときに、アクセス制御パラメータ、精度または較正パラメータ、および無線通信パラメータ、のうちの１つ以上への、リモートデバイスのセットによるアクセスを提供することを行わせる命令をさらに記憶している。
【００７１】
一般に適用可能であるが、第７の態様の任意の他の実装形態に関連して特に適用可能でもある第７の態様の特定の実装形態では、メモリが、実行されると、分析物センサシステムに追加の動作を実行することを行わせる命令をさらに記憶している。１つのこのような動作は、分析物センサシステムが、少なくとも所定の時間量の間、パートナデバイスから無線通信を受信していないとの判定を行うことである。別のこのような動作、判定に応答して、およびパートナクラス内にないリモートデバイスのセット内のリモートデバイスのうちの１つから受信された接続要求にさらに応答して、パートナクラス内にないリモートデバイスのセットに対応する動作モードを選択することである。パートナクラスにないリモートデバイスのセットに対応する動作モードは、パートナクラスにないリモートデバイスのセットに固有の構成パラメータのセットに従う。
【００７２】
一般に適用可能であるが、第７の態様の任意の他の実装形態に関連して特に適用可能でもある第７の態様の特定の実装形態では、メモリが、実行されると、分析物センサシステムにホワイトリストからパートナデバイスを除去することを行わせる命令をさらに記憶している。
【００７３】
一般に適用可能であるが、第７の態様の任意の他の実装形態に関連して特に適用可能でもある第７の態様の特定の実装形態では、メモリが、実行されると、分析物センサシステムに追加の動作を実行することを行わせる命令をさらに記憶している。１つのこのような動作は、糖尿病管理パートナインターフェースを使用して、パートナデバイスから構成パラメータのうちの１つの値を受信することである。別のこのような動作は、パートナデバイスから受信された値を使用して１つの構成パラメータを修正することである。
【００７４】
一般に適用可能であるが、第７の態様の任意の他の実装形態に関連して特に適用可能でもある第７の態様の特定の実装形態では、メモリが、実行されると、分析物センサシステムに構成パラメータの値を表示デバイスに送信することを行わせる命令をさらに記憶している。値は、経過後に分析物センサシステムのために管理されているホワイトリストからパートナデバイスが削除されることとなる指定時間と、経過後に表示デバイスがホワイトリストから削除されることとなる指定時間と、のうちの１つ以上を含む。
【００７５】
一般に適用可能であるが、第７の態様の任意の他の実装形態に関連して特に適用可能でもある第７の態様の特定の実装形態では、メモリが、実行されると、分析物センサシステムに追加の動作を実行することを行わせる命令をさらに記憶している。１つのこのような動作は、パートナデバイス以外のデバイスのスロットをオフに切り替えるために、分析物センサシステムのために管理されているホワイトリストを修正することである。別のこのような動作は、パートナデバイスのみに向けられたアドバタイズメントメッセージを伝送することである。
【００７６】
一般に適用可能であるが、第７の態様の任意の他の実装形態に関連して特に適用可能でもある第７の態様の特定の実装形態では、メモリが、実行されると、分析物センサシステムに、接続要求がパートナクラスから発信されたものではない場合、パートナクラス内にないリモートデバイスのセットに対応する動作モードを選択し、パートナクラス内にないリモートデバイスのセットに対応する動作モードが、パートナクラス内にないリモートデバイスのセットに固有の構成パラメータセットを使用する、ことを行わせる命令をさらに記憶している。
【００７７】
一般に適用可能であるが、第７の態様の任意の他の実装形態に関連して特に適用可能でもある第７の態様の特定の実装形態では、表示デバイスが、パートナクラスにないリモートデバイスのセットにあり、メモリが、実行されると、分析物センサシステムが追加の動作を実行することを行わせる命令をさらに記憶している。１つのこのような動作は、糖尿病管理パートナインターフェースを使用して、パートナクラスにないリモートデバイスのセットに固有の構成パラメータセットへのアクセスを表示デバイスに提供することである。別のこのような動作は、表示デバイスから受信された入力に応答して、パートナクラスにないリモートデバイスのセットに固有の構成パラメータのうちの１つの値を設定または修正することである。
【００７８】
一般に適用可能であるが、第７の態様の任意の他の実装形態に関連して特に適用可能でもある第７の態様の特定の実装形態では、メモリが、実行されると、分析物センサシステムに、パートナデバイスまたはパートナデバイスコントローラに対してのみアドバタイズするようにアドバタイズメントスロットを修正する、ことを行わせる命令をさらに記憶している。
【００７９】
一般に適用可能であるが、第７の態様の任意の他の実装形態に関連して特に適用可能でもある第７の態様の特定の実装形態では、メモリが、実行されると、分析物センサシステムに、糖尿病管理パートナインターフェースを介して受信されたコマンドに応答して、パートナデバイスから受信された接続要求のみを受け入れる、ことを行わせる命令をさらに記憶している。コマンドは、パートナデバイスから受信され得る。
【００８０】
本開示の第８の態様は、糖尿病管理インターフェースを使用して、パートナデバイスおよび表示デバイスのうちの１つ以上と無線通信を交換する分析物センサシステムの構成可能性を可能にする方法を含む。この方法は、分析物センサシステムが、第１のクラスのリモートデバイス中のリモートデバイスから第１の接続要求が送信されたと判定することを含む。この方法は、分析物センサシステムが、第２のクラスのリモートデバイス中のリモートデバイスから第２の接続要求が送信されたと判定することを含む。第２のクラスのリモートデバイスのうちのリモートデバイスは、薬剤を送達するように適合されている。第１のクラスのリモートデバイスのうちのリモートデバイスは、第２のクラスのリモートデバイスに属していない。この方法は、分析物センサシステムが複数の動作モードのうちのいずれか１つを使用することを含む。複数のうちの第１の動作モードが、第２のクラスのリモートデバイス中のリモートデバイスを利用し、かつ第１のクラスのリモートデバイス中のリモートデバイスを利用しない、第１の構成に固有である。複数のうちの第２の動作モードが、第２のクラスのリモートデバイスからのデバイスを利用しない第２の構成に固有である。複数のうちの第３の動作モードが、第１のクラスのリモートデバイス中のリモートデバイスと第２のクラスのリモートデバイスからのリモートデバイスとを利用する第３の構成に固有である。
【００８１】
一般に適用可能であるが、第８の態様の任意の他の実装形態に関連して特に適用可能でもある第８の態様の特定の実装形態では、複数のうちの第１の動作モードを使用することが、糖尿病管理パートナインターフェースを使用して、第１のクラスのリモートデバイス中のリモートデバイスに提供された許可を修正する権限を第２のクラスのリモートデバイス中のリモートデバイスに提供することを含む。
【００８２】
一般に適用可能であるが、第８の態様の任意の他の実装形態に関連して特に適用可能でもある第８の態様の特定の実装形態では、複数のうちの第１の動作モードを使用することが、分析物センサシステムが、第１のクラスのリモートデバイス中のリモートデバイスから、第２のクラスのリモートデバイス中のリモートデバイスが分析物センサシステムと通信する許可を受信することをさらに含む。
【００８３】
一般に適用可能であるが、第８の態様の任意の他の実装形態に関連して特に適用可能でもある第８の態様の特定の実装形態では、第１の動作モードを使用することが、第２のクラスのリモートデバイス中のリモートデバイスから糖尿病管理パートナデバイスを介して受信された入力に応答して、分析物センサシステムが第２のクラスのリモートデバイス中のリモートデバイス以外のデバイスとの接続を阻止すること、をさらに含む。
【００８４】
一般に適用可能であるが、第８の態様の任意の他の実装形態に関連して特に適用可能でもある第８の態様の特定の実装形態では、接続を阻止することが、第１のアドバタイズメントスロットを使用して第２のクラスのリモートデバイス中のリモートデバイスにアドバタイズメントすることを含む。接続を阻止することはまた、第２のアドバタイズメントスロットを使用して、第２のクラスのリモートデバイス中のリモートデバイスか、または第２のクラスのリモートデバイス中のリモートデバイスのコントローラに、アドバタイズすることを含む。
【００８５】
一般に適用可能であるが、第８の態様の任意の他の実装形態に関連して特に適用可能でもある第８の態様の特定の実装形態では、接続を阻止することが、分析物センサシステムが、糖尿病管理パートナインターフェースを使用して、第２のクラスのデバイス中のリモートデバイスに専用の単一のアドバタイズメント期間を含むようにアドバタイズメント構造の修正を設定するかまたは引き起こすことを含む。
【００８６】
一般に適用可能であるが、第８の態様の任意の他の実装形態に関連して特に適用可能でもある第８の態様の特定の実装形態では、接続を阻止することが、分析物センサシステムが第２のクラスのリモートデバイス中のリモートデバイスのみからの接続要求を受け入れることを含む。
【００８７】
一般に適用可能であるが、第８の態様の任意の他の実装形態に関連して特に適用可能でもある第８の態様の特定の実装形態では、複数のうちの第１の動作モードを使用することが、分析物センサシステムが、糖尿病管理インターフェースを介して第２のクラスのリモートデバイス中のリモートデバイスから受信された入力を使用して、第２のクラスのリモートデバイス中のリモートデバイスに関連付けられたタイムアウトルールを修正することをさらに含む。
【００８８】
一般に適用可能であるが、第８の態様の任意の他の実装形態に関連して特に適用可能でもある第８の態様の特定の実装形態では、複数のうちの第２の動作モードを使用することが、第２のクラスのリモートデバイス中のリモートデバイスを除外するようにホワイトリストを修正する動作と、第２のクラスのリモートデバイス中のリモートデバイスから受信された接続要求を拒絶する動作と、第１のクラスのリモートデバイス中のリモートデバイスに対して排他的にアドバタイズする動作と、のうちの１つ以上を含む。
【００８９】
一般に適用可能であるが、第８の態様の任意の他の実装形態に関連して特に適用可能でもある第８の態様の特定の実装形態では、複数のうちの第３の動作モードを使用することが、分析物センサシステムが、糖尿病管理インターフェースを介して、第１のクラスのリモートデバイス中のリモートデバイスに与えられることとなる、分析物センサシステムに対するアクセスレベル、の表示を、第２のクラスのリモートデバイス中のリモートデバイスから受信すること、を含む。
【００９０】
一般に適用可能であるが、第８の態様の任意の他の実装形態に関連して特に適用可能でもある第８の態様の特定の実装形態では、この方法が、分析物センサシステムが糖尿病管理インターフェースを使用してアクセスレベルを実装することを含む。この方法はまた、第１のクラスのリモートデバイス中のリモートデバイスにアクセスレベルを通知することを含む。
【００９１】
一般に適用可能であるが、第８の態様の任意の他の実装形態に関連して特に適用可能でもある第８の態様の特定の実装形態では、アクセスレベルに応じて、第１のクラスのリモートデバイス中のリモートデバイスが、分析物センサシステムからの分析物データを受信することはできるが、第３の動作モードに対して分析物センサシステムによって使用される精度または較正パラメータにアクセスすることはできない。
【００９２】
本開示の第９の態様は、パートナデバイスおよび表示デバイスのうちの１つ以上と無線通信を交換する分析物センサシステムを含む。分析物センサシステムは、糖尿病管理パートナインターフェースによって構成可能である。分析物センサシステムは、実行されると分析物センサシステムにいくつかの動作を実行することを行わせる命令を記憶したメモリに動作可能に結合された回路を含む。１つのこのような動作は、第１のクラスのリモートデバイス中のリモートデバイスから第１の接続要求が送信されたと判定することである。別のこのような動作は、第２のクラスのリモートデバイス中のリモートデバイスから第２の接続要求が送信されたと判定することである。第２のクラスのリモートデバイスのうちのリモートデバイスは、薬剤を送達するように適合されている。第１のクラスのリモートデバイスのうちのリモートデバイスは、第２のクラスのリモートデバイスに属していない。別のこのような動作は、複数の動作モードのうちのいずれか１つを使用することである。複数のうちの第１の動作モードが、第２のクラスのリモートデバイス中のリモートデバイスを利用し、かつ第１のクラスのリモートデバイス中のリモートデバイスを利用しない、第１の構成に固有である。複数のうちの第２の動作モードが、第２のクラスのリモートデバイスからのデバイスを利用しない第２の構成に固有である。複数のうちの第３の動作モードが、第１のクラスのリモートデバイス中のリモートデバイスと第２のクラスのリモートデバイスからのリモートデバイスとを利用する第３の構成に固有である。
【００９３】
一般に適用可能であるが、第９の態様の任意の他の実装形態に関連して特に適用可能でもある第９の態様の特定の実装形態では、メモリが、実行されると、分析物センサシステムに、複数のうちの第１の動作モードにおいて、第２のクラスのリモートデバイス中のリモートデバイスに、糖尿病管理パートナインターフェースを使用して、第１のクラスのリモートデバイス中のリモートデバイスに提供された許可を修正する権限を提供する、ことを行わせる命令をさらに記憶している。
【００９４】
一般に適用可能であるが、第９の態様の任意の他の実装形態に関連して特に適用可能でもある第９の態様の特定の実装形態では、メモリが、実行されると、分析物センサシステムに、複数のうちの第１の動作モードにおいて、第１のクラスのリモートデバイス中の前記リモートデバイスから、前記第２のクラスのリモートデバイス中のリモートデバイスが分析物センサシステムと通信する許可を受信する、ことを行わせる命令をさらに記憶している。
【００９５】
一般に適用可能であるが、第９の態様の任意の他の実装形態に関連して特に適用可能でもある第９の態様の特定の実装形態では、メモリが、実行されると、分析物センサシステムに、複数のうちの第１の動作モードにおいて、第２のクラスのリモートデバイス中のリモートデバイスから糖尿病管理パートナデバイスを介して受信された入力に応答して、第２のクラスのリモートデバイス中のリモートデバイス以外のデバイスとの接続を阻止する、ことを行わせる命令をさらに記憶している。
【００９６】
一般に適用可能であるが、第９の態様の任意の他の実装形態に関連して特に適用可能でもある第９の態様の特定の実装形態では、メモリが、実行されると、分析物センサシステムに、第１のアドバタイズメントスロットを使用して第２のクラスのリモートデバイス中のリモートデバイスにアドバタイズすることと、第２のアドバタイズメントスロットを使用して第２のクラスのリモートデバイス中のリモートデバイスまたは第２のクラスのリモートデバイス中のリモートデバイスに対するコントローラをアドバタイズすることと、を行わせる命令を記憶している。
【００９７】
一般に適用可能であるが、第９の態様の任意の他の実装形態に関連して特に適用可能でもある第９の態様の特定の実装形態では、メモリが、実行されると、分析物センサシステムに、糖尿病管理パートナインターフェースを使用して、第２のクラスのデバイス中のリモートデバイスに専用の単一のアドバタイズメント期間を含むように、アドバタイズメント構造の修正を設定するかまたは引き起こす、ことを行わせる命令をさらに記憶している。
【００９８】
一般に適用可能であるが、第９の態様の任意の他の実装形態に関連して特に適用可能でもある第９の態様の特定の実装形態では、メモリが、実行されると、分析物センサシステムに、第２のクラスのリモートデバイス中のリモートデバイスのみからの接続要求を受け入れる、ことを行わせる命令をさらに記憶している。
【００９９】
一般に適用可能であるが、第９の態様の任意の他の実装形態に関連して特に適用可能でもある第９の態様の特定の実装形態では、メモリが、実行されると、分析物物センサシステムに、複数のうちの第１の動作モードにおいて、糖尿病管理インターフェースを介して第２のクラスのリモートデバイス中のリモートデバイスから受信された入力を使用して、第２のクラスのリモートデバイス中のリモートデバイスに関連付けられたタイムアウトルールを修正する、ことを行わせる命令をさらに記憶している。
【０１００】
一般に適用可能であるが、第９の態様の任意の他の実装形態に関連して特に適用可能でもある第９の態様の特定の実装形態では、メモリが、実行されると、分析物センサシステムに、複数のうちの第２の動作モードにおいて、追加の動作を実行することを行わせる命令をさらに記憶している。１つのこのような動作は、第２のクラスのリモートデバイス中のリモートデバイスを除外するようにホワイトリストを修正することである。別のこのような動作は、第２のクラスのリモートデバイス中のリモートデバイスから受信される接続要求を拒絶することである。別のこのような動作は、第１のクラスのリモートデバイス中のリモートデバイスに対して排他的にアドバタイズすることである。
【０１０１】
一般に適用可能であるが、第９の態様の任意の他の実装形態に関連して特に適用可能でもある第９の態様の特定の実装形態では、メモリが、実行されると、分析物センサシステムに、複数のうちの第３の動作モードにおいて、糖尿病管理インターフェースを介して、第２のクラスのリモートデバイス中のリモートデバイスからの、第１のクラスのリモートデバイス中のリモートデバイスに与えられることとなる、分析物センサシステムに対するアクセスレベルの表示を受信する、ことを行わせる命令をさらに記憶している。
【０１０２】
一般に適用可能であるが、第９の態様の任意の他の実装形態に関連して特に適用可能でもある第９の態様の特定の実装形態では、メモリが、実行されると、分析物センサシステムに、糖尿病管理インターフェースを使用してアクセスレベルを実装し、第１のクラスのリモートデバイス中のリモートデバイスに、アクセスレベルを通知する、ことを行わせる命令をさらに記載している。
【０１０３】
一般に適用可能であるが、第９の態様の任意の他の実装形態に関連して特に適用可能でもある第９の態様の特定の実装形態では、アクセスレベルに応じて、第１のクラスのリモートデバイス中のリモートデバイスが、分析物センサシステムからの分析物データを受信することはできるが、第３の動作モードに対して分析物センサシステムによって使用される精度または較正パラメータにアクセスすることはできない。
【０１０４】
本開示の第１０の態様は、糖尿病管理インターフェースを使用して、分析物センサシステムとの無線通信の交換を容易にする方法を含む。この方法は、糖尿病管理パートナインターフェースを使用して、分析物センサシステムと第１のパートナデバイスとの間の第１の接続を確立することを含む。この方法は、分析物センサシステムが、第１のパートナデバイスに、糖尿病管理インターフェースを介して構成パラメータセットへのアクセスを提供すること、を含む。この方法は、糖尿病管理パートナインターフェースを介して第１のパートナデバイスから受信された入力に応答して、構成パラメータセットの第１の修正を設定するかまたは引き起こすことをさらに含む。第１の修正を設定するかまたは引き起こすことは、第１のパートナデバイスのシステム要件に応じて行われる。加えて、この方法は、糖尿病管理パートナインターフェースを使用して、分析物センサシステムと第２のパートナデバイスとの間の第２の接続を確立することを含む。この方法はまた、分析物センサシステムが、第２のパートナデバイスに、糖尿病管理インターフェースを介して構成パラメータセットへのアクセスを提供すること、を含む。この方法は、糖尿病管理パートナインターフェースを介して第２のパートナデバイスから受信された入力に応答して、構成パラメータセットの第２の修正を引き起こすことをさらに含む。第２の修正は、第２のパートナデバイスのシステム要件に応じて行われる。
【０１０５】
一般に適用可能であるが、第１０の態様の任意の他の実装形態に関連して特に適用可能でもある第１０の態様の特定の実装形態では、糖尿病管理パートナインターフェースを使用して第２の接続を確立することが、第１の接続が終了した後に行われる。
【０１０６】
一般に適用可能であるが、第１０の態様の任意の他の実装形態に関連して特に適用可能でもある第１０の態様の特定の実装形態では、この方法が、分析物センサシステムが第３のパートナデバイスに対する識別情報を受信することに応答して、糖尿病管理パートナインターフェースを使用して、分析物センサシステムと第３のパートナデバイスとの間の第３の接続を確立することを試行する。この方法はまた、分析物センサシステムと第３のパートナデバイスとの間の第３の接続を確立することに応答して、糖尿病管理パートナインターフェースを介して受信された入力に応答して、構成パラメータセットの第３の修正を引き起こすことを含む。第３の修正は、第３のパートナデバイスのシステム要件に応じて行われる。
【０１０７】
一般に適用可能であるが、第１０の態様の任意の他の実装形態に関連して特に適用可能でもある第１０の態様の特定の実装形態では、第３のパートナデバイスに対する識別情報が、サーバシステムに記憶されている。実施形態では、識別情報が、第３のパートナデバイスに前記分析物センサシステムと通信する権限があるかどうかを示す。
【０１０８】
一般に適用可能であるが、第１０の態様の任意の他の実装形態に関連して特に適用可能でもある第１０の態様の特定の実装形態では、分析物センサシステムが第３のパートナデバイスに対する識別情報を受信することが、分析物センサシステムが、サーバシステムから第３のパートナデバイスに対する識別情報を受信した表示デバイスから、第３のパートナデバイスに対する識別情報を受信することを含む。
【０１０９】
一般に適用可能であるが、第１０の態様の任意の他の実装形態に関連して特に適用可能でもある第１０の態様の特定の実装形態では、この方法が、追加の動作を含む。１つのこのような動作は、分析物センサシステムが第３のパートナデバイスに対する識別情報を受信することに応答して、第３のパートナデバイスに対する識別情報を使用して、第３のパートナデバイスに分析物センサシステムと通信する権限があるかどうかを判定することを伴う。別のこのような動作は、第３のパートナデバイスに分析物センサシステムと通信する権限がないと判定することに応答して、分析物センサシステムと第３のパートナデバイスとの間の第３の接続を確立する試行を取り消すことを伴う。別のこのような動作は、第３のパートナデバイスに分析物センサシステムと通信する権限があると判定することに応答して、糖尿病管理パートナインターフェースを使用して、分析物センサシステムと第３のパートナデバイスとの間の第３の接続を確立することを伴う。
【０１１０】
一般に適用可能であるが、第１０の態様の任意の他の実装形態に関連して特に適用可能でもある第１０の態様の特定の実装形態では、第３のパートナデバイスに分析物センサシステムと通信する権限がないと判定することが、第１の時間に行われる。実施形態では、第３のパートナデバイスに分析物センサシステムと通信する権限があると判定することが、第２の時間に行われる。第３のパートナデバイスに対する識別情報が、第１の時間と第２の時間との間にサーバシステムで更新され得る。
【０１１１】
一般に適用可能であるが、第１０の態様の任意の他の実装形態に関連して特に適用可能でもある第１０の態様の特定の実装形態では、第３のパートナデバイスのシステム要件が、サーバシステムに記憶されている。この方法は、糖尿病管理パートナインターフェースを介して受信された入力に応答して、構成パラメータセットの第４の修正を引き起こすことをさらに含む。第４の修正は、第３のパートナデバイスのシステム要件の更新されたバージョンに応じて行われる。
【０１１２】
本開示の第１１の態様は、糖尿病管理インターフェースを使用して無線通信の交換を容易にする分析物センサシステムを含む。分析物センサシステムは、実行されると分析物センサシステムにいくつかの動作を実行することを行わせる命令を記憶したメモリに動作可能に結合された回路を含む。１つのこのような動作は、糖尿病管理パートナインターフェースを使用して、分析物センサシステムと第１のパートナデバイスとの間の第１の接続を確立することを含む。別のこのような動作は、糖尿病管理インターフェースを介して、構成パラメータセットへのアクセスを第１のパートナデバイスに提供することである。別のこのような動作は、糖尿病管理パートナインターフェースを介して第１のパートナデバイスから受信された入力に応答して、構成パラメータセットの第１の修正を設定するかまたは引き起こすことである。第１の修正は、第１のパートナデバイスのシステム要件に応じて行われる。別のこのような動作は、糖尿病管理パートナインターフェースを使用して、分析物センサシステムと第２のパートナデバイスとの間の第２の接続を確立することである。別のこのような動作は、糖尿病管理インターフェースを介して、構成パラメータセットへのアクセスを第２のパートナデバイスに提供することである。さらに別のこのような動作は、糖尿病管理パートナインターフェースを介して第２のパートナデバイスから受信された入力に応答して、構成パラメータセットの第２の修正を引き起こすことである。第２の修正は、第２のパートナデバイスのシステム要件に応じて行われる。
【０１１３】
一般に適用可能であるが、第１１の態様の任意の他の実装形態に関連して特に適用可能でもある第１１の態様の特定の実装形態では、第２の接続が、第１の接続が終了した後に確立される。
【０１１４】
一般に適用可能であるが、第１１の態様の任意の他の実装形態に関連して特に適用可能でもある第１１の態様の特定の実装形態では、メモリが、実行されると、分析物センサシステムに追加の動作を実行することを行わせる命令をさらに記憶している。１つのこのような動作は、第３のパートナデバイスに対する識別情報を受信することである。別のこのような動作は、第３のパートナデバイスに対する識別情報が受信されることに応答して、糖尿病管理パートナインターフェースを使用して、分析物センサシステムと第３のパートナデバイスとの間の第３の接続を確立することを試行することである。別のこのような動作は、分析物センサシステムと第３のパートナデバイスとの間の第３の接続が確立されることに応答して、糖尿病管理パートナインターフェースを介して受信された入力に応答して、構成パラメータセットの第３の修正を引き起こすことである。第３の修正は、第３のパートナデバイスのシステム要件に応じて行われる。
【０１１５】
一般に適用可能であるが、第１１の態様の任意の他の実装形態に関連して特に適用可能でもある第１１の態様の特定の実装形態では、第３のパートナデバイスに対する識別情報が、サーバシステムに記憶されている。識別情報は、第３のパートナデバイスに分析物センサシステムと通信する権限があるかどうかを示す。
【０１１６】
一般に適用可能であるが、第１１の態様の任意の他の実装形態に関連して特に適用可能でもある第１１の態様の特定の実装形態では、メモリが、実行されると、分析物センサシステムに、第３のパートナデバイスに対する識別情報を受信した表示デバイスから、第３のパートナデバイスに対する識別情報を受信する、ことを行わせる命令をさらに記憶している。
【０１１７】
一般に適用可能であるが、第１１の態様の任意の他の実装形態に関連して特に適用可能でもある第１１の態様の特定の実装形態では、メモリが、実行されると、分析物センサシステムに追加の動作を実行することを行わせる命令をさらに記憶している。１つのこのような動作は、第３のパートナデバイスに対する識別情報が受信されることに応答して、第３のパートナデバイスに対する識別情報を使用して、第３のパートナデバイスに分析物センサシステムと通信する権限があるかどうかを判定することである。別のこのような動作は、第３のパートナデバイスに分析物センサシステムと通信する権限がないと判定することに応答して、分析物センサシステムと第３のパートナデバイスとの間の第３の接続を確立する試行を取り消すことである。別のこのような動作は、第３のパートナデバイスに分析物センサシステムと通信する権限があると判定することに応答して、糖尿病管理パートナインターフェースを使用して、分析物センサシステムと第３のパートナデバイスとの間の第３の接続を確立することである。
【０１１８】
一般に適用可能であるが、第１１の態様の任意の他の実装形態に関連して特に適用可能でもある第１１の態様の特定の実装形態では、第３のパートナデバイスに分析物センサシステムと通信する権限がないとの判定が、第１の時間に行われる。実施形態では、第３のパートナデバイスに分析物センサシステムと通信する権限があるとの判定が、第２の時間に行われる。実施形態では、第３のパートナデバイスに対する識別情報が、第１の時間と第２の時間との間にサーバシステムで更新される。
【０１１９】
一般に適用可能であるが、第１１の態様の任意の他の実装形態に関連して特に適用可能でもある第１１の態様の特定の実装形態では、第３のパートナデバイスのシステム要件が、サーバシステムに記憶されている。メモリは、実行されると、分析物センサシステムに、糖尿病管理パートナインターフェースを介して受信された入力に応答して、構成パラメータセットの第４の修正を引き起こす。第４の修正は、第３のパートナデバイスのシステム要件の更新されたバージョンに応じて行われる。
【０１２０】
本開示の第１２の態様は、方法を含む。この方法は、分析物センサシステムが、パートナデバイスの使用に固有の動作モードに入るための表示を受信することを含む。この方法は、分析物センサシステムとパートナデバイスとの間の接続を確立することをさらに含む。この方法はまた、分析物センサシステムが、糖尿病管理パートナインターフェースを介してパートナデバイスから受信された入力に応答して、構成パラメータを設定または修正することを含む。パートナデバイスから受信された入力は、動作モードを使用して分析物センサシステムと通信するためにパートナデバイスによって使用される対応する動作パラメータを示す。構成パラメータは、パートナデバイスのシステム要件に従って構成されている。この方法はまた、パートナデバイスのシステム要件に適合するように、分析物センサシステムの動作パラメータを使用してパートナデバイスの使用に固有の動作モードを実装することを含む。
【０１２１】
一般に適用可能であるが、第１２の態様の任意の他の実装形態に関連して特に適用可能でもある第１２の態様の特定の実装形態では、構成パラメータが、分析物センサシステムに対するセンサセッションの長さを開始、停止、較正、または設定するコマンドまたは制御信号を表示デバイスが発行するための許可パラメータと、バッテリまたは電源管理パラメータと、接続モデルパラメータと、タイムアウトパラメータであって、タイムアウトパラメータのうちの１つ以上が、パートナデバイスをホワイトリスト上に保持する時間の長さ、アドバタイジングタイムアウト、接続確立タイムアウト、および許可タイムアウト、に関連する、タイムアウトパラメータと、警告パラメータと、分析物センサシステムの動作モードを管理する構成設定と、リモートサーバパラメータと、のうちの１つ以上を含む。
【０１２２】
一般に適用可能であるが、第１２の態様の任意の他の実装形態に関連して特に適用可能でもある第１２の態様の特定の実装形態では、この方法が、分析物センサシステムが、前記パートナデバイスの前記使用に固有の前記動作モードでの実装からの移行の表示を受信することをさらに含む。さらに、この方法は、構成パラメータを、パートナデバイスから受信した入力に応答して構成パラメータを設定または変更する前に存在した以前の状態に復元する分析物センサシステムを含む。構成パラメータのセットを以前の状態に復元することが、ホワイトリストからパートナデバイスを削除することを含み得る。
【０１２３】
本開示の第１３の態様は、方法を含む。この方法は、分析物センサシステムが、無線通信システムが表示デバイスおよびパートナデバイスのうちの１つ以上を含むかどうかを判定することを含む。この方法はまた、無線通信システムが表示デバイスを含む場合に、分析物センサシステムが、断続接続モデル連続接続モデルのうちの一方を使用して表示デバイスに接続するかどうかを判定することを含む。この方法は、システムがパートナデバイスを含む場合に、分析物センサシステムが、断続接続モデルと連続接続モデルとのうちの一方を使用してパートナデバイスに接続するかどうかを判定することを含む。分析物センサシステムが、表示デバイスおよびパートナデバイスのうちの１つ以への接続に断続接続モデルと連続接続モデルとのうちのいずれを使用するかを判定することは、糖尿病管理パートナインターフェースを介してパートナデバイスから受信された入力を使用して設定または修正された構成パラメータを使用することを含む。
【０１２４】
一般に適用可能であるが、第１３の態様の任意の他の実装形態に関連して特に適用可能でもある第１３の態様の特定の実装形態では、分析物センサシステムが断続接続モデルに応じてパートナデバイスに接続することを判定することが、パートナデバイスの電力要件に応答して設定された構成パラメータのうちの１つを使用して行われる。
【０１２５】
一般に適用可能であるが、第１３の態様の任意の他の実装形態に関連して特に適用可能でもある第１３の態様の特定の実装形態では、分析物センサシステムが連続接続モデルに応じてパートナデバイスに接続することを判定することが、システムが表示デバイスを含むとの判定を使用して行われる。
【０１２６】
本開示の第１４の態様は、方法を含む。この方法は、表示デバイスの分析物センサアプリケーションが、パートナデバイスに関連付けられたパートナデバイスアプリケーションへのインターフェースを受信することを含む。この方法は、分析物センサアプリケーションが、インターフェースを使用して、パートナデバイスアプリケーションによって集取された情報を収集することを含む。情報は、ペアリングデータおよび分析物投与量データのうちの１つ以上を含む。この方法はまた、分析物センサアプリケーションが、インターフェースを使用して、分析物センサシステム情報を提供することを含む。分析物センサ情報は、分析物センサシステムが機能していること、パートナデバイスまたは表示デバイスに関して分析物センサシステムによって利用される接続モデル、およびパートナデバイスおよび表示デバイスのうちの１つ以上と通信するために分析物センサシステムによって使用される構成パラメータ、のうちの１つ以上を示すために使用される。
【０１２７】
一般に適用可能であるが、第１４の態様の任意の他の実装形態に関連して特に適用可能でもある第１４の態様の特定の実装形態では、この方法が、分析物センサアプリケーションが、分析物センサシステムから分析物データを受信することをさらに含む。この方法はまた、分析物センサアプリケーションが、パートナデバイスアプリケーションによって集取された分析物データおよび情報を含む視覚的表示を提供することを含む。
【０１２８】
一般に適用可能であるが、第１４の態様の任意の他の実装形態に関連して特に適用可能でもある第１４の態様の特定の実装形態では、この方法がまた、分析物センサアプリケーションが、分析物センサシステムから分析物値に関する情報を受信することを含む。この方法はまた、分析物センサアプリケーションが、インターフェースを使用して、分析物値を、パートナデバイスアプリケーションを介してパートナデバイスに通信することを含む。
【０１２９】
一般に適用可能であるが、第１４の態様の任意の他の実装形態に関連して特に適用可能でもある第１４の態様の特定の実装形態では、この方法がまた、分析物センサアプリケーションが、インターフェースを介して、パートナデバイスによって集取された薬剤送達情報を受信することを含む。
【０１３０】
一般に適用可能であるが、第１４の態様の任意の他の実装形態に関連して特に適用可能でもある第１４の態様の特定の実装形態では、この方法がまた、分析物センサアプリケーションが、インターフェースを介して、パートナデバイスから警告を受信することを含む。警告は、パートナデバイスの機能性に関する問題に関連する。
【０１３１】
一般に適用可能であるが、第１４の態様の任意の他の実装形態に関連して特に適用可能でもある第１４の態様の特定の実装形態では、この方法がまた、表示デバイスの分析物センサアプリケーションが、警告がユーザインターフェースを介して提供されることを引き起こすことを含む。
【０１３２】
一般に適用可能であるが、第１４の態様の任意の他の実装形態に関連して特に適用可能でもある第１４の態様の特定の実装形態では、この方法がまた、表示デバイスの分析物センサアプリケーションが、警告がリモートサーバを介して提供されることを引き起こすことを含む。
【０１３３】
本開示の第１５の態様は、方法を含む。この方法は、分析物センサシステムとパートナデバイスとの間の接続を確立することを含む。この方法は、分析物センサシステムが、糖尿病管理パートナインターフェースを使用して、パートナデバイスから構成パラメータ情報を受信することをさらに含む。構成パラメータ情報は、パートナデバイスのシステム要件に応じた分析物センサシステムの動作に関連する。構成パラメータ情報は、分析物センサシステムに接続可能なリモートデバイスに与えられるアクセス度を含み得る。構成パラメータ情報は、分析物センサシステムとパートナデバイスとの間に確立された接続に使用される構成可能性パラメータセットの１つ以上の値を含み得る。構成可能性パラメータセットの１つ以上の値は、パートナデバイスのシステム要件に従って選択される。
【０１３４】
一般に適用可能であるが、第１５の態様の任意の他の実装形態に関連して特に適用可能でもある第１５の態様の特定の実装形態では、構成可能性パラメータセットは以下のうちの１つ以上を含む。構成可能性パラメータセットは、リモートデバイスの接続情報を含み得る。構成可能性パラメータセットは、分析物センサシステムに接続可能な特定のデバイスに使用される接続モデルを含み得る。構成可能性パラメータセットは、リモートデバイスによって読み取られる、またはリモートデバイスに送信される接続コマンド関連データが含み得る。構成可能性パラメータセットは、パートナデバイスの不使用に関連する情報を含み得る。構成可能性パラメータセットは、セキュリティまたはプライバシー関連パラメータを含み得る。構成可能性パラメータセットは、電力制御またはバッテリ使用に関連する情報を含み得る。構成可能性パラメータセットは、分析物センサシステムに接続可能ないくつかのデバイスを含み得る。構成可能性パラメータセットは、分析物センサシステムに接続可能な各デバイスのデバイスタイプを含み得る。構成可能性パラメータセットは、分析物センサシステムに接続可能なリモートデバイスによって読み取られ、およびリモートデバイスに送信され得る分析物データに関連するタイプの情報を含み得る。
【０１３５】
一般に適用可能であるが、第１５の態様の任意の他の実装形態に関連して特に適用可能でもある第１５の態様の特定の実装形態では、接続コマンド関連データは以下のうちの１つ以上を含む。接続コマンド関連データは、パートナデバイスまたはリモートデバイスが分析物センサシステムのホワイトリスト上に含める資格があるかどうかを示し得る。接続コマンド関連データは、パートナデバイスまたはリモートデバイスが、ホワイトリストの期限切れに適合しているかどうかを示し得る。パートナデバイスまたはリモートデバイスがホワイトリストの期限切れに適合している場合、接続コマンド関連データは、パートナデバイスまたはリモートデバイスがホワイトリストを期限切れに設定するまでの時間量を示し得る。
【０１３６】
一般に適用可能であるが、第１５の態様の任意の他の実装形態に関連して特に適用可能でもある第１５の態様の特定の実装形態では、電力制御に関連する情報が、特定のデバイスを期限切れにして分析物センサシステムのバッテリ寿命を延ばす提案を含む。
【０１３７】
一般に適用可能であるが、第１５の態様の任意の他の実装形態に関連して特に適用可能でもある第１５の態様の特定の実装形態では、電力制御またはバッテリ使用に関連する情報が、分析物センサシステムとパートナデバイスまたはリモートデバイスとの間の接続信頼性に対して分析物センサシステムのバッテリ寿命のバランスをとる制御メカニズムを介して集取される。
【０１３８】
一般に適用可能であるが、第１５の態様の任意の他の実装形態に関連して特に適用可能でもある第１５の態様の特定の実装形態では、電力制御に関連する情報が、分析物センサシステムの低電力モードをトリガする。
【０１３９】
一般に適用可能であるが、第１５の態様の任意の他の実装形態に関連して特に適用可能でもある第１５の態様の特定の実装形態では、アクセス度が、分析物センサシステムが、パートナデバイスから受信されたパラメータ情報を使用して修正されるアクセス度に対する許可を受信した後にのみ、受信される。
【０１４０】
本開示の第１６の態様は、方法を含む。この方法は、表示デバイスと分析物センサシステムとの間の接続を確立することを含む。この方法はまた、表示デバイスが、分析物センサシステムがパートナデバイスに接続しているという表示を受信することを含む。この方法はまた、パートナデバイスに糖尿病管理パートナインターフェースを介して構成パラメータセットへのアクセスを提供する許可を受信した後に、糖尿病管理パートナインターフェースを介して、パートナデバイスから発信された警告の構成パラメータを受信することを含む。この方法はまた、表示デバイスが、分析物センサシステムから発信された警告と、パートナデバイスから発信された警告と、を構成するユーザインターフェースを提供することを含む。この方法は、ユーザインターフェースを介して受信された入力を使用して、パートナデバイスから発信された警告の構成パラメータの修正を引き起こすことをさらに含む。変更は、パートナデバイスのシステム要件に従って行われる。
【０１４１】
一般に適用可能であるが、第１６の態様の任意の他の実装形態に関連して特に適用可能でもある第１６の態様の特定の実装形態では、この方法がまた、ユーザインターフェースを介して、分析物センサシステムから発信された警告とパートナデバイスから発信された警告とのうちの１つ以上を提供する主デバイスとして使用される、表示デバイスを含む、パートナデバイスか、または複数のリモートデバイスのうちのリモートデバイスの選択を受信することを含む。
【０１４２】
一般に適用可能であるが、第１６の態様の任意の他の実装形態に関連して特に適用可能でもある第１６の態様の特定の実装形態では、この方法がまた、主デバイスのバッテリ容量が閾値を下回った場合に、主デバイス以外のデバイスに対して警告を提供することを含む。
【０１４３】
一般に適用可能であるが、第１６の態様の任意の他の実装形態に関連して特に適用可能でもある第１６の態様の特定の実装形態では、この方法がまた、表示デバイスが、ユーザインターフェースを介して、パートナデバイスから発信された警告と分析物センサシステムから発信された警告とに対して提供されるそれぞれの警告タイプの選択を受信することを含む。
【０１４４】
一般に適用可能であるが、第１６の態様の任意の他の実装形態に関連して特に適用可能でもある第１６の態様の特定の実装形態では、この方法がまた、主通知デバイスを介して警告を提供することを含む。この方法はまた、主通知デバイスを介して警告を提供することに応答して肯定応答が受信されない場合に、副通知デバイスを介して警告を提供することを含む。主通知デバイスおよび副通知デバイスが、パートナデバイス、分析物センサシステム、および／または複数のリモートデバイスのうちの少なくとも１つである。
【０１４５】
本開示の第１６の態様は、薬剤送達デバイスの操作性ステータスを監視する方法を含む。この方法は、以下のうちの１つ以上に関連する薬剤送達デバイス情報を薬剤送達デバイスから受信することを含む。薬剤送達デバイス情報は、リザーバ変更に関連し得る。薬剤送達デバイス情報は、ポンプ巻き戻しに関連し得る。薬剤送達デバイス情報は、ポンプ呼び水に関連し得る。薬剤送達デバイス情報は、カニューレ充填に関連し得る。薬剤送達デバイス情報は、液圧に関連し得る。薬剤送達デバイス情報は、分析物送達デバイス情報と分析物センサシステムを使用して生成された分析物データとの組み合わせを判定することに関連し得る。薬剤送達デバイス情報は、分析物センサシステムがこの組み合わせを使用して薬剤送達デバイスの操作性ステータスを判定することに関連し得る。
【０１４６】
本開示のさらなる態様は、添付の図面と併せて、以下に記載される、様々な開示される実施形態の詳細な説明を検討することにより、より容易に理解されるであろう。
【図面の簡単な説明】
【０１４７】
【図１】本開示の実施形態の実装に関連して使用され得る例示的なシステムの態様を示す。
【図２Ａ】本開示の実施形態の実装に関連して使用され得る例示的なシステムの態様を示す。
【図２Ｂ】本開示の実施形態の実装に関連して使用され得る例示的なシステムの態様を示す。
【図３Ａ】分析物センサシステムの実施形態の実装に関連して使用され得る例示的な筐体の斜視図である。
【図３Ｂ】分析物センサシステムの実施形態の実施に関連して使用され得る例示的な筐体の側面図である。
【図３Ｃ】本開示の実施形態による例示的な分析物センサシステムの態様を示す。
【図４】本開示の実施形態による例示的な表示デバイスの態様を示す。
【図５Ａ】本開示の実施形態による例示的なパートナデバイスの態様を示す。
【図５Ｂ】本開示の実施形態による例示的なパートナデバイスの態様を示す。
【図６】本開示の実施形態に従って伝送され得るアドバタイズメントメッセージの態様を示すタイミング図である。
【図７Ａ】本開示の実施形態に従って実行され得る様々な動作を示す動作フロー図である。
【図７Ｂ】本開示の実施形態に従って実行され得る様々な動作を示す動作フロー図である。
【図７Ｃ】本開示の実施形態に従って実行され得る様々な動作を示す動作フロー図である。
【図７Ｄ】本開示の実施形態の実装に関連して使用され得る例示的なシステムの態様を示す。
【図８】本開示の実施形態の実施に関連して使用され得る例示的なシステムの態様を示す。
【図９Ａ】本開示の実施形態の実装に関連して使用され得る例示的なシステムの態様を示す。
【図９Ｂ】本開示の実施形態に従って実行され得る様々な動作を示す動作フロー図である。
【図９Ｃ】本開示の実施形態に従って実行され得る様々な動作を示す動作フロー図である。
【図９Ｄ】本開示の実施形態に従って実行され得る様々な動作を示す動作フロー図である。
【図９Ｅ】本開示の実施形態に従って実行され得る様々な動作を示す動作フロー図である。
【図９Ｆ】本開示の実施形態に従って実行され得る様々な動作を示す動作フロー図である。
【図９Ｇ】本開示の実施形態に従って実行され得る様々な動作を示す動作フロー図である。
【図９Ｈ】本開示の実施形態に従って実行され得る様々な動作を示す動作フロー図である。
【図９Ｊ】本開示の実施形態に従って実行され得る様々な動作を示す動作フロー図である。
【図９Ｋ】本開示の実施形態に従って実行され得る様々な動作を示す動作フロー図である。
【図９Ｌ】本開示の実施形態に従って実行され得る様々な動作を示す動作フロー図である。
【図９Ｍ】本開示の実施形態に従って実行され得る様々な動作を示す動作フロー図である。
【図９Ｎ】本開示の実施形態に従って実行され得る様々な動作を示す動作フロー図である。
【図９Ｐ】本開示の実施形態に従って実行され得る様々な動作を示す動作フロー図である。
【図９Ｑ】本開示の実施形態に従って実行され得る様々な動作を示す動作フロー図である。
【図９Ｒ】本開示の実施形態に従って実行され得る様々な動作を示す動作フロー図である。
【図９Ｓ】本開示の実施形態に従って実行され得る様々な動作を示す動作フロー図である。
【図１０Ａ】本開示の実施形態の実装に関連して使用され得る例示的なシステムの態様を示す。
【図１０Ｂ】本開示の実施形態の実装に関連して使用され得る例示的なシステムの態様を示す。
【図１１】本開示の実施形態に従う例示的なコンピューティングモジュールを示す。
【発明を実施するための形態】
【０１４８】
図面は、以下の説明および実施例でより詳細に説明され、例示のみを目的として提供され、単に本開示の典型的なまたは例示的な実施形態を描いている。図面は、網羅的であること、または開示を開示された形式そのものに限定することを意図していない。本開示は、修正または変更を加えて実施されてもよく、本開示は、特許請求の範囲およびその均等物によってのみ限定され得ることも理解されたい。
【０１４９】
本開示の実施形態は、分析物データの無線通信のためのシステム、方法、およびデバイス、ならびに分析物センサシステムを使用して集取された分析物データの無線通信のためのインターフェースを対象とする。本明細書に記載される様々な展開において、分析物データは、表示デバイス、パートナデバイス（例えば、インスリンポンプなどの医療デバイス）などに接続するように構成された分析物センサシステムによって生成されるグルコースデータである。より具体的には、糖尿病管理パートナインターフェースを使用する本明細書に記載のシステム、方法、装置、およびデバイスを含む本開示の態様を実装することにより、表示デバイス、１つ以上のパートナデバイス、および／または他の（例えば、電子）デバイスとの無線通信における分析物センサシステムの柔軟性を改善し得る。
【０１５０】
その上、本開示の態様を実装することにより、パートナデバイスおよび表示デバイスに対するもの（例えば、前述のデバイスは様々なサードパーティによって製造され得る）を含む、無線通信の信頼性、速度、および精度、ならびにそれに関連する接続プロトコルおよび構成、に関する性能を改善することも可能になり得る。加えて、いくつかの場合において、精度、消費電力、信頼性に関するものなどのシステム要件はそれほど重要ではない可能性があり、このような場合、システムパフォーマンスを最適化するかまたは適応させるために異なる構成および接続モードが利用され得る。特に、本開示のいくつかの態様は、例えば、要因の中でも特に、パートナデバイスのシステム要件に基づいて、分析物センサシステムの接続パラメータを設定または修正することに関する。
【０１５１】
本開示のシステム、方法、およびデバイスのいくつかの例示的な実施形態の詳細は、この説明で、いくつかの場合において本開示の他の部分で説明される。本開示の他の特徴、目的、および利点は、本開示、説明、図面、実施例、および特許請求の範囲を検討することにより、当業者に明らかになるであろう。このような追加のシステム、方法、デバイス、機能、および利点はすべて、この説明に（明示的にまたは参照により）含まれ、本開示の範囲内にあり、添付の請求項のうちの１つ以上によって保護されることが意図されている。
【０１５２】
Ａ．システムの概要および例示的な構成
図１は、例えば、ユーザの血糖値を含む、ユーザの身体に存在する分析物値に関する情報を集取、監視、および／または提供することを伴う本開示の実施形態に関連して使用され得るシステム１００を描いている。システム１００は、表示デバイス１１０、１２０、１３０、および１４０、パートナデバイス１３６、および／またはサーバシステム１３４に通信可能に結合され得る分析物センサシステム８の態様を描いている。
【０１５３】
図示の実施形態における分析物センサシステム８は、センサ電子モジュール１２と、センサ電子モジュール１２に関連付けられた連続分析物センサ１０とを含む。センサ電子モジュール１２は、表示デバイス１１０、１２０、１３０、および１４０のうちの１つ以上と無線通信（例えば、直接的または間接的に）し得る。表示デバイス１１０、１２０、１３０、および１４０に加えて、またはその代わりに、センサ電子モジュール１２は、パートナデバイス１３６および／またはサーバシステム１３４と無線通信（例えば、直接的または間接的に）し得る。同様に、いくつかの例では、表示デバイス１１０〜１４０は、追加的または代替的に、パートナデバイス１３６および／またはサーバシステム１３４と無線通信（例えば、直接または間接的に）し得る。図１に図示された様々な結合は、以下でも言及されるように、無線アクセスポイント１３８を用いて容易化できる。
【０１５４】
特定の実施形態では、センサ電子モジュール１２は、連続分析物センサデータの測定および処理に関連付けられた電子回路を含み、センサデータの処理および較正に関連付けられた候補アルゴリズムを含む。センサ電子モジュール１２は、連続分析物センサ１０に物理的に接続でき、連続分析物センサ１０と一体化（取り外し不能に取り付け）または取り外し可能に取り付けできる。センサ機器ユニット１２は、グルコースセンサを介した分析物のレベルの測定を有効にするハードウェア、ファームウェア、および／またはソフトウェアを含み得る。例えば、センサ電子モジュール１２は、ポテンシオスタット、センサに電力を供給するための電源、信号処理およびデータ記憶に有用な他の構成要素、およびセンサ電子モジュールから１つ以上の表示デバイスにデータを伝送するためのリモート測定モジュールを含むことができる。電子機器は、プリント回路基板（ＰＣＢ）などに固定され得、様々な形態をとることができる。例えば、電子機器は、特定用途向け集積回路（ＡＳＩＣ）などの集積回路（ＩＣ）、マイクロコントローラ、および／またはプロセッサの形態をとることができる。
【０１５５】
センサ電子モジュール１２は、センサデータなどのセンサ情報を処理し、かつ変換されたセンサデータおよび表示可能なセンサ情報を生成するように構成された、センサ電子装置を含み得る。センサ分析物データを処理するためのシステムおよび方法の例は、本明細書および米国特許第７，３１０，５４４号および第６，９３１，３２７号および米国特許公開第２００５／００４３５９８号、第２００７／００３２７０６号、第２００７／００１６３８１号、第２００８／００３３２５４号、第２００５／０２０３３６０号、第２００５／０１５４２７１号、第２００５／０１９２５５７号、第２００６／０２２２５６６号、第２００７／０２０３９６６号、および第２００７／０２０８２４５号に、より詳細に記載されており、これらはすべて、その全体が参照により本明細書に組み込まれる。
【０１５６】
図１をさらに参照すると、表示デバイス１１０、１２０、１３０、および／または１４０は、センサ電子モジュール１２によって送信され得る表示可能なセンサ情報を表示（および／または警告）するように構成され得る（例えば、それらのそれぞれの好みに基づいて表示デバイスに送信される、カスタマイズされたデータパッケージ）。表示デバイス１１０、１２０、１３０、または１４０の各々は、（それぞれ）センサ情報および／または分析物データをユーザに表示し、および／またはユーザからの入力を受信する、タッチスクリーンディスプレイ１１２、１２２、１３２、／または１４２などのディスプレイを含むことができる。例えば、グラフィカルユーザインターフェースが、このような目的のためにユーザに提示されてもよい。実施形態では、表示デバイスは、表示デバイスのユーザにセンサ情報を伝達し、および／またはユーザ入力を受信するためのタッチスクリーンディスプレイの代わりに、またはそれに加えて、音声ユーザインターフェースなどの他のタイプのユーザインターフェースを含み得る。実施形態では、表示デバイス１１０、１２０、１３０、１４０のうちの１つ、いくつか、またはすべては、センサ情報がセンサ電子モジュール１２から伝達されるときに（例えば、それぞれの表示デバイスに伝送されるデータパッケージで）、センサデータの較正およびリアルタイム表示に必要な追加の将来的な処理を全く伴わずに、センサ情報を表示またはその他の方法で伝達するように構成され得る。
【０１５７】
図１に描かれた複数の表示デバイス１１０、１２０、１３０、１４０は、センサ電子モジュール１２（例えば、実施形態では、数値および／または矢印）から受信された分析物データに関連付けられた特定の種類の表示可能なセンサ情報を表示するために特別に設計されたカスタム表示デバイス、例えば分析物表示デバイス１１０を含み得る。実施形態において、複数の表示デバイス１１０、１２０、１３０、１４０のうちの１つは、Ａｎｄｒｏｉｄ、ｉＯＳ、または他のオペレーティングシステムに基づき、連続センサデータ（例えば、現在および／または履歴のデータを含む）のグラフィック表現を表示するように構成された携帯電話１２０などのスマートフォンを含む。他の表示デバイス１１０、１２０、１３０、１４０は、タブレット１３０、スマートウォッチ１４０、パートナデバイス１３６（例えば、自動であるか手動であるかを問わないインスリン送達デバイス、または血糖計）などの他のハンドヘルドデバイス、スマート冷蔵庫、車両、スマートミラー、スマート時計、スマートドリンク、埋め込み型インスリン送達デバイス、および／またはデスクトップまたはラップトップコンピュータを含むことができる。
【０１５８】
異なる表示デバイス１１０、１２０、１３０、１４０などおよびパートナデバイス（複数可）１３６は、異なるユーザインターフェース、データパッケージのコンテンツ（例えば、表示されるデータの量、フォーマット、および／またはタイプ、アラームなど）を、特定の表示デバイス１１０、１２０、１３０、１４０などおよび／またはパートナデバイス（複数可）１３６ごとにカスタマイズすることができる（例えば、製造者および／またはエンドユーザによって異なるようにプログラムされる）。したがって、実施形態において、複数の異なる表示デバイス１１０、１２０、１３０、１４０は、センサ電子モジュール１２（例えば、連続分析物センサ１０に物理的に接続される皮膚上センサ電子モジュール）と直接無線通信して、センサセッション中に、複数の異なるタイプおよび／またはレベルの表示、および／または表示可能なセンサ情報に関連付けられた機能を有効にすることができ、このことは本明細書のいずれか他の個所でより詳細に記載する。
【０１５９】
図１にさらに示され、上述したように、システム１００はまた、分析物センサシステム８、複数の表示デバイス１１０、１２０、１３０、１４０など、サーバシステ１３４ム、および医療デバイス１３６のうちの１つ以上を互いに結合するために使用され得る無線アクセスポイント（ＷＡＰ）１３８を含み得る。例えば、ＷＡＰ１３８は、システム１００内でＷｉＦｉおよび／またはセルラまたは他の無線接続性を提供し得る。近距離無線通信（ＮＦＣ）もシステム１００のデバイス相互間で使用され得る。サーバシステム１３４を使用して、分析物センサシステム８および／または複数の表示デバイスから分析物データを収集して、例えば、分析を実行し、グルコースレベルおよびプロファイルの普遍的または個別化モデルを生成し、分析物データをリモートで監視する個人またはシステムなどを含むサービスまたはフィードバックを提供することができる。
【０１６０】
ここで図２Ａを参照すると、システム２００が描かれている。システム２００は、例えば図１に関連して上述した態様を含む、開示されたシステム、方法、装置、および／またはデバイスの実施形態の実装に関連して使用され得る。例として、図２Ａの様々な以下で説明する構成要素を使用して、例えば分析物センサシステム３０８、表示デバイス３１０、パートナデバイス３１５、および／または１つ以上のサーバシステム３３４などの間／相互間での分析物（例えば、グルコース）データの無線通信を提供し得る。
【０１６１】
図２Ａに示すように、システム２００は、分析物センサシステム３０８、１つ以上の表示デバイス３１０、および／または１つ以上のパートナデバイス３１５を含み得る。加えて、示された実施形態では、システム２００はサーバシステム３３４を含み、サーバシステム３３４は、プロセッサ３３４ｃおよび記憶装置３３４ｂに結合されたサーバ３３４ａを含む。分析物センサシステム３０８は、通信媒体３０５を介して表示デバイス３１０、パートナデバイス３１５、および／またはサーバシステム３３４に結合され得る。データの処理、集取、交換、および／または分析物センサシステム３０８、パートナデバイス３１５、および／または表示デバイス３１０などによるアクションの実行（例えば、薬剤または関連命令の実行）の、多くの詳細を以下に提供する。
【０１６２】
本明細書に詳細に記載するように、分析物センサシステム３０８、表示デバイス３１０、および／またはパートナデバイス３１５は、通信媒体３０５を介してメッセージング（例えば、制御シグナリング）を交換することができ、また、通信媒体３０５を使用して、分析物データを、表示デバイス３１０、パートナデバイス３１５、および／またはサーバシステム３３４に配信することができる。上記で示唆したように、表示デバイス３１０は、例えば、スマートフォン、タブレット、ラップトップ、ウェアラブルデバイスなどの多様な電子コンピューティングデバイスを含み得る。表示デバイス３１０はまた、分析物データの表示および伝達と関連の通知とに対してカスタマイズされた分析物表示デバイス１１０を含み得る。パートナデバイス３１５は、インスリンポンプまたはペンなどの医療デバイス、スマート冷蔵庫またはミラーなどの接続可能なデバイス、キーフォブ、および他のデバイスを含み得る。
【０１６３】
実施形態では、通信媒体３０５は、例えば、Ｂｌｕｅｔｏｏｔｈ、Ｂｌｕｅｔｏｏｔｈ  Ｌｏｗ  Ｅｎｅｒｇｙ（ＢＬＥ）、ＺｉｇＢｅｅ、ＷｉＦｉ、ＩＥＥＥ８０２．１１プロトコル、赤外線（ＩＲ）、無線周波数（ＲＦ）、２Ｇ、３Ｇ、４Ｇ、５Ｇなど、および／または有線プロトコルおよび媒体などの１つ以上の無線通信プロトコルに基づき得る。また、本開示を検討すると、通信媒体は、いくつかの場合において、このようなリンクが図２Ａに明示的に示されているか、またはそれに関連して言及されているか否かにかかわらず、システム２００の構成要素間の別個のリンクを含む１つ以上の通信リンクとして実装できることが理解されるであろう。例として、分析物センサシステム３０８は、ＢＬＥを使用して通信媒体３０５の第１のリンクを介して表示デバイス３１０に結合されてもよいのに対して、表示デバイス３１０は、セルラ通信プロトコル（例えば、４Ｇ  ＬＴＥ）を使用して通信媒体３０５の第２のリンクによってサーバシステム３３４に結合されてもよい。
【０１６４】
実施形態では、システム２００の要素を使用して、本明細書に記載の様々な処理の動作を行うことができ、かつ／または１つ以上の開示されたシステムおよび／または方法に関して本明細書に記載の様々な動作および／または特徴を実行することができる。本開示を検討すると、当業者は、システム２００が単一または複数の分析物センサシステム３０８、通信媒体３０５、および／またはサーバシステム３３４を含み得ることを理解するであろう。
【０１６５】
上述のように、通信媒体３０５を使用して、分析物センサシステム３０８、表示デバイス３１０、パートナデバイス３１５、および／またはサーバシステム３３４を互いにまたはネットワークに接続または通信可能に結合し得る。通信媒体３０５は、多様な形態で実装され得る。例えば、通信媒体３０５は、ローカルエリアネットワーク（ＬＡＮ）、パーソンエリアネットワーク（ＰＡＮ）、ワイドエリアネットワーク（ＷＡＮ）、光ファイバネットワーク、電力線インターネット、ハードワイヤード接続（例えば、バス）、ＤＳＬなど、または任意の他の種類のネットワーク接続もしくは通信結合などのインターネット接続のうちの１つ以上を含み得る。通信媒体３０５は、ルータ、ケーブル、モデム、スイッチ、光ファイバ、ワイヤ、無線（例えば、マイクロ波／ＲＦ、ＡＭ、ＦＭリンクなど）などの任意の組み合わせを使用して実装され得る。さらに、通信媒体３０５は、Ｂｌｕｅｔｏｏｔｈ（登録商標）、ＢＬＥ、Ｗｉ−Ｆｉ、ＩＥＥＥ８０２．１１、３ＧＰＰ規格（例えば、２Ｇ  ＧＳＭ／ＧＰＲＳ／ＥＤＧＥ、３Ｇ  ＵＭＴＳ／ＣＤＭＡ２０００、または４Ｇ  ＬＴＥ／ＬＴＥ−Ａ／ＬＴＥ−Ｕ、５Ｇ、または後続の世代）などの様々な無線規格を使用して実装され得る。本開示を読むと、当業者は、通信目的で通信媒体３０５を実装する他の方法を認識し、また、通信媒体３０５が将来展開され得る未開発の通信規格を使用して、本開示の特徴を実装し得ることを認識するであろう。
【０１６６】
さらに図２Ａを参照すると、サーバ３３４ａは、分析物データまたは薬剤データに応答する入力、または分析物センサシステム３０８または表示デバイス３１０上で実行される分析物監視アプリケーション（例えば、図４を参照すると、分析物アプリケーションセンサアプリケーション４２５ａ）、または、表示デバイス３１０またはパートナデバイス３１５（例えば、図５Ｂを参照すると、薬剤送達アプリケーション６２５）上で実行される薬剤送達アプリケーションに関連して受信された入力などの、分析物センサシステム３０８、パートナデバイス３１５および／または表示デバイス３１０からの、分析物データ、薬剤データ、および関連情報を含む情報を受信、収集、および／または監視し得る。したがって、サーバ３３４ａは、例えば、ユーザへの薬剤の提供に関する情報、および／または１つ以上のパートナデバイス３１５の動作に関する情報などの、パートナデバイス３１５からの情報を受信、収集、および／または監視し得る。サーバ３３４ａはまた、分析物センサシステム３０８、表示デバイス３１０、および／またはパートナデバイス３１５のユーザに関する情報を受信、収集、および／または監視し得る。
【０１６７】
実施形態では、サーバ３３４ａは、通信媒体３０５を介してこのような情報を受信するように適合され得る。この情報は、記憶装置３３４ｂに記憶されてもよく、プロセッサ３３４ｃによって処理されてもよい。例えば、プロセッサ３３４ｃは、通信媒体３０５を介してサーバ３３４ａが収集、受信などした情報の分析を実行できる分析エンジンを含んでもよい。実施形態では、サーバ３３４ａ、記憶装置３３４ｂ、および／またはプロセッサ３３４ｃは、Ｈａｄｏｏｐ（登録商標）ネットワークなどの分散コンピューティングネットワークとして、またはリレーショナルデータベースなどとして実装され得る。次いで、前述の情報は、サービスが分析物センサシステム３０８、表示デバイス３１０、および／またはパートナデバイス３１５、および／またはそのユーザ（複数可）に提供され得るように、サーバ３３４ａで処理され得る。例えば、このようなサービスは、ユーザに対する糖尿病管理フィードバックを含んでもよい。
【０１６８】
サーバ３３４ａは、例えば、インターネットサーバ、ルータ、デスクトップまたはラップトップコンピュータ、スマートフォン、タブレット、プロセッサ、モジュールなどを含んでもよく、例えば、以下を含む様々な形態で実装され得る。集積回路または集積回路の集合体、プリント回路基板またはプリント回路基板の集合体、または個別のハウジング／パッケージ／ラック、またはそれらのうちの複数を含む、様々な形成で実装されてもよい。実施形態では、サーバ３３４ａは、通信媒体３０５を介して行われる通信を少なくとも部分的に指示する。このような通信は、分析物データ、薬剤データ、および／またはそれらに関連するメッセージング（例えば、アドバタイズメント、認証、コマンド、または他のメッセージング）の配信を含み得る。例えば、サーバ３３４ａは、周波数帯域、伝送のタイミング、セキュリティ／暗号化、アラーム、警告、通知などに関連する、分析物センサシステム３０８、表示デバイス３１０、および／またはパートナデバイス３１５の間および／または相互間で、メッセージを処理および交換してもよい。サーバ３３４ａは、分析物センサシステム３０８、パートナデバイス３１５、および／または表示デバイス３１０に記憶された情報を、例えば、それらにアプリケーションを配信するか、またはアプリケーションを更新することによって、および／またはシステムパラメータまたは分析物センサシステム３０８、パートナデバイス３１５、および／または表示デバイス３１０のシステムパラメータまたは他の設定を再構成することによって、更新し得る。サーバ３３４ａは、リアルタイムで、定期的に、散発的に、またはイベント駆動ベースで、分析物センサシステム３０８、パートナデバイス３１５、および／または表示デバイス３１０との間で情報を送受信し得る。さらに、サーバ３３４ａは、分析物センサシステム３０８、パートナデバイス３１５、および／または表示デバイス３１０のためのクラウドコンピューティング機能を実装し得る。
【０１６９】
ここで図２Ｂを参照すると、システム２０２が、本開示の実施形態に従って描かれており、そのいくつかは、本明細書に記載の様々なデバイスを接続するための一種のメッシュネットワークの構成および／またはセットアップを伴う。示されるように、システム２０２の実施形態は、通信媒体３０５を介して表示デバイス３１０ａ、３１０ｂおよび／またはパートナデバイス３１５のうちの１つ以上に通信可能に結合された分析物センサシステム３０８を含む。表示デバイス３１０ａは、通信媒体３０５ａを介して表示デバイス３１０ｂに通信可能に結合され得る。例として、図２Ｂは、本開示の例示的な実装形態において、表示デバイス３１０ａが、第１の接続スキームおよび第１の無線プロトコル（例えば、ＢＬＥ）を使用して通信媒体３０５を介して分析物センサシステム３０８に接続し得ることを示す。次に、表示デバイス３１０ａはまた、第２の接続スキームおよび第２の無線プロトコル（例えば、Ｗｉ−Ｆｉ、ＮＦＣなど）を使用して、通信媒体３０５ａを介して表示デバイス３１０ｂに接続し得る。実施形態において、表示デバイス３１０ａと分析物センサシステム３０８との間の接続は、その後閉じられ得、表示デバイス３１０ｂは、表示デバイス３１０ａとの接続を維持しながら分析物センサシステム３０８との接続を確立し得る。さらに、例えば、表示デバイス３１０ａ、３１０ｂのいずれかまたはそれぞれが、通信媒体３０５を介して、すなわち分析物センサシステム３０８から分析物データを受信した場合に、表示デバイス３１０ａおよび３１０ｂは、通信媒体３０５ａを介して分析物データを互いに交換してもよい。
【０１７０】
パートナデバイス３１５はまた、通信媒体３０５および／または通信媒体３０５ｂを介して表示デバイス３１０ｂに接続し得る。パートナデバイス３１５はまた、通信媒体３０５を介して分析物センサシステム３０８に接続し得る。システム２０２の構成要素を通信可能に結合するために、任意の数の異なる接続スキーム／プロトコルが使用され得ることが理解されるであろう。例えば、いくつかのネットワーク接続は、断続的に利用可能であってもよく、および／またはいくつかの場合において利用可能でないか、または好ましくなくてもよい（デバイスの機能、地理、時間、バッテリ寿命や干渉要件などのシステム条件のため）。したがって、いくつかの場合において、パートナデバイス３１５は、分析物センサシステム３０８に直接接続しなくてもよく、むしろ、通信媒体３０５を介して分析物センサシステム３０８に接続され得る表示デバイス３１０ｂを介して間接的に分析物センサシステム３０８に接続してもよい。いくつかの場合において、表示デバイス３１０ｂは、分析物センサシステム３０８に直接接続しなくてもよく、むしろ、通信媒体３０５を介して分析物センサシステム３０８に接続され得るパートナデバイス３１５を介して間接的に分析物センサシステム３０８に接続してもよい。図２Ｂによって表された追加の態様および特徴は、本開示全体を検討すると明らかになるであろう。
【０１７１】
実施形態において、パートナデバイス３１５は、分析物センサシステム３０８によって利用される通信プロトコルをサポートしないことが可能であり、および／または、そうでなければ、パートナデバイス３１５が分析物センサシステム３０８に直接接続することが好ましくない場合がある。したがって、表示デバイス３１０（例では、分析物センサシステム３０８によって利用される通信プロトコルをサポートし、および／または、そうでなければ、分析物センサシステム３０８との接続により好ましい場合がある）は、分析物センサシステム３０８に接続し、本質的にパートナデバイス３１５に対してゲートウェイデバイスとして機能し得る。したがって、パートナデバイス３１５は、分析物センサシステム３０８から間接的に分析物データなどを受信することができ、および／または分析物センサシステム３０８と情報を交換することができる。いくつかの場合において、これはテザリングと呼ばれ得る。また、いくつかの場合において、パートナデバイス３１５が、表示デバイス３１０ａ、３１０ｂにつなぐことができ、パートナデバイス３１５を介して分析物センサシステム３０８から分析物データを受信することができるように、表示デバイス３１０ａ、３１０ｂに対するゲートウェイデバイスとして機能し得ることが理解されるであろう。また、システム３０４の例示的な実装形態では、１つ以上の表示デバイス３１０ａ、３１０ｂは、互いに並列に、および／または１つ以上のパートナデバイス３１５と並列または直列に、分析物センサシステム３０８に接続され得ることが理解されるであろう。各表示デバイス３１０ａ、３１０ｂおよび／またはパートナデバイス３１５はまた、表示デバイス３１０ａ、３１０ｂおよび／またはパートナデバイス３１５のチェーンを、各表示デバイス３１０ａ、３１０ｂおよび／またはパートナデバイス３１５に接続し得る。
【０１７２】
上記で示唆したように、無線通信プロトコルを使用して、分析物センサシステム３０８、表示デバイス３１０、パートナデバイス３１５、および／または通信媒体３０５を介したサーバシステム３３４の相互間で、分析物関連データ、薬剤関連データ、および他のメッセージングまたは情報（例えば、制御信号など）を伝送および受信し得る。実施形態では、このような無線プロトコルは、近距離（例えば、パーソナルエリアネットワーク）の複数のデバイスとの間の定期的なスモールデータ伝送（必要であれば低レートで伝送され得る）に最適化された無線ネットワークで使用するために設計され得る。例えば、１つのこのようなプロトコルは、短間隔でデータを伝送し、次いで長間隔で低電力モードに入るように送受信機が構成され得る定期的なデータ転送用に最適化され得る。プロトコルは、通常のデータ伝送と消費電力を削減するための通信チャネルの初期設定（例えばオーバヘッドの削減）との両方で、低オーバヘッド要件を有し得る。いくつかの実施形態では、バースト放送スキーム（例えば、一方向通信）が使用され得る。これにより、肯定応答信号に必要なオーバヘッドがなくなり、電力をほとんど消費しない定期的な伝送が可能になる。他の実施形態では、ＮＦＣを一特定例とする、パッシブまたはアクティブ近接ベースのプロトコルを使用して、オーバヘッド（例えば、典型的なペアリング動作に関連付けられたオーバヘッド）を削減し、および／またはセキュリティを高め得る。
【０１７３】
プロトコルは、干渉回避スキームを実装しながら、複数のデバイスとの通信チャネルを確立するようにさらに構成され得る。いくつかの実施形態では、上述の例示的なプロトコルは、いくつかのデバイスとの通信のための様々なタイムスロットおよび周波数帯域を定義する適応型等時性ネットワークトポロジを利用し得る。したがって、プロトコルは、干渉に応答して、複数のデバイスとの通信をサポートするために、伝送ウィンドウおよび周波数を変更し得る。したがって、無線プロトコルは、時間および周波数分割多重（ＴＤＭＡ／ＦＤＭＡ）ベースのスキームを使用し得る。無線プロトコルはまた、直接シーケンススペクトラム拡散（ＤＳＳＳ）および周波数ホッピングスペクトラム拡散方式を使用し得る。様々なネットワークトポロジを使用して、ピアツーピア、スタート、ツリー、または、ＷｉＦｉ、Ｂｌｕｅｔｏｏｔｈ、ＢＬＥなどのメッシュネットワークトポロジなどの短距離および／または低電力無線通信をサポートし得る。無線プロトコルは、例えば２．４ＧＨｚなどのオープンＩＳＭバンドなどの、様々な周波数帯域で動作し得る。さらに、電力使用量を削減するために、無線プロトコルは電力消費に応じてデータレートを適応的に構成し得る。
【０１７４】
図２Ｂに示す構成に関連する実施形態では、図４のユーザインターフェース４３５によって提供されるＧＵＩなどのユーザインターフェースは、ユーザがその構成に対するある程度のレベルの制御および／または入力を維持し得るように、メッシュネットワークに関する情報をユーザに提示することができる。例えば、メッシュネットワークのトポグラフィ／トポロジを提供することができ、ユーザは接続リンクにアクセスして、使用される接続モデル、使用される接続パラメータ、および／または様々な接続と関連付けられたアドバタイズメント特性などを変更し得る。その上、ユーザは、どのデバイスが他のデバイスへのゲートウェイとして機能できるかに関して、表示デバイス３１０および／またはパートナデバイス３１５の相互間で切り替えることが可能であり得る。加えて、ユーザ、分析物センサシステム３０８、表示デバイス３１５、および／またはパートナデバイス３１５は、他の接続されたデバイスの許可／機能を管理し、および／または分析物センサシステム３０８に接続することができるデバイスの数／タイプなどを管理するために、他のネットワーク要素に制御シグナリングを送信し得る。実施形態において、表示デバイス３１０および／またはパートナデバイス３１５は、例えば、パートナデバイス３１５のシステム要件に基づいて、自動化された方式でネットワークトポグラフィ／構成を管理することができ得る。このような自動または半自動管理を容易にするために、パートナデバイス３１５は、本明細書に記載するように、糖尿病管理パートナインターフェースを介してメッシュネットワーク構成情報にアクセスし得る。
【０１７５】
分析物データの無線通信のための本開示のシステムおよび方法の態様の上記の説明により、本開示のいくつかの特定の特徴の例をここで提供する。当業者は、本開示を検討すると、これらの特徴が、これらの特徴への明示的な参照が行われたかどうかにかかわらず、上記の例示的な構成の態様および／または態様の組み合わせを使用して実装され得ることを理解するであろう。
【０１７６】
Ｂ．分析物データ
再び図１を参照すると、上述のように、実施形態では、ホストまたはユーザにおける分析物の連続測定のために分析物センサシステム８が提供される。概要および例として、分析物センサシステム８は、センサ測定を行い、分析物データを生成し（例えば、連続グルコース監視データの値を計算することにより）、このようなデータをリモートデバイス（例えば、表示デバイス１１０、１２０、１３０、１４０、パートナデバイス１３６、および／またはサーバシステム１３４）に送信する無線通信（例えば、Ｂｌｕｅｔｏｏｔｈおよび／または他の無線プロトコル）に従事する、カプセル化されたマイクロコントローラとして実装され得る。
【０１７７】
分析物センサシステム８は、ホスト内の分析物の濃度を連続的に測定するように構成された連続分析物センサ１０と、センサ使用中に連続分析物センサ１０に通常物理的に接続されるセンサ電子モジュール１２と、を含み得る。実施形態では、センサ電子モジュール１２は、例えば、未処理のセンサデータ、変換されたセンサデータ、および／または他のセンサデータを含むセンサ情報を生成するために、連続分析物センサ１０によって測定された分析物濃度に関連付けられたデータストリームを処理するように構成された電子機器を含む。センサ電子モジュール１２は、それぞれの表示デバイス１１０、１２０、１３０、１４０、パートナデバイス１３６、および／またはサーバシステム１３４に対してカスタマイズされたセンサ情報を生成するようにさらに構成され得る。センサ電子モジュール１２は、異なるデバイスが異なるセンサ情報を受信し得るようにさらに構成され得るとともに、このような表示デバイス１１０、１２０、１３０、１４０、パートナデバイス１３６、および／またはサーバシステム１３４にセンサ情報を無線で伝送するようにさらに構成され得る。
【０１７８】
本明細書で使用される「分析物」という用語は、広義の用語であり、当業者にその通常の慣習的な意味を与えられるものであり（特別な意味またはカスタマイズされた意味に限定されるものではない）、分析され得る体液（例えば、血液、間質液、脳脊髄液、リンパ液、または尿）中の物質または化学成分をさらに指すが、これらに限定されない。分析物として、自然発生物質、人工的物質、代謝産物、および／または反応生成物を挙げることができる。いくつかの実施形態において、センサヘッド、デバイス、システム、および方法による測定に供される分析物は、グルコースである。しかしながら、アカルボキシプロトロンビン、アシルカルニチン、アデニンホスホリボシルトランスフェラーゼ、アデノシンデアミナーゼ、アルブミン、α−フェトプロテイン、アミノ酸プロファイル（アルギニン（クレブス回路）、ヒスチジン／ウロカニン酸、ホモシステイン、フェニルアラニン／チロシン、トリプトファン）、アンドレノステンジオン、アンチピリン、アラビニトールエナンチオマー、アルギナーゼ、ベンゾイルエクゴニン（コカイン）、ビオチニダーゼ、ビオプテリン、ｃ反応性タンパク質、カルニチン、カルノシナーゼ、ＣＤ４、セルロプラスミン、ケノデオキシコール酸、クロロキン、コレステロール、コリンエステラーゼ、共役１−βヒドロキシコール酸、コルチゾール、クレアチンキナーゼ、クレアチンキナーゼＭＭアイソザイム、サイクロスポリンＡ、ｄ−ペニシラミン、デ−エチルクロロキン、デヒドロエピアンドロステロンサルフェート、ＤＮＡ（アセチル化多型、アルコール脱水素酵素、α１−抗トリプシン、嚢胞性線維症、デュシェンヌ型／ベッカー型筋ジストロフィー、グルコース−６−リン酸デヒドロゲナーゼ、ヘモグロビンＡ、ヘモグロビンＳ、ヘモグロビンＣ、ヘモグロビンＤ、ヘモグロビンＥ、ヘモグロビンＦ、Ｄパンジャブ、β−サラセミア、Ｂ型肝炎ウイルス、ＨＣＭＶ、ＨＩＶ−１、ＨＴＬＶ−１、レーベル遺伝性視神経症、ＭＣＡＤ、ＲＮＡ、ＰＫＵ、三日熱マラリア原虫、性分化、２１−デオキシコルチゾール）、デスブチルハロファントリン、ジヒドロプテリジン還元酵素、ジフテリア／破傷風抗毒素、赤血球アルギナーゼ、赤血球プロトポルフィリン、エステラーゼＤ、脂肪酸／アシルグリシン、遊離β−ヒト絨毛性ゴナドトロピン、遊離赤血球ポルフィリン、遊離チロキシン（ＦＴ４）、遊離トリ−ヨードチロニン（ＦＴ３）、フマリルアセトアセターゼ、ガラクトース／ｇａｌ−１−リン酸塩、ガラクトース−１−リン酸ウリジルトランスフェラーゼ、ゲンタマイシン、グルコース−６−リン酸デヒドロゲナーゼ、グルタチオン、グルタチオンペリオキシダーゼ、グリココール酸、グリコシル化ヘモグロビン、ハロファントリン、ヘモグロビン変異体、ヘキソサミニダーゼＡ、ヒト赤血球炭酸脱水酵素Ｉ、１７−α−ヒドロキシプロゲステロン、ヒポキサンチンホスホリボシルトランスフェラーゼ、免疫反応性トリプシン、乳酸塩、鉛、リポタンパク質（（ａ）、Ｂ／Ａ−１、β）、リゾチーム、メフロキン、ネチルマイシン、フェノバルビトン、フェニトイン、フィタン酸／プリスタン酸、プロゲステロン、プロラクチン、プロリダーゼ、プリンヌクレオシドホスホリラーゼ���キニン、逆位トリ−ヨードチロニン（ｒＴ３）、セレン、血清膵臓リパーゼ、シソマイシン、ソマトメジンＣ、特異的抗体（アデノウイルス、抗核抗体、抗ゼータ抗体、アルボウイルス、オーエスキー病ウイルス、デング熱ウイルス、メジナ虫、単包条虫、赤痢アメーバ、エンテロウイルス、ランブル鞭毛虫（Ｇｉａｒｄｉａ  ｄｕｏｄｅｎａｌｉｓａ）、ヘリコバクターピロリ、Ｂ型肝炎ウイルス、ヘルペスウイルス、ＨＩＶ−１、ＩｇＥ（アトピー性疾患）、インフルエンザウイルス、ドノバンリーシュマニア、レプトスピラ、麻疹／流行性耳下腺炎／風疹、らい菌、肺炎マイコプラズマ、ミオグロビン、回旋糸状虫、パラインフルエンザウイルス、熱帯熱マラリア原虫、ポリオウイルス、緑膿菌、呼吸系発疹ウイルス、リケッチア（ツツガムシ病）、マンソン住血吸虫、トキソプラズマ原虫、梅毒トレポネーマ（Ｔｒｅｐｅｎｏｍａ  ｐａｌｌｉｄｉｕｍ）、クルーズ／ランゲルトリパノソーマ、水疱性口炎ウイルス（ｖｅｓｉｃｕｌａｒ  ｓｔｏｍａｔｉｓ  ｖｉｒｕｓ）、バンクロフト糸状虫、黄熱病ウイルス）、特異的抗原（Ｂ型肝炎ウイルス、ＨＩＶ−１）、スクシニルアセトン、スルファドキシン、テオフィリン、チロトロピン（ＴＳＨ）、チロキシン（Ｔ４）、チロキシン結合グロブリン、微量元素、トランスフェリン、ＵＤＰ−ガラクトース−４−エピメラーゼ、尿素、ウロポルフィリノーゲンＩシンターゼ、ビタミンＡ、白血球、および亜鉛プロトポルフィリンを含む他の分析物も考えられるが、これらに限定されない。血液または間質液中で自然に発生する塩、糖、タンパク質、脂肪、ビタミン、およびホルモンもまた、ある特定の実施形態における分析物を構成し得る。分析物、例えば、代謝産物、ホルモン、抗原、抗体などは、体液中に自然に存在し得る。これに代えて、分析物、例えば、画像診断のための造影剤、放射性同位体、化学薬剤、フッ化炭素ベースの人工血液、または薬剤もしくは医薬組成物が体内に導入され得、インスリン、グルカゴン、エタノール、大麻（マリファナ、テトラヒドロカンナビノール、ハシシ）、吸入剤（亜酸化窒素、亜硝酸アミル、亜硝酸ブチル、クロロ炭化水素、炭化水素）、コカイン（クラックコカイン）、刺激剤（アンフェタミン、メタンフェタミン、Ｒｉｔａｌｉｎ、Ｃｙｌｅｒｔ、Ｐｒｅｌｕｄｉｎ、Ｄｉｄｒｅｘ、ＰｒｅＳｔａｔｅ、Ｖｏｒａｎｉｌ、Ｓａｎｄｒｅｘ、Ｐｌｅｇｉｎｅ）、抑制剤（バルビツール酸塩、メタカロン、精神安定剤、例えば、Ｖａｌｉｕｍ、Ｌｉｂｒｉｕｍ、Ｍｉｌｔｏｗｎ、Ｓｅｒａｘ、Ｅｑｕａｎｉｌ、Ｔｒａｎｘｅｎｅ）、幻覚剤（フェンシクリジン、リゼルギン酸、メスカリン、ペヨーテ、サイロシビン）、麻薬（ヘロイン、コデイン、モルヒネ、アヘン、メペリジン、Ｐｅｒｃｏｃｅｔ、Ｐｅｒｃｏｄａｎ、Ｔｕｓｓｉｏｎｅｘ、Ｆｅｎｔａｎｙｌ、Ｄａｒｖｏｎ、Ｔａｌｗｉｎ、Ｌｏｍｏｔｉｌ）、デザイナードラッグ（フェンタニル、メペリジン、アンフェタミン、メタンフェタミン、およびフェンシクリジンの類似体、例えば、Ｅｃｓｔａｓｙ）、アナボリックステロイド、ならびにニコチンが挙げられるが、これらに限定されない。薬物および薬学的組成物の代謝産物もまた、分析物として考えられる。例��ば、アスコルビン酸、尿酸、ドーパミン、ノルアドレナリン、３−メトキシチラミン（３ＭＴ）、３，４−ジヒドロキシフェニル酢酸（ＤＯＰＡＣ）、ホモバニリン酸（ＨＶＡ）、５−ヒドロキシトリプタミン（５ＨＴ）、および５−ヒドロキシインドール酢酸（ＦＨＩＡＡ）など、体内で生成される神経化学物質および他の化学物質などの分析物が分析され得る。
【０１７９】
Ｃ．分析物センサシステム
図１を参照して上記で示唆したように、実施形態において、分析物センサ１０は、例えば、皮下、経皮（例えば、経皮）、または血管内デバイスなどの連続グルコースセンサを含む。実施形態では、このようなセンサまたはデバイスは、複数の断続的な血液サンプルを分析することができる。分析物センサ１０は、例えば、酵素、化学、物理、電気化学、分光光度、偏光、熱量、イオン導入、放射、免疫化学などを含むグルコース測定を含む分析物測定の任意の方法を使用することができる。
【０１８０】
分析物センサ１０がグルコースセンサである実施形態では、分析物センサ１０は、侵襲性、低侵襲性、および非侵襲性の検知技術（例えば、蛍光監視）を含む任意の方法を使用して、ホスト内のグルコース濃度を示すデータストリームを提供することができる。データストリームは、通常、未処理のデータ信号であり、患者または介護人（例えば、親、親戚、保護者、教師、医師、看護師、またはホストの健康に関心のある任意の他の個人）などのユーザに、有用なグルコース値を提供するために使用できる較正および／またはフィルタリングされたデータストリームに変換され得る。
【０１８１】
グルコースセンサは、グルコースの濃度を測定することができる任意のデバイスであり得る。以下に記載する例示的な一実施形態によれば、埋め込み型グルコースセンサが使用され得る。ただし、ここに記載するデバイスおよび方法は、分析物、例えばグルコースの濃度を検出し、分析物、同じくグルコースの濃度を表す出力信号（例えば、分析物データの形式として）を提供することができる任意のデバイスに適用できることを理解されたい。
【０１８２】
実施形態において、分析物センサ１０は、米国特許第６，００１，０６７号および米国特許公開第ＵＳ２００５／００２７４６３−Ａ１を参照すると記載されているような埋め込み型グルコースセンサである。実施形態において、分析物センサ１０は、米国特許公開第ＵＳ２００６／００２０１８７−Ａ１を参照すると記載されているような経皮グルコースセンサである。実施形態において、分析物センサ１０は、米国特許公開第ＵＳ２００７／００２７３８５号−Ａ１、２００６年１０月４日に出願された同時係属中の米国特許公開第ＵＳ２００８／０１１９７０３号−Ａ１、２００７年３月２６日に出願された米国特許公開第ＵＳ２００８／０１０８９４２号−Ａ１、および２００７年２月１４日に出願された米国特許出願第ＵＳ２００７／０１９７８９０号−Ａ１に記載されているように、ホスト血管または体外に埋め込まれるように構成されている。実施形態では、連続グルコースセンサは、例えば、Ｓａｙ等の米国特許第６，５６５，５０９号に記載されているような経皮センサを含む。実施形態において、センサ１０は、例えば、Ｂｏｎｎｅｃａｚｅ等の米国特許第６，５７９，６９０号、またはＳａｙ等の米国特許第６，４８４，０４６号を参照すると記載されているような皮下センサを含む連続グルコースセンサである。実施形態において、連続グルコースセンサは、例えば、Ｃｏｌｖｉｎ等の米国特許第６，５１２，９３９号を参照すると記載されているような再充填可能な皮下センサを含む。連続グルコースセンサは、例えば、Ｓｃｈｕｌｍａｎ等の米国特許第６，４７７，３９５号を参照すると記載されているような血管内センサを含み得る。連続グルコースセンサは、例えば、Ｍａｓｔｒｏｔｏｔａｒｏ等に対する米国特許第６，４２４，８４７号を参照すると記載されているような血管内センサを含み得る。
【０１８３】
図３Ａおよび図３Ｂは、本開示の特定の態様による、分析物センサシステム８の実施形態の実装に関連して使用され得るエンクロージャ２００の斜視図および側面図を描いている。筐体２００は、特定の実施形態では、取り付けユニット２１４と、取り付けユニット２１４に取り付けられたセンサ電子モジュール１２と、を含む。筐体２００は、取り付けユニット２１４と、取り付けユニット２１４に嵌合係合したセンサ電子モジュール１２と、を含む機能的位置に示されている。実施形態では、ハウジングまたはセンサポッドとも呼ばれる取り付けユニット２１４は、ホストまたはユーザの皮膚に固定するように適合されたベース２３４を含む。ベース２３４は、多様な硬質または軟質材料から形成でき、使用中のホストからのデバイスの突出を最小限にするための薄型を含むことができる。実施形態において、ベース２３４は、少なくとも部分的に可撓性材料から形成されており、これは、残念なことに、ホストがデバイスを使用しているときにホストの動きに関連付けられた動き関連アーティファクトに悩まされる可能性がある他の経皮センサよりも多くの利点を提供し得る。取り付けユニット２１４および／またはセンサ電子モジュール１２は、センサ挿入部位の上に配置されて、部位を保護し、および／または最小限の設置面積（ホストの皮膚の表面積の利用）を提供することができる。
【０１８４】
実施形態では、取り付けユニット２１４とセンサ電子モジュール１２との間に取り外し可能な接続が提供され、これにより製造性の改善が可能になり得る、すなわち、分析物センサシステム８を改修または保守するときに、潜在的に比較的安価な取り付けユニット２１４を廃棄することができる一方、比較的高価なセンサ電子モジュール１２は、複数のセンサシステムで再利用できる。実施形態では、センサ電子モジュール１２は、例えば、センサ情報の較正および／または表示に有用な他のアルゴリズムをフィルタリング、較正、および／または実行するように構成された信号処理（プログラミング）で構成されている。ただし、一体型（取り外し不可）センサ電子モジュールも同様に構成できる。
【０１８５】
実施形態では、接点２３８は、取り付けユニット２１４のベース２３４と、接点サブアセンブリ２３６が取り付けユニット２１４に対する第１の位置（挿入用）と第２の位置（使用用）との間で枢動することを可能にするヒンジ２４８と、の内部に嵌まるように構成された、以後、接点サブアセンブリ２３６と呼ばれるサブアセンブリ上または内に取り付けられている。本明細書で使用される「ヒンジ」という用語は広義の用語であり、接着ヒンジ、スライディングジョイントなどの、多様な枢動、関節、および／またはヒンジ機構のうちの任意のものを指すために、包含的であって限定せずにその元の意味で使用され、ヒンジという用語は、関節が生じる支点または固定点を必ずしも意味しない。実施形態では、接点２３８は、センサ１０が貫通するカーボンブラックエラストマーなどの導電性エラストマー材料から、形成されている。
【０１８６】
図３Ａおよび図３Ｂをさらに参照すると、実施形態では、取り付けユニット２１４は、取り付けユニットの背面上に配設された接着パッド２０８を備え、剥離可能な裏当て層を含む。したがって、バッキング層を除去し、取り付けユニット２１４のベース２３４の一部を最後にホストの皮膚に押し付けると、取り付けユニット２１４がホストの皮膚に接着する。これに加えてまたはこれに代えて、センサの挿入が完了した後に分析物センサシステム８および／またはセンサ１０の一部またはすべての上に接着パッドを配置して、接着を確保し、任意選択により、創傷出口部位（またはセンサ挿入部位）（図示せず）の周囲の気密シールまたは防水シールを確保することができる。適切な接着パッドを選択および設計して、領域（例えば、ホストの皮膚）を伸張させ、伸ばし、適合させ、および／または通気することができる。図２Ａおよび２Ｂを参照して記載される特定の実施形態は、その全体が参照により本明細書に組み込まれる米国特許第７，３１０，５４４号を参照してより詳細に記載される。構成および配置は、本明細書に記載の取り付けユニット／センサ電子モジュールの実施形態に関連付けられた耐水性、防水性、および／または密閉特性を提供することができる。
【０１８７】
本明細書に記載の実施形態の態様と併せて使用するのに適した様々な方法および装置は、参照によりその全体が本明細書に組み込まれる米国特許公開第ＵＳ２００９／０２４０１２０号−Ａ１に開示されている。
【０１８８】
ここで図３Ｃを参照すると、分析物センサシステム３０８のより詳細な機能ブロック図（例えば、図２Ａ、２Ｂに関連して上述した）が提供されている。図３Ｃに示すように、分析物センサシステム３０８は、センサデータを処理および管理するためのセンサ測定回路５２５に結合された分析物センサ５３５（例えば、図１の符号１０でも指定され得る）を含み得る。センサ測定回路５２５は、プロセッサ／マイクロプロセッサ５３０（例えば、図１のアイテム１２の一部であり得る）に結合され得る。いくつかの実施形態では、プロセッサ５３０は、センサ５３５からのセンサ測定値を取得および処理するために、センサ測定回路５２５の機能の一部またはすべてを実行し得る。
【０１８９】
プロセッサ５３０は、センサおよび他のデータを送信し、表示デバイス３１０などの、外部デバイスから要求およびコマンドならびに他のシグナリングを受信するための無線ユニットまたは送受信機５１０（例えば、図１のアイテム１２の一部であり得る）にさらに結合されることが可能であり、外部デバイスは、センサデータ（または分析物データ）またはそこから派生したデータを、医薬品（例えば、インスリン）の投与および／またはユーザへの糖尿病管理ガイダンスにセンサデータまたは派生データを利用し得るユーザ、サーバシステム３３４、および／またはパートナデバイス３１５に表示し、または他の方法で提供するために使用され得る。本明細書で使用される際の「無線ユニット」および「送受信機」という用語は、交換可能に使用され得るとともに、一般に、無線でデータを伝送および受信することができるデバイスを指す。
【０１９０】
分析物センサシステム３０８は、センサデータおよび他のデータを記憶および追跡するための、記憶装置５１５（例えば、図１のアイテム１２の一部であり得る）およびリアルタイムクロック（ＲＴＣ）５４５（例えば、図１のアイテム１２の一部であり得る）をさらに含み得る。例えば、記憶装置５１５は、構成パラメータ５２０を記憶してもよい。一般に、構成パラメータ５２０は、分析物センサシステム３０８の動作に関連し、実施形態では、特に、パートナデバイス３１５および／または表示デバイス３１５に対する分析物センサシステム３０８の動作に関連する。実施形態において、構成パラメータ５２０は、糖尿病管理パートナインターフェース５５０を使用して、パートナデバイス３１５により（直接的または間接的に）アクセスされ得る。このようにして、構成パラメータ５２０は、パートナデバイス３１５のシステム要件６５０（図５Ｂを参照）に応じて設定および／または修正され得る。例えば、構成パラメータ５２０は、分析物センサシステム３０８、表示デバイス３１０、および／またはパートナデバイス３１５が、パートナデバイス３１５の１つ以上のシステム要件６５０が満たされるように動作するように修正され得る。
【０１９１】
上述のように、図３Ｃをさらに参照すると、分析物センサシステム３０８の実施形態は、糖尿病管理パートナインターフェース（ＤＭＰＩ）５５０を含む。糖尿病管理パートナインターフェース５５０は、分析物センサシステム３０８に接続されたパートナデバイス３１５が、分析物センサシステム３０８、表示デバイス３１０、および／またはパートナデバイス３１５の動作においてパートナデバイス３１５のシステム要件６５０を満たし得るように、構成パラメータ５２０を設定および／または構成／修正することを可能にし得る。ＤＭＰＩ５５０は、パートナデバイス３１５に、パートナデバイス３１５の構成のための構成パラメータ５２０へのアクセスを提供し得る。パートナデバイス３１５および／または表示デバイス３１０が異なる製造者によって提供され、異なる設計目標／制約を有する場合、ＤＭＰＩ５５０は、パートナデバイス３１５および／または表示デバイス３１０のそれぞれのシステム要件および／または設計制約に応じて分析物センサシステム３０８の構成パラメータ５２０にアクセス、設定、および／または修正し得る、柔軟なシステムを可能にする。この柔軟性により、このようなデバイスの統合および相互運用性が向上し、より使いやすく汎用性の高いエコシステムが実現し得る。ＤＭＰＩ５５０の追加の態様が、以下にさらに記載される。
【０１９２】
図３Ｃには明示的に示さないが、分析物センサシステム３０８の実施形態はまた、（パートナデバイス３１５と区別されるように）表示デバイス３１０専用のインターフェースを含む。このインターフェースは、表示デバイス３１０が分析物センサシステム３０８に接続し、分析物センサシステム３０８との通信を促進するために、その構成パラメータ５２０にアクセス、設定、および／または修正／構成することを可能にする無線インターフェースであってもよい。図１０Ａおよび図１０Ｂに関連してさらに議論するように、このインターフェースは、ＤＭＰＩ５５０の一部であるか、ＤＭＰＩ５５０内に実装されてもよく（例えば、ＤＭＰＩ７５０ａとして）、別個に実装されてもよい。実施形態において、ＤＭＰＩ５５０は、分析物センサシステム３０８に接続し得る表示デバイス３１０および／またはパートナデバイス３１５の特性の適合、ならびに例えばシステム２００（図２Ａを参照）のシステム全体の要件および動態の適合のために、再構成可能である。
【０１９３】
分析物センサシステム３０８のいくつかの構成要素は定期的に交換を必要とし得る。例えば、分析物センサシステム３０８は、センサ測定回路５２５を含むセンサ電子モジュールに取り付けられ得る埋め込み型センサ５３５を含み得る。加えて、分析物センサシステム３０８は、プロセッサ５３０、記憶装置５１５、および送受信機５１０、およびバッテリ（図示せず）を含み得る。センサ５３５は、定期的な交換を必要とし得る（７〜３０日ごとなど）。センサ電子モジュールは、バッテリが交換を必要とするまで、センサ５３５よりはるかに長い間（例えば、３〜６か月以上）電力供給されてアクティブになるように構成され得る。これらの構成要素の交換は困難な場合があり、訓練を受けた人員の支援を必要とする場合がある。このような構成要素、特にバッテリを交換する必要性を減らすことにより、ユーザを含む分析物センサシステム３０８の使用の利便性およびコストを大幅に改善することができる。実施形態では、センサ電子モジュールが初めて使用される（または、いくつかの場合において電池が交換されると再起動される）ときに、センサ電子モジュールはセンサ５３５に接続され、センサセッションが確立され得る。以下にさらに記載するように、モジュールが最初に使用または再起動されるとき（例えば、電池が交換された後）、表示デバイス３１０とセンサ電子モジュールとの間の通信を最初に確立する処理があり得る。表示デバイス３１０とセンサ電子モジュールとが通信を確立すると、例えばバッテリを交換する必要があるまで、表示デバイス３１０とセンサ電子モジュールとは、いくつかのセンサ５３５の寿命にわたって定期的および／または連続的に通信し得る。センサ５３５が交換されるたびに、新たなセンサセッションが確立され得る。新たなセンサセッションは、表示デバイス３１０を使用して完了する処理を通じて開始されてもよく、処理は、センサセッション間で持続し得るセンサ電子モジュールと表示デバイス３１０との間の通信を介した新たなセンサ５３５の通知によってトリガされ得る。
【０１９４】
例示的な実装形態の分析物センサシステム３０８は、センサ５３５を使用して分析物データを集取し、分析物データまたは分析物データの派生物を表示デバイス３１０、パートナデバイス３１５、および／またはサーバシステム３３４に伝送する。分析物値に関するデータポイントは、センサ５３５の寿命にわたって集取および伝送され得る。新たな測定値および／または関連情報は、リモートデバイス／個人が分析物（例えば、グルコース）レベルを適切に監視するのに十分な頻度で伝送され得る。
【０１９５】
分析物センサシステム３０８、パートナデバイス３１５、および／または表示デバイス３１０などによるデータの処理、集取、および交換の多くの詳細が本明細書のいずれか他の場所で提供されることを理解されたい。本開示を検討すると、分析物センサシステム３０８は、少なくとも本明細書のいくつかの実施形態について、図４および図５Ｂに関して記載されたいくつかの同様の構成要素を含み得ることが理解されるであろう。したがって、このような同様の構成要素の詳細および使用は、図３Ｃを参照して本明細書に明示的に記載されていなくても、分析物センサシステム３０８に対して理解され得る。
【０１９６】
Ｄ．表示デバイス
再び図１を例として参照して、システム１００で使用され得る表示デバイス１１０、１２０、１３０、および１４０の態様をここで記載する。本開示の実施形態では、センサ電子モジュール１２は、表示デバイスのリストから表示デバイスとの無線通信を探索および／または試行するように構成されている。概要および例として、通常の表示デバイス１１０、１２０、１３０、１４０は、表示デバイス１１０、１２０、１３０、１４０および／または分析物センサシステム８の認証、ならびに分析物データおよび制御シグナリングの交換の場合を含めて、分析物センサシステム８と無線で通信することができる。
【０１９７】
実施形態では、センサ電子モジュール１２は、例えば、所定のおよび／またはプログラム可能な順序（例えば、グレーディングおよび／またはエスカレーション）で表示デバイス１１０、１２０、１３０、１４０のリストとの無線通信を探索および／または試みるように構成されており、表示デバイス１１０、１２０、１３０、１４０のうちの第１の表示デバイスとの通信および／または警報の失敗した試行は、表示デバイス１１０、１２０、１３０、１４０などのうちの第２の表示デバイスとの通信および／または警報の試行をトリガする。例示的な実施形態では、センサ電子モジュール１２は、（１）デフォルト表示デバイス（例えば、表示デバイス１１０、１２０、１３０、１４０のうちの１つ）またはカスタム分析物監視デバイス（例えば、表示デバイス１１０）、（２）ホストおよび／またはケア提供者へのテキストメッセージ、ホストおよび／またはケア提供者への音声メッセージなどの、聴覚的、触覚的、および／または視覚的方法を介した携帯電話（例えば、表示デバイス１２０）、および／または９１１、（３）タブレット（例えば、表示デバイス１３０）、（４）スマートウォッチ（例えば、表示デバイス１４０）、などの表示デバイス１１０、１２０、１３０、１４０のリストを使用して、ホストまたはケア提供者を順次探索して警告しようとするように構成されている。もちろん、他のタイプの表示デバイスが本明細書に包含および／または記載され、アラームが追加的または代替的にパートナデバイス１３６および／またはサーバシステム３３４に送信されてもよい。
【０１９８】
実施形態に応じて、センサ電子モジュール１２からデータパッケージを受信する１つ以上の表示デバイス１１０、１２０、１３０、１４０は、「ダミーディスプレイ」となるように適合させることができ、追加の処理（例えば、センサ情報のリアルタイム表示に必要であり得る予測アルゴリズム処理）を伴わずに、センサ電子モジュール１２から受信された表示可能なセンサ情報を表示する。実施形態では、表示可能なセンサ情報は、表示可能なセンサ情報の表示前に表示デバイスによる処理を必要としない変換済みセンサデータを含む。いくつかの表示デバイス１１０、１２０、１３０、１４０は、該表示デバイス上での表示可能なセンサ情報の表示を可能にするように構成された表示命令を含むソフトウェア（表示可能なセンサ情報を表示し、任意選択によりセンサ電子モジュール１２に照会して表示可能センサ情報を取得するように構成された命令を含むソフトウェアプログラミング）を含み得る。実施形態において、表示デバイス１１０、１２０、１３０、１４０は、製造者において表示命令でプログラムされ、表示デバイス１１０、１２０、１３０、１４０の盗用および／または該表示デバイスの不正アクセスを回避するためにセキュリティおよび／または認証を含むことができる。実施形態において、表示デバイス１１０、１２０、１３０、１４０は、ダウンロード可能なプログラム（例えば、インターネットを介したダウンロード可能なＪａｖａスクリプト）を介して表示可能なセンサ情報を表示するように構成されており、したがって、プログラムのダウンロードをサポートする任意の表示デバイス１１０、１２０、１３０、１４０（例えば、Ｊａｖａアプレットをサポートする携帯電話、タブレット、ＰＤＡ、ＰＣなどの任意の表示デバイス１１０、１２０、１３０、１４０）は、表示可能なセンサ情報を表示するように構成できるようになっている。
【０１９９】
実施形態において、特定の表示デバイス１１０、１２０、１３０、１４０は、センサ電子モジュール１２と直接無線通信し得るが、中間ネットワークハードウェア、ファームウェア、および／またはソフトウェアを直接無線通信経路内に含めることができる。実施形態において、リピータ（例えば、Ｂｌｕｅｔｏｏｔｈリピータ）を使用して、伝送された表示可能なセンサ情報を、センサ電子モジュール１２のリモート測定モジュールの至近範囲よりも遠い場所に再送信することができ、リピータは、表示可能なセンサ情報の実質的な処理が行われないときに、直接無線通信を可能にする。実施形態において、受信機／送信機（例えば、Ｂｌｕｅｔｏｏｔｈ受信機／送信機）を使用して、伝送された表示可能なセンサ情報を、場合によってはテレビ画面へのテキストメッセージなどの異なるフォーマットで再送信することができ、受信機／送信機は、センサ情報の実質的な処理が行われないときに、直接無線通信を可能にする。実施形態において、センサ電子モジュール１２は、表示可能なセンサ情報を表示デバイス１１０、１２０、１３０、１４０のうちの１つまたは複数に無線で直接伝送し、センサ電子モジュール１２から伝送された表示可能なセンサ情報は、表示可能なセンサ情報の中間処理を伴わずに、表示デバイス１１０、１２０、１３０、１４０のうちの１つ以上によって受信されるようになっている。
【０２００】
実施形態において、１つ以上の表示デバイス１１０、１２０、１３０、１４０は、組み込み認証メカニズムを含み、センサ電子モジュール１２と表示デバイス１１０、１２０、１３０、１４０との間の通信には認証が必要とされ得る。実施形態では、センサ電子モジュール１２と表示デバイス１１０、１２０、１３０、１４０との間のデータ通信を認証するために、キー認証などのチャレンジ応答プロトコルが提供され、チャレンジは、キーまたはハッシュの要求、または、キーに基づくまたはキーから導出される他の値であり、有効な応答は、正しいキーまたはハッシュ、または、キーに基づくまたはキーから導出される他の値であり、これにより、センサ電子モジュール１２と表示デバイス１１０、１２０、１３０、１４０とのペアリングは、ユーザおよび／または製造者によりキーを介して達成できる。これは、いくつかの場合において、双方向認証と呼ばれ得る。キーは、ソフトウェアまたはハードウェアレベルのキーであり得る。加えて、キーはパスワード（例えば、ユーザまたは他のエンティティによってランダムに生成または設定されたもの）であってもよく、および／または一意に識別する特徴（例えば、指紋、顔、または網膜情報）または情報などから導出されてもよい。
【０２０１】
実施形態において、１つ以上の表示デバイス１１０、１２０、１３０、１４０は、表示可能なセンサ情報についてセンサ電子モジュール１２に問い合わせるように構成されており、表示デバイス１１０、１２０、１３０、１４０は、例えばクエリに応答してオンデマンドで、センサ電子モジュール１２（例えば、スレーブデバイス）からセンサ情報を要求するマスタデバイスとして機能する。いくつかの場合には、表示デバイス１１０、１２０、１３０、１４０がマスタとして機能し、かつセンサ電子モジュール１２がスレーブとして機能するが、他の場合には、これらの役割が逆であってもよい。例えば、役割は通信の性質などに応じて逆になり得る。
【０２０２】
実施形態において、センサ電子モジュール１２は、１つ以上の表示デバイス１１０、１２０、１３０、１４０へのセンサ情報の定期的、体系的、および／または規則的な伝送（例えば、１、２、５、もしくは１０分間隔、またはより長いもしくはより短い間隔）のために構成されている。実施形態において、センサ電子モジュール１２は、トリガされた警告（例えば、１つ以上の警告条件によりトリガされた）に関連付けられたデータパッケージを伝送するように構成されている。しかしながら、上述のデータ伝送のステータスの任意の組み合わせは、ペアリングされるセンサ電子モジュール１２と表示デバイス１１０、１２０、１３０、１４０との任意の組み合わせで実装できる。例えば、１つ以上の表示デバイス１１０、１２０、１３０、１４０は、センサ電子モジュール１２に（直接的または間接的に）照会し、満たされた１つ以上のアラーム条件によってトリガされるアラーム情報を受信するように構成できる。加えて、センサ電子モジュール１２は、１つ以上の表示デバイス１１０、１２０、１３０、１４０（以前の例に記載したのと同じまたは異なる表示デバイス）へのセンサ情報の定期的な伝送のために構成でき、それにより、システムは、センサ情報を取得する方法に関して異なるように機能する表示デバイス１１０、１２０、１３０、１４０を含むことができる。
【０２０３】
実施形態では、表示デバイス１１０、１２０、１３０、１４０は、センサ電子モジュール１２内のデータ記憶メモリ（例えば、図３Ｃを参照すると、記憶装置５１５）に、センサ電子モジュール１２のメモリまたは記憶装置内のデータベースへの直接的な照会、および／またはデータベースからのデータコンテンツの構成済みまたは構成可能パッケージの要求を含めて、特定のタイプのデータコンテンツについて照会するように構成されている、すなわち、センサ電子モジュール１２に記憶されているデータは、センサ電子モジュール１２が通信している表示デバイス１１０、１２０、１３０、１４０の特性および／または要求に基づいて、構成可能であり、照会可能であり、予め定められ、および／または事前パッケージ化され得る。追加または代替の実施形態では、センサ電子モジュール１２は、どの表示デバイス１１０、１２０、１３０、１４０が特定の伝送を受信することになっているかに関する、センサ電子モジュール１２に既知である情報に基づいて、表示可能なセンサ情報を生成する。加えて、いくつかの表示デバイス１１０、１２０、１３０、１４０は、較正情報の手動入力、較正情報の自動配信、および／または、表示デバイス１１０、１２０、１３０、１４０に組み込まれた一体型参照分析物モニタなどにより、較正情報を取得し、較正情報をセンサ電子モジュール１２に無線で伝送することが可能であってもよい。米国特許公開第２００６／０２２２５６６号、第２００７／０２０３９６６号、第２００７／０２０８２４５号、および第２００５／０１５４２７１号は、その全体が参照により本明細書に組み込まれており、表示デバイス（例えば、表示デバイス１１０、１２０、１３０、１４０）に組み込まれた一体型参照分析物モニタを提供するためのシステムおよび方法、および／または本明細書に開示された実施形態が実装され得る他の較正方法を記載している。実施形態では、いくつかの表示デバイス１１０、１２０、１３０、１４０は、較正情報をパートナデバイス（複数可）１３６に伝送することができる。
【０２０４】
一般に、複数の表示デバイス（例えば、場合によっては分析物表示デバイス１１０とも呼ばれるカスタム分析物モニタリングデバイス、携帯電話１２０、タブレット１３０、スマートウォッチ１４０、参照分析物モニタ、薬剤送達または薬剤装置、医療装置、およびパーソナルコンピュータなど）は、センサ電子モジュール１２と無線で通信するように構成され得る。複数の表示デバイス１１０、１２０、１３０、１４０は、センサ電子モジュール１２から無線で通信される表示可能なセンサ情報のうちの少なくともいくつかを表示するように構成され得る。表示可能なセンサ情報として、例えば、未処理データなどのセンサデータ、および／または、分析物濃度値、変化率情報、傾向情報、警告情報、センサ診断情報および／または較正情報などの変換されたセンサデータが挙げられ得る。実施形態において、表示デバイス１１０、１２０、１３０、１４０は、別のデバイス（例えば、パートナデバイス１３６および／またはサーバシステム１３４）を介して間接的に分析物センサシステム８から分析物データを受信し得る。実施形態において、表示デバイス１１０、１２０、１３０、１４０は、コマンドまたは他の制御／構成シグナリングを、別のデバイス（例えば、パートナデバイス１３６および／またはサーバシステム１３４）を介して間接的に分析物センサシステム８に送信し得る。また、表示デバイス１１０、１２０、１３０、１４０を使用して、分析物データに関連する警告、アラーム、および／または通知を（視覚的、可聴的、および／または触覚的に、のいずれかで）提供し得る。表示デバイス１１０、１２０、１３０、１４０で受信され得る追加の種類の情報は、バッテリ寿命または電力消費、他の診断、タイミングなどに関連する情報を含み得る。
【０２０５】
場合によっては、分析物センサシステム８と正常に通信し、かつ認証処理を正常に完了した表示デバイス１１０、１２０、１３０、１４０は、承認された表示デバイス１１０、１２０、１３０、１４０とみなすことができる。場合によっては、表示デバイス１１０、１２０、１３０、１４０は、表示デバイス１１０、１２０、１３０、１４０が読み取りおよび表示方式で分析物データにアクセスできる表示専用状態で構成され得る。この状態では、表示デバイス１１０、１２０、１３０、１４０は、通常、連続グルコース監視（ＣＧＭ）に関連するコマンドを分析物センサシステム８に送信しない。それでも、この状態で他のコマンドが送信され得る。例示的なＣＧＭコマンドとして、分析物センサシステム８を使用して分析物データを生成するＣＧＭセンサセッションを開始、停止、または較正するコマンドが挙げられる。非ＣＧＭコマンドの例として、ＣＧＭデータの計算に影響しないコマンドが挙げられる。このような非ＣＧＭコマンドは、例えば、アドバタイズメントパラメータを変更し、ホワイトリスト基準を修正し、読み取り専用モードで追加の表示デバイス１１０、１２０、１３０、１４０を追加するコマンドを含む。通常、表示専用状態で動作し得る表示デバイス１１０、１２０、１３０、１４０の例として、キーフォブなどの小型デバイスが挙げられ、この場合に、キーフォブは、分析物データおよびそれに関連する警告／アラーム／通知を表示する。しかし、状況によっては、本明細書に記載するように、表示デバイス１１０、１２０、１３０、１４０は、表示専用状態で動作し得る。
【０２０６】
場合によっては、表示デバイス１１０、１２０、１３０、１４０は、表示および制御状態で構成されてもよく、この場合に、読み取りおよび表示方式で分析物データにアクセスすることに加えて、表示デバイス１１０、１２０、１３０、１４０は、ＣＧＭに関連するコマンドおよび他のコマンドを送信することができる。この状態では、他のタイプのデータが読み取り可能／表示可能であってもよく、上述のように、表示デバイス１１０、１２０、１３０、１４０は、ＣＧＭコマンドに加えて様々なタイプのコマンドを分析物センサシステム１２に送信することができる。
【０２０７】
図４は、例えば、分析物センサシステム３０８および／またはパートナデバイス３１５に接続可能な表示デバイス３１０の実装に関連して使用され得る本開示の例示的な態様を示す。分析物センサシステム３０８、パートナデバイス３１５、および／または表示デバイス３１０などによるデータの処理、集取、および交換の多くの詳細が本明細書のいずれか他の場所で提供されることを理解されたい。本開示を検討すると、表示デバイス３１０は、少なくとも実施形態について、図３Ｃおよび／または図５Ｂに関して記載され得るいくつかの同様の構成要素を含み得ることが理解されよう。したがって、このような同様の構成要素の詳細および使用は、図４を参照して本明細書で明示的に記載されていなくても、表示デバイス３１０に対して理解され得る。
【０２０８】
図４に示すように、表示デバイス３１０は、通信媒体３０５を介して分析物センサシステム３０８および／またはパートナデバイス３１５と通信可能に結合するためのいくつかの構成要素を含み得る。表示デバイス３１０は、ユーザに警告するために、および／またはセンサ情報または分析物データ、制御シグナリング、および／または他の情報（例えば、パートナデバイス３１５および／または薬剤の送達に関連する）をユーザおよび／または分析物センサシステム３０８、別の表示デバイス３１０、および／またはパートナデバイス３１５に提供するために、使用され得る。表示デバイス３１０は、接続性インターフェース４０５（当該物は、送受信機３２０を含む）、記憶装置４１５（当該物は、分析物センサアプリケーション４２５ａ、パートナデバイスアプリケーション４２５ｂ、および／または追加のアプリケーションを記憶する）、センサおよび／または他のデータを処理および管理するプロセッサ／マイクロプロセッサ４３０、ユーザに情報を提供／提示し、および／またはユーザからの入力を受け取るために使用され得るユーザインターフェース４３５（例えば、マンマシンインターフェース、オーディオまたはビジュアルインターフェース（ディスプレイ、ＬＥＤ、スピーカ、マイクロホンなど）、触覚フィードバックなど）、リアルタイムクロック（ＲＴＣ）４４５、のうちの１つ以上を含み得る。バス（ここでは図示せず）を使用して、表示デバイス３１０の様々な要素を相互接続し、これらの要素間でデータを転送し得る。
【０２０９】
送受信機４１０は、センサおよび／または他のデータを受信するために、および分析物センサシステム３０８、パートナデバイス３１５、および／またはサーバシステム３３４との間で、要求、命令、他のシグナリング、および／またはデータを送信／受信するために、使用され得る。送受信機４１０は、前述の情報を送信および受信するための通信プロトコルを使用し得る。実施形態では、標準化された通信プロトコルが表示デバイス３１０との（間での）通信に使用されるときに、データエンコーディング、伝送周波数、ハンドシェイクプロトコルなどの管理などの、低レベルデータ通信機能を処理する処理回路を組み込んだ送受信機４１０で市販の送受信機回路が利用され得る。これらの実施形態では、プロセッサ４３０は、必ずしもこれらのアクティビティを管理する必要がなくてもよく、その分、伝送のための所望のデータ値を提供し、かつ電源投入または切断、メッセージが伝送されるレートの設定などの高レベル機能を管理することが可能である。これらの高レベル機能を実行するための命令およびデータ値は、記憶装置４１５に記憶され、送受信機４１０の製造者によって確立されたデータバスおよび転送プロトコルを介して送受信機回路に提供され得る。
【０２１０】
接続性インターフェース４０５を使用して、表示デバイス３１０を通信媒体３０５にインターフェース接続して、通信媒体３０５を介して表示デバイス３１０を分析物センサシステム３０８、別の表示デバイス３１０、および／またはパートナデバイス３１５に（直接的または間接的に）通信可能に結合し得る（例えば図２Ａを参照）。接続性インターフェース４０５の送受信機４１０は、異なる無線規格および／または周波数帯域で動作可能な複数の送受信機モジュールを含み得る。送受信機４１０は、分析物または薬剤送達データおよび／または関連するコマンドおよびメッセージを分析物センサシステム３０８との間で送受信するために、ならびにパートナデバイス３１５と無線通信するために使用され得る。加えて、接続性インターフェース４０５は、いくつかの場合において、ベースバンドおよび／またはイーサネットモデム、オーディオ／ビデオコーデックなどの、無線および／または有線接続を制御するための追加の構成要素を含み得る。
【０２１１】
記憶装置４１５は、表示デバイス３１０および／またはリモート送受信機と表示デバイス３１０との間の無線データ通信用に設計されたカスタム（例えば、独自仕様）アプリケーションのオペレーティングシステムを記憶するために使用され得る。記憶装置４１５は、単一のメモリデバイスまたは複数のメモリデバイスであり得、ソフトウェアプログラムおよびアプリケーションのためのデータおよび／または命令を記憶するための揮発性または不揮発性メモリであり得る。命令は、例えば、送受信機４１０、ユーザインターフェース４３５、アプリケーション４２５ａ、４２５ｂ、および／または、表示デバイス３１０の他の構成要素を、制御および管理するために、プロセッサ／マイクロプロセッサ４３０によって実行されてもよい。記憶装置４１５は、揮発性メモリ（例えば、ＲＡＭ）および／または不揮発性メモリ（例えば、フラッシュ記憶装置）を含み得、ＥＰＲＯＭ、ＥＥＰＲＯＭ、キャッシュのいずれかを含み得、および／またはそれらの組み合わせ／バリエーションを含み得る。様々な実施形態において、記憶装置４１５は、表示デバイス３１０によって収集されたユーザ入力データおよび／または他のデータ（例えば、分析物センサアプリケーション４２５ａおよび／またはパートナデバイスアプリケーション４２５ｂを介して集取された他のユーザからの入力、および／または、薬剤送達データおよび関連情報を含む、パートナデバイス３１５に関連する情報）を記憶し得る。記憶装置４１５はまた、例えば傾向の決定および／または警告のトリガのために、後の検索および使用のために、分析物センサシステム３０８から受信された分析物関連データのボリューム、および／またはパートナデバイス３１５から受信された薬剤関連データのボリュームを記憶するために使用され得る。加えて、記憶装置４１５は、例えば、プロセッサ４３０を使用して実行されると、入力を受け取る（例えば、従来のハード／ソフトキーまたはタッチスクリーン、音声検出、または他の入力メカニズムまたはユーザインターフェース４３５によって）分析物センサアプリケーション４２５ａおよび／またはパートナデバイスアプリケーション４２５ｂを記憶することができ、ユーザが、例えばＧＵＩを介して、分析物関連データおよび関連コンテンツ、および／または薬剤関連データおよび関連コンテンツ、および／または他の情報（例えば、システム構成に関連する）と対話できるようにする。
【０２１２】
実施形態では、ユーザは、表示デバイス３１０のユーザインターフェース４３５のディスプレイによって提供され得るＧＵＩを介して、分析物センサアプリケーション４２５ａおよび／またはパートナデバイスアプリケーション４２５ｂと対話し得る。表示デバイス３１０のＧＵＩは、例えば、ユーザ入力を受け入れる、および、メニューおよび分析物データまたは薬剤データから導出された情報を表示するなどの機能を実行し得る。ＧＵＩは、例えば、ｉＯＳ、Ａｎｄｒｏｉｄ、Ｗｉｎｄｏｗｓ  Ｍｏｂｉｌｅ、Ｗｉｎｄｏｗｓ、Ｍａｃ  ＯＳ、Ｃｈｒｏｍｅ  ＯＳ、Ｌｉｎｕｘ(登録商標)、Ｕｎｉｘ、ゲームプラットフォームＯＳ（例えば、Ｘｂｏｘ、ＰｌａｙＳｔａｔｉｏｎ、Ｗｉｉ）などの、当該分野で知られた様々なオペレーティングシステムによって提供されてもよい。例として、ディスプレイは、入力として様々なハンドジェスチャを受け入れるタッチスクリーンディスプレイであってもよい。
【０２１３】
実施形態において、アプリケーション４２５ａは、本明細書に記載の様々な動作に従って、表示デバイス３１０によって受信された分析物関連データを処理および／または提示し、ユーザインターフェース４３５のディスプレイを介してこのようなデータを提示し得る。加えて、本明細書でさらに詳細に記載するように、アプリケーション４２５ａを使用して、分析物データ、ならびに分析物センサシステム３０８に関連する関連メッセージングおよび処理を取得、アクセス、表示、制御、および／またはインターフェース接続し得る。
【０２１４】
アプリケーション４２５ａは、表示デバイス３１０上にダウンロード、インストール、および初期設定／セットアップされ得る。例えば、表示デバイス３１０は、サーバシステム３３４から、またはアプリケーションストアなどの通信媒体３０５を介してアクセスされる別のソースからアプリケーション４２５ａを取得し得る。インストールおよびセットアップに続いて、アプリケーション４２５ａを使用して、分析物データにアクセスおよび／またはインターフェース接続することができる（例えば、サーバシステム３３４上に、記憶装置４１５からローカルに、または分析物センサシステム３０８から記憶されるかどうかにかかわらず）。例として、アプリケーション４２５ａは、分析物センサシステム３０８および１つ以上の表示デバイス３１０の動作に関連して実行され得る様々な制御またはコマンドを含むメニューを提示し得る。アプリケーション４２５ａはまた、本明細書で説明するように、例えば、他の表示デバイス３１０および／またはパートナデバイス３１５に分析物データを直接受信／送信することによること、および／または分析物センサシステム３０８および接続される他の表示デバイス３１０および／またはパートナデバイス３１５などに対する指示を送信することによることを含めて、分析物関連データを配信または利用可能にするために、他の表示デバイス３１０および／またはパートナデバイス３１５とインターフェースまたは制御するために使用され得る。加えて、いくつかの実装形態におけるアプリケーション４２５ａは、例えば関連データを検索または供給するために、表示デバイス３１０によってサポートされる１つ以上の追加のアプリケーションと対話してもよい。このようなアプリケーションとして、例として、フィットネス／ライフスタイル監視アプリケーション、ソーシャルメディアアプリケーションなどが挙げられ得る。このようなアプリケーションとしてまた、パートナデバイスアプリケーション４２５ｂを含むパートナデバイス３１５に関連付けられたアプリケーションを挙げることができ、これについては以下で詳細に説明する。
【０２１５】
分析物センサアプリケーション４２５ａは、（例えば、開示された方法に関連する）本明細書の様々な機能性の説明に照らして明らかになるように、例えば表示モジュール、メニューモジュール、リストモジュールなどの様々なコード／機能モジュールを含み得る。これらのモジュールは、個別にまたは組み合わせて実装され得る。各モジュールは、コンピュータ実行可能コードが記憶される（非一過性）コンピュータ可読媒体を含むことができ、それにより、コードがプロセッサ４３０に動作可能に結合され、および／またはプロセッサ４３０によって実行されて（例えば、このような実行のための回路を含むことができる）、分析物関連データとのインターフェースおよびそれに関連するタスクの実行に関する特定の機能（例えば、様々な動作およびフローチャートなどに関して本明細書に記載するような）を実行し、および他のアプリケーション／デバイスとインターフェース接続し得る。
【０２１６】
以下にさらに記載するように、表示モジュールは、アプリケーション４２５ａによって提供される情報のグラフィカル表現を含む画面により、様々な画面を（例えば、ユーザインターフェース４３５のディスプレイを介して）ユーザに提示し得る。さらなる実施形態では、アプリケーション４２５ａを使用して、分析物センサシステム３０８、および分析物センサシステム３０８自体と、および／またはパートナデバイス３１５と接続可能であり得る様々な表示デバイス３１０を閲覧し、および表示デバイス３１０と対話する環境をユーザに表示し得る。センサアプリケーション４２５ａは、本明細書に記載の機能性／特徴を実行するために、ソフトウェア設計キット（例えば、オペレーティングシステムに応じて）で修正されたネイティブアプリケーションを含み得る。
【０２１７】
図４をさらに参照すると、パートナデバイスアプリケーション４２５ｂがまた、記憶装置４１５に含まれ得、例えば、プロセッサ４３０を使用して実行されると、アプリケーション４２５ｂは、入力を受け入れることができ（例えば、従来のハード／ソフトキーまたはタッチ画面、音声検出、または他の入力メカニズムまたはユーザインターフェース４３５による）、ユーザが医薬品関連データおよび関連コンテンツと、例えばユーザインターフェース４３５のＧＵＩを介して対話できるようにすることができる。アプリケーション４２５ｂは、本明細書に記載の様々な動作に従って、表示デバイス３１０によって受信または表示デバイス３１０から送信される薬剤関連の、および他のパートナデバイスまたはシステムのデータを処理および／または提示し、このようなデータをユーザインターフェース４３５のディスプレイを介して提示し得る。加えて、本明細書にさらに詳細に記載するように、アプリケーション４２５ｂを使用して、薬剤、分析物、および／または他のデータ、および、パートナデバイス３１５、表示デバイス３１０、および／またはサーバシステム３３４に関連付けられた関連のメッセージングおよび処理を、取得、アクセス、表示、制御、および／またはインターフェース接続することができる。
【０２１８】
実施形態では、アプリケーション４２５ｂは、表示デバイス３１０上にダウンロード、インストール、および初期設定／セットアップされ得る。例えば、表示デバイス３１０は、サーバシステム３３４からアプリケーション４２５ｂを取得してもよく、この場合に、アプリケーション４２５ｂが、いくつかの場合においてパートナデバイス３１５の製造者によって、またはアプリケーションストアなどの通信媒体３０５を介してアクセスされる別のソースから、提供されてもよい。インストールおよびセットアップに続いて、アプリケーション４２５ｂを使用して、薬剤関連データを含むパートナデバイス３１５にアクセスし、および／またはパートナデバイス３１５とインターデース接続し得る（例えば、サーバシステム３３４上に、記憶装置４１５からローカルに、またはパートナデバイス３１５および／または分析物センサシステム３０８から記憶されるかどうかにかかわらず）。例として、アプリケーション４２５ｂは、ユーザインターフェース４３５に、パートナデバイス３１５、分析物センサシステム３０８、および／または１つ以上の表示デバイス３１０の動作に関連して実行され得る様々な制御またはコマンドを含むメニューを提示することを行わせてもよい。
【０２１９】
アプリケーション４２５ｂは、本明細書に記載するように、他の表示デバイス３１０に対する、および／または本明細書に記載のシステム／エコシステムにおけるパートナデバイス３１５の動作に対するパートナデバイス３１５に対するインターフェース接続または制御を行って、例えば、例えばパートナデバイス３１５および／または分析物センサシステム３０８から薬剤関連データを受信することによること、および／または、特定の様式で接続される、または動作させる分析物センサシステム３０８および／またはパートナデバイス３１５に対する指示を送信することによることなどを含めて、薬剤関連データを受信／配信し、または利用可能にしてもよい。加えて、いくつかの実装形態におけるアプリケーション４２５ｂは、例えば関連データを検索または供給するために、表示デバイス３１０によってサポートされる１つ以上の追加のアプリケーションと対話してもよい。このようなアプリケーションとして、例として、フィットネス／ライフスタイル監視アプリケーション、ソーシャルメディアアプリケーションなどが挙げられ得る。このようなアプリケーションとしてまた、分析物センサアプリケーション４２５ａを含む分析物センサシステム３０８および／または表示デバイス３１０に関連するアプリケーションが挙げられ得る。例として、分析物センサアプリケーション４２５ａとパートナデバイスアプリケーション４２５ｂとの間の通信は、分析物センサシステム３０８および／またはパートナデバイス３１５から発信された警告情報の共有および協調を促進し得る。
【０２２０】
分析物センサアプリケーション４２５ｂは、（例えば、開示された方法に関連する）本明細書の様々な機能性の説明に照らして明らかになるように、例えば表示モジュール、メニューモジュール、リストモジュールなどの様々なコード／機能モジュールを含み得る。これらのモジュールは、個別にまたは組み合わせて実装され得る。各モジュールは、コンピュータ実行可能コードが記憶される（非一過性）コンピュータ可読媒体を含むことができ、それにより、コードがプロセッサ４３０に動作可能に結合され、および／またはプロセッサ４３０によって実行されて、パートナデバイス３１５、表示デバイス３１０、サーバシステム３３４、および／または、薬剤関連または分析物関連のデータとのインターフェース接続、および／またはそれに関連するタスクの実行に関する特定の機能を実行し、および他のアプリケーション／デバイスとインターフェース接続し得る。
【０２２１】
以下にさらに記載するように、表示モジュールは、アプリケーション４２５ｂによって提供される情報のグラフィカル表現を含む画面により、様々な画面を（例えば、ユーザインターフェース４３５のディスプレイを介して）ユーザに提示し得る。さらなる実施形態では、アプリケーション４２５ｂを使用して、分析物センサシステム３０８および／または表示デバイス３１０と接続可能であり得る様々なパートナデバイス３１５を閲覧し、およびパートナデバイス３１５と対話する環境をユーザに表示し得る。センサアプリケーション４２５ｂは、本明細書に記載の機能性／特徴を実行するために、ソフトウェア設計キット（例えば、オペレーティングシステムに応じて）で修正されたネイティブアプリケーションを含み得る。このようなソフトウェア設計キットは、パートナデバイス３１５の製造者または他のエンティティによって提供され得る。
【０２２２】
図４に示すように、表示デバイス３１０の記憶装置４１５はまた、構成パラメータ４２０を含み得る。実施形態において、構成パラメータ４２０は、表示デバイス３１０、分析物センサシステム３０８、および／またはパートナデバイス３１５の間／相互間の無線通信の態様を管理する。構成パラメータ４２０については、例えば図５Ｂ、図８、図９Ａ〜図９Ｓ、図１０Ａ、および図１０Ｂなどを参照して、以下にさらに詳細に記載する。システム要件４５０がまた、記憶装置４１５に記憶され得る。システム要件４５０は、パートナデバイス３１５に関係する場合があり、例として、図５Ｂ、図８、図９Ａ〜図９Ｓ、図１０Ａ、および図１０Ｂを参照してさらに詳細に記載される。
【０２２３】
再び図４を参照すると、上述のように、表示デバイス３１０はまた、プロセッサ／マイクロコントローラ４３０を含む。プロセッサ４３０は、一例として、表示デバイス３１０の他の要素（例えば、接続性インターフェース４０５、アプリケーション４２５ａ、４２５ｂ、ユーザインターフェース４３５、およびそれらの構成要素、ＲＴＣ４４５など）とインターフェース接続し、および／または他の要素を制御するアプリケーションプロセッサを含むプロセッササブモジュールを含み得る。プロセッサ４３０は、例えば、利用可能なまたは以前にペアリングされたデバイスのリスト、分析物および薬剤を含む測定値に関連する情報、ネットワーク条件に関連する情報（例えば、リンク品質など）、分析物センサシステム３０８、表示デバイス３１０、および／またはパートナデバイス３１５の相互間で交換されるメッセージングのタイミング、タイプ、および／または構造に関連する情報、様々なシステムの診断に関連する情報、分析物センサシステム３０８、表示デバイス３１０、および／またはパートナデバイス３１５の電源管理に関連する情報などといった、デバイス管理に関連する様々な制御（例えば、仮想ボタン／入力およびスイッチなどとのインターフェース接続）を提供するコントローラおよび／またはマイクロコントローラを含み得る。加えて、コントローラは、例えばユーザの指紋（例えば、ユーザのデータへのアクセスを許可したり、分析物データを含むデータの承認／暗号化に使用する）または他の識別情報などのユーザ入力、ならびに分析物データおよび／または薬剤送達データおよび／または関連情報の集取に関連する、様々な制御を含んでもよい。
【０２２４】
プロセッサ４３０は、論理回路、メモリ、バッテリおよび電源関連管理回路、などの回路と、周辺構成要素ならびに表示デバイス３１０のオーディオ／ビデオおよび他の構成要素のための他の回路ドライバと、を含み得る。表示デバイス３１０は、図４に詳細に示されていない他の周辺構成要素を含んでもよく、プロセッサ４３０は、このような周辺構成要素を駆動するように適合されてもよい。プロセッサ４３０およびその任意のサブプロセッサは、表示デバイス３１０に受信および／または入力されたデータと、表示デバイス３１０によって伝送または配信されるデータを受信、処理、および／または記憶するための論理回路を含み得る。プロセッサ４３０は、（例えば、バスによって）ユーザインターフェース４３５、ならびに接続性インターフェース４０５および記憶装置４１５（アプリケーション４２５ａ、４２５ｂを含む）に結合され得る。よって、プロセッサ４３０は、これらの各要素によって生成された電気信号を受信および処理し、したがって様々な機能を実行し得る。例として、プロセッサ４３０は、アプリケーション４２５ａおよび／または４２５ｂの指示で記憶装置４１５中の記憶されたコンテンツにアクセスしユーザインターフェース４３５のディスプレイまたは他の機構による表示および／または出力のために記憶されたコンテンツを処理してもよい。加えて、プロセッサ４３０は、接続性インターフェース４０５および通信媒体３０５を介して他の表示デバイス３１０、分析物センサシステム３０８、サーバシステム３３４、および／またはパートナデバイス３１５に伝送するために、記憶されたコンテンツを処理してもよい。
【０２２５】
実施形態において、プロセッサ４３０は、一定期間にわたって、ユーザインターフェース４３５を介してユーザにより入力されたデータ、または、分析物センサシステム３０８から受信されたデータ（例えば、分析物センサデータおよび関連メッセージング）および／またはパートナデバイス３１５から受信されたデータ（例えば、薬剤送達データおよび関連データ／メッセージング）を、さらに取得、検出、計算、および／または記憶し得る。プロセッサ４３０は、この入力を使用して、分析物、薬剤、またはデータ、および他の要因（例えば、時刻、場所など）に対するユーザの身体的および／または精神的反応を測り得る。様々な実施形態において、ユーザの応答または他の要因は、本明細書でさらに詳細に説明するように、特定の条件下での特定の表示デバイス３１０および／またはパートナデバイス３１５の使用、特定の条件下での好ましい投与量、および／または様々な条件下での特定の接続／伝送スキームの使用に関する推奨を示し得る。
【０２２６】
Ｅ．パートナデバイス
再び図１を参照すると、本開示の実施形態では、上述のセンサ電子モジュール１２は、パートナデバイス１３６との無線通信を探索および／または試行するように構成されている。概要および例として、典型的なパートナデバイス１３６は、パートナデバイス１３６および／または分析物センサシステム８の認証、ならびに分析物データ、薬剤データ、他のデータ、および／または制御シグナリングの交換の場合を含めて、分析物センサシステム８と無線で通信することができる。パートナデバイス１３６は、本開示の例示的な実施形態では受動デバイスを含み得る。
【０２２７】
図５Ａは、示されているように、インスリンをユーザに投与するためのインスリンポンプであり得るパートナデバイス１３６の一例を示す。様々な理由で、このようなインスリンポンプは、分析物センサシステム８から伝送されたグルコース値を受信および追跡することが望ましい場合がある（例えば図１を参照）。このことの１つの理由は、グルコース値が閾値を下回る／上回ることに基づいてインスリン投与を一時停止／アクティブ化する機能をインスリンポンプに提供することである。受動デバイス（例えば、パートナデバイス１３６）が分析物センサシステム８に結合せずに分析物データ（例えば、グルコース値）を受信できるようにする例示的な一解決策は、分析物センサシステム８から伝送されるアドバタイズメントメッセージに分析物データを含めることである（図７Ｃを参照して例として説明したように）。アドバタイズメントメッセージに含まれるデータは、分析物センサシステム８に関連付けられた識別情報を有するデバイスのみが分析物データをデコードできるようにエンコードされ得る。
【０２２８】
パートナデバイス１３６は、例えばグルコースおよび他の値を表示することができ、ボタン、無線接続、または様々なユーザインターフェース機構を含む他のメカニズムを介して入力を受信され得る入出力部１３６ａを含み得る。パートナデバイス１３６はまた、例えば、入出力部１３６ａで受信した入力に応答してインスリンを投与するために、ユーザとインターフェースする接続部１３６ｂを含むことができる。いくつかの場合において、接続部１３６ｂは、例えば、入出力部１３６ａで受信された入力および／または計算された値に基づいて、感覚警告または他の通知をユーザに提供し得る。インスリンポンプは、パートナデバイス１３６の多くの追加または代替構成で実装できることを理解されたい。
【０２２９】
より一般的には、パートナデバイス１３６は、患者の治療および／またはガイダンスのために分析物センサシステム８から受信された分析物データを使用するように構成された医療および他のデバイスを含み得る。パートナデバイス１３６は、一般に、薬剤送達デバイスを含むことができ、この場合に、患者への薬剤の送達は、要因の中でも特に、分析物センサシステム８から受信された分析物データの特性が条件とされる。パートナデバイス１３６の一例は、インスリンポンプである。パートナデバイス１３６の別の例は、インスリンペンである。パートナデバイス１３６は、本明細書により詳細に記載するように（例えば、図５Ｂを参照して）、パートナデバイス１３６のメモリまたは記憶装置に記憶されたコードまたは命令を使用して薬剤送達アプリケーションを実行するように適合され得る。
【０２３０】
例えば、患者に薬剤を自動的に送達するインスリンポンプなどのパートナデバイス１３６は、パートナデバイス１３６が薬剤送達に関する決定を行うために使用される分析物データを受信する無線接続／リンクの品質および／または性質に、およびパートナデバイス１３６が使用されるエコシステムの構成に、要件を課してもよい。追加のタイプのパートナデバイス１３６は、同様に、または他の要件を課す場合がある。例えば、いくつかのパートナデバイス１３６は、例えばインスリン送達のためにポンプに依存しているユーザまたは患者がインスリン投与量を逸しないように、より専用の堅牢な接続を必要とする場合がある。このような例では、インスリンポンプが分析物データを受信する接続は比較的安全で信頼できるものであるべきであり、他のデバイス（例えば、表示デバイス１１０、１２０、１３０、１４０）からの干渉を低減すべきである。別の例として、パートナデバイス１３６は、バッテリ寿命、ＣＧＭデータの計算に関する精度などに関して、特定の制約を有し得る。パートナデバイス１３６は、本明細書に記載するように（例えば、図５Ｂを参照）、ＣＧＭコマンドおよび他のタイプのコマンドを分析物センサシステム８に送信し、また、パートナデバイス１３６のシステム要件６５０に応じて分析物センサシステム８の動作モードを制御することが可能であり得る。
【０２３１】
パートナデバイス１３６がインスリンポンプである例示的な実装形態では、分析物センサシステム８から分析物データを受信中である、および自動インスリン送達に従事中であるインスリンポンプは、例えば、他の表示デバイス１１０、１２０、１３０、１４０が分析物センサシステム８にＣＧＭ制御コマンドを送信しないように、求め得る。このようなＣＧＭ制御コマンドは、ＣＧＭデータの計算に使用されるアルゴリズムに影響を与え、その結果、インスリンポンプによって送達されるインスリンの量に影響を与える可能性があり、そのことは望ましくない／予想外である場合がある。送達されるインスリンの量の制御を維持するために、インスリンポンプが、表示デバイス１１０、１２０、１３０、１４０がこのようなＣＧＭ制御コマンドを送信しないようにし得ることが望ましい場合がある。このことは、本明細書に記載の様々な技術を使用して行われ得る。
【０２３２】
他のタイプのパートナデバイス１３６、例えば、インスリンペン、スマート冷蔵庫、スマートミラー、車両、および任意の他の接続されたデバイスは、異なるまたは同様の要件を課す可能性があり、および／または無線通信および他の性能面に対するより緩和された要件を有し得る。インスリンペンなどの注射デバイスは、分析物センサシステム８から分析物データを受信し、分析物データを使用して、ユーザに、ユーザは薬剤を投与（例えば、インスリンを注射）すべき（またはすべきでない）という指示またはガイダンス（例えば、グラフィカル、可聴、触覚など）を提供することができ、また、投与量または注射のタイミングの提案を含むことができる。すなわち、パートナデバイス１３６のインスリンポンプの実装形態とは異なり、インスリンペンはユーザの行動／介入に依存し得る。パートナデバイス１３６のスマート冷蔵庫の実装形態は、分析物センサシステム８に接続し、分析物データおよびにユーザの食物／飲料消費を監視し、食物／飲料消費に関連するユーザが予想するまたは結果の血糖レベルに関するフィードバックをユーザに提供し得る。パートナデバイス１３６のスマートミラーの実装形態は、分析物センサシステム８および／または表示デバイス１１０、１２０、１３０、１４０に接続し、糖尿病管理および他の種類のヘルスケア提案のために、分析物情報および／または他のガイダンスキューのヘッドアップディスプレイでユーザに提供し得る。
【０２３３】
理解されるように、多くの異なるタイプのパートナデバイス１３６が考えられるように、分析物センサシステム８および／または表示デバイス１１０、１２０、１３０、１４０との動作のためにパートナデバイス１３６を提供し得る非常に多数の製造者がまた存在する。広範なデバイスタイプおよび製造者などにわたって、相互運用性、予測可能性、拡張された使用を維持および促進できるように、様々なデバイスの相互作用および性能を制御および／または最適化できるように、システムに柔軟性および適応性の必要性が存在する。
【０２３４】
ここで図５Ｂに移ると、パートナデバイス３１５のより詳細な例示的な機能ブロック図が提供されている。本開示を検討すると、少なくとも、いくつかの実施形態について、パートナデバイス３１５に関して、いくつかの同様の構成要素が、図４および５ならびに表示デバイス３１０および分析物センサシステム３０８に関して記載され、このような同様の構成要素の適用可能性の詳細および使用は、たとえ図５Ｂを参照して明示的に記載されていなくても、パートナデバイス３１５に対して理解されることが明らかであろう。
【０２３５】
図５Ｂに示すように、パートナデバイス３１５の実施形態は、分析物センサシステム３０８を使用して生成され、かつ通信媒体３０５を介してパートナデバイス３１５で受信された分析物データに基づくなど、薬剤（例えば、インスリン）をユーザに送達するために使用され得る薬剤送達機構６４０を含み得る。例えば、パートナデバイス３１５がインスリンポンプである場合、薬剤送達機構６４０は、実施形態において、パートナデバイス３１５の内部または外部のカニューレまたは他のタイプのリザーバからインスリンを送達することができる輸液セットを含み得る。または、例えば、パートナデバイス３１５がインスリンペンである場合、薬剤送達機構６４０は、インスリンをユーザに注射するために使用され得る針を含み得る。
【０２３６】
パートナデバイス３１５はまた、表示デバイス３１０および／または分析物センサシステム３０８および／または別のパートナデバイス３１５などの、外部デバイスとの間でセンサデータおよび要求およびコマンドおよび他の信号を送受信するための無線ユニットまたは送受信機６１０に結合され得るプロセッサ／マイクロコントローラ６３０を含み得る。送受信機６１０は、パートナデバイス３１５内の接続性インターフェース６０５の一部であってもよく、投与量、ボーラス情報、警告／アラーム／通知などを含む薬剤関連情報を分析物センサシステム３０８、表示デバイス３１０、他のパートナデバイス３１５、および／またはサーバシステム３３４（図２Ａを参照）に送信するために使用されてもよい。
【０２３７】
パートナデバイス３１５は、薬剤送達データ、センサデータ、および／または他の情報（例えば、コマンド／制御シグナリング、リンク特性、ユーザ入力など）を記憶および追跡するための記憶装置６１５およびリアルタイムクロック（ＲＴＣ）６４５をさらに含み得る。記憶装置６１５は、情報／アイテムの中でも特に、薬剤送達アプリケーション６２５および／または他のアプリケーション、および／またはシステム要件６５０を記憶し得る。パートナデバイス３１５のシステム要件６５０は、パートナデバイス３１５の動作および／または性能に関する安全性、規制、ユーザエクスペリエンス、消費電力、信頼性、および／または精度要件、および、いくつかの場合では、パートナデバイス３１５が使用されるエコシステムに適用される他の要件、に対処するために課せられ得る。
【０２３８】
薬剤送達アプリケーション６２５は、本明細書に記載の様々な動作に従って、分析物、薬剤、および／または、パートナデバイス３１５によって受信または送信される他のデータ（例えば、分析物センサシステム３０８、表示デバイス３１０、別のパートナデバイス３１５、および／またはサーバシステム３３４から受信される）を、処理および／または提示することができ、ユーザインターフェース６３５を介してこのようないくつかのデータの態様を提示することができる。加えて、アプリケーション６２５をユーザインターフェース６３５と合わせて使用して、薬剤、分析物、および／または他のデータおよび関連するメッセージングおよびパートナデバイス３１５、表示デバイス３１０、分析物センサシステム３０８、および／またはサーバシステム３３４に関連付けられた処理を取得、アクセス、表示、制御、および／またはインターフェース接続してもよい。例えば、ユーザインターフェース６３５は、ユーザがパートナデバイス３１５にユーザまたは他の情報を入力して、ユーザへの薬剤の投与を支援し、ユーザを認証することを可能にし得る（例えば、指紋、顔、声、またはセキュリティコードなどにより）、および／またはパートナデバイス３１５（例えば、計画的使用または不使用、モード制御など）、および／または分析物センサシステム３０８（例えば、センサ交換、予想動作時間など））、および／または表示デバイス３１０（例えば、パートナデバイス３１５からのデータへのアクセスに対する許可）、の動作に関するユーザ選好または計画を入力する。また、アプリケーション６２５は、パートナデバイス３１５上で実行されてもよいが、パートナデバイス３１５上でユーザに見えなくてもよいことが理解されるであろう。例えば、アプリケーション６２５は、パートナデバイス３１５の動作を制御するための命令を実行するために使用されてもよいが、アプリケーション６２５とのユーザのインターフェース接続は、表示デバイス３１０を介して行われてもよい（または、すべてではなく、いくつかの場合において）。
【０２３９】
アプリケーション６２５は、表示デバイス３１５上にダウンロード、インストール、および初期設定／セットアップされ得る。例えば、パートナデバイス３１５は、サーバシステム３３４からアプリケーション６２５を取得してもよく、この場合に、アプリケーション６２５が、いくつかの場合においてパートナデバイス３１５の製造者によって、またはアプリケーションストアなどの通信媒体３０５を介してアクセスされる別のソースから、提供されてもよい。インストールおよびセットアップに続いて、アプリケーション６２５を使用して、薬剤関連データを含むパートナデバイス３１５にアクセスし、および／またはパートナデバイス３１５とインターデース接続し得る（例えば、サーバシステム３３４上に、記憶装置６１５からローカルに、または表示デバイス３１０および／または分析物センサシステム３０８から記憶されるかどうかにかかわらず）。例示として、アプリケーション６２５を使用して、パートナデバイス３１５、分析物センサシステム３０８、および／または１つ以上の表示デバイス３１０の動作に関連して実行され得る様々な制御またはコマンドを含むメニュー（表示デバイス３１０、分析物センサシステム３０８、および／またはパートナデバイス３１５上であるかどうかにかかわらず）を提示してもよい。
【０２４０】
アプリケーション６２５はまた、本明細書に記載するように（例えば、図８および図９Ａ〜９Ｓを参照）、表示デバイス３１０に対する、および／または本明細書に記載のシステム／エコシステムにおけるパートナデバイス３１５の動作に対する他のパートナデバイス３１５に対するインターフェース接続または制御を行って、例えば、例えばパートナデバイス３１５、表示デバイス３１０、および／または分析物センサシステム３０８から薬剤関連または分析物関連のデータを受信することによること、および／または、特定の様式、モードなどで接続される分析物センサシステム３０８、表示デバイス３１０、および／またはパートナデバイス３１５に対する指示を送信することによることなどを含めて、薬剤関連データを受信／配信し、または利用可能にしてもよい。加えて、いくつかの実装形態におけるアプリケーション６２５は、例えば関連データを検索または供給するために、表示デバイス３１０によってサポートされる１つ以上の追加のアプリケーションと対話してもよい。このようなアプリケーションとして、例として、フィットネス／ライフスタイル監視アプリケーション、ソーシャルメディアアプリケーションなどが挙げられ得る。このような用途はまた、分析物センサアプリケーション４２５ａおよびパートナデバイスアプリケーション４２５ｂを含む、分析物センサシステム３０８および／または表示デバイス３１０に関連付けられたアプリケーションを含み得る。
【０２４１】
薬剤送達アプリケーション６２５は、（例えば、開示された方法に関連する）本明細書の様々な機能性の説明に照らして明らかになるように、例えば薬剤送達モジュール、認証モジュール、システム構成モジュールなどの様々なコード／機能モジュールを含み得る。これらのモジュールは、個別におよび／または組み合わせて実装され得る。各モジュールは、コンピュータ実行可能コードが記憶される（非一過性）コンピュータ可読媒体を含むことができ、それにより、コードがプロセッサ６３０に動作可能に結合され、および／またはプロセッサ６３０によって実行されて、パートナデバイス３１５および／または薬剤関連データとのインターフェース接続、および／またはそれに関連するタスクの実行に関する特定の機能を実行し、および他のアプリケーション／デバイス（例えば、表示デバイス３１０、分析物センサシステム３０８など）とインターフェース接続し得る。
【０２４２】
以下にさらに記載するように、表示デバイス３１０またはパートナデバイス６１５の表示モジュールは、（例えば、図４を参照するとユーザインターフェース４３５のディスプレイ、および／または図５Ｂを参照するとユーザインターフェース６３５のディスプレイを介して）、アプリケーション６２５によって提供される情報（例えば、インスリン投与量情報）のグラフィカル表現を含む画面で、ユーザに様々な画面を提示し得る。さらなる実施形態では、アプリケーション６２５を使用して、表示デバイス３１０のユーザに、パートナデバイス３１５を閲覧およびパートナデバイス３１５と対話するための環境を表示し得る。実施形態において、パートナデバイス３１５は、ユーザインターフェース６３５の一部としてディスプレイを含むことができ、その場合、アプリケーション６２５は、（表示デバイス３１０を使用するのではなく）パートナデバイス３１５上に直接表示する情報を提供できる。薬剤送達アプリケーション６２５は、本明細書に記載の機能性／特徴を実行するために、ソフトウェア設計キット（例えば、オペレーティングシステムに依存する）で修正されたネイティブアプリケーションを含み得る。このようなソフトウェア設計キットは、パートナデバイス３１５の製造者または他のエンティティによって提供され得る。
【０２４３】
図５Ｂに示すように、パートナデバイス３１５は、任意選択によりパートナデバイスコントローラ６４５を含む。パートナデバイスコントローラ６４５は、パートナデバイスコントローラ６４５に機能を追加するためにパートナデバイス３１５とともに使用され得る。例えば、実施形態において、パートナデバイス３１５は、無線接続性ハードウェア／ソフトウェアを装備しなくてもよい。このような実施形態では、パートナデバイスコントローラ６４５は、接続性インターフェース６０５を介してパートナデバイス３１５に結合し、かつ、例えば送受信機、メモリを提供または追加することによりパートナデバイス３１５の動作能力、および／または処理能力（例えば、その処理能力をサポートするソフトウェアコード／命令を含む）を増強できるハードウェアの「ボルトオン」部品であり得る。それゆえ、例示的な実装形態では、パートナデバイスコントローラ６４５は、パートナデバイス３１５を分析物センサシステム３０８および／または表示デバイス３１０に通信可能に結合するためのＢＬＥまたは他の無線を含み得る。実施形態において、薬剤送達アプリケーション６２５は、少なくとも部分的にパートナデバイスコントローラ６４５上に存在し得る。実施形態において、ユーザインターフェース６３５は、少なくとも部分的にパートナデバイスコントローラ６４５上に存在し得る。例えば、パートナデバイスにディスプレイなどのユーザインターフェースがない場合、パートナデバイスコントローラを使用して、パートナデバイス３１５に表示機能を追加してもよい。
【０２４４】
この時点で、図３Ｃ、図４、図５Ａ、図５Ｂに記載された表示デバイス３１０、分析物センサシステム３０８、および／またはパートナデバイス３１５の間などの同様の名称の要素は、いくつかの場合、同様の特徴および／または機能を含み得ることに留意されたい。したがって、このような要素に関して、上記の表示デバイス３１０、分析物センサシステム３０８、およびパートナデバイス３１５のいずれか１つに関するこのような要素の説明は、表示デバイス３１０、分析物センサシステム３０８、およびパートナデバイス３１５のうちの任意の１つ内の対応するまたは類似の要素に適用される場合がある。
【０２４５】
Ｆ．アドバタイズメントのタイミングおよび構造
本開示の追加の態様は、様々なデバイス（例えば、表示デバイス３１０およびパートナデバイス３１５）が分析物センサシステム３０８に接続する順序および方式を含み、これは、このような表示デバイス３１０および／またはパートナデバイス３１５に伝送されるアドバタイズメントメッセージの順序、タイミング、構造、および方式に依存し得る。様々なデバイスの接続順序の１つの潜在的なスキームは、次のように記載され得る。
【０２４６】
実施形態では、分析物センサシステム３０８は、接続に利用可能である（例えば、範囲内および／または他の方法で利用可能である）表示デバイス３１０および／またはパートナデバイス３１５にアドバタイズし、およびこれらとの接続を確立する。これは、例えば、アドバタイズメントメッセージを伝送することによって、行われ得る。例として、図７Ａに示される動作１００５ａが参照される。表示デバイス３１０／パートナデバイス３１５側では、分析物センサシステム３０８との接続を求める表示デバイス３１０および／またはパートナデバイス３１５は、例示的な実施形態では、分析物センサシステム３０８または別の同様のセンサシステムをスキャンして、それらとの接続に移行し得る。このことは、一般に、互換性がある／望ましい分析物センサシステム３０８によってこのようなメッセージが伝送されているかどうかを判定するために、分析物センサシステム３０８などによってブロードキャストされているアドバタイズメントメッセージの受信および処理を伴う。
【０２４７】
表示デバイス３１０および／またはパートナデバイス３１５は、次いで、接続要求を分析物センサシステム３０８に返信することによって、アドバタイズメントメッセージに応答し得る。例として、図７Ａに示される動作１００５ｂが参照される。接続要求を受信すると、分析物センサシステム３０８は、要求を受け入れるか、拒否するか、単に無視し得る。例示的な実装形態では、分析物センサシステム３０８は、一度に１つの表示デバイス３１０またはパートナデバイス３１５の接続のみをサービスする。したがって、接続要求を拒否または無視する理由の１つは、分析物センサシステム３０８がすでに表示デバイス３１０またはパートナデバイス３１５に接続されていることである。接続要求を拒否または無視する根拠がない場合、分析物センサシステム３０８は、要求を受け入れ、要求を送信した表示デバイス３１０またはパートナデバイス３１０に接続し得る。例えば、動作１００５ｂは、分析物センサシステム３０８が、表示デバイス３１０またはパートナデバイス３１５にシグナリングを送信して接続要求が許可されたことを示すことによって要求を受け入れることを示す。アドバタイズメントおよび関連コンテキストの態様がまた、図６、図７Ａ〜図７Ｃを参照して例として示されている。（例えば、動作１０６５ａ、１０９５ａを参照。）これらの図の詳細な議論は以下にさらに含まれる。
【０２４８】
さらに図７Ａを参照すると、表示デバイス３１０（またはパートナデバイス３１５）と分析物センサシステム３０８とが接続されると、例えば、分析物センサシステム３０８が分析物データを表示デバイス３１０またはパートナデバイス３１５に伝送することを含むメッセージングが交換され得る。例として、図７Ａに示される動作１００５ｄが参照される。実施形態において、表示デバイス３１０またはパートナデバイス３１５が予想または所望されるよりも長く分析物センサシステム３０８に接続されたままになることを防止するために、分析物センサシステム３０８はタイムアウトを強制することができ、および／またはタイムアウトが強制されることを引き起こすことができる。すなわち、例えば、接続の持続時間に関して設定された所定の制限があり得、その有効期限が切れると、分析物センサシステム３０８への接続が終了され得る。例として、図７Ａに示される動作１０１５が参照され、そこでデータ接続が閉じられ、任意選択により、送受信機４１０が非アクティブ化される。接続を終了することにより、分析物センサシステム３０８および他の表示デバイス３１０および／またはパートナデバイス３１５に対して接続または少なくとも接続試行を可能にし得る。分析物センサシステム３０８は、分析物センサシステム３０８に最近接続した表示デバイス３１０および／またはパートナデバイス３１５のリストを保持し得る。いくつかの場合において、これはホワイトリストとして知られ得る。分析物センサシステム３０８は、このリストを使用して、リストされた表示デバイス３１０および／またはパートナデバイス３１５（すなわち、最近接続された、またはその他の方法でリストされている）のみが分析物センサシステム３０８に接続することを許可し得る。
【０２４９】
図６は、本開示の実施形態に従うアドバタイズメントメッセージの伝送の一例を示すタイミング図である。より具体的には、図６は、分析物センサシステム３０８、表示デバイス３１０、および／またはパートナデバイス３１５の間／相互間のペアリングまたは接続の確立に関連して使用され得るアドバタイズメント継続時間構造６２２の例を提供する。上記に関連して、アドバタイズメント継続時間構造６２２の実施形態に従って、アドバタイズメントメッセージ６１８は、スケジュールに基づいて定期的に発生する時間間隔に従って送信され得る。これは、本明細書では、いくつかの場合においてアドバタイズメントウィンドウ間隔６１２と呼ばれ得る。アドバタイズメントウィンドウ間隔６１２の発生の繰り返しの期間は、任意の長さであり得る。
【０２５０】
実施形態において、アドバタイズメントウィンドウ間隔６１２は、分析物データの集取および処理に関する分析物センサシステム３０８の動作の性質に応じて、および／または医薬品の投与に対するパートナデバイス３１５の動作の性質に応じて、および／または他の考慮事項に基づいて、変化するように構成または設定され得る。例示的な実装形態では、アドバタイズメントウィンドウ間隔６１２は、パートナデバイス３１５が分析物表示デバイス３０８に接続可能であるかどうかに基づいて変化するように構成または設定され得る。例示的な実装形態では、アドバタイズメントウィンドウ間隔６１２は、パートナデバイス３１５のシステム要件６５０に基づいて変化するように構成または設定され得る。例示的な実装形態では、アドバタイズメントウィンドウ間隔６１２は、分析物センサシステム３０８がパートナデバイス３１５、表示デバイス３１０、およびサーバシステム３３４のうちの１つ以上と通信するシステムのネットワークトポロジに基づいて変化するように構成または設定され得る（例えば、図２Ａを参照したシステム２００、図８を参照したシステム８００、および／または図９Ａを参照したシステム９００）。例えば、アドバタイズメントウィンドウ間隔１０１２は、分析物センサシステム３０８に接続可能な表示デバイス３１０の数に基づいて、パートナデバイス３１５が自動インスリン送達デバイスであるかどうかに基づいて、および／または自動インスリン送達デバイスであるパートナデバイス３１５のシステム要件６５０に基づいて変化するように構成または設定され得る。一特定例では、アドバタイズメントウィンドウ間隔６１２は約５分である。それゆえ、この特定例では、５分ごとに、アドバタイズメントメッセージ６１８が伝送されるタイムウィンドウがある。
【０２５１】
アドバタイズメントメッセージ６１８の時間ウィンドウは、アドバタイズメントメッセージ６１８が実際に伝送され得る期間と見なされ得る。これは、いくつかの場合においてアドバタイズメント期間６１４とも呼ばれ得る。例として、いくつかの例示的な実装形態では、アドバタイズメント期間６１４は、長さが７〜２２秒の範囲であり得る。しかしながら、本開示を検討すると、当業者は、アドバタイズメント期間６１４の長さ（時間での）が０から任意の妥当な時間量までの範囲であり得ることを理解するであろう。いくつかの場合において、アドバタイズメント期間１０１４はアドバタイズメントウィンドウ間隔６１２よりも短い。ただし、これは、本明細書のいずれか他の場所で詳細に説明されるシステム構成／要件に基づいて変更し得る。
【０２５２】
アドバタイズメント期間６１４の間、アドバタイズメントメッセージ６１８は、いくつかの場合において、必ずしもそうではないが、アドバタイズメントメッセージ間隔６１６に従って定期的に伝送され得る。アドバタイズメントメッセージ間隔６１６は、アドバタイズメントメッセージ６１８の順次的または連続的な伝送間の時間間隔と考えられ得る。アドバタイズメントメッセージ間隔６１６の特定の例示的な範囲は２０〜９０ミリ秒であるが、本開示を検討すると、アドバタイズメントメッセージ間隔６１６はより短くてもより長くてもよく、および／または、アドバタイズメント期間６１４中にアドバタイズメントメッセージ間隔６１６を適合または（再）構成することを含めて、関連する状況に応じて、長さが適応的に可変、プログラム可能、および／または構成可能であり得ることが理解されるであろう。
【０２５３】
実施形態において、アドバタイズメントメッセージ間隔６１６は、分析物データの集取および処理に関する分析物センサシステム３０８の動作の性質に応じて、および／または医薬品の投与に対するパートナデバイス３１５の動作の性質に応じて、および／または他の考慮事項に基づいて、変化するように構成または設定され得る。例示的な実装形態では、アドバタイズメントメッセージ間隔６１６は、パートナデバイス３１５が分析物表示デバイス３０８に接続可能であるかどうかに基づいて変化するように構成または設定され得る。例示的な実装形態では、アドバタイズメントメッセージ間隔６１６は、パートナデバイス３１５のシステム要件６５０に基づいて変化するように構成または設定され得る。例示的な実装形態では、アドバタイズメントメッセージ間隔６１６は、分析物センサシステム３０８がパートナデバイス３１５、表示デバイス３１０、およびサーバシステム３３４のうちの１つ以上と通信するシステムのネットワークトポロジに基づいて変化するように構成または設定され得る（例えば、図２Ａを参照したシステム２００、図８を参照したシステム８００、および／または図９Ａを参照したシステム９００）。例えば、アドバタイズメントウィンドウ間隔６１２は、分析物センサシステム３０８に接続可能な表示デバイス３１０の数に基づいて、パートナデバイス３１５が自動インスリン送達デバイスであるかどうかに基づいて、および／または自動インスリン送達デバイスであるパートナデバイス３１５のシステム要件６５０に基づいて変化するように構成または設定され得る。
【０２５４】
アドバタイズメントウィンドウ間隔６１２が経過した後、アドバタイズメントメッセージ１０１８は伝送を再開することができ、アドバタイズメント継続時間構造６２２を繰り返すことができる（例えば、アドバタイズメント継続時間構造６２２’として）。また、アドバタイズメントメッセージ間隔６１６、アドバタイズメント期間１０１４、およびアドバタイズメントウィンドウ間隔６１２のうちの１つ以上は、アドバタイズメント期間構造６２２と６２２’との間で、および／またはアドバタイズメント期間構造６２２、６２２’（例えば、６１４など）のそれぞれのアドバタイズメント期間内で、再構成できることに留意されたい。
【０２５５】
アドバタイズメントウィンドウ間隔６１２、アドバタイズメント期間６１４、およびアドバタイズメントメッセージ間隔６１６を含むアドバタイズメント期間構造６２２の上述した特徴は、各々、多様な要因に基づいて変化し得る。例えば、これらのパラメータの値は、存在する表示デバイス３１０のタイプおよび／または数に基づいて、ならびに、このような表示デバイス３１０のシステム要件、および／またはこのような表示デバイス３１０が分析物センサシステム３０８に接続されてからの時間に基づいて、変化し得る。別の例として、これらのパラメータの値は、存在するパートナデバイス３１５のタイプおよび／または数に基づいて、ならびに、システム要件６５０および／またはこのようなパートナデバイス３１５の他の特性（例えば、自動インスリン送達が提供されているかどうか）に基づいて、変化し得る。これらのパラメータの値はまた、表示デバイス３１０および／またはパートナデバイス３１５の接続信頼性、精度、バッテリ寿命を最適化し、接続時間を高速化するなどのために、変化し得る。アドバタイズメントウィンドウ間隔６１２の減少、アドバタイズメント期間６１４の増加、およびアドバタイズメントメッセージ間隔６１６の減少のうちの任意の１つは、特定の表示デバイス３１０および／またはパートナデバイス３１５と分析物センサシステム３０８または他のデバイスとの間で接続を正常に確立できる可能性を高め得る。ただし、例では、この方式でパラメータを変更すると、消費電力が同時に増加する場合がある。
【０２５６】
また、１つ以上のアドバタイズメント期間６１４が、接続のために特定の表示デバイス３１０またはパートナデバイス３１５に個々に割り当てられ得ることを理解されたい。したがって、特定のデバイスからアドバタイズメント期間６１４の割り当てを取り消すか、最初の場所でそもそもこのようなデバイスにアドバタイズメント期間６１４を割り当てないことにより、このようなデバイスと分析物センサシステム３０８との間で接続が確立されることを防止することが可能である。これは、例えば、パートナデバイス３１５と分析物センサシステム３０８との間の専用接続が望まれる場合に行うことが可能であり、このような専用接続は、分析物センサシステム３０８によって送信されるアドバタイズメントに応答するパートナ３１５以外のデバイスによってもたらされる潜在的な干渉を実質的に免れ得る。
【０２５７】
したがって、本開示の態様は、アドバタイズメントウィンドウ間隔６１２、アドバタイズメント期間１０１４、および／またはアドバタイズメントメッセージ間隔６１６、ならびにアドバタイズメントメッセージングに関連付けられた、および／またはそれに関連する他の機能を構成することを含む、アドバタイズメント期間構造６２２を構成することを含む。本開示の態様はまた、特定のデバイス（例えば、表示デバイス３１０および／またはパートナデバイス３１５）へのアドバタイズメント期間６１４の割り当てを制御して、このような特定のデバイス専用のアドバタイズメントスロットを作成することも含む。
【０２５８】
本開示の前述の態様を使用して、分析物センサシステム３０８との接続を正常に確立する可能性を高め得る。加えて、アドバタイズメント期間６１２を構成すること、および／またはアドバタイズメント期間６１４の割り当てを制御することはまた、接続プロトコルの効率の向上に起因して、接続確立に伴う電力消費を削減し得る。このようにして、分析物データおよび／または薬剤送達に関連する通信の全体的な信頼性を高めることができると同時に、電力消費を減少させることができる。実施形態において、アドバタイズメントメッセージングの上述の態様を、信頼性、速度、電力消費／効率などの相互間のインテリジェントなトレードオフをもたらすように構成することができ、このようなトレードオフは、例えば、パートナデバイス３１５が分析物センサシステム３０８との接続を確立することを試行する前に未知であり得るパートナデバイス３１５のシステム要件６５０に動的に基づいて実装されることを含む。
【０２５９】
ここで、接続確立および／またはアドバタイズメントメッセージングの上記の特徴に関して、分析物センサシステム３０８が接続確立目的のために表示デバイス３１０および／またはパートナデバイス３１５にアドバタイズメントメッセージを伝送することに加えて、表示デバイス３１０および／またはパートナデバイス３１５も同様に、接続確立目的のためにアドバタイズメントメッセージを送信し得る。このような場合、本開示を検討すると、上記の特徴が同様に使用され得ることが理解されるであろう。
【０２６０】
Ｇ．接続モデル
上記で示唆したように、本開示の態様はまた、分析物センサシステム３０８、表示デバイス３１０、サーバシステム３３４、および／またはパートナデバイス３１５の間または相互間の通信のための様々な接続モデルを含む。通信の１つの接続モデルは、断続接続モデル（または、いくつかの場合では、接続／切断モデル）と呼ばれ得る。断続的接続モデルに従って、分析物センサシステム３０８、表示デバイス３１０、サーバシステム３３４、および／またはパートナデバイス３１５間／相互間の通信は、定義された、またはイベントベース／非同期のスケジュールに従って、本質的に定期的または断続的であり得る。例えば、表示デバイス３１０および／またはパートナデバイス３１５は、分析物および／または他のデータを分析物センサシステム３０８と交換するために、定期的に（例えば、５分ごとに１回）分析物センサシステム３０８との接続を確立し得る。
【０２６１】
例示的な実装形態では、分析物センサシステム３０８、表示デバイス３１０、および／またはパートナデバイス３１５の伝送および受信回路が連続的に通信するのではなく、分析物センサシステム３０８、表示デバイス３１０、および／またはパートナデバイス３１５は、断続的、規則的、および／または定期的にそれらの間／相互間の通信チャネルを確立し得る。それゆえ、例えば、分析物センサシステム３０８は、いくつかの場合において、所定の時間間隔で表示デバイス３１０および／またはパートナデバイス３１５と無線伝送を介して通信することができる。所定の時間間隔の持続時間は、分析物センサシステム３０８が必要以上に頻繁にデータを伝送することによって電力を消費しすぎないように十分に長く選択され得るが、例えば、薬剤の投与に使用するための、ユーザへのおよび／またはパートナデバイス３１５への出力（例えば、ユーザインターフェース４３５の一部としてディスプレイを介して）に対して、表示デバイス３１０に実質的にリアルタイムのセンサ情報（例えば、測定されたグルコース値または分析物データ）を提供するのに十分な頻度である。所定の時間間隔は、いくつかの実施形態では、例えば５分ごとであり得るが、この時間間隔は、任意の所望の時間の長さに変更できることを理解されたい（例えば、図６に関連して上述）。
【０２６２】
実施形態では、断続接続モデルは、他の接続モデルと比較して電力の節減をもたらし得る。したがって、バッテリ電力がパケット損失および／または遅延などに関連する主要な関心事である場合、断続接続モデルは連続接続モデルよりも好ましい場合がある。加えて、断続的接続モデルによれば、例示的な実装形態における表示デバイス３１０および／またはパートナデバイス３１５は、同時に分析物センサシステム３０８に接続されないことが理解されるであろう。むしろ、異なる表示デバイス３１０および／またはパートナデバイス３１５は、いくつかの場合において、異なる限られた時間量の間、接続する。いずれの表示デバイス３１０および／またはパートナデバイス３１５が接続することができ、このようなデバイスが分析物センサシステム３０８に接続できるときは、例えば、ホワイトリストなどのリストを使用して、および／または、図６を参照して上述したように、使用されるアドバタイズメント構造を変更することによって制御され得る。したがって、状況によっては、断続的なモデルが適切および／または好ましい場合がある。１つのこのような状況は、ユーザが複数の表示デバイス３１０を使用して分析物値を監視することを好む場合であり得る。例えば、ユーザが１型糖尿病を患っている場合、分析物（例えば、グルコース）データの監視は比較的重要である可能性があり、よって、より広い範囲／冗長性のために複数の表示デバイス３１０が使用され得る。
【０２６３】
図７Ａは、上述の断続接続モデルによる、分析物センサシステム３０８、表示デバイス３１０、サーバシステム３３４、および／またはパートナデバイス３１５の間／相互間の分析物データの無線通信のための方法７００の実施形態に関連して実行され得る様々な動作を示す動作フロー図である。方法７００の特徴はまた、関連するシステム、装置、およびデバイスの実施形態に関連して適用できる。より具体的には、図７Ａに示すように、通信セッション７２０は、動作１００５ａ〜１０１５を含み得るが、実施形態では、これらの動作のすべてが必ずしも実行されるわけではない。
【０２６４】
図７Ａに示す手順に関連して実行される様々なタスクは、例えば、プロセッサ４３０、５３０、および／または６３０が、それぞれ記憶装置４１５、５１５、および／または６１５（例えば、非一過性コンピュータ可読媒体を含み得る）で具現化された命令を実行することによって実行され得る。手順に関連して実行されるタスクまたは操作は、分析物センサシステム３０８、表示デバイス３１０、サーバシステム３３４、および／またはパートナデバイス３１５のうちの１つ以上などの１つ以上のコンピューティングデバイスに組み込まれたハードウェア、ソフトウェア、ファームウェア、および／またはそれらの組み合わせによって実行され得る。
【０２６５】
本開示を検討すると、手順は、任意の数の追加または代替のタスクまたは動作を含み得ることが理解されるであろう。このことは、一般に、本明細書に記載のすべての手順および／または方法に必ずしも常には当てはまらない。図７Ａに例として示す動作は、必ずしも示された順序で実行される必要はなく、手順は、図７Ａを特に参照して本明細書で詳細に説明されていない追加の機能性を有するより包括的な手順または処理に組み込まれてもよい。ここでも、このことは、一般に、本明細書に記載のすべての手順および／または方法に必ずしも常には当てはまらない。
【０２６６】
以下に記載するいくつかの例では、分析物値は、分析物センサシステム３０８および／またはセンサ５３５（図３Ｃを参照）によって行われた１つ以上の測定に基づくグルコース値である。それにもかかわらず、本開示を検討すると、実施形態では、分析物値は、本明細書に記載されているかまたは当技術分野で知られている任意の他の分析物値であってもよいことを理解されたい。分析物センサシステム３０８、表示デバイス３１０、サーバシステム３３４、および／またはパートナデバイス３１５間の無線データ通信は、分析物センサシステム３０８の送受信機５１０（図３Ｃを参照）、表示デバイス３１０の送受信機４１０（図４を参照）、および／またはパートナデバイスの送受信機６１０（図５Ｂを参照）間の、連続する無線通信セッション間の持続時間に対応し得る「Ｔｉｎｔｅｒｖａｌ」と付記された更新間隔により分離された時間で定期的に起こり得る。これに代えてまたはこれに加えて、更新間隔を、最近測定または生成されたグルコース値、薬剤関連データ、または他のデータを取得および送信する期間と考えてもよい。アドバタイズメント信号またはメッセージの伝送、データ接続（例えば、通信チャネルなど）の確立、およびデータの要求および送信は、各々が更新間隔Ｔｉｎｔｅｒｖａｌ内で「ＴＡｃｔｉｖｅ」と付記されたアクティブ時間または期間に持続する無線通信セッション中に発生し得る。ここでの１つの注意点は、Ｔｉｎｔｅｒｖａｌおよび／またはＴＡｃｔｉｖｅがセッション間で異なり得ることである。連続する無線通信セッション間に、分析物センサシステム３０８の構成要素（例えば、送受信機５１０）、表示デバイス３１０の構成要素（例えば、送受信機４１０）、および／またはパートナデバイス３１５の構成要素（例えば、送受信機６１０）は、「ＴＩｎａｃｔｉｖｅ」と付記された非アクティブ期間中の非アクティブまたはスリープモードなどの、低電力モードまたは同様のモードに移行し得る。これにより、例えば、バッテリ寿命の保護を可能にし、ピーク電圧要件を緩和し得る。
【０２６７】
したがって、分析物データ、薬剤データ、および／または他のデータ、および制御シグナリングの通信に使用されるいくつかの接続スキームでは、分析物センサシステム３０８、表示デバイス３１０、サーバシステム３３４、および／またはパートナデバイス３１５の間／相互間で定期的に接続が確立され得る。例えば、図７Ａをさらに参照すると、通信セッション７２０は、１つのこのような接続スキーム（任意選択により、認証を含む）を実装してもよい。より具体的には、通信セッション７２０は、時間間隔Ｔｉｎｔｅｒｖａｌの間に実装されてもよい。上記で示唆したように、Ｔｉｎｔｅｒｖａｌは、ＴＡｃｔｉｖｅに対応するアクティブ部分と、ＴＩｎａｃｔｉｖｅに対応する非アクティブ部分を含んでもよい。一般的に言えば、ＴＡｃｔｉｖｅの間、分析物センサシステム３０８と表示デバイス３１０および／またはパートナデバイス３１５とが接続され、（例えば、動作１００５および／またはその部分動作に従って）メッセージングをアクティブに交換するが、上述したように、分析物センサシステム３０８、表示デバイス３１０、および／またはパートナデバイス３１５が低電力モードなどに移行する、ＴＡｃｔｉｖｅ中の期間が存在し得る。
【０２６８】
接続に関して、例示的な実装形態では、分析物センサシステム３０８は、通信セッション７２０中の動作１００５で１つ以上のアドバタイズメントメッセージを伝送し得る。アドバタイズメントメッセージは、表示デバイス３１０および／またはパートナデバイス３１５が（例えば、送受信機５１０を介して）分析物センサシステム３０８とのデータ接続を確立するためのインビテーションと見なされ得る。本開示の様々な態様による、いくつかの場合において２つのデバイス間の接続を確立する目的で伝送され得るアドバタイズメントメッセージの例示的な構造は、図６に関連して上記され、参照により全体が本明細書に組み込まれる米国仮特許出願第６２／３６４，７７１号および第６２／４０９，６７７号内にある。次いで、伝送されたアドバタイズメントメッセージは、表示デバイス３１０（例えば、送受信機４１０を介して）および／またはパートナデバイス３１５（例えば、送受信機６１０を介して）で受信され得る。
【０２６９】
上記で示唆したように、通信セッション７２０中に、動作１００５ｂに対応するデータ接続処理および／または動作１００５ｄに対応するデータ伝送処理に関連して、認証手順が任意選択により実行され得る。分析物センサシステム３０８とのデータ接続を確立するために、表示デバイス３１０および／またはパートナデバイス３１５は、分析物センサシステム３０８によって伝送されたアドバタイズメントメッセージが受信されるまで、待機またはスキャンし得る。したがって、動作１００５ｂは、分析物センサシステム３０８が、表示デバイス３１０および／またはパートナデバイス３１５から接続要求を受信することと、要求を許可または拒否することによりそれに応答することと、を伴い得る。分析物センサシステム３０８が接続要求を許可する場合、動作１００５ｂの一部として、肯定応答または他のメッセージが表示デバイス３１０および／またはパートナデバイス３１５に伝送され得る。次いで、分析物センサシステム３０８と表示デバイス３１０および／またはパートナデバイス３１５との間のデータ接続が確立され得る。
【０２７０】
動作１００５ｃによれば、動作１００５ｄでデータが実際に交換される前に認証手順が使用され得る。認証は、動作１００５ｃごとに一方向または双方向のハンドシェイク処理に従って、分析物センサシステム３０８と表示デバイス３１０および／またはパートナデバイス３１５との間で、チャレンジ値およびハッシュ値とそれに関連するシグナリングとを含む様々なメッセージの交換を伴い得る。認証されると、分析物センサシステム３０８と表示デバイス３１０および／またはパートナデバイス３１５とは、データを交換する方法を決定するための情報を交換し得る（例えば、特定の周波数、タイムスロット割り当て、暗号化など）。さらに、通信セッション７２０はまた、分析物センサシステム３０８と表示デバイス３１０および／またはパートナデバイス３１５との間でアプリケーションキーを交換することを含み得る。動作１００５ｃに関連して記載したチャレンジ値およびハッシュ値の交換により、このようなアプリケーションキーは、分析物センサシステム３０８と表示デバイス３１０および／またはパートナデバイス３１５との間で効果的に共有され得る。したがって、実施形態において、アプリケーションキーは、認証および暗号化の両方の目的に使用され得る。
【０２７１】
図７Ａをさらに参照すると、動作１００５ｃによる任意選択による認証処理の完了後、分析物センサシステム３０８と、接続された表示デバイス３１０および／またはパートナデバイス３１５と、は動作１００５ｄでデータ通信に従事してもよく、その間に、接続された表示デバイス３１０および／またはパートナデバイス３１５は、分析物センサシステム３０８から所望の情報（例えば、分析物データ、制御情報、識別情報、および／または指示）を要求および受信することができ、および／またはコマンドおよび制御シグナリング、または、例えば、薬剤関連情報などの他の情報を含む情報を送信することができる。動作１００５ｄでのデータ通信が完了すると、データ接続は動作１０１５で終了し得る（例えば、確立された通信チャネルを閉じることにより）。
【０２７２】
ただし、他の状況では、上述の断続接続モデルと比較して、連続接続モデルが適切および／または好ましい場合がある。高レベルでは、連続接続モデルは、分析物センサシステム３０８と表示デバイス３１０および／またはパートナデバイス３１５との間の初期ペアリングを含むことができ、その後、分析物センサシステム３０８と表示デバイス３１０および／またはパートナデバイス３１５とは、接続されたままであり、本質的に接続を閉じたり切断したりしない。すなわち、例示的な実装形態における接続およびデータの交換は、断続接続モデルのように定期的または断続的に行われず（例えば、図７Ａを参照して説明したように）、代わりに、接続されたデバイスは定期的にメッセージングを交換して接続を維持する。分析物センサシステム３０８でデータが利用可能になると、データは、ほぼリアルタイムで、または少なくともほぼリアルタイムで、表示デバイス３１０および／またはパートナデバイス３１５に伝送され得る。このようにして、分析物データに関連する通信の全体的な精度および応答性が向上し得る。連続接続モデルに関連する追加の利点は、分析物センサシステム３０８が、分析物センサシステム３０８と接続することを求める望ましくないデバイス（例えば、いくつかの場合では、望ましくない表示デバイス３１０）によって引き起こされる干渉をより良好に軽減できるようにし得ることである。よって、データ交換の信頼性および接続の堅牢性を高めることができ、これは、ユーザがインスリンなどの薬剤の投与についてパートナデバイス３１５に依存している場合に特に重要となり得る。
【０２７３】
例として、データ交換の信頼性の潜在的な増加は、例えば、パートナデバイス３１５が、分析物センサシステム３０８を使用して生成されてパートナデバイス３１５に伝送された分析物データに基づいてインスリンをユーザに自動的に送達するために使用されるインスリンポンプである場合、有益であり得る。いくつかのこのような場合、分析物センサシステム３０８とパートナデバイス３１５との間の接続信頼性／堅牢性は、複数の表示デバイス３１０との接続を確立する能力と比較してより重要であり、前述のように、表示デバイス３１０からの接続要求は、パートナデバイス３１５と分析物センサシステム３０８との間の接続、または接続の確立との干渉を引き起こし得る。例えば、分析物センサシステム３０８とパートナデバイス３１５との間で使用される連続接続モデルは、接続の信頼性／堅牢性を高めるための手段として機能することができ、それゆえ、パートナデバイス３１５を伴う特定の実施形態、ならびに本明細書に記載および／または示唆されている他の状況において、好ましい場合がある。
【０２７４】
したがって、本開示の実施形態は、特定のデバイス間に連続接続モデルを使用することを含む。このような接続モデルは、いくつかの場合において、分析物センサシステム３０８での分析物データの収集および／または生成と、それに接続する表示デバイス３１０および／またはパートナデバイス３１５へのこのようなデータおよび関連データおよび制御シグナリングの伝送、ならびに薬剤関連データの交換および制御シグナリングとの間の遅延を短縮し得ると同時に、分析物センサシステム３０８の十分に低い電力消費を維持する。さらに、上述のように、連続接続モデルは、分析物センサシステム３０８と表示デバイス３１０および／またはパートナデバイス３１５との間の接続の信頼性／堅牢性および予測可能性を高め得る。
【０２７５】
これに関連して、図７Ｂは、上記で示唆した連続接続モデルの例示的な実装形態による分析物センサシステム３０８と表示デバイス３１０および／またはパートナデバイス３１５との間／相互間の分析物データの無線通信のための方法７０２の例示的な実装形態を示す。通信セッション７４０は、方法７０２に関連して開始できる。より具体的には、図７Ｂに示すように、通信セッション７４０は、動作１０９５ａ〜１０９５ｇおよび／または１０９５ａ’を伴い得るが、実施形態では、これらの動作のすべてが必ずしも実行されるわけではない。
【０２７６】
図７Ａと同様に、図７Ｂに示す手順に関連して実行される様々なタスクは、例えば、プロセッサ４３０、５３０、および／または６３０が、それぞれ記憶装置４１５、５１５、および／または６１５（例えば、非一過性コンピュータ可読媒体を含み得る）で具現化された命令を実行することによって実行され得る。手順に関連して実行されるタスクまたは動作は、一般に、必ずしも本明細書に記載のすべての手順、動作、および方法に関連するとは限らず、分析物センサシステム３０８、表示デバイス３１０、サーバシステム３３４、および／またはパートナデバイス３１５などの１つ以上のコンピューティングデバイスに組み込まれたハードウェア、ソフトウェア、ファームウェア、および／またはそれらの任意の組み合わせによって実行され得る。本開示を検討すると、手順は、任意の数の追加または代替のタスクまたは動作を含み得ることが理解されるであろう。図７Ｂに例として示す動作は、必ずしも示された順序で実行される必要はなく、手順は、図７Ｂを特に参照して本明細書で詳細に記載されていない追加の機能性を有するより包括的な手順または処理に組み込まれてもよい。
【０２７７】
連続接続モデルに関して、分析物センサシステム３０８と表示デバイス３１０および／またはパートナデバイス３１５との間／相互間の接続が維持されない場合、分析物データはドロップまたは失われ得る。これは、推定グルコース値などの分析物情報の不適切または不正確な表現につながる可能性があり、いくつかの場合において、望まれるほど正確または高精度ではない薬剤の投与につながる可能性がある。それゆえ、連続接続モデルに関連する本明細書の実施形態は、分析物センサシステム３０８と表示デバイス３１０および／またはパートナデバイス３１５との間／相互間で確立された接続を持続および／または維持することを伴う。さらに、接続の維持に関して、接続ステータスを監視して、それに関する指示を導出および／または提供することが有用な場合があり得る。これを行いえる１つの方法は、接続パラメータを使用することである。
【０２７８】
動作１０９５ａで、方法７０２は、分析物センサシステム３０８の送信機をアクティブ化すること、および／またはアドバタイズメントメッセージを伝送することを伴い得る。アドバタイズメントメッセージのこの伝送は、上述の動作１００５ａと実質的に同様であり得る。動作１０９５ａで伝送されたアドバタイズメントメッセージは、例えば、１つ以上の表示デバイス３１０および／またはパートナデバイス３１５によって受信され得る。
【０２７９】
動作１０９５ｂで、分析物センサシステム３０８と、アドバタイズメントメッセージに応答する表示デバイス３１０および／またはパートナデバイス３１５と、の間に接続が確立され得る。動作１０９５ｂの一部として、分析物センサシステム３０８と表示デバイス３１０および／またはパートナデバイス３１５との間で接続パラメータが交換され得る。これに関して、分析物センサシステム３０８、表示デバイス３１０、および／またはパートナデバイス３１５は、分析物センサシステム３０８との接続の態様が基づき得る接続パラメータのセットを提案およびセットアップし得る。
【０２８０】
接続パラメータの例として、接続間隔（いくつかの場合において、ここではｐｉｎｇ間隔と呼ばれ得る）、スレーブ遅延、および監視タイムアウトが挙げられる。分析物センサシステム３０８および／または表示デバイス３１０および／またはパートナデバイス３１５は、このような接続パラメータのうちの１つ以上を使用して、例えば分析物レベル、薬剤送達、関連制御シグナリング、システム構成シグナリングなどに関連するデータを連続的に交換する接続を維持することができる。追加の接続パラメータは、表示デバイス３１０および／またはパートナデバイス３１５のモード制御などの制御シグナリング、および／または本明細書に記載の実施形態に従って実装され得るネットワークトポロジに関連する制御シグナリングに関連し得る。
【０２８１】
接続の確立をもたらす接続決定に続いて、動作１０９５ｃで、方法７０２は認証を任意選択により伴い得る。動作１０９５ｄで、方法７０２の実施形態は、分析物センサシステム３０８、表示デバイス３１０、および／またはパートナデバイス３１５の間／相互間でデータを交換することを含む。連続接続モデルに関して、データの伝送が利用可能になると（例えば、いくつかの場合において非定期的に）、および／またはデータを交換するように要求されるときに常に（例えば、オンデマンドで）、動作１０９５ｄが定期的に繰り返される。動作１０９５ｄによるデータの交換は、例えば、分析物センサシステム３０８と交換されるｐｉｎｇメッセージングまたは他の制御関連のメッセージングなどの他のメッセージングの交換に散在してもよい。図７Ｂでは、これは、例として、動作１０９５ｄおよび１０９５ｄ’に介在する動作（すなわち、動作１０９５ｅおよび１０９５ｆ）を使用して表され得るが、特定のタイプの制御シグナリングが明示的に示されない場合がある。
【０２８２】
実施形態において、接続確立（例えば、動作１０９５ｂの一部として）に関連して合意された接続パラメータ、ならびに他の構成態様は、例えば、接続決定がなされた後に、更新／修正され得る。したがって、動作１０９５ｆで、方法７０２は、接続パラメータのうちの１つ以上を更新することを伴い得る。動作１０９５ｇに示すように、いくつかの場合において、分析物センサシステム３０８との接続が終了または失われる可能性がある。これには様々な原因があり得る。動作１０９５ｇで接続が失われたことに応答して、分析物センサシステム３０８は、動作１０９５ａ’により、アドバタイズメントメッセージを送信してもよい。連続接続モデルの例示的実施形態に従って、分析物センサシステム３０８と表示デバイス３１０および／またはパートナデバイス３１５とが切断されると、分析物センサシステム３０８は、いくつかの場合において少なくともほぼ即座にアドバタイズメントメッセージの送信を再開し得る。
【０２８３】
表示デバイス３１０および／またはパートナデバイス３１５のユーザは、動作１０９５ｇにより切断があったことに気付かない場合がある。これにより、いくつかの場合においてパケットのドロップまたはデータの損失が発生する可能性がある。それゆえ、いくつかの場合において、分析物センサシステム３０８は、ユーザの介入なしに自動的にアドバタイズメントを再開してもよい。これに代えてまたはこれに加えて、ユーザは、分析物センサシステム３０８、表示デバイス３１０、および／またはパートナデバイス３１５を介して、接続が失われたという通知を受け取ってもよい。
【０２８４】
図７Ｃは、断続接続モデルおよび連続接続モデルに加えて、本開示の実施形態がまた、このような接続の確立は必要ない場合に、パケットのブロードキャストを介したデータの通信を伴う。本明細書により詳細に記載するように、データパケットのブロードキャストは、分析物センサシステム３０８に接続可能な特定のデバイス、例えば表示デバイス３１０が表示専用状態に設定され、別の接続可能なデバイス（複数可）、例えば、パートナデバイス３１５は、分析物センサシステム３０８との接続を確立しており、分析物センサシステム３０８とデータおよびコマンド／制御メッセージングを交換している。
【０２８５】
図７Ｃでは、分析物関連データ、薬剤関連データ、および／または、分析物センサシステム３０８、表示デバイス３１０、および／またはパートナデバイス３１５の間／相互間の他の情報の無線通信のための方法７０６が、本開示の実装形態に関連して示されている。方法７０６の例示的な実施形態は、例えば、分析物センサシステム３０８と表示デバイス３１０および／またはパートナデバイス３１５との間の第１の接続を確立することを伴う。これは任意選択によるものであり、Ｔｉｎｔｅｒｖａｌに対応する通信セッション７２０に関連して発生し得る。したがって、第１の接続を確立することは、分析物センサシステム３０８と表示デバイス３１０および／またはパートナデバイス３１５との間の認証を任意選択により含むことができる。
【０２８６】
方法７０６はまた、Ｔｉｎｔｅｒｖａｌと同じでも異なっていてもよく、時間間隔Ｔｉｎｔｅｒｖａｌ’の間に実装され得る通信セッション７６０を確立することを含む。Ｔｉｎｔｅｒｖａｌ’は、ＴＡｃｔｉｖｅ’に対応するアクティブ部分と、ＴＩｎａｃｔｉｖｅ’に対応する非アクティブ部分とを含み得る。ＴＡｃｔｉｖｅ’の間、通信セッション７６０は、動作１０６５およびその部分動作を伴い得る。
【０２８７】
ここで、上述のように、通信セッション７６０は、分析物センサシステム３０８、表示デバイス３１０、および／またはパートナデバイスの間／相互間の接続の確立を含まない場合があることに留意されたい。例えば、示されている通信セッション７６０は、通信セッション７２０に関連して図７Ａに示されている動作１００５ｂのデータ接続態様を含まない。示された通信セッション７６０は、通信セッション７２０に含まれ得る認証処理も含まない（例えば、動作１００５ｃで）。むしろ、動作１０６５ａで、方法７０６は、１つ以上のアドバタイズメントメッセージを表示デバイス３１０および／またはパートナデバイス３１５に送信することを伴う。
【０２８８】
したがって、通信セッション７６０の一部として、分析物センサシステム３０８は、第１のアドバタイズメントメッセージを伝送し得る（例えば、動作１０６５ａ）。第１のアドバタイズメントメッセージは、分析物値の少なくとも第１の部分を含み得る。分析物値は、伝送前に暗号化されている（例えば、アプリケーションキーを使用して）必要がない場合がある。言い換えれば、通信セッション７６０に関して、分析物センサシステム３０８は、アドバタイズメントメッセージに含まれ得る他の情報に加えて、１つ以上のアドバタイズメントメッセージを使用して、暗号化または非暗号化された分析物値または分析物データおよび／または他のシグナリング（例えば、タイミングおよび制御情報など）を伝送し得る。
【０２８９】
いくつかの場合において、アドバタイズメントメッセージはパケットの形式を取り得る。例として、分析物値（暗号化されているか否かにかかわらず）は、アドバタイズメントメッセージパケットの予約フィールドまたは他のフィールドに含まれてもよく、および／またはパケットにエンコードされてもよい。アドバタイズメントメッセージは、同様にまたは追加的に、例えば分析物値に関連付けられたタイムスタンプなどの他の情報を含んでもよい。例示的な実装形態では、方法７０６は、（暗号化された）分析物値および関連データを含み得るペイロードを複数の部分に分割することを伴い得る。その場合に、第１のアドバタイズメントメッセージは、第２のアドバタイズメントメッセージが分析物値および／または関連データの、第２の部分を含むことを示し得る。第１のアドバタイズメントは、ペイロードの第１の部分をタグ付けすることにより、そうであることを示すことができ、この場合に、タグは、後続のアドバタイズメントメッセージがペイロードの第２の部分を含み得ることを表す。
【０２９０】
言い換えれば、通信セッション７６０によれば、分析物および／または他のデータを表示デバイス３１０および／またはパートナデバイス３１５に通信する目的で、動作１０６５ａに関連してアドバタイズメントメッセージが伝送され得る。アプリケーションキーを使用してペイロードを暗号化すると、通信セッション７６０中に実行される認証手順がない場合でも、プライバシー／セキュリティが維持され得る。同様に、ペイロードがアドバタイズメントメッセージに含まれているため、データ接続要求およびデータ伝送処理（例えば、図７Ａを参照すると、それぞれ動作１００５ｂおよび１００５ｄ）がまた、バイパスまたは回避され得る。このようにして、通信セッション７６０に従って交換されるメッセージの数（よって電力消費）は、他の通信セッションと比較して削減され得る。加えて、例えば、パートナデバイス３１５が分析物センサシステム３０８への専用接続を維持し、コマンドおよび制御信号（例えば、センサセッションに関連する較正コマンド）を分析物センサシステム３０８に送信する許可を有する唯一のデバイスとして機能する場合でも、分析物および他のデータが表示デバイス３１０に提供されてもよい。
【０２９１】
図７Ｃをさらに参照すると、通信セッション７６０はまた、動作１０６５ｂで、肯定応答（ＡＣＫ）メッセージを送信することにより、表示デバイス３１０および／またはパートナデバイス３１５が動作１０６５ａ中に送信されたアドバタイズメントメッセージ（複数可）の受信に肯定応答することを含み得る。いくつかの場合において、この肯定応答は、分析物センサシステム３０８と肯定応答する表示デバイス３１０および／またはパートナデバイス３１５との間のデータ接続処理をトリガし得る。例えば、分析物センサシステム３０８は、次いで、表示デバイス３１０および／またはパートナデバイス３１５にＡＣＫを送信し、それによりそれらとの接続を確立してもよい。このデータ接続処理は、例示的な展開では、アプリケーションおよび／または暗号化キー（複数可）の更新、および／または他のデータ、例えば較正データ、タイミング情報、許可の交換、モード制御シグナリングの交換に使用され得る。動作１０６５での通信が完了すると、データ送信は動作１０７５で終了し得る。この時点で、分析物センサシステム３０８の送受信機５１０および／またはプロセッサ５３０が非アクティブ化され得る。図７Ｃでは、これは、一般に、動作１０７５に対応し、ＴＩｎａｃｔｉｖｅ’と付記されている。
【０２９２】
上述したように、断続接続モデルと連続接続モデルとの間には様々なトレードオフが存在し得る。例えば、連続接続モデルを使用すると、いくつかの場合においてバッテリの電力がより速く消費され得るが、信頼性／堅牢性は向上し得る。それゆえ、いくつかの場合において、断続接続モデルに切り替えることが望ましい場合がある。別の例では、複数の接続要求／肯定応答により、断続接続モデルで動作すると、データがドロップ／失われる可能性が高くなる場合がある。それゆえ、いくつかの場合において、連続接続モデルに切り替えることが望ましい場合がある。追加の例では、特定のデバイスの制御／コマンドシグナリング許可は、例えばネットワークトポロジおよび／または動作モードの変更に起因して変更されてもよく、このような場合、接続モデルが変更されてもよい（例えば、図７Ｃを参照して記載した、アドバタイズメントに対するブロードキャスト方式を含む）。
【０２９３】
したがって、本開示の実施形態は、多様な用途、動作条件、およびユーザ／システム選好に対して最適化され得る柔軟かつ適応可能なシステムを提供するために、これらの接続モデル間の切り替えを伴う。適応的に切り替えることにより（自動化された様式によるか、またはユーザ入力に基づくかにかかわらず、両方ともここで検討される）、バッテリ電源の使用量、ならびに伝送効率、データの精度、接続の信頼性／堅牢性を最適化が可能になり得る。加えて、例示的な実施形態に従って、デバイスの性能および挙動を経時的に追跡し、様々な接続モデルが好ましい場合がある状況に関して最適化プロファイルを発展させるために使用することができる。
【０２９４】
いくつかの場合において、様々な基準に応じて、接続モデルを自動で切り替え得る。例えば、接続モデルは、分析物センサシステム３０８に接続されている表示デバイス３１０および／またはパートナデバイス３１５のタイプに応じて設定されてもよい。例えば、接続モデルは、使用されている表示デバイス３１０の数に基づいて設定されてもよく、例えば、単一の専用装置が使用されている場合（例えば、所定の時間量）、システムが連続接続モデルに切り替わってもよい。または、多くの表示デバイス３１０が使用されている場合、多数の表示デバイス３１０が通信セッション７４０を利用してもよい。別の例において、接続モデルは、分析物センサシステム３０８、表示デバイス３１０、および／またはパートナデバイス３１５の現在のまたは予測されるバッテリ寿命に基づいて切り替えられ得る。また、交換された信号の品質を使用して、接続モデル間の切り替えが適切かどうかを判定し得る。さらに、接続モデルの切り替えは、分析物センサシステム３０８、パートナデバイス３１５、および／または表示デバイス３１０の時刻および／または位置に基づき得る。切り替えは、表示デバイス３１０、パートナデバイス３１５、および／または分析物センサシステム３０８（例えば、モード制御シグナリングを使用して）によって開始され得る。
【０２９５】
実施形態において、スイッチは、ユーザ入力に基づいてもよく、または半自動であってもよい。例えば、ユーザは、表示デバイス３１０のユーザインターフェース４３５によって提供されるＧＵＩを操作して、スイッチを実装することができる。別の例では、スイッチは自動的に、またはユーザの介入なしに（例えば、パートナデバイス３１５によって、またはそれに応答して）トリガされ、次いで、ユーザインターフェース４３５のＧＵＩを介してプロンプトが表示デバイス３１０上でユーザに提示されることをトリガしてもよい。次いで、ユーザはスイッチを承認または拒否し得る（それゆえ、スイッチを半自動にすることができる）。プロンプトは、現在使用されている接続モデル、提案された切り替えの理由、および、いくつかの場合における、提案された切り替えを拒絶および／または受け入れた結果、に関する情報を提供し得る。他の例では、プロンプトがユーザに提供されなくてもよい。
【０２９６】
ここで図７Ｄに移ると、本開示の実施形態は、本明細書に記載の（例えば、図７Ａ〜７Ｃを参照して）多様な接続モデルを使用して一種のメッシュネットワークを構成および／またはセットアップすることを伴う。例えば、表示デバイス３１０および／またはパートナデバイス３１５（および／または、複数の、いずれかのデバイス）は、異なる接続モデルを使用して分析物センサシステム３０８と接続することができる。図７Ｄおよび示されたシステム３０４の例を参照すると、分析物センサシステム３０８は、通信媒体３０５（図２Ｂを参照）を介して表示デバイス３１０および／またはパートナデバイス３１５に接続可能であってもよい。さらに、表示デバイス３１０およびパートナデバイス３１５は、（再び図２Ｂを参照して）通信媒体３０５を介して互いに接続可能であってもよい。ここでは通信媒体３０５を参照しているが、追加の通信媒体および／またはリンクを、本明細書に記載のメッシュ状ネットワーク、および／または様々な接続モデルの使用（例えば、通信媒体３０５ａ、３０５ｂ、など、図２Ｂを参照）に、含めることができることが理解されるであろう。
【０２９７】
再び図７Ｄを参照すると、例えば、分析物センサシステム３０８とパートナデバイス３１５との間で通信セッション７４０を使用することができるのに対して、同時に、一方側の表示デバイス３１０と他方側の分析物センサシステム３０８との間で異なる通信セッション（例えば７２０、７６０など）を使用することができる。さらにまた、表示デバイス３１０とパートナデバイス３１５との間でさらに別の通信セッションを使用することができる。図７Ｄは、システム３０４に関連して、分析物センサシステム３０８が、接続Ａおよび接続Ｂとして例示として表された、様々な通信媒体（例えば、通信媒体３０５）および／または接続モデル（例えば、図７Ａ〜図７Ｃを参照してさらに詳細に記載するように、断続接続モデル、連続接続モデルなど、）を使用して、表示デバイス３１０および／またはパートナデバイス３１５に接続可能であり得ることを示す。加えて、表示デバイス３１０およびパートナデバイス３１５は、ここでは接続Ｃとして例示として表された、様々な通信媒体３０５および／または接続モデルを使用して互いに接続可能であってもよい。連続接続モデルおよび断続接続モデルの特定の詳細については、米国仮特許出願第６２／３６４，７７１号および第６２／４０９，６７７号により詳細に説明されており、これらの全体は参照により本明細書に組み込まれている。
【０２９８】
例えば、表示デバイス３１０およびパートナデバイス３１５が範囲内にあり、かつ分析物センサシステム３０８に接続可能である場合、分析物センサシステム３０８および表示デバイス３１０は、断続接続モデル（例えば、接続Ａ）を使用して分析物センサシステム３０８に接続してもよく、パートナデバイス３１５は連続接続モデル（例えば、接続Ｂ）を使用して分析物センサシステム３０８に接続してもよい。断続接続モデルの下では、一例として、表示デバイス３１０は分析物センサシステム３０８と定期的に接続し、分析物センサシステム３０８とデータを交換し、その後切断する。一例として、連続接続モデルの下で、パートナデバイス３１５および分析物センサシステム３０８は接続を確立し、その後、データ交換中にその接続を維持するために継続的にシグナリングを交換する。さらなる例として、断続接続モデルでは、後続の定期的な接続の間に、他のデバイスが分析物センサシステム３０８に接続するか、または表示デバイス３１０と同時に接続しようとする可能性があり、表示デバイス３１０が分析物センサシステム３０８と再接続する際に失敗する可能性がある（多様な他の状況もこれにつながる可能性がある）。対照的に、通常は重大なイベントがない限り、連続接続モデルの下では、パートナデバイス３１５と分析物センサシステム３０８との間の接続は維持され、中断されない可能性が高い。このようにして、パートナデバイス３１５は、分析物センサシステム３０８とのより信頼性が高く優先順位付けされた接続を維持することができ、結果としてより良いサービス品質を有することができる。したがって、例えば、パートナデバイス３１５によるインスリンの自動送達などの患者クリティカルなアプリケーションでは、パートナデバイス３１５と分析物センサシステム３０８との間のように連続接続モデルが好ましい場合があり得る。
【０２９９】
図７Ｄをさらに参照すると、パートナデバイス３１５および表示デバイス３１０は、本明細書に記載の任意の接続モデルを使用して、接続Ｃを介した通信を維持し得る。それゆえ、パートナデバイス３１５は、薬剤送達データおよび他の情報を表示デバイス３１０と直接共有することができる。ここで、分析物センサシステム３０８に接続するために表示デバイス３１０およびパートナデバイス３１５によって使用されるそれぞれの接続モデルが切り替わり得ることがさらに理解されるであろう。また、表示デバイス３１０およびパートナデバイス３１５の両方が、断続的接続モデルまたは連続的接続モデルを使用して分析物センサシステム３０８に接続できることが理解されるであろう。また、実施形態において、分析物センサシステム３０８、表示デバイス３１０、およびパートナデバイス３１５のうちの１つ以上が、システム３０４の接続Ａ、接続Ｂ、および／または接続Ｃのいずれかに対して通信セッション７６０のアドバタイズメントブロードキャスト接続スキームを使用し得ることが理解され、本明細書に記載される。
【０３００】
一方側の分析物センサシステム３０８と他方側の表示デバイス３１０および／またはパートナデバイス３１５との間に使用される接続モデルに関係なく、表示デバイス３１０およびパートナデバイス３１５は、断続接続モデル、連続接続モデル、および／または通信セッション７６０のアドバタイズメントブロードキャスト接続スキーム（図７Ｃを参照）のいずれかを使用して互いに接続することができる。さらに、使用される通信媒体および／または接続モデルのいずれか（例えば、接続Ａ、接続Ｂ、および接続Ｃ）は、後続の通信セッション中を含め、接続確立後に異なる接続モデルに切り替えることができる。
【０３０１】
Ｈ．警告の概要
特定の実施形態では、１つ以上の警告、アラーム、および／または通知（いくつかの場合において、単に「警告」）は、分析物センサシステム３０８、表示デバイス３１０、および／またはパートナデバイス３１５に関連付けられる。例えば、警告は、それぞれの警告がいつトリガされたかを示す１つ以上の警告条件を伴い得る。警告は、分析物センサシステム３０８を使用して生成された分析物データの特性に基づいてトリガされ得る。例えば、血糖降下警告は、最小グルコースレベルを示す警告条件を含んでもよい。警告条件はまた、トレンドデータなどの変換されたセンサデータ、および／または複数の異なるセンサからのセンサデータに基づき得る（例えば、警告は、グルコースセンサと温度センサとの両方からのセンサデータに基づき得る）。例えば、血糖降下警告は、警告をトリガする前に存在しなければならないホストのグルコースレベルの最小必要トレンドを示す警告条件を含んでもよい。本明細書で使用される「トレンド」という用語は、一般に、例えば連続グルコースセンサからの較正またはフィルタリングされたデータなどの、経時的に取得されるデータの何らかの属性を示すデータを指す。トレンドは、変換済みまたは未加工のセンサデータを含む、センサデータなどのデータの振幅、変化率、加速度、方向などを示し得る。
【０３０２】
実施形態において、警告は、パートナデバイス３１５で監視または検出されるイベントまたは状態に基づいてトリガされ得る。例えば、パートナデバイスに機械的またはその他の障害があると（例えば、自己診断に基づいて）判定されると、警告がトリガされる。パートナデバイス３１５がインスリンポンプである例示的な実装形態では、閉塞などのポンプ障害に基づいて警告がトリガされ得る。実施形態では、パートナデバイス３１５がインスリンをユーザに送達していないか、または計算された投与量に従って（例えば、分析物データに基づいて）インスリンを送達しなかった場合、警告がトリガされ得る。
【０３０３】
特定の実施形態では、警告のそれぞれは、警告のトリガに応答して実行されることとなっている１つ以上のアクションに関連付けられている。警告アクションは、例えば、分析物センサシステム３０８のディスプレイに情報を表示する、分析物センサシステム３０８の可聴または振動アラームをアクティブにするなど、分析物センサシステム３０８のユーザインターフェースを介してアラームをアクティブにすることを含み得る。実施形態において、警告動作は、ユーザインターフェース４３５および／または６３５（図４および５Ｂを参照）を介して警告が提供され得るように、１つ以上の表示デバイス３１０および／またはパートナデバイス３１５にデータを伝送することを含む。トリガされた警告に関連付けられている警告アクションの場合、１つ以上の配信オプションが、伝送されるデータのコンテンツおよび／またはフォーマット、データが伝送できる宛先デバイス、データが伝送できるタイミング、および／またはデータの配信に使用され得る通信プロトコルを定義し得る。例えば、警告の伝播は、パートナデバイス３１５に優先順位付けされてもよい。しかし、実施形態では、分析物データの集取および使用に関連して使用される可能性のある接続されたデバイスの数に起因して、ユーザに警告が殺到する可能性がある。このような場合、例えば、事前定義され得る、ネットワークトポロジに基づいて適応可能であり得る、および／またはユーザ選好に基づき得る、エスカレーションスキームに従って、ユーザのデバイス全体で警告および通知を協調させると有益であり得る。
【０３０４】
特定の実施形態では、複数の警告アクション（各々がそれぞれの配信オプションを有する）が単一の警告に関連付けられ得ることにより、単一の警告のトリガに応答して、例えば、異なるコンテンツおよびフォーマットを有する表示可能なセンサ情報または他の警告情報を、それぞれの表示デバイス３１０および／またはパートナデバイス３１５または他のデバイスに伝送できるようにすることができる。例えば、携帯電話は最小限の表示可能なセンサ情報を含むデータパッケージ（携帯電話での表示用に特別にフォーマットされ得る）を受信し得るのに対して、デスクトップコンピュータは、一般の警告のトリガに応答して分析物センサシステム３０８のセンサ電子モジュールによって生成される表示可能なセンサ情報のほとんど（またはすべて）を含むデータパッケージを受信し得る。有利なことに、センサ電子モジュールは、単一の表示デバイス３１０に結び付けられる必要はなく、むしろ複数の異なる表示デバイス３１０と直接に、体系的に、同時に（例えば、ブロードキャストを介して）、規則的に、定期的に、ランダムに、オンデマンドで、クエリに応答して、警告またはアラームに基づいて、などで通信するように構成できる。
【０３０５】
実施形態では、分析物センサシステム３０８は、１つ以上の異なるアラームを直接に、および／または１つ以上の表示デバイス３１０によってアラームが開始されるべきであることを示すデータパッケージの送信を介して（例えば、順次および／または同時に）、提供するように構成される。特定の実施形態において、分析物センサシステム３０８は、警告条件が存在することを示すデータフィールドを単に提供し、表示デバイス３１０は、アラーム条件の存在を示すデータフィールドを読み取ると、アラームをトリガすることを決定し得る。いくつかの実施形態では、センサ電子モジュールは、トリガされる１つ以上の警告に基づいて、１つ以上のアラームのうちのいずれをトリガするかを決定する。例えば、警告トリガが重度の低血糖を示す場合、分析物センサシステム３０８は、センサ電子モジュールに対する警告をアクティブ化する、ディスプレイに対するアラームのアクティブ化を示すデータパッケージを監視デバイスに伝送する、およびケア提供者にテキストメッセージとしてのデータパッケージを伝送するなどの、複数のアクションを実行できる。
【０３０６】
実施形態において、分析物センサシステム３０８は、ホストがトリガされた警告に応答する時間を待ち（例えば、分析物センサシステム３０８および／または表示デバイス３１０上のスヌーズおよび／またはオフ機能および／またはボタンを押すまたは選択することにより）、その後、１つ以上の警告に応答するまで、追加の警告をトリガできる（例えば、段階的に）、ように構成される。実施形態において、分析物センサシステムは、インスリンポンプなどのアラーム条件（例えば、低血糖）に関連付けられたパートナデバイス３１５に制御信号（例えば、停止信号）を送信するように構成でき、停止警告は、ポンプによるインスリン送達の停止をトリガする。警告を提供および／またはトリガするように分析物センサシステムを構成することについて上記で言及したが、表示デバイス３１０および／またはパートナデバイス３１５は、追加的または代替的に警告を提供および／またはトリガし得ることを理解されたい。
【０３０７】
Ｉ．パートナデバイスの接続性の統合
図８は、例えば、無線分析物（例えば、グルコース）監視に関連して、また、場合によっては、例えば、薬剤の提供を含む糖尿病管理のために使用され得るシステム８００を描いている。システム８００は、分析物データ、薬剤送達データ、糖尿病管理フィードバックおよび関連するガイダンスおよびサービス、警告／通知、制御シグナリング、および他の情報などの、情報の通信および交換のための１つ以上の有線および／または無線接続を介して相互接続される様々な構成要素を伴い得る。
【０３０８】
図８に例として示すように、システム８００の実施形態は、１つ以上の分析物センサシステム３０８、表示デバイス３１０ａ、３１０ｂ、および／または３１０ｃ、パートナデバイス３１５、サーバシステム３３４ａおよび／または３３４ｂ、および、サーバシステム３３４ａおよび／または３３４ｂを介して提供され得るサービス８０５を含む。ここで、実施形態では、サーバシステム３３４ｂは、パートナデバイス３１５と関連付けられてもよく、および／またはパートナデバイス３１５の製造者または提供者によって維持されてもよく、サーバシステム３３４ａは、分析物センサシステム３０８と関連付けられてもよく、および／または分析物センサシステム３０８の製造者または提供者によって維持されてもよいことに留意されたい。加えて、実施形態サービス８０５は、一方側の分析物センサシステム３０８と他方側のパートナデバイス３１５との製造者／提供者によりそれぞれ、サポート、維持、促進、および／または提供される別個のサービスに分割されてもよい。それゆえ、サーバシステム３３４ａおよび３３４ｂの両方または一方は、サービス８０５（例えば、バックエンドクラウドサービス）を受信するためのゲートウェイを提供し得る。パートナデバイス３１５の製造者のためにのみサポートされるサービス８０５（例えば、いくつかの場合において、インスリンポンプ関連情報、警告、誤作動サポートなど）については、このようなサービス８０５は、サーバシステム３３４ｂを介して提供され得る。分析物センサシステム３０８の製造者のためにのみサポートされるサービス８０５（例えば、いくつかの場合において、別の個人／エンティティが表示デバイス３１０のユーザに分析物データを監視する機能を提供する）について、このようなサービス８０５は、この例では、サーバシステム３３４ａを介して提供され得る。実施形態において、サービス８０５は、サーバシステム３３４ａおよび３３４ｂの両方を利用し得る（例えば、いくつかの場合において、別の個人／エンティティが表示デバイス３１０およびパートナデバイス３１５のユーザに分析物データおよびインスリン投与データを監視する能力を提供する）。クラウドサーバ、例えばサーバシステム３３４ａ／３３４ｂを介して提供され得るリモートサービスの追加の態様については、以下で説明する。
【０３０９】
図８に示されるものの特定の前述の構成要素および特徴については、例えば、図１、図２Ａ、図２Ｂ、図３Ａ〜図Ｃ、図４、図５Ａ、図５Ｂ、図６、および図７Ａ〜図Ｄを参照して大部分を上述した。構成要素システム８００は、図８に示すように、様々なリンク８０２ａ〜ｄ、８０４ａ〜ｂ、８０６ａ〜ｂ、８０８ａ〜ｂ、および８１０によって相互接続でき、これらのリンクは各々、通信目的で、通信媒体３０５を使用して実装できる。リンク８０２ａ〜ｄ、８０４ａ〜ｂ、８０６ａ〜ｂ、８０８ａ〜ｂ、および８１０は、例えば、ポイントツーポイント、ブロードキャスト、マルチキャストなどを含む任意のタイプの通信リンクであり得ることを理解されたい。実施形態に関して、システム８００に示される同様の番号は上述の方式で実装され得ることを理解されたい。
【０３１０】
図９Ａは、例えば、無線分析物（例えば、グルコース）監視に関連して、また、場合によっては、例えば、薬剤の提供を含む糖尿病管理のために使用され得るシステム９００を描いている。システム９００は、分析物データ、薬剤送達データ、糖尿病管理フィードバックおよび関連するガイダンスおよびサービス、警告／通知、制御シグナリング、および他の情報などの、情報の通信および交換のための１つ以上の有線および／または無線接続を介して相互接続される様々な構成要素を伴い得る。システム９００の実施形態は、分析物センサ３０８、携帯電話９１０ａ、分析物表示デバイス９１０ｂ、および／またはウェアラブルデバイス９１０ｃを含む表示デバイス９１０、薬剤送達デバイス９１５ａ、第１のインスリンポンプ９１５ｂ、第２のインスリンポンプ９１５ｃ、およびインスリンペン９１５ｄを含み得るパートナデバイス９１５、および／または、ミラー９１０ｄ、車両９１０ｅ、および／またはキーフォブ９１０ｆを含み得る表示デバイス９１０’、のうちの１つ以上を含む。図９Ａに示す例示的な実装形態では、これらの構成要素は、パーソナルエリアネットワーク（ＰＡＮ）９０２の一部となるように構成され、図９Ａに示すように、リンク９０６ａ〜ｊ、９０８、９１６、および９１８によって相互接続され、この場合に、これらのリンクは各々、通信目的で通信媒体３０５を使用して実装できる。ＰＡＮ９０２は、少なくともＢＬＥ、Ｗｉ−Ｆｉなどのうちの１つ以上を使用し得る。
【０３１１】
システム９００はまた、ＰＡＮ９２０内の１つ以上のデバイスに（例えば、リンク９１４を介してミラー９１０ｄに）結合されたルータ９２０ａを含み得るが、すべての可能なリンクが明示的に示されているわけではない。次に、ルータ９２０ａは、リンク９２２を介してサーバ（複数可）９２０（ｂ）（例えば、図２Ａを参照するとサーバシステム３３４）に結合されてもよく、当該サーバ９２０（ｂ）は、リンク９２４を介してセルネットワーク９２０ｃ（例えば、４Ｇ  ＬＴＥネットワークなど）に結合され得る。セルネットワーク９２０ｃはまた、リンク９２６を介して、携帯電話９１０ａなどのＰＡＮ９０２内のセルラ対応デバイスに結合され得る。実施形態では、図９Ａに示すデバイスのいずれかは、セルラ対応であり、それゆえ、セルネットワーク９２０ｃおよび／またはＷＡＮ９０４またはその要素に直接結合可能であり得る。例えば、分析物センサシステム３０８は、セルラまたは他のより長距離の無線構成要素を装備してもよく、それゆえ、セルネットワーク９２０ｃおよび／またはＷＡＮ９０４またはその要素に直接結合され得る。図９Ａに示すように、ルータ９２０ａ、サーバ（複数可）９２０ｂ、およびセルネットワーク９２０ｃは、広域ネットワーク（ＷＡＮ）９０４の一部となるように構成され得る。リンク９１４、９２２、９２４、および９２６は、通信媒体３０５を使用して実装され得る（例えば、有線または無線などであり得る）。ＷＡＮ９０４は、一般に、ＰＡＮ９０２内の１つ以上のデバイスにクラウドサービスを提供し得る。ここでも、ＷＡＮ９０４内のデバイスとＰＡＮ９０２内のデバイスとの間のすべての可能なリンクが明示的に示されているわけではないが、それらは本開示を検討することで当業者に理解されるであろう。いくつかの場合において、ＷＡＮ９０４の要素がＰＡＮ９０２に組み込まれてもよく、その逆であってもよいことも理解されたい。
【０３１２】
システム９００のいくつかの前述の構成要素およびその特徴を、少なくとも、例えば、図１、図２Ａ、図２Ｂ、図３Ａ〜図Ｃ、図４、図５Ａ、図５Ｂ、図６、および図７Ａ〜図Ｃを参照して上述した。当業者は、本開示を検討することにより、これらの構成要素の上記の説明がここで適用可能であり得る場所および方法、それが本明細書で明示的に伝えられるかどうかを認識するであろう。
【０３１３】
システム９００に関して、システム９００がパートナデバイス９１５を含む場合に、２つの例が、無線分析物監視および／または糖尿病管理のために、システム９００の上掲の構成要素の特定の配置および／または実装形態を推進し得る。第１の例は、パートナデバイス９１５による（例えば、薬剤送達デバイス９１５ａによる）薬剤（例えば、インスリン）送達を伴わない。この例の下で、実施形態では、システム９００は、分析物センサシステム３０８、コマンド／制御信号を分析物センサシステム３０８に送信する権限を与えられた１つ以上の表示デバイス９１０、９１０’（例えば、携帯電話９１０ａおよび／または分析物ディスプレイ９１０ｂ）、ならびに表示専用状態にあるように構成された１つ以上の表示デバイス９１０、９１０’（例えば、ウェアラブルデバイス９１０ｃおよび／またはキーフォブ９１０ｆ）を含む。実施形態において、この例は、表示デバイス９１０ａおよび９１０ｂ（例えば、図１を参照すると、スマートフォン１２０などおよび分析物表示デバイス１１０）がコマンド／制御状態で動作すること、および１つ以上の表示デバイス９１０、９１０’が表示専用状態で動作すること（例えば、キーフォブ９１０ｆおよびスマートミラー９１０ｄまたはウェアラブルデバイス９１０ｃなど）を伴う。
【０３１４】
第２の例は、第１の例とは異なり、パートナデバイス９１５のうちの少なくとも１つ（例えば、薬剤送達デバイス９１５ａ）による薬剤（例えば、インスリン）送達を伴う。この例の薬剤送達装置９１５による薬剤送達は、自動化されてもされなくてもよい（例えば、自動インスリンポンプまたは非自動インスリンペン）。薬剤を送達する薬剤送達デバイス９１５ａがシステム９００の一部であるこの第２の例では、どのデバイス（例えば、薬剤送達デバイス９１５、分析物センサシステム３０８、および／または表示デバイス９１０、９１０’）が、例えば、ＣＧＭ値などの計算を含めて分析物データの生成を制御／管理し得るかに関する相互運用性の問題が導入され得る。
【０３１５】
この第２の例に関して、相互運用性の観点から様々なパートナデバイス９１５の潜在的に変化する先験的未知システム要件６５０（例えば図５Ｂを参照）を柔軟かつ適応的にサポートするために、このようなパートナデバイス９１５はシステム９００の他の構成要素（例えば、表示デバイス９１０、９１０’および／または分析物センサシステム３０８など）の製造者／開発者とは異なる様々な製造者／開発者によって提供されてもよく、いくつかの場合において薬剤送達装置９１５ａ（または同様のパートナデバイス９１５）は、リンク９０６ａ〜ｇを介して分析物センサシステム３０８と表示デバイス９１０、９１０’との間のデータ交換を制御できなければならない。このような制御は、例えば、表示デバイス９１０、９１０のユーザ（例えば、携帯電話９１０ａを使用してリンク９１６を介して薬剤送達デバイス９１５に制御の権限が与えられる、電話９１０ａのユーザ）によって提供され得る。
【０３１６】
実施形態では、通信セッションおよび／またはセンサセッションの態様も制御されるべきである（例えば、パートナデバイス９１５、分析物センサシステム３０８、および／または表示デバイス９１０、９１０’は、このようなシグナリングが分析物データに関連する場合を含めて、いくつかの場合において、コマンド／制御シグナリングを制限できなければならない）。例えば、薬剤送達デバイス９１５ａがインスリン送達に使用される場合、分析物センサシステム３０８へのコマンドシグナリングの伝送は、システム９００内の特定のデバイスのみに制限されてもよい。特定のパートナデバイス９１５は、いくつかの場合において、例えば、比較的高い干渉環境で精度を維持するという点で、一般的に堅牢性が低い場合がある。このような場合、例えば、薬剤送達デバイス９１５ａのシステム要件６５０に起因して、表示デバイス９１０、９１０’が、例えば、センサセッションの開始、停止、較正に関連して制御／コマンドシグナリングの送信を制限されている場合、薬剤送達デバイス９１５ａが分析物センサシステム３０８から分析物データを不正確に受信する確率が低減され得る。例えば、このようなシグナリングは、例えばそのシステム要件６５０によって反映され得るように、分析物センサシステム３０８が、薬剤送達９１５ａに関して適合性がないか、最適でないまたは好ましくない様式で動作することをもたらし得る。実施形態では、デバイスタイプに基づいて、および／またはシステム９００の動作モードに基づいて、システム９００内の特定のデバイスのみに制御／コマンド信号を送信する権限を委任することが有益であり得る。実施形態では、ＰＡＮ９０２またはＷＡＮ９０４にあるかどうかにかかわらず、システム９００との間でデバイス（例えば、パートナデバイス９１５および／または表示デバイス９１０、９１０’）を柔軟に追加または削除して、このようなデバイスの分析物センサシステム３０８へのアクセスを管理すること、および／またはシステム９００内の様々なこのようなデバイスおよび他のデバイスにわたって警告がどのように伝播するかを管理することが、有益であり得る。
【０３１７】
実施形態では、また、安全性および／または堅牢性の目的で、警告設定を制御する手段を提供することは、システム９００（例えば、薬剤送達デバイス９１５ａを含む）にとって有益であり得る。実施形態において、文字通りに、または電力などのシステム制約に起因して、および／または本明細書で説明するＰＡＮ９０２および／またはＷＡＮ９０４の他のネットワーク条件／構成に応じて、のいずれかにかかわらず、特定のリンクが利用できなくなった場合（例えば、分析物センサシステム３０８と薬剤送達デバイス９１５ａとの間のリンク９０６ｄ、携帯電話９１０ａとセルネットワーク９２０ｃとの間のリンク９２２など）、システム９００の態様を適応的に変更することが有益であり得る。加えて、いくつかの場合において、分析物センサシステム３０８との接続を確立することを試行するパートナデバイス９１５を認証し、および／または無権限のパートナデバイス９１５が分析物センサシステム３０８にアクセスすることを防止することが有益である。
【０３１８】
したがって、本開示の実施形態は、分析物センサシステム３０８、表示デバイス９１０、９１０’および／またはパートナデバイス９１５のより柔軟／適応可能なシステム、ならびにその使用方法を提供し、このような柔軟性／適応性は、分析物センサシステム３０８の構成パラメータ５２０、システム９００を通じて伝播する可能性のある警告／アラーム、表示デバイス９１０、９１０’および／またはパートナデバイス９１５の制御／コマンド機能、システム９００内のデバイス相互間で使用される接続モデルなどを、設定または修正することを含み得る。実施形態では、分析物センサシステム３０８を使用して実装され得る糖尿病管理パートナインターフェース（ＤＭＰＩ）７５０を少なくとも部分的に使用して、柔軟性／適合性を促進する。さらに詳細に説明するように、実施形態では、例えばパートナデバイス９１５を含む、システム９００内の様々なデバイスは、ＤＭＰＩ７５０を利用して、分析物センサシステム３０８の構成パラメータ５２０にアクセス／修正し、および／またはその態様、および／または、例えばパートナデバイス９１５（例えば、薬剤送達デバイス９１５ａ）のシステム要件６５０に従う動作のための、表示デバイス９１０、９１０’の態様を、（再）構成することができる。例えば、システム要件６５０は、薬剤送達デバイス９１５ａに適用可能な安全性および／または規制要件、ユーザエクスペリエンスの構成／設定／制約、電力消費仕様／制約などに基づいて推進されてもよい。システム要件６５０を使用して、パートナデバイス９１５および／または表示デバイス９１０、９１０’に伝送されるデータパッケージのフォーマット、ならびに、パートナデバイス９１５および／または表示デバイス９１０、９１０’のそれぞれの選好／仕様／などに基づいてこのようなデータパッケージを伝送するために使用されるプロトコルを、決定してもよい。
【０３１９】
図９Ａをさらに参照して、システム９００内に様々なパートナデバイス９１５を伴う例示的な実施形態について、ここで記載する。以下に記載する例示的な実装形態では、システム９００は、３つのパートナデバイス９１５、すなわち、第１のインスリンポンプ９１５ｂ、第２のインスリンポンプ９１５ｃ、およびインスリンペン９１５ｄを伴い得る。一般に、これらの３つのパートナデバイス９１５は各々、３つのパートナデバイス９１５の特定のそれぞれのシステム要件６５０（図５Ｂを参照）に反映され得る異なる機能および性能特性を有し得、３つのパートナデバイス９１５の各々は、分析物センサシステム３０８のＤＭＰＩ７５０（例として図１０Ａを参照）を使用して、それぞれのシステム要件６５０に従って分析物センサシステム３０８の構成パラメータ５２０を修正し得る。このようにして、分析物センサ３０８は、第１および第２のインスリンポンプのいずれか一方とインスリンペンとのより良好な相互運用性に適合することができ、常にいずれかのパートナデバイス９１５が分析物センサシステム３０８および／またはシステム９００内に接続している。本開示を検討すると、第１のインスリンポンプ９１５ｂ、第２のインスリンポンプ９１５ｃ、およびインスリンペン９１５ｄのこの説明は、薬剤送達デバイス９１５ａおよび同様のデバイスを含むパートナデバイス９１５の任意の例に等しく適用できることが理解されるであろう。
【０３２０】
例示の目的で、これらの例示的な実装形態における第１および第２のインスリンポンプ９１５ｂ、９１５ｃおよびインスリンペン９１５ｄのそれぞれの特性に関して、さらなる詳細を提供する。例として、第１のインスリンポンプ９１５ｂは、薬剤投与のための比較的堅牢なアルゴリズムを有してもよく、より大きな（またはより高い容量の）バッテリまたは電源を有してもよく、血糖較正が１２時間ごとに行われることを必要とし得る。第１のインスリンポンプ９１５ｂの比較的堅牢なアルゴリズムは、本質的に、このような干渉が、接続確立中の干渉、または分析物センサシステム３０８へのコマンドシグナリングの送信に付随する干渉を伴い得る場合を含めて、表示デバイス９１０、９１０’などの分析物センサシステム３０８への接続を試行し得る他のデバイスからの干渉を比較的受けにくい場合があることを意味し得る。例えば、第１のインスリンポンプ９１５ｂのアルゴリズムは、より広い範囲の構成パラメータ５２０にわたってより良好に動作することが可能であってもよく、他のデバイスによって開始される較正および開始／停止イベントをより良好に処理することが可能であってもよい。１２時間の血糖較正要件は、第１のインスリンポンプの精度制約を反映し得る（そして、例えば、第１のインスリンポンプ９１５ｂのシステム要件６５０に反映できる）。
【０３２１】
さらなる例として、第２のインスリンポンプ９１５ｃは、薬剤の投与に使用される比較的堅牢性が低いアルゴリズムを有してもよく、血糖精度較正に関して制約が少なくてもよい（例えば、工場較正精度レベルを使用することが可能であり得る）、そして、サーバ９２０ｂによって提供されるリモートサービスをサポートしてもよい（例えば、セルネットワーク９２０ｃを介したサーバ９２０ｂへの接続／リンクを介して（図９Ａにはリンクは示されていない）、ルータ９２０ａを介して間接的に（リンクは同様に示されていない）、または例えば携帯電話９１０ａを介して間接的に）。第２のインスリンポンプ９１５ｃの比較的堅牢性が低いアルゴリズムは、第２のインスリンポンプ９１５ｃが、システム９００内の他のデバイスが分析物センサシステム３０８との接続を確立するために競合している可能性があり、かつ／または他のデバイスにコマンド／コントロールシグナルを送信している可能性がある場合に、高い干渉環境内で十分に動作するように設計されたことを本質的に意味し得る。
【０３２２】
例示的な例を続けると、インスリンペン９１５ｄは、ユーザ入力を受信するためのハード／ソフトキーを有してもよく、単純なユーザインターフェースを含んでもよく、その両方を、例えばユーザインターフェース６３５（図５Ｂを参照）によって表すことができる。インスリンペン９１５ｄは、例えば、分析物センサシステム３０８から分析物データを読み取り、かつ分析物センサシステム３０８とインスリン関連情報（例えば、投与量に関連する）を共有するために、分析物センサシステム３０８とデータを照会および共有するようにさらに適合され得る。
【０３２３】
第１のインスリンポンプ９１５ｂおよび第２のインスリンポンプ９１５ｃおよびインスリンペン９１５ｄに関する上記の例示的な情報が与えられると、システム９００を柔軟に適応させるためにＤＭＰＩ７５０をどのように使用し得るかの例示的なシナリオを、ここで提供する。第１の例示的なシナリオは、第１のインスリンポンプ９１５ｂを分析物センサ３０８とともに使用することを伴い得る。第１のインスリンポンプ９１５ｂおよび分析物センサシステム３０８が使用のために構成されると（例えば、ユーザに適用され、電源が投入されるなど）、第１のインスリンポンプ９１５ｂが、分析物センサシステム３０８を制御し、かつユーザへの薬剤の投与を開始するためのユーザの許可が要求され得る。例えば、このような要求は、分析物センサシステム３０８および／または第１のインスリンポンプに接続され得る携帯電話９１０ａ（図４を参照）のユーザインターフェース４３５を介して、第１のインスリンポンプ９１５ｂのユーザインターフェース６３５を介して（図５Ｂを参照）、および／または分析物センサシステム３０８のユーザインターフェースを介して、ユーザに提供され得る。ユーザが要求を許可する場合、第１のインスリンポンプ９１５ｂのシステム要件６５０に従って、第１のインスリンポンプ９１５ｂはＤＭＰＩ７５０を使用して分析物センサシステム３０８の構成パラメータ５２０にアクセスして構成パラメータ５２０を設定および／または変更し得る（例えば、図１０Ａを参照）。
【０３２４】
この例では、第１のインスリンポンプ９１５ｂがＤＭＰＩ７５０を介して構成パラメータ５２０にアクセスする観点で、第１のインスリンポンプ９１５ｂの開発者は、製品がユーザに販売または提供される前に、すでにポンプ９１５ｂを分析物センサシステム３０８と統合およびテスト済みであってもよい。このようにして、第１のインスリンポンプ９１５ｂは、第１のインスリンポンプ９１５ｂがＤＭＰＩ７５０および構成パラメータ５２０を適切に操作することを可能にする命令、コード、または他のファイルを記憶装置６１５に含むことができる。実施形態において、このような命令は、分析物センサシステム３０８に関連付けられたソフトウェア設計キットをダウンロードおよび／またはインストールすることにより、第１のインスリンポンプ９１５ｂにより取得され得る。例えば、インスリンポンプ９１５ｂは、このような命令または他の情報をサーバ９２０ｂおよび／またはＷＡＮ９０４またはその要素から取得してもよい。
【０３２５】
例として、第１のインスリンポンプ９１５ｂは、ＤＭＰＩ７５０を使用して、構成パラメータ５２０の１つ以上の無線接続性パラメータを変更することができる。無線接続性パラメータは、分析物センサシステム３０８によって維持されるデバイスのアクセシビリティに関連する情報（例えば、ホワイトリスト）を含む／記憶するデータベースに関連する設定を含むことができ、第１のインスリンポンプ９１５ｂの電池レベルが特定の閾値（例えば５％）を下回るまで第１のインスリンポンプ９１５ｂがホワイトリストをエージングオフしなくてもよいように、第１のインスリンポンプ９１５ｂは、例えば、このようなホワイトリスト設定を変更することができる。上述したように、第１のインスリンペン９１５ｂはより大きなバッテリ（例えば、より高いバッテリ容量）を有するため、第１のインスリンポンプ９１５ｂはこの方式で無線接続性パラメータを設定してもよく、例えば何らかの理由で第１のインスリンポンプ９１５ｂが分析物センサシステム３０８から切断されている場合（例えば、範囲外になることにより）、第１のインスリンポンプ９１５ｂが、機会が生じ次第、分析物センサシステム３０８との接続を再確立しようとすることは有益であり得る。
【０３２６】
第１のインスリンポンプ９１５ｂは、ＤＭＰＩ７５０を使用して、例えば、分析物センサシステム３０８がアドバタイズメントメッセージの伝送を停止する前に合計１秒間アドバタイズするように、アドバタイズメントメッセージの伝送のタイムアウト設定などの追加の無線接続性パラメータを設定または変更し得る。すなわち、この例では、アドバタイズメント期間６１４（図６を参照）は１秒に設定されてもよい。第１のインスリンポンプ９１５ｂは、より長い時間アドバタイズすることなく適切である場合（例えば、いくつかの場合において５分であり得るアドバタイズメントウィンドウ間隔６１２ごとに１回）、第１のインスリンポンプ９１５ｂが分析物センサシステム３０８との接続を確実に確立することが可能であり得るように、第１のインスリンポンプ９１５ｂが（例えば、第１のインスリンポンプ９１５ｂの開発者によって、または他の手段によって決定されている場合があるように）比較的正確なスキャンアルゴリズムを有し得るため、この方式で無線接続パラメータを設定し得る。アドバタイズメントウィンドウ間隔６１２を短縮することにより、バッテリ電力を節約することができる。
【０３２７】
さらに、第１のインスリンポンプ９１５ｂは、ＤＭＰＩ７５０を使用して、構成パラメータ５２０の１つ以上のアクセス制御パラメータを変更することができる。アクセス制御パラメータは、例えば、分析物センサシステム３０８が接続を維持することができる表示デバイス９１０、９１０’の数を含むことができ、および／または、例えば、このような表示デバイス９１０、９１０’が分析物センサシステム３０８に対して有し得るアクセスまたは制御のレベルを含むことができる。例として、第１のインスリンポンプ９１５ｂは、制限が課されないようにこれらのアクセス制御パラメータのいずれかまたは両方を設定してもよい。上述したように、第１のインスリンポンプ９１５ｂは、インスリン投与のための比較的堅牢なアルゴリズムを有するため、第１のインスリンポンプ９１５ｂは、この方式でアクセス制御パラメータを設定してもよく、したがって、他のデバイスが較正を送信することなどを防止する必要がない（例えば、なぜなら、第１のインスリンポンプ９１５ｂのアルゴリズムは、このような外部イベントを処理し、それに応じて外部イベントを調整することが可能であり得るからである）。
【０３２８】
加えて、この例の第１のインスリンポンプ９１５ｂは、ＤＭＰＩ７５０を使用して、構成パラメータ５２０の１つ以上の分析物データパラメータを変更してもよい。分析物データパラメータは、分析物センサシステム３０８の較正期間を含んでもよい。例えば、第１のインスリンポンプ９１５ｂは、第１のインスリンポンプ９１５ｂの上述のシステム要件６５０に従って、較正期間を１２時間に設定し得る。
【０３２９】
第２の例示的なシナリオは、第２のインスリンポンプ９１５ｃを分析物センサ３０８とともに使用することを伴い得る。第１のインスリンポンプ９１５ｂを伴う上記の例と同様に、セットアップおよび許可後、第２のインスリンポンプ９１５ｃは、ＤＭＰＩ７５０を使用して、第２のインスリンポンプ９１５ｃのシステム要件６５０（例えば、図１０Ａを参照）に従って、分析物センサシステム３０８の構成パラメータ５２０にアクセスして構成パラメータ５２０を設定および／または修正し得る。前の例と同様に、第２のインスリンポンプ９１５ｃがＤＭＰＩ７５０を介して構成パラメータ５２０にアクセスする観点で、第２のインスリンポンプ９１５ｃの開発者は、製品がユーザに販売または提供される前に、すでにポンプを分析物センサシステム３０８と統合およびテスト済みであってもよい。このようにして、第２のインスリンポンプ９１５ｃは、ＤＭＰＩ７５０および構成パラメータ５２０を適切に操作するように適合され得る。実施形態では、第２のインスリンポンプはまた、構成パラメータ５２０にアクセスする前にＤＭＰＩ７５０を再構成し得る。
【０３３０】
第２の例示的なシナリオに関して、ここではいくつかの状況が想定されている。第１の状況では、インスリン送達デバイスを使用することを決定する際の最初の事として、ユーザは、第１のインスリンポンプ９１５ｂまたはインスリンペン９１５ｄの代わりに第２のインスリンポンプ９１５ｃを選択する。第２の状況では、ユーザは、すでに第１のインスリンポンプ９１５ｂまたはインスリンペン９１５ｄをしばらく使用していた可能性があるが、その後、第２のインスリンポンプ９１５ｃに切り替えることができる。すなわち、第１のインスリンポンプ９１５ｂおよび第２のインスリンポンプ９１５ｃおよび／またはインスリンペン９１５ｄは、必ずしも同時に使用されるとは限らないが、この例は、第１のインスリンポンプ９１５ｂおよび第２のインスリンポンプ９１５ｃおよび／またはインスリンペン９１５ｄが連続して使用される（例えば、ユーザが異なるポンプ製品を使用することを決定するか、第１のポンプ製品が壊れるなど）。パートナデバイス９１５が連続して使用され得ることも理解されたい。
【０３３１】
例として、第２のインスリンポンプ９１５ｃは、ＤＭＰＩ７５０を使用して、例えば、分析物センサシステム３０８がアドバタイズメントメッセージの伝送を停止する前に合計５秒間アドバタイズし得るように、アドバタイズメントメッセージの伝送のタイムアウト設定を含む、分析物センサシステム３０８の無線接続性パラメータを設定または変更し得る。第２のインスリンポンプ９１５ｃは、比較的より長い時間アドバタイズすることなく適切である場合（例えば、いくつかの場合において５分であり得るアドバタイズメントウィンドウ間隔６１２ごとに１回）、第２のインスリンポンプ９１５ｃが分析物センサシステム３０８との接続を確実に確立することが可能でない場合があるように、第２のインスリンポンプ９１５ｃが（例えば、第２のインスリンポンプ９１５ｃの開発者によって、または他の手段によって決定されている場合があるように）比較的不正確なスキャンアルゴリズムを有し得るため、この方式で無線接続パラメータを設定し得る。
【０３３２】
加えて、この例の第２のインスリンポンプ９１５ｃは、ＤＭＰＩ７５０を使用して追加の無線接続性パラメータを変更してもよい。このような無線接続性パラメータは、例えばサーバ９２０ｂによって提供され得るリモート（例えば、クラウドベース）サービス（例えば、図８を参照するとサービス８０５）の使用に関連し得る。例として、第２のインスリンポンプ９１５ｃは、無線接続性パラメータを設定して、このようなリモートサービス（例えば、クラウドベースのサポートモジュール）の使用を可能にし、かつ、分析物センサシステム３０８の範囲内にあり得る、および／または分析物センサシステム３０８に接続可能であり得る表示デバイス９１０、９１０’（例えば、いくつかの場合において表示デバイス９１０、９１０’は表示専用状態／モードにあり得る）に、このようなリモートサービスに関連して受信された糖尿病管理フィードバックを伝送するように、分析物センサシステム３０８を構成し得る。第２のインスリンポンプ９１５ｃは、このような糖尿病管理フィードバックを他の表示デバイス９１０、９１０’などに伝播することが承認されている可能性があるため、第２のインスリンポンプ９１５ｃはこのようにこれらの無線接続性パラメータを設定してもよい。さらに、第２のインスリンポンプ９１５ｃは、リモートサービスが利用できなくなった場合（例えば、例えばサーバ９２０ｂへのリンク９１４、９２２、９２４がまたは９２６などのリンクが失われることにより）、糖尿病管理フィードバック機能を無効にされ得るように、これらの無線接続性を設定し、かつ分析物センサシステム３０８の範囲内および／または分析物センサシステム３０８に接続することができる表示デバイス９１０、９１０’などへの関連通知を設定し得る。
【０３３３】
さらに、第２のインスリンポンプ９１５ｃは、最大３つの表示デバイス９１０、９１０’が表示専用状態またはモードで動作するように、ＤＭＰＩ７５０を使用して、例えば、分析物センサシステム３０８が３つのデバイスに接続できる表示デバイス９１０、９１０’の数を設定することによることと、分析物センサシステム３０８に対するこのような表示デバイス９１０、９１０’のアクセスまたは制御のレベルを設定することによることと、を含む構成パラメータ５２０の１つ以上のアクセス制御パラメータを変更してもよく、このような表示デバイス９１０、９１０’分析物および／またはインスリン送達データ、関連通知／アラーム、および他の情報を表示することが可能であり得るが、分析物センサ３０８に制御／コマンドシグナリングを送信する機能はない。上述したように、第２のインスリンポンプ９１５ｃは、インスリン投与のための比較的堅牢性が低いアルゴリズムを有し得るため、第２のインスリンポンプ９１５ｃは、この方式でアクセス制御パラメータを設定してもよく、したがって、他のデバイスが較正を送信することなどを防止する必要がない（例えば、なぜなら、第２のインスリンポンプ９１５ｃのアルゴリズムは、このような外部イベントを処理し、それに応じて外部イベントを調整することが可能でなくてもよいからである）。
【０３３４】
その上、構成パラメータ５２０に含まれ得る分析物データパラメータに関して、第２のインスリンポンプ９１５ｃは、市販提供される、またはその製造者によって提供される際に分析物センサシステム３０８に対するデフォルトであり得る工場較正パラメータ（例えば、工場較正期間を含む）にいかなる変更も加えない場合がある。これは、上述したように、第２のインスリンポンプ９１５ｃが工場較正精度レベルを使用できるためであり得る。この状況では、分析物センサシステム３０８は、較正プロンプトを生成しなくてもよく、単にデフォルトの較正スケジュールに従うことができる。
【０３３５】
第３の例示的なシナリオは、インスリンペン９１５ｄを分析物センサシステム３０８とともに使用することを伴い得る。第１のインスリンポンプ９１５ｂおよび第２のインスリンポンプ９１５ｃを伴う上記の例と同様に、手動で行われ得るインスリンの複数回の毎日の注射を含む、使用のためのインスリンペン９１５ｄのセットアップおよび許可の後、インスリンペン９１５ｄはＤＭＰＩ７５０を使用して、インスリンペン９１５ｄのシステム要件６５０（例えば、図１０Ａを参照）に従って、分析物センサシステム３０８の構成パラメータ５２０にアクセスして構成パラメータ５２０を設定および／または修正し得る。前の例と同様に、インスリンペン９１５ｄがＤＭＰＩ７５０を介して構成パラメータ５２０にアクセスする観点で、インスリンペン９１５ｄの開発者は、製品がユーザに販売または提供される前に、すでにポンプを分析物センサシステム３０８と統合およびテスト済みであってもよい。このようにして、インスリンペン９１５ｄは、ＤＭＰＩ７５０および構成パラメータ５２０を適切に操作するように適合され得る。
【０３３６】
例として、インスリンペン９１５ｄはＤＭＰＩ７５０を使用して、例えば、例えば携帯電話９１０ａを介して間接的に分析物センサシステム３０８とへの接続を確立するのとは反対に分析物センサシステム３０８との直接接続を確立する選択を行うことを含めて、構成パラメータ５２０の１つ以上のアクセス制御パラメータを変更し得る。この選択にもかかわらず、携帯電話９１０ａは、構成パラメータ５２０が他にどのように設定され得るかに従って、分析物センサシステム３０８および／またはインスリンペン９１５ｄとの接続を依然として確立し、それらと情報を交換し得る。
【０３３７】
インスリンペン９１５ｄはまた、ＤＭＰＩ７５０を使用して、例えば、分析物センサシステム３０８が表示デバイス９１０、９１０’に対するデフォルト設定に従ってアドバタイズできるように、アドバタイズメントメッセージの伝送に関するものを含めて、分析物センサシステム３０８の無線接続性パラメータを変更してもよいが、インスリンペン９１５ｄに関して、分析物センサシステム３０８は、延長されたアドバタイズメント期間６１４および／または短縮されたアドバタイズメントウィンドウ間隔６１２（図６を参照）を使用してアドバタイズすることができる。インスリンペン６１５ｄなどのデバイスの場合、ユーザは、例えば、ユーザが容易に利用できる最新のグルコースデータにアクセスできるより応答性の高いシステムを必要とする可能性があるため、インスリンペン６１５ｄはこの方式で無線接続パラメータを設定することができる。
【０３３８】
加えて、インスリンペン６１５ｄは、ＤＭＰＩ７５０を使用して構成パラメータ５２０の分析物データパラメータにアクセスし、例えば分析物センサシステム３０８によって実装され得るボーラス計算機の使用を可能にしてもよい。例えば、ＤＭＰＩ７５０は、分析物センサシステム３０８がボーラス計算パラメータを修正できるように、分析物センサシステム３０８によって維持され得るボーラス計算パラメータへのアクセスをインスリンペン９１５ｄに提供し得る。本開示の実施形態では、分析物センサシステム３０８は、ボーラス計算パラメータを使用して、ボーラス関連の推奨をユーザに提供することができ、この推奨は、ボーラス計算パラメータ（例えば、および分析物センサシステムのボーラス計算機３０８）を使用して分析物センサシステム３０８により実行される計算に基づく。
【０３３９】
この例のインスリンペン９１５ｄはまた、ＤＭＰＩ７５０を使用して、構成パラメータ５２０の１つ以上の追加の分析物データパラメータを変更してもよい。例えば、インスリンペン９１５ｄは、いくつかの場合、第１のインスリンポンプ９１５ｂのシステム要件６５０に関して上述したのと同様の理由で、較正期間を１２時間に設定してもよい。
【０３４０】
インスリンペン９１５ｄを伴う例示的なシナリオにさらに関して、いくつかの場合、ユーザは、インスリンを投与することを望むおよび／または必要とする場合があり、それに応じてインスリンペン９１５ｄのボーラス値を選択することができる（例えば、図６を参照すると、ユーザインターフェース６３５を使用して）。次いで、インスリンペン９１５ｄがユーザの選択したボーラス値を分析物センサシステム３０８に送信し得るように、インスリンペン９１５ｄと分析物センサシステム３０８との間に接続が確立され得る。ユーザの血糖レベルが望ましい／通常のものよりも低下している場合、および／またはユーザがすでにかなりの量のインスリンを搭載している場合、分析物センサシステム３０８は、上述のボーラス計算機を使用して、ユーザへのボーラス関連推奨を作成し、および／または安全性を決定することができる。分析物センサシステム３０８は、この状況で、ユーザによって選択されたインスリンの量に関する通知または警告（例えば、選択されたボーラス値が高すぎること）をユーザに送信してもよい。このような場合、分析物センサシステム３０８は、ユーザが選択されたボーラス値の注入を防止することを試行できる。例えば、分析物センサシステム３０８によって計算されたボーラス値を超えるボーラスをユーザが注入することを防止する機械的防止機能がインスリンペン９１５ｄ上にあってもよい。このような機械的防止機能は、例えば、薬剤送達機構６４０（例えば、針）を無効化（引き込み）し、および／または過度に大きなボーラスがインスリンペンの注射リザーバに移動することを防止することにより、実装され得る。分析物センサシステム３０８からのシグナリングは、例えば、機械的防止機能をトリガし得る。
【０３４１】
以下に記載するように、システム９００の実施形態には追加の構成パラメータ５２０および／またはシステム要件６５０が存在する場合があり、当業者は、本開示を検討すると、上記の例示的なシナリオの文脈、ならびに本明細書で明示的または暗示的に記載したまたは示唆した他の文脈における、構成パラメータ５２０および／またはシステム要件６５０を使用する追加の態様を理解するであろう。上記の例示的なシナリオおよびその特徴は、本開示のすべての実施形態において必ずしも必要ではなく、実施形態に関して、例示のみのために特徴を開示し得ることを理解されたい。
【０３４２】
上記の例示的なシナリオの一般的なコンテキストを前提として、構成パラメータ５２０およびシステム要件６５０に関する追加の詳細を図１０Ａを参照して説明する。例えば、図１０Ａに示すように、システム１０００内で、パートナデバイス３１５は、所定の期待、設計制約、システム仕様、および／または同様のものに従って機能性をサポートするために、満たされるべき、パートナデバイス３１５に関連付けられたシステム要件６５０を含み得る。システム要件６５０をサポートするために、パートナデバイス３１５は、分析物センサシステム３０８のＤＭＰＩ７５０を使用して、（例えば、分析物センサシステム３０８の）構成パラメータ５２０にアクセスし得る。構成パラメータ５２０は、分析物センサシステム３０８、パートナデバイス３１５、および／または表示デバイス３１０の間／相互間の通信によりシステム要件６５０を満たすことができるように、ＤＭＰＩ７５０を使用してパートナデバイス３１５によって適合、変更、プログラム、設定、および／または修正され得る柔軟な設定として機能することができる。
【０３４３】
例として、構成パラメータ５２０は、無線接続性パラメータ、アクセス制御パラメータ、電源管理パラメータ、および／または分析物データパラメータを含み得る。無線接続性パラメータは、一般に、表示デバイス３１０およびパートナデバイス３１５のうちの１つ以上ならびに本明細書に記載された他の接続（例えば、表示デバイスとパートナデバイス３１５との間）とともである、および／またはそれによることを含めて、システム９００内の無線接続性および通信（図９Ａを参照、および／または図８を参照するとシステム８００など）、および無線通信の処理、および分析物センサシステム３０８との接続性に関連し得る。
【０３４４】
無線接続性パラメータは、分析物センサシステム３０８によって維持され得るホワイトリストの態様に関連し得る。例えば、無線接続パラメータは、特定のデバイスまたはデバイスのグループによるエージングオフ設定に関連してもよい。例えば、パートナデバイス３１５が空のインスリンポンプである場合、ユーザがポンプが空になっていると気付いていない場合にインスリンポンプの使用を停止するバックアップ機構としてデフォルトのエージングオフ時間を使用し得るが、このシナリオでのエージングオフは、ユーザがポンプをエージングオフしないことを承認する場合、ユーザによるオーバーライドの対象になり得る。例示的な実装形態では、ポンプは既知の寿命を有することができ、これに対応するためにエージングオフ時間が設定され得る。例えば、既知の寿命はバッテリ駆動である可能性があり、および／またはポンプはシステム要件６５０に反映され得る既知の時間後に交換／修理が必要になる可能性があり、ポンプは、ＤＭＰＩ７５０を使用して構成パラメータ５２０を修正することによって、それに応じたポンプのエージングオフ時間を設定し得る。例えば、問題が予想よりも早く発生した場合、または介在する状況に起因して予想された問題が時間内に排除された場合（例えば、効率的な電力管理、または予想より少ない電力消費量に起因して）、このエージングオフは臨機応変に調整され得る。加えて、分析物センサシステム３０８および／またはパートナデバイス３１５に対してバッテリ収支が節約され得るように、特定のデバイスをホワイトリストから強制的に削除するために、パートナデバイス３１５は、ＤＭＰＩ７５０を使用してホワイトリスト設定を修正することが可能であり得る。
【０３４５】
実施形態では、無線接続性パラメータは、接続可能なデバイス相互間の接続順序の階層／優先順位付けに関連し得る（例えば、デバイスのタイプ別、特定のデバイス別など）。無線接続性パラメータは、いずれのデバイスまたはデバイスのタイプがホワイトリストに登録され得るかを関連付けてもよい（例えば、パートナデバイス３１５対、表示デバイス３１０、および特定のデバイスを含む）。実施形態では、無線接続性パラメータは、特定のデバイスまたは特定の条件下で使用される接続モード（本明細書の他の場所でさらに詳細に記載するよ）に、および／またはネットワーク構成設定、例えば、クラウド、セルラ、またはパーソナルエリアネットワーク接続などの特定の接続が利用できない場合のフォールバック構成および／またはルーチンなど、に関連し得る。
【０３４６】
実施形態では、無線接続性パラメータは、パートナデバイス３１５が分析物センサシステム３０８によって維持されるホワイトリストから削除される条件を含み得る。条件は、パートナデバイス３１５のバッテリレベルが閾値を満たすか超えたときに、パートナデバイス３１５がホワイトリストから削除されるように設定／修正されてもよい。例えば、パートナデバイス３１５のバッテリレベルが低下して、パートナデバイス３１５の使用がより長時間持続できない場合（例えば、１０％未満）、パートナデバイス３１５がホワイトリストから削除されてもよく、ユーザは、ユーザが（例えば、薬剤の送達などのために）今後パートナデバイス３１５に依存するべきではないことを通知されてもよい。
【０３４７】
例えば、無線接続性パラメータには、アドバタイズタイムアウト、構造、および／またはプロトコルに関連する設定などの無線接続設定を含み得る。図６を参照すると、実施形態では、無線接続パラメータを使用して、アドバタイズメント構造６２２、アドバタイズメント期間６１４、アドバタイズメントウィンドウ間隔６１２、および／またはアドバタイズメント期間６１６を設定／修正し得る。いくつかの場合において、無線接続パラメータは、サーバシステム３３４の設定および／またはサーバシステム３３４を介して提供されるサービスのユーザの設定に関連してもよい。
【０３４８】
構成パラメータ５２０に含まれ得る電力管理パラメータは、例えば、バッテリバ収支制御を実装するために使用され得る。いくつかの場合において、パートナデバイス９１５のシステム要件６５０、ならびに、分析物センサシステム３０８および／または表示デバイス９１０、９１０’に関する電源管理関連事項に基づいて、電源管理に関連する構成パラメータ５２０を実装することができる。例えば、システム要件６５０が、特定のパートナデバイス９１５が電力を消費することを示す場合でも、このようなパートナデバイス９１５がシステム要件６５０を満たす電力を消費することを許可すべきかどうかについての決定が依然としてなされ得る。したがって、本開示の実施形態は、分析物センサシステム３０８、パートナデバイス９１５、および／または表示デバイス９１０、９１０’の間／相互間でバッテリ予算がどのように割り当てられるかを制御することを伴う。例えば、デバイスごとにしきい値が設定されてもよく、それにより、電力管理パラメータの提案された設定によってこのようなしきい値が満たされると判定された場合、このような提案された設定が構成パラメータ５２０に対して実装される前にユーザの承認が要求される場合がある。
【０３４９】
システム要件６５０が分析物センサシステム３０８の電源管理連関を作成し得る実施形態では、分析物センサシステム３０８のデータの信頼性とバッテリ寿命とのトレードオフを達成するために、いくつかの場合において電源管理パラメータ以外のパラメータを含む構成パラメータ５２０を設定／修正し得る。例えば、上記で説明したように、特定の無線接続性パラメータは、システム要件６５０によって作成された電源管理連関に応答して特定の表示デバイス９１０、９１０’をエージングオフするように設定されてもよい。追加の例では、アドバタイズメント構造６２２の態様（例えば、図６を参照）は、電力消費を管理するために構成パラメータ５２０の設定／修正を介して修正されてもよい。またさらなる例では、電力消費を管理するために接続モデルおよび／または動作モードを変更することができ、このような変更は構成パラメータ５２０の設定／修正を介して達成され得る。いくつかの場合において、データの信頼性とバッテリ寿命とのトレードオフは、ユーザインターフェース４３５（例えば図４を参照）によって提供されるスライドバーを使用して、および／または分析物センサアプリケーション４２５ａおよび／またはパートナデバイスアプリケーション４２５ｂで実行して決定され得る。実施形態では、トレードオフは、構成パラメータ５２０への自動調整を通じて実装され得る。例えば、低バッテリモードは、構成パラメータ５２０の値の所定のセットを使用して実装され得る。このようなモードは、自動または手動で入力するか、ユーザの介入により半手動で入力できる。
【０３５０】
構成パラメータ５２０に含まれ得る分析物データパラメータは、例えば、分析物センサシステム３０８のアルゴリズム設定（例えば、較正スケジュール／設定、ＣＧＭ開始／停止／較正アクセス、工場較正設定など）、警告／アラーム／通知設定（例えば、どの表示デバイス３１０／パートナデバイス３１５がどの警告を受信するか、どの表示デバイス３１０／パートナデバイス３１５がどの警告を肯定応答またはどの警告に応答できるか、特定のパートナデバイスに対して特別な警告が有効になっているか、警告の送信／エスカレーションの指令、特定の条件下で送信する警告の種類など、を設定する）を含み得る。分析物データパラメータは、分析物センサシステム３０８の精度パラメータおよび／または較正パラメータを含み得る。例えば、較正パラメータは、分析物センサシステム３０８の較正期間を含んでもよい。較正期間は、分析物またはＣＧＭデータの必要な精度レベルに関するパートナデバイス３１５のシステム要件６５０に従って修正または設定され得る。例えば、異なる製造者製のパートナデバイス３１５は、異なる精度要件を有する場合があり、したがって、較正に対して異なる要求を課す場合がある。分析物データパラメータはまた、較正期間を設定または修正するために使用できる工場較正コードを含み得る（例えば、いくつかの場合において、較正期間をゼロに設定する）。例示的な実施形態では、分析物データパラメータは、計算を実行し、計算に基づいてボーラス推奨を提供するために使用され得るボーラス計算パラメータを含む。例示的な実施形態において、分析物データパラメータは、例えば、予想グルコース値（ＥＧＶ）、速度、状態、予測されたＥＧＶ、エラーなどを含む、読み取り／送信可能な分析物情報のタイプに関係し得る。
【０３５１】
構成パラメータ５２０に含まれ得るアクセス制御パラメータは、分析物センサシステム３０８に接続可能ないくつかの表示デバイス３１０および／またはパートナデバイス３１５のうちの１つ以上を含み得、分析物センサシステム３０８のアクセスまたは制御のレベルは、コマンド／制御シグナリングが分析物データに関連する場合、コマンドおよび／または制御シグナリングを分析物センサシステム３０８に送信するという点で、表示デバイス３１０および／またはパートナデバイス３１５のうちの１つ以上に与え得る。いくつかの場合において、許可される前に、アクセスまたは制御のレベルがユーザによって承認される必要があり得る（例えば、図４を参照すると、分析物センサアプリケーション４２５ａおよび／またはパートナデバイスアプリケーション４２５ｂを介して）。異なるタイプの表示デバイス３１０および／またはパートナデバイス３１５は、異なるレベルのアクセスまたは制御を許可され得る。実施形態では、アクセス制御パラメータは、セキュリティおよび／またはプライバシー関連のパラメータを含み得る。例えば、このようなセキュリティ／プライバシーパラメータは、パートナデバイス３１５と情報を交換するために使用され得る暗号化キーを含み得る。いくつかの場合において、分析物センサアプリケーション４２５ａおよびパートナデバイスアプリケーション４２５ｂおよび／または薬剤送達アプリケーション６２５は、公開鍵が共有され、秘密鍵がアプリケーション相互間のデータ交換を暗号化するために使用される、公開鍵および秘密鍵を生成し得る。いくつかの場合において、このようなキーは、例えばサーバ９２０ｂにリモートで記憶され得る。追加のセキュリティ／プライバシー機能は、ＩＤ解決および／または追跡防止を伴い得る。
【０３５２】
例として、図９Ａを参照すると、いくつかの場合において、ユーザが表示デバイス９１０、９１０’またはパートナデバイス９１５をシステム９００に追加したい場合、携帯電話９１０（または別の表示デバイス９１０、９１０’）はユーザのピコネット構造に生じる可能性のある変更についてユーザに通知し得る（例えば、コマンド／制御コマンドを使用し得る方法、警告およびアラームが変更し得る仕方など）。これは、パートナデバイス９１５のシステム要件６５０が構成パラメータ５２０への修正を意味し得る方法の既知のマッピングを使用して行われ得る。いくつかの場合において、システム９００への表示デバイス９１０、９１０’またはパートナデバイス９１５の追加は、例えば、パートナデバイス９１５が、デバイスの追加によってシステム要件６５０がまだ満たされることを確認できるように、特定のパートナデバイス９１５によって実施される承認手順の対象となり得る。パートナおよび／または表示デバイス９１５、９１０、９１０’の追加に関して、ユーザは、アプリケーション４２５ｂを使用して特定のデバイスに対して事前に許可を提供し得る。
【０３５３】
実施形態において、構成パラメータ５２０は、システム９００に関する変更に応答して自動的に適合され得る。例として、薬剤送達デバイス９１５ａまたは他のパートナデバイス９１５は利用できなくなる場合があり、その場合、構成パラメータ５２０は修正され、かつ／または以前の状態に復元され得る。加えて、以下に記載するように、システム９００が特定の動作モードに移行することに応答して、構成パラメータ５２０を適合させることができる。例えば、ハイブリッド動作モードでは、構成パラメータ５２０は、薬剤送達デバイス９１５ａが連続接続モデルを使用するように構成され得るように修正され得る。構成パラメータ５２０は、例えばバッテリを節約するために分析物センサシステム３０８と薬剤送達装置９１５ａとを接続するために使用される接続モデルを変更するために、薬剤送達装置９１５ａの予測バッテリ寿命に従って適合され得る。実施形態では、構成パラメータ５２０は、時刻、場所、または無線条件に基づいて適応的に修正されてもよい。ユーザは、システム９００内のデバイスに特定の制御を委任できる。例えば、ユーザは、薬剤送達デバイス９１５ａが表示デバイス９１０、９１０’、接続モデルおよび動作モード、警告の管理、認証／暗号処理などを処理するように、薬剤送達デバイス９１５ａが一種のシステム管理者として機能することを許可してもよい。ユーザによって許可されると、例えば、登録とサブスクリプションのシステムまたは様々なサービスまたは特性（例えば、ＢＬＥでサポートされる）を使用して、処理が管理され、必要に応じて許可が付与され得る。
【０３５４】
加えて、実施形態では、表示デバイス９１０、９１０’がシステム９００に対して追加／削除されると、構成パラメータ５２０またはシステム９００の他の態様への修正をトリガするパートナデバイス９１５のシステム要件６５０に連関し得る。例えば、システム要件６５０は、分析物センサシステム３０８に接続可能であり得る表示デバイス９１０、９１０’の数に制限を課してもよい。その制限が表示デバイス９１０、９１０’の追加によって連関する場合、特定の他の表示デバイス９１０、９１０’は、システム要件９５０に従って動作を維持するために削除されてもよい。削除は、制限が連関する場合に削除する必要がある表示デバイス９１０、９１０’の所定の階層に続いて行われ得る、または、同様の表示デバイス９１０、９１０’が接続可能である場合に特定の表示デバイス９１０を削除する（例えば、ユーザのタブレットも接続可能な場合にユーザのＰＣを削除する）ことに基づき得る。
【０３５５】
構成パラメータ５２０はまた、システム９００での薬剤送達デバイス９１５ａの使用に関連して遭遇する可能性がある特定のシナリオに対応し得る。１つのこのようなシナリオは、薬剤送達デバイス９１５ａを新しい薬剤送達デバイス９１５ａに交換することを伴う（例えば、動作モードに関連して以下で記載する）。例えば、薬剤送達装置９１５ａは古くなるか、さもなければ廃棄される対象となる可能性がある。例示的な実装形態において、薬剤送達装置９１５ａは使い捨て可能であってもよく、例えば、既知の使用可能寿命を有するように設計されてもよく、その後、薬剤送達装置９１５ａは全体が交換されるべきである。例として、薬剤送達デバイス９１５ａがインスリンポンプである場合、ポンプセッションは３日後に終了する場合があり、その時点でポンプを全体的または部分的に交換する必要がある場合がある（例えば、いくつかの場合において、図５Ｂを参照すると、薬剤送達機構６４０のみを交換する必要があり得る）。実施形態において、分析物センサシステム３０８は、同様に、定期的、全体的または部分的に交換する必要がある場合があり（例えば、いくつかの場合において、図１を参照すると、連続分析物センサ１０のみを交換する必要があり得る）、交換期間は薬剤送達デバイス９１５ａの交換期間とは異なり得る。例えば、分析物センサシステム３０８の交換期間は７日間であり得る。
【０３５６】
薬剤送達デバイス９１５ａと分析物センサシステム３０８との間の交換期間の違いは、分析物センサシステム３０８が分析物データを収集および生成するためのセンサセッションが薬剤送達デバイス９１５ａのポンプセッションが進行している間に期限切れになる状況をもたらし得る。このことは、分析物センサシステム３０８および薬剤送達デバイス９１５ａのユーザに対する医学的合併症を潜在的に生じる可能性があり、それは、ユーザが分析物センサシステム３０８の少なくとも１つの構成要素を交換する必要があり得るが、薬剤送達デバイス９１５ａは、分析物センサシステム３０８を使用して生成された分析物データの、連続的、実質的に連続的、または少なくともある程度規則的な受信を必要とし得るからである。分析物センサシステム３０８の少なくとも構成要素（例えば、センサ１０）を変更すると、薬剤送達デバイス９１５ａによって必要とされる／予想される可能性がある分析物データの少なくともある程度規則的な受信を途絶させる可能性がある。
【０３５７】
したがって、本開示の実施形態は、分析物センサシステム３０８および／または薬剤送達デバイス９１５ａに関して行われ得る定期的なデバイス／構成要素の交換を通じて、薬剤送達デバイス９１５ａの比較的途絶しない動作を促進するＤＭＰＩ７５０の使用を伴う。実施形態において、これは、分析物センサシステム３０８が、薬剤送達デバイス９１５ａの薬剤送達セッションおよび／または分析物センサシステム３０８のセンサセッションが終了すると予想されるとき（例えば、薬剤送達デバイス９１５ａが、少なくともその構成要素の交換を必要とすることが予想されるとき）を、そのユーザに示すことを伴い得る。例えば、これは、分析物センサアプリケーション４２５ａ、パートナデバイスアプリケーション４２５ｂ、携帯電話９１０ａ（または他の表示デバイス９１０、９１０’）、薬剤送達アプリケーション６２５、および薬剤送達デバイス９１５ａのうちの１つ以上が、予想される交換を事前にユーザに通知することを伴い得る（例えば、交換は１２時間後に予定されている）。
【０３５８】
薬剤送達装置９１５ａ（またはその構成要素）が交換される場合、交換用薬剤送達装置９１５ａは、古い薬剤送達装置９１５ａの通信を本質的に模倣して、古い薬剤送達装置９１５ａのホワイトリストスロットを取得することができる。これにより、交換に関連して生じる可能性のある不連続性の影響を回避または低減するために、センサセッションと薬剤送達セッションとの重複が可能になり得る。一例として、古い薬剤送達デバイス９１５ａは、データにより分析物センサシステム３０８が新しい薬剤送達デバイスとの通信をより容易に確立できるようになる携帯電話９１０ａにデータを送信することができる。この情報は、古い薬剤送達デバイスと新しい薬剤送達デバイスとの両方を同時に９１０ａに結合するために使用されてもよい。すなわち、例えば、分析物センサシステム３０８が新しい薬剤送達デバイス９１５ａの結合データを有しない場合、新しい薬剤送達デバイス９１５ａが結合データを使用して分析物センサシステム３０８との接続確立を促進し得るように、携帯電話９１０ａは、新しい薬剤送達デバイス９１５ａが結合データ情報を古い薬剤送達デバイス９１５ａから新しい薬剤送達デバイス９１５ａに送信できるようにすることができる。例えば、分析物センサシステム３０８は、新しい薬剤送達装置９１５ａにホワイトリストアドバタイズし、次いで、新しい薬剤送達装置９１５ａは、古い薬剤送達装置９１５ａの結合情報を使用して応答することができる。さらなる例示として、新しい薬剤送達デバイス９１５ａは、携帯電話９１０ａを介して受信された古い薬剤送達デバイス９１５ａに関する情報を使用して、古い薬剤送達デバイス９１５ａで使用されている、ＧＡＰＰアドレス、暗号およびセキュリティキー、他の結合情報、および／またはタイミング情報（例えば、接続のタイミング、アドバタイズメント間隔などに関する）を交換し得る。
【０３５９】
実施形態では、これが起こるために、情報は古い薬剤送達デバイス９１５ａから新しい薬剤送達デバイス９１５ａに転送される必要があり得る。例えば、搭載されたインスリン、診断などのような他の情報も同様に転送されてもよい。転送は、分析物センサシステム３０８によって促進されてもよい。例えば、ＤＭＰＩ７５０を使用して、古い薬剤送達デバイス９１５ａからの情報に対してアクセス／検索し、その後の新しい薬剤送達デバイス９１５ａへの転送のために携帯電話９１０ａと情報を共有することができる。
【０３６０】
実施形態では、構成パラメータ５２０を使用して、分析物センサシステム３０８が、以前に実装された分析物センサシステム３０８の態様を効果的にシミュレートできるようにし得る。例えば、薬剤送達デバイス３１５ａは、分析物データを生成するための特定のアルゴリズムを使用した特定の分析物センサシステム３０８と事前に統合および／または使用されていてもよい。いくつかの場合において、このような特定の分析物センサシステム３０８を使用して臨床試験が実施されていてもよく、臨床試験は承認され、および／または成功し得る。特定の分析物センサシステム３０８で使用される構成パラメータ５２０は、薬剤送達デバイス９１５ａに記憶され、ＤＭＰＩ７５０を介して、分析物センサシステム３０８に記憶される構成パラメータ５２０を更新するために使用され得る。したがって、分析物センサシステム３０８は、事前に実装された分析物センサシステム３０８を実際にシミュレートするように構成されてもよい。
【０３６１】
実施形態では、別の分析物センサシステム３０８のシミュレーションが、様々な方法で遂行され得る。例えば、構成パラメータ５２０を修正することにより、ＭＡＲＤおよび／または他の精度指標などのシミュレートされた分析物センサシステム３０８に関連付けられた精度指標を複製および実装することができる。センサアルゴリズム、較正設定、無線接続性パラメータ、および以前に（例えば、臨床試験で）使用されていた接続モデルおよび動作モードを含む、ここで記載する他の構成パラメータ５２０の態様がまた、構成パラメータ５２０の設定および／または修正を通してシミュレートできる。
【０３６２】
実施形態では、分析物システムセンサシステム３０８の構成パラメータ５２０の値の範囲は、例えば薬剤送達デバイス９１５ａ、サーバ９２０ｂ、または他のリモートソースによって定義されてもよく、値の範囲は安全な動作パラメータのセットを表す。安全な操作パラメータは、ＦＤＡが要求する要件など、特定の要件を満たしていると事前に判定された構成パラメータを表すか、同等にすることができる。このような構成パラメータ５２０の例として、加法バイアス、乗法バイアス、ラグ、ギャップ、およびサンプリングレートが挙げられる。したがって、事前に許容可能であると判定された構成パラメータのセット５２０は、分析物センサシステム３０８にダウンロードされ、事前にテストされた特定の要件が満たされることを理解して実装され得る。
【０３６３】
図１０Ａに戻ると、パートナデバイス３１５のシステム要件６５０に関して、実施形態では、システム要件６５０は、上記の構成パラメータ５２０を大部分（必ずしもそうではない）反映することができる。システム要件６５０は、パートナデバイス３１５のバッテリ容量または電源管理、パートナデバイス３１５の精度要件、パートナデバイス３１５によって使用またはサポートされる通信プロトコル、パートナデバイス３１５に適用可能な規制要件、およびパートナデバイス３１５の予想動作時間のうちの１つ以上を含むか、またはそれに関連付けられ得る。
【０３６４】
パートナデバイス３１５の精度要件に関して、特定のシステム要件６５０は、分析物データの集取および生成に対する分析物センサシステム３０８の較正に関連し得る。例えば、システム要件６５０は、分析物センサシステム３０８に適用可能な較正スケジュール、較正制御、および／または工場較正を含み得る。本明細書のいずれか他の場所で説明するように、特定のパートナデバイス３１５は、分析物センサシステム３０８で工場較正を使用して生成される可能性がある不正確さを許容できる可能性がある（例えば、比較的堅牢である可能性がある）が、他のパートナデバイスはより高い精度、よって差の較正設定を必要とする可能性がある。ＤＭＰＩ７５０を使用してこれらの較正関連（およびその他の）システム要件６５０を分析物センサシステム３０８に公開することで、分析物センサシステム３０８の構成パラメータ５２０を様々な堅牢度で様々なパートナデバイス３１５を処理できるように適合させることができる。
【０３６５】
いくつかの場合において、図１０Ａおよび図１０Ｂを参照して以下に記載するように、表示デバイス３１０に記憶され得るシステム要件４５０の性質および／または範囲、ならびに／またはシステム要件４５０が表示デバイス３１０に記憶されるかどうか、分析物センサシステム３０８、表示デバイス３１０、および／またはパートナデバイス３１５の特定の配置に応じて変化し得る。いくつかの場合において、表示デバイス３１０に記憶できるシステム要件４５０は、パートナデバイスがシステム要件４５０を設定／修正できるようにするＤＭＰＩ７５０を介して、パートナデバイス３１５に公開され、またはパートナデバイス３１５から受信され、パートナデバイス３１５によって修正され得る。
【０３６６】
図１０Ａを参照すると、いくつかの場合において、表示デバイス３１０はシステム要件４５０を含むことができ、表示デバイス３１０に関係する所定の予想、設計制約、システム仕様、および／または同様のものをサポートするために、このようなシステム要件４５０が満たされることになるように、システム要件４５０のうちの少なくともいくつかは表示デバイス３１０に関連付けられ得る。システム要件４５０をサポートするために、表示デバイス３１０は、分析物センサシステム３０８のＤＭＰＩ７５０を使用して、パートナデバイス３１５が構成パラメータ５２０にアクセスすることに関連して上述したのと実質的に同様の様式で、構成パラメータ５２０にアクセスすることができる。
【０３６７】
実施形態では、システム要件４５０は、表示デバイス３１０に（または少なくとも表示デバイス３１０だけには）関係しなくてもよいが、（加えて）パートナデバイス３１５に関係してもよい。例えば、表示デバイス３１０が分析物センサシステム３０８との接続を確立し、パートナデバイス３１５が将来使用され得ることが予想される場合、表示デバイス３１０は、システム要件４５０の少なくとも一部としてパートナデバイス３１５のシステム要件６５０を取得および記憶してもよい。次に、表示デバイス３１０は、ＤＭＰＩ７５０を介して、パートナデバイス３１５が分析物センサシステム３０８との接続を確立する準備として構成パラメータ５２０を設定／修正することができ、このような接続が確立されると、システム要件６５０に従うが、パートナデバイス３１５が構成パラメータ５２０に何らの（または場合によっては最小限の）修正を加えることなく、動作が進み得るようになっている。または、例えば、表示デバイス３１０は、パートナデバイス３１５との接続の確立を見越して構成パラメータセット５２０が事前に構成され得るように、システム要件４５０がパートナデバイス３１５に関係するという表示とともに、システム要件４５０を分析物センサシステム３０８にアップロードし得る（例えば、ＤＭＰＩ７５０を介して）。分析物センサシステム３０８とパートナデバイス３１０との間に接続が確立されると、事前に構成された構成パラメータ５２０のセットが実装され、システム要件６５０に従うが、パートナデバイス３１５が構成パラメータ５２０に何らの（または場合によっては最小限の）修正を加えることなく、動作が進み得る。
【０３６８】
図１０Ａはまた、システム１０００の実施形態において、ＤＭＰＩ７５０が、場合によっては、サブインターフェースＤＭＰＩ７５０ａまたは別個のインターフェースＤＭＰＩ７５０ｂのうちの１つ以上を含み得ることを示している。このような実施形態では、ＤＭＰＩ７５０ａは、分析物センサシステム３０８にアクセスするための表示デバイス３１０に専用であって、または割り当てられてもよく、一方、ＤＭＰＩ７５０ｂは、パートナデバイス３１５に専用であって、または割り当てられてもよい。図９Ａを参照すると、いくつかの場合において、ＤＭＰＩ７５０ａは特定の表示デバイス９１０、９１０’（またはそのグループ）に固有であり、および／またはＤＭＰＩ７５０ｂは特定のパートナデバイス９１５（またはそのグループ）に固有であり得る。
【０３６９】
図１０Ｂは、例示的なシステム１００２を示し、パートナデバイス３１５は、システム１００２に関連付けられたシステム要件６５０を含む。この例では、パートナデバイス３１５は分析物センサシステム３０８に直接接続されておらず、中間表示デバイス３１０を介して分析物センサシステム３０８に接続されている。示されるように、表示デバイス３１０は、ＤＭＰＩ７５０’を含み得る。パートナデバイス３１５は、ＤＭＰＩ７５０’を使用して、表示デバイス３１０に記憶された構成パラメータ４２０に対してアクセス、設定、および／または修正することができる。システム要件６５０をサポートするために、表示デバイス３１０は、ＤＭＰＩ７５０を使用して分析物センサシステム３０８の構成パラメータ５２０にアクセスし、パートナデバイス３１５によって設定された構成パラメータ４２０の値に従って構成パラメータ５２０を設定してもよい。このようにして、構成パラメータ５２０は、パートナデバイス３１５が分析物センサシステム３０８に直接接続されていないシステム要件６５０に従って適合され得る。
【０３７０】
この時点で、図９Ａに示すシステム９００に関連して実装され得る方法および特徴の実施形態について、例として、図９Ｂ〜図９Ｆ、図９Ｊ、および図９Ｋを参照して記載する。図９Ｂは、例えば、図９Ａに示す要素を使用して実装され得る様々な動作を示す動作フロー図である。図９Ｂは、方法９３０の動作９３２Ａおよび９３２Ｂを示し、方法９３０は、ＤＭＰＩ７５０を使用して（例として図１０Ａを参照）、パートナデバイス９１５との無線通信のために分析物センサシステム３０８を構成することを伴い得る。方法９３０の動作は、構成可能な糖尿病管理パートナインターフェースを使用することにより、異なる製造者からの異なるパートナデバイスに対応できる柔軟で適応可能なシステムを実装するために有利に使用され得る。
【０３７１】
動作９３２Ａで、方法９３０は、分析物センサシステム３０８の記憶装置５１５（例えば図３Ｃを参照）に記憶された構成パラメータ５２０（例として図５Ｂを参照）へのアクセスをパートナデバイス９１５のうちの１つ（例えば、薬剤送達デバイス９１５ａ）に提供する許可を受信する分析物センサシステム３０８を含む。許可は、例えば、キャップＰＡＮ９０２および／またはキャップＷＡＮ９０４を使用して、携帯電話９１０ａまたは他の表示デバイス９１０、９１０’を介して許可を提供し得るユーザから受信され得る。構成パラメータ５２０へのアクセスは、ＤＭＰＩ７５０を介して提供され得る。動作９３２Ｂで、方法９３０は、分析物センサシステム３０８が、構成パラメータ５２０の修正を設定するかまたは引き起こすことを伴うが、上述のように、修正は１つのパートナデバイス９１５のシステム要件６５０に応じて行われ得る。動作９３２Ｂは、例えば、ＤＭＰＩ７５０を介して１つのパートナデバイスからＰＡＮ９０２のリンク（例えば、リンク９０６ｄ、９０６ｈ、９０６ｉ、９０６ｊ）を介して受信された入力に応答して行われる。実施形態では、１つのパートナデバイス９１５は、自動インスリン送達デバイス（例えば、インスリンポンプ）または手動インスリン送達デバイス（例えば、インスリンペン）として実装され得る。
【０３７２】
上述のように、実施形態において、構成パラメータ５２０は、無線接続性パラメータのセット（例えば、分析物センサシステム３０８、アドバタイズメントメッセージング、接続モデル、動作モードなどのために管理されているホワイトリストに関する）、アクセス制御パラメータのセット（例えば、薬剤送達デバイス９１５ａが分析物センサシステム３０８に接続されている間に分析物センサシステム３０８に接続できるデバイスのタイプ、および／またはこのようなデバイスが分析物センサシステム３０８と交換できるシグナリングの種類に関する）、分析物データパラメータのセット（例えば、精度、セキュリティ、および／または較正などに関する）、電力制御パラメータのセット、またはシステム９００で使用できる他のパラメータ、のうちの１つ以上を含み得る。本明細書および実施形態にも記載するように、システム要件６５０は、１つのパートナデバイス９１５のバッテリ容量、および１つのパートナデバイス９１５の精度要件、１つのパートナデバイス９１５によって使用されるまたはサポートされる通信プロトコル、１つのパートナデバイス９１５に適用可能な規制または他の安全性要件、および１つのパートナデバイス９１５の予想稼働時間、のうちの１つ以上を含むか、またはこれに関連付けられ得る。
【０３７３】
実施形態では、構成パラメータ５２０内の無線接続性パラメータのセットは、１つのパートナデバイス９１５が分析物センサシステム３０８のために管理されているホワイトリストから削除されることとなる条件を含む。実施形態では、動作９３２Ｂは、図９Ｃに例として示される追加の動作を任意選択により含む。例えば、図９Ｃは、動作９３４Ａで、動作９３２Ｂ（分析物センサシステム３０８が１つのパートナデバイス９１５のシステム要件６５０に応じて構成パラメータ５２０の修正を設定するかまたは引き起こす）は、１つのパートナデバイス９１５のバッテリレベルがしきい値を満たすと１つのパートナデバイス９１５がホワイトリストから削除されることとなるように、分析物センサシステム３０８が条件を設定することを含むことができる。
【０３７４】
実施形態では、構成パラメータ５２０内のアクセス制御パラメータのセットは、アドバタイズメント構造またはその態様（例えば、図６を参照するとアドバタイズメント構造６２２およびその要素）を含む。実施形態では、動作９３２Ｂは、動作９３４Ａにおいて、分析物センサシステム３０８が、ＤＭＰＩ７５２を使用してアドバタイズメント構造またはその態様により設定または修正して、例えば、接続信頼性と電力消費との間のトレードオフを達成することを任意選択により含む。
【０３７５】
実施形態では、構成パラメータ５２０内の分析物データパラメータのセットは、分析物センサシステム３０８の較正期間を含む。このような実施形態では、動作９３２Ｂは、動作９３４Ｃで、分析物センサシステム３０８がＤＭＰＩ７５０を使用して較正期間を設定または修正することを任意選択により含む。いくつかの場合において、較正期間はゼロまたは無しに設定され得る。例えば、較正期間は、薬剤の送達に関連して１つのパートナデバイス９１５によって要求される精度に関連するシステム要件６５０に従って設定され得る。実施形態において、分析物データパラメータのセットは、分析物センサシステム３０８の工場較正コードを含む。動作９３２Ｂは、動作９３４Ｄにおいて、分析物センサシステム３０８がＤＭＰＩ７５０２を使用して、１つのパートナデバイス９１５のシステム要件６５０に応じて、１つのパートナデバイス９１５から工場較正コードを使用する表示を受信することを含み得る。
【０３７６】
図９Ｃをさらに参照すると、実施形態では、構成パラメータ５２０内の無線接続性パラメータのセットは、サーバ９２０ｂ（または、例えば、図８を参照して、サーバシステム３３４ａおよび／または３３４ｂ）に記憶される設定を含む。このような実施形態では、動作９３２Ｂは、分析物センサシステム３０８が、ＤＭＰＩ７５０を使用して、サーバ９２０ｂ（またはサーバシステム３３４ａおよび／または３３４ｂ）を介して提供されるサービスを使用するように分析物センサシステム３０８を構成することを動作９３４Ｅで含み得る。例示するために、分析物センサシステム３０８がサービスをサポートすることを可能にするために、構成パラメータ５２０を設定／修正することができる。例えば、分析物センサシステム３０８がＷＡＮ９０４への直接接続を有さなくてもよい場合、このようなサービスは、例えば携帯電話９１０ａなどのＷＡＮ９０４に接続された中間装置を使用して提供され得る。
【０３７７】
動作９３２Ｂは、任意選択により、動作９３４Ｆで、分析物センサシステム３０８が、ＤＭＰＩ７５２を使用して、分析物センサシステム３０８を、分析物センサシステム３０８に接続されているか、または分析物センサシステム３０８の範囲内の１つ以上の表示デバイス９１０、９１０’に糖尿病管理フィードバックを送信するように構成することを含む。特定の実施形態では、動作９３４Ｆは、サーバ９２０ｂを介して提供されるサービスに応答して実行される。糖尿病管理フィードバックは、例として、ユーザの健康に関連する指示または命令、またはユーザ内の分析物レベル（例えばインスリンレベル）に影響を与える可能性のある行動を含み得る。このような指示または命令は、少なくとも間接的に少なくともＷＡＮ９０４を介して分析物センサシステム３０８に接続された、ユーザの健康保険プロバイダ、友人、または家族などによって提供されてもよい。動作９３４Ｇで、リモートサーバ９２０ｂを介して提供されるサービスが利用できなくなった場合、分析物センサシステム３０８は、ＤＭＰＩ７５２を使用して分析物センサシステム３０８を、サービスの使用を無効にし、かつ、分析物センサシステム３０８に接続されているか、または分析物センサシステム３０８の範囲内の関連する表示デバイス９１０、９１０’に関連する通知を送信するように、構成し得る。このようにして、サーバ９２０ｂを介してユーザを監視している個人またはエンティティは、切断が発生したかどうかを認識し、それに応じて行動を起こすことができる。
【０３７８】
図９Ｄは、例えば、図９Ａに示す要素を使用して実装され得る様々な動作を示す動作フロー図である。図９Ｄは、方法９３６の動作９３８Ａおよび９３８Ｂを示し、方法９３６は、ＤＭＰＩ７５０を使用して（例として図１０Ａを参照）、分析物センサシステム３０８と表示デバイス９１０、９１０’および／またはパートナデバイス９１５のうちの１つ以上との相互間の無線通信を構成することを含み得る。方法９３６の動作は、構成可能な糖尿病管理パートナインターフェースを使用することにより、異なる製造者からの異なるパートナデバイスに対応できる柔軟で適応可能なシステムを実装するために有利に使用され得る。
【０３７９】
図９Ｄに示すように、方法９３６は、動作９３８Ａで、分析物センサシステム３０８が第１の無線信号通信経路を可能にすることを含む。第１の無線通信信号経路は、分析物センサシステム３０８と表示デバイス９１０、９１０’のうちの１つとの間であり、ここでは例示目的で携帯電話９１０ａ（および、例えばリンク９０６ｇ）が説明される。それにもかかわらず、方法９３６は、分析物センサシステム３０８と表示デバイス９１０、９１０’のうちのいずれかとの間の第１の無線信号通信経路を有効にすることを含み得ることを理解されたい。動作９３８Ａにさらに示すように、第１の無線通信経路について、分析物センサシステム３０８は、携帯電話９１０ａに分析物センサシステム３０８に対する第１のアクセス度または制御度を提供する。例えば、いくつかの場合において、第１のアクセス度または制御度により、携帯電話９１０ａがコマンド制御シグナリングを分析物センサシステム３０８に送信できるようになり得る。他の場合、例えば実装されている動作モードに応じて、第１のアクセス度または制御度により、携帯電話がコマンド制御シグナリングを送信できない場合がある。
【０３８０】
方法９３６はまた、動作９３８Ｂで、分析物センサシステム３０８が第２の無線通信経路を有効にすることを含む。第２の無線通信経路は、分析物センサシステム３０８とパートナデバイス９１５のうちの１つとの間である。分析物センサシステム３０８が動作９３８Ｂごとに第２の無線通信経路を有効にすることはまた、１つのパートナデバイス９１５のシステム要件６５０に応じて第２のアクセス度または制御度の実装するために第１のアクセス度または制御度の修正を引き起こすことを含む。修正は、ＤＭＰＩ７５０を介して１つのパートナデバイス９１５から受信された入力に応答して行われる。例示的な分析物センサシステム３０８の方法は、１つのパートナデバイス９１５から入力を受信し、入力に応答してＤＭＰＩ７５２を使用して構成パラメータ５２０を修正し、それにより第１のアクセス度または制御度を修正する。
【０３８１】
実施形態では、動作９３８Ｂは、図９Ｅに例として示されるような追加の動作を任意選択により含む。例えば、図９Ｅに示すように、動作９３８Ｂは動作９４２Ａを含み得る。操作９４２Ａによれば、動作９３８Ｂに関連して、第１のアクセス度または制御度の修正を引き起こすことは、ＤＭＰＩ７５０を使用して、１つのパートナデバイス９１５のシステム要件６５０に従って、分析物センサシステム３０８によって実施された構成パラメータ５２０を設定または修正することを含み得る。実施形態において、構成パラメータ５２０は、表示デバイス９１０、９１０’（例えば、携帯電話９１０ａ）および／またはパートナデバイス９１５（例えば、薬剤送達デバイス９１５ａ）のアクセス制御パラメータ、分析物センサシステム３０８の精度または較正パラメータ、および分析物センサシステム３０８と表示デバイス９１０、９１０’およびパートナデバイス９１５のうちの１つ以上の間／相互間で交換される通信の無線通信パラメータ、のうちの１つ以上を含む。
【０３８２】
図９Ｆは、動作９４２Ａが、例示的な実装形態では、動作９４６Ａ〜９４６Ｃを含み得ることを示している。したがって、方法９３６の実施形態では、動作９４２Ａ（ＤＭＰＩ７５０を使用して構成パラメータ５２０を設定または変更する）は、任意選択により、システム要件６５０に応じて、上述の分析物センサシステム３０８の精度または較正パラメータを構成する許可を１つのパートナデバイス９１５に付与することを含む。加えて、動作９４２Ａは、動作９４６Ｂで、例えば携帯電話９１０ａから、分析物センサ３０８の精度または較正パラメータを構成する許可を取り消すことを含むことができる。例えば、このような許可は、本明細書に記載の特定の動作モードに従って取り消されてもよい。
【０３８３】
実施形態では、アクセス制御パラメータは、分析物センサシステム３０８に接続可能なデバイス、例えばパートナデバイス９１５および／または表示デバイス９１０、９１０’のホワイトリストを含む。いくつかのこのような実施形態では、動作９４６Ｃで、方法９３６の動作９４２Ａに従って、ＤＭＰＩ７５０を使用して構成パラメータ５２０を設定または修正することが、１つのパートナデバイス９１５がホワイトリストから削除される前にホワイトリストに留まる時間量を設定または修正することを含む。
【０３８４】
図９Ｊは、例えば図９Ａに示す要素を使用して実装され得る様々な動作を示す動作フロー図である。図９Ｊは、方法９８４の実施形態に含まれ得る動作９８６Ａ〜９８６Ｍを示し、方法９８４は、ＤＭＰＩ７５０を使用して（例として図１０Ａを参照）、分析物センサシステム３０８との無線通信の交換を促進することを伴い得る。方法９８４の動作は、構成可能な糖尿病管理パートナインターフェースを使用することにより、異なる製造者からの異なるパートナデバイスに対応できる柔軟で適応可能なシステムを実装するために有利に使用され得る。
【０３８５】
図９Ｊに示すように、方法９８４は、動作９８６Ａで、ＤＭＰＩ７５２を使用して、分析物センサシステム３０８と第１のパートナデバイスとの間の第１の接続を確立することを含む（例示目的のみで、薬剤送達デバイス９１５ａを第１のパートナに関連して参照する）。動作９８６Ｂで、方法９８４は、分析物センサシステム３０８が、ＤＭＰＩ７５０を介して構成パラメータ５２０（例として図３Ｃを参照）へのアクセスを薬剤送達デバイス９１５ａに提供することを含む。動作９８６Ｃで、方法９８４は、ＤＭＰＩ７５０を介して薬剤送達デバイス９１５ａから受信された入力に応答して、構成パラメータ５２０の第１の修正を設定するかまたは引き起こすことを含む。例として、薬剤送達デバイス９１５ａは、リンク９０６ｄを使用して分析物センサシステム３０８で入力として受信された信号を送信してもよい（例えば図９Ａを参照）。第１の修正を設定するかまたは引き起こすことは、薬剤デバイス９１５ａのシステム要件６５０に応じて行われる。動作９８６Ｄで、方法９８４は、ＤＭＰＩ７５０を使用して、分析物センサシステム３０８と第２のパートナデバイスとの間の第２の接続を確立することを含む（例示目的のみで、第２のパートナデバイスに関連してインスリンペン９１５ｄを参照する）。実施形態では、ＤＭＰＩ７５０を使用して第２の接続を確立することは、第１の接続が終了した後に行われる。動作９８６Ｅで、方法９８４は、分析物センサシステム３０８がＤＭＰＩ７５０を介して構成パラメータ５２０へのアクセスをインスリンペン９１５ｄに提供することを含む。動作９８６Ｆで、方法９４８は加えて、ＤＭＰＩ７５０を介してインスリンペン９１５ｄから受信された入力に応答して、構成パラメータ５２０に第２の修正を引き起こすことを含む。例として、インスリンペン９１５ｄは、リンク９０６ｊを使用して分析物センサシステム３０８で入力として受信された信号を送信することができる。第２の修正を引き起こすことは、インスリンペン９１５ｄのシステム要件６５０に応じて行われる。
【０３８６】
実施形態では、方法９８４は、動作９８６Ｇで、分析物センサシステム３０８が第３のパートナデバイスに対する識別情報を受信することに応答して（例示目的のみで、第３のパートナデバイスに関連して第１のインスリンポンプ９１５ｂを参照する）、ＤＭＰＩ７５０を使用して分析物センサシステム３０８と第１のインスリンポンプ９１５ｂとの間の第３の接続を確立することを試行することを、さらに含むことができる。いくつかの場合において、第１のインスリンポンプ９１５ｂに対する識別情報は、サーバ９２０ｂ（または、例えば、図８を参照するとサーバシステム３３４ａおよび／または３３４ｂ）に記憶される。識別情報は、第１のインスリンポンプ９１５ｂが分析物センサシステム３０８と通信することを許可されているかどうかを示してもよい。実施形態では、図９Ｋに例として示すように、動作９８６Ｇに関連して分析物センサシステム３０８が第１のインスリンポンプ９１５ｂに対する識別情報を受信することは、動作９８６Ｇに関係する動作９９０において、センサシステム３０８が、サーバ９２０ｂ（または、例えば、図８を参照するとサーバシステム３３４ａおよび／または３３４ｂ）から識別情報を受信した表示デバイス９１０のうちの１つ（例えば、携帯電話９１０ａ）から識別情報を受信することを含む。
【０３８７】
図９Ｊに戻ると、方法９８４の実施形態は、動作９８６Ｈで、分析物センサシステム３０８が第１のインスリンポンプ９１５ｂに対する識別情報を受信することに応答して、識別情報を使用して，第１のインスリンポンプ９１５ｂが分析物センサシステムと通信する権限があるかどうかを判定することを、追加的に含むことができる。動作９８６Ｊで、方法９８４は、第１のインスリンポンプ９１５ｂが分析物センサシステム３０８と通信する権限がないと判定することに応答して、分析物センサシステム３０８と第１のインスリンポンプ９１５ｂとの間の第３接続を確立する試行を取り消すことを含み得る。動作９８６Ｋで、方法９８４は、第１のインスリンポンプ９１５ｂが分析物センサシステム３０８と通信する権限があると判定することに応答して、ＤＭＰＩ７５０を使用して、分析物センサシステム３０８と第１のインスリンポンプ９１５ｂとの間の第３接続を確立することを含み得る。
【０３８８】
例示的な実装形態において、第１のインスリンポンプ９１５ｂが分析物センサシステム３０８と通信する権限がないと判定すること（例えば、動作９８６Ｊに関連して）は第１の時間に行われ、第１のインスリンポンプ９１５ｂが分析物センサシステム３０８と通信する権限があると判定すること（例えば、動作９８６Ｋに関連して）は第２の時間に行われ、第１のインスリンポンプ９１５ｂに対する識別情報は、第１の時間と第２の時間との間にサーバ９２０ｂで更新される。すなわち、例えば、第１の時間と第２の時間との間に、第１のインスリンポンプ９１５ｂは、クラウドで受信された更新された識別情報を介して分析物センサシステム３０８と通信する権限を有するようになり得る。当業者は、本開示を検討すると、識別情報がシステム９００に示す要素のうちのいずれかに記憶され得る。更新され、パートナデバイス９１５および／または表示デバイス９１０、９１０’に対する許可が、図９Ａに示すようにＰＡＮ９０２および／またはＷＡＮ９０４とその内部で相互接続された要素とを介して提供および／または制御され得ることを理解するであろう。
【０３８９】
実施形態では、方法９８４は、動作９８６Ｌにおいて、分析物センターシステム３０８と第１のインスリンポンプ９１５ｂとの間の第３接続の確立に応答して、ＤＭＰＩ７５０を介して第１のインスリンポンプ９１５ｂから受信された入力に応答して構成パラメータ５２０に第３の修正を引き起こすことをさらに含む。例として、第１のインスリンポンプ９１５ｂは、リンク９０６ｈを使用して分析物センサシステム３０８で入力として受信された信号を送信することができる。第３の修正を引き起こすことは、第１のインスリンポンプ９１５ｂのシステム要件６５０に応じて行われる。いくつかの場合において、第１のインスリンポンプ９１５ｂのシステム要件６５０は、サーバ９２０ｂ（または、例えば、図８を参照すると、サーバシステム３３４ａおよび／または３３４ｂ）に記憶される。いくつかのこのような場合、方法９８４は、動作９８６Ｍで、ＤＭＰＩ７５０を介して受信された入力に応答して構成パラメータ５２０の第４の修正を引き起こすことをさらに含むことができ、サーバ９２０ｂに記憶された第１のインスリンポンプ９１５ｂのシステム要件６５０の更新バージョンに応じて第４の修正が行われる。すなわち、例えば、本開示の実施形態によれば、パートナデバイス９１５のシステム要件６５０は、クラウド接続機構を介して、および／またはＰＡＮ９０２および／またはＷＡＮ９０４などを介してシステム９００に相互接続された他の要素のいずれかを使用して、動的に更新され得る。
【０３９０】
ここで、ＤＭＰＩ７５０を使用して分析物センサシステム３０８を追加のパートナデバイス９１５とインターフェース接続することに関与し得る特定の態様について記載する。上述したように、パートナデバイス９１５は、インスリンペン９１５ｄを含み得る。第１のインスリンポンプ９１５ｂおよび第２のインスリンポンプ９１５ｃなどの自動化された薬剤送達デバイスとは異なり、インスリンペン９１５ｄは通常、インスリンを送達するために手動介入を使用する。結果として、実施形態では、動作モードに関連する以下の事項を含む、薬剤の自動送達に関して本明細書で表される関連事項のいくつかは、当てはまらない場合がある。このような関連事項は、例えば、送達される薬剤の精度／正確さへの干渉の影響に関連する場合がある。
【０３９１】
実施形態では、上述したように、インスリンペン９１５ｄは、ユーザが計算したボーラス値、および／または送達されたインスリンの量を判定することができる。例えば、ボーラス計算機は、インスリンペン９１５ｄと組み合わせて使用できる。このようなボーラス計算機は、携帯電話９１０ａに実装され、分析物センサシステム３０８から受信された分析物データと炭水化物カウンタからの手動入力とを使用することができる。この情報を使用して、ボーラス計算機は、どれだけのインスリンを投与するかの提案を提供する場合がある。この情報は、携帯電話９１０ａに表示され得るか、または情報をインスリンペン９１５ｄに伝送され得る。インスリンペン９１５ｄがディスプレイを含む場合、伝送された情報は、インスリンペン９１５ｄのディスプレイを使用してユーザに表示できる。次いで、ユーザは投与量の提案を承認し得るか、または計算された投与量を調整し得る。ユーザがインスリンペン９１５ｄを使用してインスリンの投与量を投与すると、搭載されたインスリンが追跡され得るように、投与量に関連する情報が分析物センサシステム３０８および／または携帯電話９１０ａに送り返される。これに加えてまたはこれに代えて、ユーザは、搭載されたインスリンが追跡され得るように、分析物センサシステム３０８および／または携帯電話９１０ａに投与量情報を手動で入力することができる。
【０３９２】
インスリンペン９１５ｄがディスプレイおよび／または他の入出力機能／機構を含む場合、インスリンペン９１５ｄは、分析物センサシステム３０８との直接通信を受け入れやすい場合がある。例として、分析物センサシステム３０８は、インスリンペン９１５ｄをホワイトリストに追加してもしなくてもよく、インスリンペン９１５ｄのシステム要件６５０などに応答して構成パラメータ５２０を設定または修正してもよい。その上、分析物データ、ＥＧＶ、および／または、インスリン関連データがインスリンペン９１５ｄに表示されてもよい。さらに、較正はインスリンペン９１５ｄに直接入力され得る。インスリンペン９１５ｄがディスプレイを含むボーラス計算機の観点では、ボーラス計算機はインスリンペン９１５ｄに効果的に実装されてもよく、同様に、ボーラス計算機に対する決定支援モジュールはインスリンペン９１５ｄにより簡単に実装され得る。実施形態において、システム９００のピコネット配置は、分析物センサシステム３０８とインスリンペン９１５ｄとの間の直接通信が、例えばＰＡＮ９０２における携帯電話９１０ａの存在に基づくように適応し得る。例えば、いくつかの場合、インスリンペン９１５ｄが、ディスプレイを含み、かつＰＡＮ９０２内で接続可能である場合、携帯電話９１０ａは必要でなくてもよい。インスリンペン９１５ｄの別の機能として、炭水化物カウントおよび／または食事計算を統合することができる。
【０３９３】
再び図９Ａを参照すると、システム９００の追加の実施形態は、無線技術を介して接続されている毎日増加するデバイスおよびオブジェクトを活用することができる。例として、パートナデバイス９１５は、特定の食品オブジェクトおよび／または飲料のうちのいずれおよび量が所与のユーザによって消費されたかを検出し、かつこの情報を携帯電話９１０ａに中継するスマート冷蔵庫を含むことができ、情報は分析物データおよび／または薬剤送達データと統合され得る。このような情報の統合により、時間の関数としてこのような変動を特徴付けることを含む、ユーザが消費する食品／飲料の結果として、例えばインスリンおよび血糖レベルなどを含むユーザの健康がどのように変化するかについての有用な特徴づけが可能になり得る。例えば分析物データを含む有用な情報を提供し得る他の接続デバイスとして、ジム機器、スキューバ機器、飛行機、電車、車、ボート、または他のレクリエーション用車両が挙げられる。このようなデバイスは、特別な状況下で、ユーザにとって合理的に便利な継続的な様式で分析物データ収集を提供できる。
【０３９４】
別の例では、特別な医学的状況または緊急性を伴う他の状況が、追加の機能の必要性を生じ得る。例えば、ユーザが分析物データを追跡し、かつＣＧＭ履歴／プロファイルを提供するために携帯電話９１０ａに依存している場合、ユーザの携帯電話９１０ａはロックされてもよい。それゆえ、第１の応答者が携帯電話９１０ａを使用して、ユーザの分析物関連情報への洞察を得るのは困難であり得る。本開示の実施形態は、携帯電話９１０ａのロックを解除することなく特別な状況で特定の情報へのアクセスを有効にするインターフェースを提供することを含む。例えば、ＤＭＰＩ７５０は、警察、医療専門家、介護者などの第１の応答者用に予約された特別なキーまたはオーバーライド信号を受信するように構成できる。いくつかの場合において、例えば、ユーザが病院に入ると、携帯電話９１０ａのロックを解除せずにユーザの分析物データにアクセスできるように、地理上の位置に基づいてオーバーライドモードが有効になり得る。これらの特徴が、他の表示デバイス９１０、９１０’および／またはパートナデバイス９１５に適用され得ることを理解されたい。
【０３９５】
いくつかの場合において、センサ１０は、筋肉疲労に関連する分析物に関する情報を集取するように適合されてもよい。その場合、分析データがユーザに提供され、ユーザが過度に疲労するのを防止することに役立ち得る。これは、例えば、運動選手、軍人などに有用であり得る。いくつかの場合において、センサ１０は、アルコール消費に関連する分析物に関する情報を集取するように適合され得る。その場合、分析物データは、飲酒運転を防止するために使用できる。例えば、分析物センサシステム３０８は、ユーザの車両に信号を送って、ユーザが車両を操作できないようにするセキュリティ対策を強制実施し、かつ／またはユーザの血中アルコール濃度が所定のレベルを超えていることをユーザまたは車両の他の乗員に単に通告することができる。
【０３９６】
Ｊ．警告の統合／協調
いくつかの実施形態では、例えば、システム９００の様々なデバイスで生成される警告およびアラームおよび／または通知は、より効率的にユーザに通知するように協調されてもよい。ここで、図９Ａおよびシステム９００の例示的な文脈を参照して、警告およびアラームの協調および統合についてより詳細に説明する。システム９００の文脈において、表示デバイス９１０、９１０’、パートナデバイス９１５などが分析物センサシステム３０８および／または薬剤送達デバイス９１５ａのうちの任意の数のものに接続可能である場合、問題または問題点が発生する可能性がある。より具体的には、システム９００の文脈では、使用されているデバイスの数に起因して、トリガされ得るアラームの多くの潜在的な組み合わせがあり得る状況が存在する場合があり（例えば、分析物データ、薬剤データ、バッテリレベル、診断、デバイスステータスなどに関連する）、その一部は冗長および／または煩わしいおよび／または不必要な場合がある。したがって、表示デバイス９１０、９１０’および／またはパートナデバイス９１５がシステム９００に接続されているとき、いくつかの場合において、ユーザは同じイベント（例えば、低血糖）によってトリガされる各デバイスで複数のアラームを受信したくない場合がある。例として、携帯電話９１０ａで実行され得る分析物センサアプリケーション４２５ａは、ユーザのグルコースレベルが低い場合にアラームをトリガし得る。加えて、分析物データを受信すると、薬剤送達デバイス９１５ａおよび／またはその上で動作するアプリケーション６２５は、ユーザのグルコースレベルに基づいてアラームをトリガしてもよい。特定の状況では、両方のアラームのトリガは不要であり、潜在的に非効率的、冗長、または望ましくない。ここで、薬剤送達デバイス９１５ａが薬剤を自動的に送達する場合、分析物に関連する警告は必要でないものであることに留意されたい。それゆえ、ここに記載する警告は、薬剤の送達が自動ではない場合にある程度有用になる可能性がある。
【０３９７】
したがって、例えばシステム９００に関するものを含む本開示の実施形態は、警告のインテリジェントな協調を伴う。システム９００に関して、警告は、主要なＰＡＮ９０２およびＷＡＮ９０４の構成にわたっておよびそれらに基づいて協調され得る。高いレベルで、警告の協調は、パートナデバイス９１５のシステム要件６５０などに基づいて、ユーザ入力に基づいて促進されてもよい。ユーザ入力に基づく警告協調の観点では、ユーザはまた、例えば、ユーザインターフェース４３５、分析物センサアプリケーション４２５ａ、および／またはパートナデバイスアプリケーション４２５ｂ（図４を参照）を介して、表示デバイス９１０、９１０’および／またはパートナデバイス９１５などに対するすべての警告を構成し得る。ユーザは、例えば、携帯電話９１０ａのユーザインターフェース４３５を使用して、異なる表示デバイス９１０、９１０’および／またはパートナデバイス９１５に対して警告がどのように設定および提供されるかを構成することができる。図９Ａに示す任意のデバイスは、ユーザ入力に基づいて警告を協調させるために使用され得る。
【０３９８】
例えば、携帯電話９１０ａと薬剤送達デバイス９１５ａの両方で警告が有効になっていると仮定し、さらに追加の表示デバイス９１０、９１０’が使用中であるまたは使用中であり得ると仮定すると、ユーザは最初に、例えばセンサアプリケーション４２５ａを操作して、主要なユーザ対話に対する特定の表示デバイス９１０、９１０’を選択し得る。これはまた、いくつかの場合において、表示デバイス９１０、９１０’に対するユーザ選好の階層を指定することを含み得る。例として、携帯電話９１０ａで実行されるセンサアプリケーション４２５ａがプライマリ対話手段として選択される場合、分析物に関連するすべての警告、および薬剤送達デバイス９１５ａに関連するすべてではないにしてもほとんどの警告が、少なくとも第１の防御線として、アプリケーション４２５ａを介して発せられ得る。もちろん、例えば、プライマリユーザ対話デバイスが動作不能になった場合、ユーザの選択を修正できる。例えば、選択されたセカンダリデバイスがプライマリ対話手段になるようにシフトされてもよく、および／またはセカンダリデバイスが範囲内のデバイスから自動的に選択されてもよい。加えて、フォールバック階層が、ユーザ入力、所定のスキームなどに基づいて確立されてもよい。
【０３９９】
実施形態では、ユーザが複数の警告デバイスを使用することを希望する場合、ユーザは、どのデバイスで警告をどの順序でトリガすべきか、ならびに特定のデバイスおよびシステム９００にどのタイプの警告を使用できるかという観点で、警告のシーケンスを選択できる。警告はまた、例えば、夜間、映画中、争いのある会議中に、警告が触覚であり得るように、時間の関数として、またはイベントの関数として構成できる。または、熟睡者は、夜間に音量を上げるように警告を構成することを希望し得る。
【０４００】
いくつかの場合において、警告をより効率的に提供するために、警告のエスカレーションを実装できる。例えば、携帯電話９１０ａおよび／またはウェアラブルデバイス９１０ｃで第１の尺度として警告が提供されてもよい。その場合に、警告に対して肯定応答がない場合、薬剤送達デバイス９１５ａで警告を提供することができる。加えて、エスカレーション処理中に警告のタイプおよび／または強度が変更されてもよい。特定の時点で肯定応答がない場合、警告はユーザを監視するエンティティまたは個人（例えば、サーバ９２０ｂ経由）および／または緊急サービスプロバイダに伝播され得る。
【０４０１】
実施形態では、パートナデバイス９１５は、警告の協調を統括し得る。いくつかの例示的な状況では、構成パラメータ５２０を介して警告を制御することができる。例えば、薬剤送達デバイス９１５ａのシステム要件６５０で特定の警告特性が定義されている場合、このような警告特性は、それに応じてＤＭＰＩ７５２ｓａｔ構成パラメータ５２０を使用して薬剤送達デバイス９１５ａによりシステム９００に実装され得る。
【０４０２】
ポンプ（例えば、インスリンポンプ）としての薬剤送達デバイス９１５ａの実装形態を伴う実施形態では、警告に関して特別な考慮がなされてもよい。例えば、特定のポンプ固有の障害（例えば、検出されないカニューレの問題）により、薬剤が期待どおりに送達されないことがある。よって、ユーザは、例えば低血糖症を経験したり、ケトンを発生させることさえある。追加のポンプ固有の障害は、バッテリ障害、排水、またはその他の機械的障害を伴い得る。
【０４０３】
したがって、本開示の実施形態は、ポンプ固有の障害によってトリガされる警告の構成を伴う。一例として、ユーザが断続接続モデル、４つのポンプ固有の障害の下で薬剤送達デバイス９１５ａに接続された特定のリモートデバイス（例えば、表示デバイス９１０、９１０’など）に依存している場合、次の送信機会を待たずにユーザに警告を通知することが望ましい場合がある。それゆえ、薬剤送達デバイス９１５ａは、ユーザに警告をより迅速に提供するために、警告を提供するための唯一のデバイスまたはプライマリデバイスさえ有するリモートデバイスの設定を一時的にオーバーライドすることができる。これに代えて、連続接続モデルを使用して薬剤送達デバイス９１５ａに接続することは、この問題点を回避する方法であり得る。
【０４０４】
加えて、薬剤送達デバイス９１５ａに関する障害またはエラーに関連する問題点については、診断情報が分析物センサシステム３０８に提供されてもよい。実施形態では、このような診断情報は、ＤＭＰＩ７５０を使用して分析物センサシステム３０８と共有できる。例えば、構成パラメータ５２０は、このような情報で埋められ得る診断フィールドまたは配列を含み得る。その場合に、診断情報は、携帯電話９１０ａ、ミラー９１０ｄなどを含むシステム９００の他のデバイスに伝播され得る。例えば、このような情報は、共通の場所のデバイスを含む接続デバイスの、メッシュネットワーキング、ネットワーク列、および／またはマシンツーマシントランザクションなどを介して伝播され得る。
【０４０５】
特定の実施形態では、ポンプ固有の障害を検出するのが難しい場合がある。例として、カニューレの部分的な閉塞のみがある場合に、薬剤送達デバイス９１５ａでアラームがトリガされない場合がある（例えば、閉塞の部分的な性質のために問題が検出されない場合がある）。例えば、輸液セットを変更するたびに、輸液部位またはカニューレが適切なインスリン吸収性を有さないか、完全または部分的に閉塞するリスクがあるため、このような問題が発生する可能性がある。閉塞、特に、例えばカニューレのねじれを伴う、部分的な閉塞は、検出が難しい場合がある。検出されないカニューレの問題は、低血糖症およびケトアシドーシスにさえ至る可能性があり、生命を脅かす可能性があるため、これは問題である。したがって、インスリン送達機構の監視を含む、このような検出が困難な問題を監視するために、ケアの標準を実装できる。しかし、定期的な監視は面倒および／または高価である場合がある。部分的な閉塞によりユーザの血糖レベルが上昇する可能性がある場合に追加の問題が発生し得るが、他の要因に起因して、ユーザは血糖レベルの変化の背後にある理由を検出できない場合がある（例えば、ユーザは記録レベルの変化がユーザの食物消費に起因しているのではないかと疑い得る）。
【０４０６】
したがって、本開示の実施形態は、薬剤送達デバイス９１５ａが、分析物センサアプリケーション４２５ａ、分析物センサシステム３０８、および／またはシステム９００の他の手段を介して薬剤送達デバイス９１５ａの機能に関連する情報を提供することを伴う。このような情報は、例として、リザーバ交換情報、例えば、ポンプ巻き戻し時間、ポンプ呼び水時間、カニューレ充填時間および／または量を含み得る。このような情報は、例えば、カニューレ充填、リザーバ交換、およびポンプ呼び水の組み合わせなど、閉塞警告を生成するために使用される液圧力メトリックまたは他の測定値を含むことができ、それらを使用して、輸液セットの一部が変更されたときを判定し得る。加えて、液圧を使用して、輸液セットの問題点に対してアラームが適切であり得るときを指示できる、ユーザに対する個別の特性をさらに開発することができる。
【０４０７】
実施形態では、上記の情報は分析物データと組み合わされて、例えば輸液セットの問題点から生じる血糖レベルの変化と、例えばユーザの糖の消費から生じ得るこのような変化と、の区別を支援することができる。例示として、分析物データは、血糖レベルの変化がユーザの糖消費に関連しているのに対し、輸液セット情報を使用して部分閉塞の問題点を識別できることを指示している場合がある。
【０４０８】
Ｋ．動作モード
図９Ａをさらに参照して、システム９００に関連して実施され得る様々な動作モードに関連する本開示の実施形態がここで記載される。高レベルでは、例えば、パートナデバイス９１５が分析物センサシステム３０８に接続しているかどうか、およびこのようなパートナデバイスがユーザに薬剤を送達するように適合しているかどうかが、分析物センサシステム３０８との接続に利用可能であることに応じて、および／またはいくつかの場合においてパートナデバイス９１５のシステム要件６５０にさらに応じて、異なる動作モードを実装できることを理解されたい。例示的な展開では、薬剤送達動作モードは、ユーザに薬剤を送達するように適合された少なくとも１つのパートナデバイス９１５（例えば、薬剤送達デバイス９１５ａ）を利用するシステム９００の構成に固有であり、表示デバイス９１０、９１０’を利用しない。別の例として、ディスプレイ動作モードは、ユーザに薬剤を送達するように適合された少なくとも１つのパートナデバイス９１５を利用しないシステム９００の構成に固有のものであり得る。ハイブリッド動作モードは、ユーザに薬剤を送達するように適合された少なくとも１つのパートナデバイス９１５を利用し、かつ少なくとも１つの表示デバイス９１０、９１０’を利用するシステム９００の構成に特有であり得る。これらの各動作モードの機能についてここで記載する。
【０４０９】
実施形態において、薬剤送達動作モードは、ユーザに薬剤を送達するように適合された薬剤送達デバイス９１５ａのシステム要件６５０（例えば、インスリンポンプまたは他の自動薬剤送達デバイス）に対応するために使用されてもよく、システム要件６５０は、薬剤送達デバイス９１５ａが、分析物センサシステム９０８との専用接続を有するべきであるようなものである。例えば、このようなシステム要件６５０は、薬剤送達デバイス９１５ａが比較的堅牢ではないことを示し得る。薬剤送達動作モードでは、薬剤送達デバイス９１５ａ以外のリモートデバイス（例えば、表示デバイス９１０、９１０’）は、分析物センサシステム９０８への接続からブラックリストに登録されてもよい。
【０４１０】
例として、薬剤送達デバイス９１５ａは、ＤＭＰＩ７５０を使用して構成パラメータ５２０にアクセスおよび設定／修正することによって薬剤送達動作モードを実装し、いくつかの場合において特に構成パラメータ５２０の無線接続性パラメータをすべてのリモートデバイス（例えば、表示デバイス９１０、９１０’および他のパートナデバイス９１５）をホワイトリストから削除し得る。これに加えてまたはこれに代えて、薬剤送達デバイス９１５ａはＤＭＰＩ７５０を使用して、分析物センサシステム９０８が薬剤送達デバイス９１５ａのみからの接続要求を受け入れるように構成パラメータ５２０のアクセス制御パラメータを設定してもよい。例えば、薬剤送達デバイス９１５ａは、分析物センサシステム３０８に送信される接続要求とともに送信されるパケットにフラグまたは他の情報を含むことができ、フラグまたは他の情報は、薬剤送達デバイス９１５ａまたは薬剤送達デバイス９１５ａを含むデバイスのクラスから発信された接続要求を示す。
【０４１１】
いくつかの場合において、薬剤送達動作モードに自動的に移行する。例えば、薬剤送達デバイス９１５ａと分析物センサシステム３０８との間に接続を確立することができ、その後、薬剤送達デバイス９１５ａを分析物センサシステム３０８に登録し、ホワイトリストに登録することができる。その結果、分析物センサシステムは、薬剤送達動作モードに移行し、薬剤送達動作モードで動作し得る。この動作モードは、例えば、薬剤送達デバイス９１５ａのシステム要件６５０がハイブリッド動作モードをサポートできる場合、または例えば薬剤送達デバイス９１５ａがホワイトリストから削除される場合に、変更することができる。
【０４１２】
実施形態によれば、薬剤送達動作モードに移行することは、薬剤送達デバイス９１５ａの認証を必要とし得る。例えば、いくつかの場合において、図４を参照して、分析物センサアプリケーション４２５ｂを使用して薬剤送達動作モードを有効にすることができる。薬剤送達デバイス９１５ａを使用することを望むユーザは、分析物センサアプリケーション４２５ａおよび／またはパートナデバイスアプリケーション４２５ｂをダウンロードおよび／またはインストールし得る。パートナデバイスアプリケーション４２５ｂは、分析物センサアプリケーション４２５ａと通信するために、自身および／または薬剤送達デバイス９１５ａを認証してもよい。この認証は、ハッシュ値の交換または他の手段によるものであってもよい。認証に続いて、分析物センサシステム３０８は、薬剤送達動作モード薬剤に移行することができる。いくつかの場合において、ユーザ入力（例えば、パスワード、指紋、または顔認識入力を含む）が、薬剤送達動作モードに移行することを許可するように求められることがある。
【０４１３】
実施形態では、薬剤送達動作モードで動作する場合、分析物センサシステム３０８は、分析物センサシステム３０８が薬剤送達モードで動作しているというアドバタイズメントメッセージを受信するリモートデバイスに示すモードインジケータをアドバタイズメントメッセージに含めることができる。モードインジケータは暗号化できる。いくつかの場合において、このようなアドバタイズメントメッセージを受信すると、薬剤送達デバイス９１５ａ以外のリモートデバイスは、分析物センサシステム９０８が薬剤送達モードで動作していることをモードインジケータから検出するように適合され得、したがってこのようなリモートデバイスはアドバタイズメントメッセージを無視し得る。いくつかの場合、このようなアドバタイズメントメッセージを受信すると、薬剤送達デバイス９１５ａ以外のリモートデバイスは接続要求で応答し得るが、分析物センサシステム３０８は、接続要求が薬剤送達デバイス９１５ａ（または薬剤送達デバイス９１５ａを含むデバイスのクラス）から発信されたのではないことを検出すると接続要求を無視するように、適合され得る。
【０４１４】
薬剤送達デバイス９１５ａ以外のリモートデバイスが分析物センサシステム３０８と通信するのを防止するために、追加の技術を使用してもよい。例えば、薬剤送達デバイス９１５ａはＤＭＰＩ７５０を使用して分析物センサシステム３０８の構成パラメータ５２０を設定し、特定の例として、薬剤送達デバイス９１５ａが利用可能なすべてのアドバタイズメントスロットを占有できるように、その無線接続パラメータを設定してもよい。いくつかの場合において、このことは、ＤＭＰＩ７５０を使用して、１つのアドバタイズメントスロットのみがあり、かつそのスロットが薬剤送達デバイス９１５ａに割り当てられるように、薬剤送達デバイス９１５ａが構成パラメータ５２０を修正することを伴い得る。または、一方のスロットが薬剤送達デバイス９１５ａによって占有され、他方のスロットがコントローラ６４５によって占有されてもよい。したがって、他のリモートデバイスが分析物センサシステム３０８に接続できない場合がある。
【０４１５】
より一般的には、薬剤送達動作モード（および／またはハイブリッドモード）での動作に関連して、分析物センサシステム３０８は、薬剤送達デバイス９１５ａに、他のデバイス（例えば、表示デバイス９１０、９１０’）またはデバイスのクラスのエージングオフ（例えば、タイムアウト）ルールを含む分析物センサシステム３０８によって管理されているホワイトリストを構成する許可を与えることができる。
【０４１６】
実施形態では、ディスプレイ動作モードは、ユーザに薬剤を送達するように適合されたパートナデバイス９１５（例えば、インスリンポンプ９１５ｂ、９１５ｃまたは他の自動薬剤送達デバイス、インスリンペン９１５ｄ、またはより一般的に薬剤送達デバイス９１５ａ）がシステム９００内で利用されない場合に、使用され得る。通常、ディスプレイ動作モードでは、薬剤送達デバイス９１５ａのシステム要件６５０が分析物センサシステム３０８の動作に課されないため、ディスプレイ動作モードは薬剤送達動作モードよりも制限が少ない場合がある。それゆえ、ディスプレイ動作モードの例示的な実装形態では、様々な表示デバイス９１０、９１０’は、接続を確立し、分析物データ、制御などに関連する通信を受信／送信することができる。
【０４１７】
実施形態では、システム９００が薬剤送達モードで動作しているが、薬剤送達デバイス９１５ａが分析物センサシステム３０８との通信を停止する場合に（例えば、ユーザが薬剤送達デバイス９１５ａを電源遮断した、または取り外した、または他の方法でデバイスの機能を停止させたため）、分析物センサシステム３０８は、ホワイトリストから薬剤送達デバイス９１５ａを削除し、表示動作モードにフォールバックしてもよい（他の薬剤送達デバイス９１５ａが利用されていないと仮定する）。このフォールバックは、構成パラメータ５２０が、ＤＭＰＩ７５０を使用して薬剤送達デバイス９１５ａによって構成パラメータ５２０を設定／修正する前に存在した状態に復元することを伴い得る。
【０４１８】
実施形態では、例えばシステム９００でハイブリッド動作モードを使用することができ、そこでは、ユーザに薬剤を送達するように適合された薬剤送達デバイス９１５ａのシステム要件６５０に対応することが実現可能である（例えば、インスリンポンプまたは他の自動薬剤送達デバイス）が、同時に、少なくとも、分析物センサシステム３０８から分析物データを受信する機会を、他のリモートデバイス（例えば、表示デバイス９１０、９１０’）に提供する（薬剤送達デバイス９１５ａが分析物データを受信することに加えて）。例えば、薬剤送達デバイス９１５ａが、薬剤送達デバイス９１５ａ以外のリモートデバイスが表示専用状態で分析物データを受信できるように十分に堅牢であり得る場合、しかしながら、薬剤送達デバイス９１５ａは、このようなリモートデバイスがコマンド／制御信号を分析物センサシステム３０８に追加的に送信することを処理するほどには堅牢ではない場合がある。
【０４１９】
それゆえ、ハイブリッド動作モードのこの例では、表示デバイス９１０、９１０’は（例えば、図７Ａ−７Ｃを参照すると、通信セッション７２０、７４０、または７６０を使用して）分析物データを受信することができる場合があるが、このような表示デバイス９１０、９１０’は、較正コマンドを分析物センサシステム３０８に送信しなくてもよい。このようにして、システム９００は、薬剤送達デバイス９１５ａのシステム要件６５０に従って動作し、同時に、例えば、表示デバイス９１０、９１０’がユーザにトレンドグラフを提供することを可能にし、および／または分析物データを、ＷＡＮ９０４を介して接続されたリモートデバイスを使用して（例えば、ユーザの医療専門家または友人または家族によって）監視されるように提供することを可能にすることができる。表示可能な分析物データが、ＰＡＮ９０２および／またはＷＡＮ９０４を介した様々なデバイスとの通信のために暗号化されてもよい。実施形態では、表示デバイス９１０、９１０’に対して警告を制御および／またはある程度制限することができる。例えば、警告は、分析物センサシステム３０８から分析物データを受信するすべてのデバイスから提供される代わりに、薬剤送達デバイス９１５ａを介して送られてもよい。
【０４２０】
ハイブリッド動作モードの実施形態では、システム要件６５０は、薬剤送達デバイス９１５ａが比較的堅牢であることを反映し、それゆえ、薬剤送達デバイス９１５ａ以外のリモートデバイスが、分析物センサシステム３０８と通信し、かつコマンド／制御メッセージを分析物センサシステム３０８に送信できるようにし、および／または分析物センサシステム３０８に関連して精度または較正パラメータ、開始／停止イベントなどにアクセスすることができる場合がある。例えば、システム要件６５０は、薬剤送達デバイス９１５ａが、薬剤送達デバイス９１５ａ以外のリモートデバイスが分析物データを受信するだけでなく、薬剤送達デバイス９１５ａの動作を阻害することなく、コマンド／制御信号を分析物センサシステム３０８に送信することを可能にするのに十分に堅牢であることを示してもよい。それゆえ、ハイブリッド動作モードのこの例では、表示デバイス９１０、９１０’は、較正コマンドを分析物センサシステム３０８に送信することが可能であってもよく、それにもかかわらず、システム９００は、薬剤送達デバイス９１５ａのシステム要件６５０に従って動作することが可能である。
【０４２１】
ハイブリッド動作モードは、ＤＭＰＩ７５０を使用して分析物センサシステム３０８の構成パラメータ５２０を設定して、例えば、薬剤送達デバイス９１５ａ以外のリモートデバイスが分析物センサシステム３０８に接続しおよび／またはそこから分析物データを受信できるように、実装されてもよく（例えば、このようなリモートデバイスの表示専用状態で）、いくつかの場合において、このようなリモートデバイスが分析物センサシステム３０８にコマンド／制御シグナリングを送信できるようにする。例えば、これは、薬剤送達デバイス９１５ａがＤＭＰＩ７５０を使用して上述のアクセスおよび制御パラメータを設定すること通じて達成され得る。加えて、ＤＭＰＩ７５０を使用して、例えば、分析物表示デバイス３０８により伝送（例えば、ブロードキャスト）されるアドバタイズメントメッセージに含められ得る分析物データをリモートデバイスに送信するために、上述の無線接続性パラメータを設定することができる（例えば、図７Ｃを参照すると通信セッション７６０ごとに）。実施形態において、ハイブリッドモードは、使用される前に認証を必要とする場合がある（例えば、薬剤送達モードについて上述したように）。
【０４２２】
場合によっては、ユーザは、ハイブリッド動作モードのどのバージョンを使用するか、例えば、薬剤送達デバイス９１５ａ以外のデバイスが分析物データに関連する制御／コマンドシグナリングを送信できるか、を制御できる。例えば、携帯電話９１０ａのユーザインターフェース４３５は、ユーザがハイブリッド動作モードのバージョン間で選択することを可能にするＧＵＩを提供し得る。いくつかの場合において、ＧＵＩは、ハイブリッド動作モードの１つのバージョンと別のバージョンとの選択に関連付けられた通告、推奨、および／またはシステム性能の連関をユーザに追加で提供する場合がある。また、上述した他の動作モード（例えば、薬剤送達モード、表示専用モード）がまた、例えば、ユーザインターフェース４３５を介してユーザ選択可能であり得ることが考えられる。
【０４２３】
上記で示唆したように、本開示の実施形態は、上述の動作モード間での変更を含む。例えば、ユーザが薬剤送達デバイス９１５ａの使用を停止することを決定した場合、または薬剤送達デバイス９１５ａがバッテリ障害または他の何らかの不具合に遭遇した場合、システム９００は薬剤送達動作モードまたはハイブリッド動作モードの使用からディスプレイ動作モードに遷移し得る。または、例えば、モード相互間の遷移は、例えば表示デバイス９１０、９１０’のユーザインターフェース４３５を介して、示されるように、単にユーザの選好に基づいてもよい。動作モード間の遷移は、モードコマンドの送信を伴い得る。
【０４２４】
別の例として、システム９００は、ユーザが薬剤送達デバイス９１５ａを切り替え／交換している場合、薬剤送達モードからハイブリッドモードに遷移し得る。例示のために、ユーザのインスリンポンプが壊れているか、そうでなければ交換する必要がある場合、ユーザは、インスリンポンプを外す前に、薬剤送達モードからハイブリッドモードへの遷移を手動で開始してもよい。このようにして、インスリンポンプが取り外された場合でも、表示デバイス９１０、９１０’は、分析物センサシステム３０８から分析物データを受信し続け、このようなデータをユーザに提供し続けることができる。次いで、交換用のインスリンポンプが取り付けられると、システムは薬剤送達モードに再び遷移し得る。薬剤送達モードへの再度の遷移は、例えば、分析物センサシステム３０８が交換インスリンポンプからの接続要求を検出することに応じて、ユーザの介入なしに自動的に行われ得る。この状況では、インスリンポンプが使用不能になると予想される時間が比較的短いため、インスリンポンプを取り外したときに表示動作モードに遷移する必要はない場合がある。
【０４２５】
実施形態において、１つ以上の表示デバイス９１０、９１０’は、動作モードが遷移することをユーザに推奨してもよい。例えば、薬剤送達デバイス９１５ａの存在は、分析物センサシステム３０８（例えば、接続要求を介して）および／または１つ以上の表示デバイス９１０、９１０’によって検出され得、その結果、薬剤送達またはハイブリッド動作モードへの遷移に対する推奨がユーザに提供され得る。実施形態では、このような遷移は、存在および／またはシステム要件６５０または薬剤送達デバイス９１５ａを検出すると、自動的にトリガおよび／または行われることがある。例えば、薬剤送達デバイス９１５ａのシステム要件６５０は、分析物センサシステム３０８および／または表示デバイス９１０、９１０’と共有され得、システム要件６５０を解析すると、特定の動作モード（例えば、薬剤送達モード）が、システム要件６５０に対応するため、または特定の動作モードがより適切であるために必要である。様々なシナリオの動作モード間の遷移スキームは、実施形態において、デフォルト構成に事前にプログラムされ、そのいずれかが実装されてもよい。
【０４２６】
動作モード相互間の移行の特定の例がここで提供される。この特定の例では、システム９００はディスプレイ動作モードで動作しており、ユーザは携帯電話９１０ａを介して分析物データを監視している。この例では、薬剤送達デバイス９１５ａと分析物センサシステム３０８との間の直接接続が確立される（例えば、リンク９０６ｄを使用して）。携帯電話９１０ａでは、ユーザは、例えば、薬剤送達デバイス９１５ａのセットアップを見越して、薬剤送達動作モードを有効にすることができる。それに応答して、携帯電話９１０ａは、モードスイッチに分析物センサシステム３０８への信号を送ることができる（例えば、リンク９０６ｇを使用して）。次いで、分析物センサシステム３０８と薬剤送達デバイス９１５ａとの間に接続が確立され得る（例えば、図７Ａまたは図７Ｂに関連して記載された処理によって）。いくつかの場合において、携帯電話９１０ａは分析物センサシステム３０８に接続されたままになる場合がある。これにより、遷移処理中に冗長性が提供され得る。
【０４２７】
次いで、薬剤送達デバイス９１５ａは、ＤＭＰＩ７５０を使用して、システム要件６５０に従って構成パラメータ５２０を設定／修正することができる。例えば、薬剤送達デバイス９１５ａは、分析物センサシステム３０８が構成パラメータ５２０を修正できるように、分析物センサシステム３０８にシステム要件６５０を提供してもよい。構成パラメータ５２０を設定する際に、例えば、薬剤送達デバイス９１５ａのオフ時間、センサセッションが続く期間（例えば、インスリン警告と一致する）、および、使用される警告のタイプとＰＡＮ９０２／ＷＡＮ９０４を介して、それらがどのように伝播し、肯定応答されるかと、を含む追加情報を評価することができる。薬剤送達デバイス９１５ａの使用を終了すると、ユーザは、携帯電話９１０ａが分析物センサシステム３０８に別のモード切り替え信号を送信して、薬剤送達デバイス９１５ａをホワイトリストから削除し、構成パラメータ５２０を修正して以前の値に戻すように、携帯電話９１０ａを介して指示できる。上記の例は、薬剤送達デバイス９１５ａが分析物センサシステム３０８に直接接続するのではなく、リンク９１６および９０６ｇを介して携帯電話９１０ａを介して分析物センサシステム３０８に接続するように修正され得る。また、モードスイッチは、例えば、どのようなデバイスが、分析物センサシステム３０８に接続可能であるか、および／またはＰＡＮ９０２および／またはＷＡＮ９０４内に存在するかに関連する変更を含む、システム９００の構成の変更に対応するために、一般的に適応方式および／またはユーザ入力に基づいて使用できることを理解されたい。
【０４２８】
この時点で、図９Ａに関連して実装され得る方法および特徴の実施形態、およびそれに関連して（例として）実装され得る動作モードは、図９Ｇ、図９Ｈ、および図９Ｌ〜図９Ｓを例として参照して記載される。図９Ｇは、例えば、図９Ａに示す要素によって実装され得る様々な動作を示す動作フロー図である。図９Ｇは、方法９４８の実施形態に関連して実装され得る動作９５０Ａ〜９５０Ｍを示し、方法９４８はＤＭＰＩ７５０の使用を含むことができ（例として図１０Ａを参照）４つの分析物センサシステム３０８２は分析物センサシステム３０８と分析物センサシステム３０８に接続可能な１つ以上のリモートデバイスとの相互間の無線通信を制御し、１つ以上のリモートデバイスは、表示デバイス９１０、９１０’のうちの１つとパートナデバイス９１５のうちの１つとを含む。例示目的のみで、図９Ａを参照し、別段の記載が無い限り、表示デバイス９１０、９１０’については、１つの表示デバイス９１０、９１０’に対して携帯電話９１０ａを参照し、パートナデバイス９１５については、パートナデバイス９１５に対して薬剤送達デバイス９１５ａを参照する。ただし、表示デバイス９１０、９１０’およびパートナデバイス９１５のこれらの特定の例は、本開示の範囲に関して非限定的であることを理解されたい。方法９４８の動作は、例えば本明細書に記載するように、様々な動作モードを実装することを含む、構成可能な糖尿病管理パートナインターフェースの使用を通じて、異なる製造者製の異なるパートナデバイスに対応できる柔軟で適応可能なシステムを実装するために有利に使用され得る。
【０４２９】
図９Ｇに示すように、方法９４８は、動作９５０Ａで、分析物センサシステム３０８が、リモートデバイスのうちの１つから受信された接続要求が１つ以上のリモートデバイス内のパートナクラスから発信されたかどうかを判定することを含む。方法９４８の文脈において、パートナクラス内のリモートデバイスは、薬剤を提供するように適合されている。パートナクラスは、薬剤送達デバイス９１５ａを含む。
【０４３０】
動作９５０Ｂで、接続要求がパートナクラスから発信された場合、方法９４８は、ＤＭＰＩ７５０がパートナクラスに対応する動作モードの選択を有効にすることを含む。薬剤送達デバイス９１５ａのシステム要件６５０（例えば、図５Ｂを参照）をサポートするために、パートナクラスに対応する動作モードは、パートナクラスの構成パラメータ５２０（例えば、図３Ｃを参照）のセットを使用する。構成パラメータのセット５２０は、分析物センサシステム３０８内で管理されている。
【０４３１】
動作９５０Ｃで、方法９４８は、任意選択により、パートナクラスに対応する動作モード（例えば、表示デバイス９１０、９１０’および／またはパートナデバイス９１５のうちの任意のもの）を使用して、リモートデバイスの少なくとも１つと無線通信を交換することを含む。図９Ｈは、特定の実施形態による、方法９４８の動作９５０Ｃに関連して実行され得る追加の動作を示す。例えば、動作９５４Ａにおいて、動作９５０Ｃごとにパートナクラスに対応する動作モードを使用して無線通信を交換することは、動作モードが分析物送達デバイス３０８によって選択されたと判定するために少なくとも１つのリモートデバイスによって使用可能なモードインジケータを伝送することを含み得る。すなわち、モードインジケータは、分析物センサシステム３０８によって、分析物センサシステム３０８の使用に関連して使用されている動作モードをこのようなデバイスに伝えるために、範囲内の接続可能なデバイスに送信され得る。
【０４３２】
上述のように、薬剤送達デバイス９１５ａのシステム要件６５０をサポートするために使用され得る構成パラメータ５２０のセット（再び、例として）は、携帯電話９１０ａまたは薬剤送達デバイス９１５ａのアクセス制御パラメータ、分析物センサシステム３０８の精度または較正パラメータ、および分析物センサシステム３０８とリモートデバイスのうちの１つ以上との相互間で交換される通信の無線通信パラメータ、のうちの１つ以上を含み得る。実施形態では、動作９５４Ａに関連して参照されるモードインジケータは、ＤＭＰＩ７５０を使用して、アクセス制御パラメータ、精度または較正パラメータ、および無線通信パラメータのうちの１つ以上への、パートナクラス内にないリモートデバイスのセットによるアクセスを非アクティブ化するように、分析物センサシステム３０８によって動作可能である。加えて、実施形態では、分析物センサシステム３０８がパートナクラス内にないリモートデバイスのセットに対応する動作モードを使用する場合、パートナクラスにないリモートデバイスのセットによるこれらのパラメータへのアクセスがアクティブ化される。
【０４３３】
さらに図９Ｈを参照すると、動作９５４Ｂは、薬剤送達デバイス９１５ａ以外のデバイスのスロットをオフに切り替えるために、分析物センサシステム３０８に対して管理されているホワイトリストを修正することを伴う。すなわち、例えば、動作９５４Ｂによれば、薬剤送達デバイス９１５ａ以外のデバイスは、分析物センサシステム３０８によって伝送されたアドバタイズメントメッセージを受信しおよび／またはアドバタイズメントメッセージに応答することを防止され得る。動作９５４Ｃは、薬剤送達デバイス９１５ａまたは、薬剤送達デバイス９１５ａと併せて使用され得るパートナデバイスコントローラ６４５（例えば、図５Ｂを参照）にのみ向けられた、アドバタイズメントメッセージを送信することを含む。例えば、動作９５４Ｃは、デバイス固有のアドバタイズを使用することを伴い得る。これに代えてまたはこれに加えて、動作９５４Ｃは、分析物センサシステム３０８が、伝送されたアドバタイズメントメッセージに応答して、受信された接続要求を拒絶することを含んでもよく、このような接続要求は薬剤送達デバイス９１５ａ以外のデバイスから受信される。実施形態では、動作９５０Ｃは、動作９５４Ｄで、ＤＭＰＩ７５０を介して受信されたコマンドに応答して、分析物センサシステム３０８が、分析物送達システム９１５ａのみから受信された接続要求を受け入れることを含み得る。例として、分析物センサシステム３０８のユーザは、薬剤送達デバイス９１５ａのみが分析物センサシステム３０８と通信できることを（例えば、ユーザインターフェース４３５を使用して）指定することができる。したがって、分析物センサシステム３０８は、薬剤送達デバイス９１５ａに起因しない接続要求を無視するように適合され得る。
【０４３４】
再び図９Ｇを参照すると、動作９５０Ａで接続要求がパートナクラスからのものではないと判定された場合、方法９４８は、任意選択により、動作９５０Ｄで、分析物センサシステム３０８が、パートナクラス内にないリモートデバイスのセットに対応する動作モードを選択することを含む。パートナクラス内にないリモートデバイスのセットに対応する動作モードは、パートナクラス内にないリモートデバイスのセットに固有の構成パラメータ５２０のセットを使用する。すなわち、例えば、ＤＭＰＩ７５０を使用して、パートナデバイス９１５から接続要求が受信されなかったという評価に基づいて、例えば表示デバイス９１０、９１０’などのシステム９００内の分析物センサシステム３０８および／またはリモート装置の動作を適応的に構成することができる。これは、例えば、インスリンポンプ９１５ｂおよび９１５ｃなど、堅牢性の低いアルゴリズム、または他のリモートデバイスからの干渉を含む環境で最適に動作しない他のシステム要件６５０を、潜在的に有する可能性がある特定のパートナデバイス９１５に関して上述した理由で有利である。
【０４３５】
携帯電話９１０ａがパートナクラス内にないリモートデバイスのセットにある場合、方法９４８の実施形態は、動作９５０Ｅで、ＤＭＰＩ７５０を使用して、携帯電話９１０ａに、パートナクラス内にないリモートデバイスのセットに固有の構成パラメータセット５２０へのアクセスを提供することを含む。いくつかのこのような実施形態では、方法９４８は、動作９５０Ｆにおいて、分析物センサシステム３０８が、携帯電話９１０ａから受信された入力に応答して、パートナクラス内にないリモートデバイスのセットに固有の構成パラメータ５２０のセットの１つの値を設定または修正することを含む。すなわち、例えば、パートナデバイス９１５が分析物センサシステム３０８と通信していない場合に使用できる動作モードによれば、他のリモートデバイスは、構成パラメータ５２０を使用して促進され得るように分析物センサシステム３０８の特定の特性をより自由に構成できるようにされ得る。
【０４３６】
動作９５０Ｇで、方法９４８は、任意選択により、分析物センサシステム３０８が、少なくとも所定の時間量の間、薬剤送達デバイス９１５ａから無線通信を受信していないと判定することを含む。この判定に応答して、およびパートナクラス内にないリモートデバイスのセット内のリモートデバイスのうちの１つからの接続要求の受信にさらに応答して、動作９５０Ｈで、方法９４８は、分析物センサシステム３０８が、パートナクラス内にないリモートデバイスのセットに対応する動作モードを選択することを含み得る。パートナクラス内にないリモートデバイスのセットに対応する動作モードは、リモートデバイスのセットに固有の構成パラメータ５２０のセットに従い得る。すなわち、例えば、薬剤送達デバイス９１５ａが、所定の、プログラム可能、適合可能、および／または可変であり得る所定の時間量、分析物センサシステム３０８と通信していない場合に使用され得る動作モードに応じて、分析物センサシステム３０８は、薬剤送達デバイス９１５ａにより適合されるのとは対照的に、表示デバイス９１０、９１０’により適合される動作モードを使用するように適合され得る。このようにして、ＤＭＰＩ７５０によって可能になるシステム９００の柔軟性により、システム９００は、ＰＡＮ９０２および／またはＷＡＮ９０４で使用されているデバイスに応じて適応および最適化することができる。加えて、動作９５０Ｊで、薬剤送達デバイス９１５ｊは、例えば、分析物センサシステム３０８のために管理されていてもよいホワイトリストから削除され得る。いくつかの場合において、例えば、ホワイトリストがホワイトリストに登録できるデバイスの数を制限する場合に他のデバイスがホワイトリストに登録できるようにするために、薬剤送達デバイス９１５ａが分析物センサシステム３０８と通信していないと判定された場合、ホワイトリストから薬剤送達デバイス９１５ａを削除することが有利な場合がある。
【０４３７】
方法９４８の実施形態は、動作９５０Ｋにおいて、分析物センサシステム３０８が、ＤＭＰＩ７５０を使用して、薬剤送達デバイス９１５ａから構成パラメータ５２０のセットの１つの値を受信するのを任意選択により含む。例えば、この値は、リンク９０６ｄを使用して、薬剤送達デバイス９１５ａから分析物センサシステム３０８に渡されてもよい。方法９４８は、動作９５０Ｌで、分析物センサシステム３０８が、薬剤送達デバイス９１５ａから受信された値を使用して１つの構成パラメータ５２０を修正することを追加的に含むことができる。動作９５０Ｍで、方法９４８は、分析物センサシステム３０８が、例えばリンク９０６ｇを使用して、１つの構成パラメータ５２０の値を携帯電話９１０ａに送信することを含むことができる。値は、薬剤送達デバイス９１５ａが分析物センサシステム３０８のために管理されているホワイトリストから削除されることとなる特定の時間、および携帯電話９１０ａがホワイトリストから削除されることとなる特定の時間のうちの１つ以上を含み得る。このようにして、携帯電話９１０ａのユーザは、薬剤送達デバイス９１５ａおよび／または携帯電話９１０ａ、または実際に、システム９００に示す任意の他のリモートデバイスのエージングオフ時間を知ることができる。
【０４３８】
図９Ｌは、例えば、図９Ａに示す要素によって実装され得る様々な動作を示す動作フロー図である。図９Ｌは、方法９５６の実施形態に関連して実装され得る動作９５８Ａ〜９５８Ｃを示し、方法９５６は、パートナデバイス９１５および／または表示デバイス９１０、９１０’と無線通信（例えば、図９Ａを参照）を交換する分析物センサシステム３０８の構成可能性を可能にするためにＤＭＰＩ７５０を使用することを伴い得る（例として図１０Ａを参照）。例示目的のみで、適切な場合、表示デバイス９１０、９１０’、携帯電話９１０ａ、およびパートナデバイス９１５、薬剤送達デバイス９１５ａについて、図９Ａを参照する。ただし、表示デバイス９１０、９１０’およびパートナデバイス９１５のこれらの特定の例は、本開示の範囲に関して非限定的であることを理解されたい。方法９５６の動作は、例えば本明細書に記載するように、様々な動作モードを実装することを含む、構成可能な糖尿病管理パートナインターフェースの使用を通じて、異なる製造者製の異なるパートナデバイスに対応できる柔軟で適応可能なシステムを実装するために有利に使用され得る。
【０４３９】
図９Ｌに示すように、方法９５６は、動作９５８Ａにおいて、分析物センサシステム３０８が、第１のクラスのリモートデバイス中のリモートデバイスから第１の接続要求が送信されたと判定することを含む。第１のクラスのリモートデバイスは、表示デバイス９１０、９１０’を包含してもよい。それゆえ、例えば、第１のクラスのリモートデバイス中のリモートデバイスは、リンク９０６ｇを使用して分析物センサシステム３０８と通信することができる携帯電話９１０ａであってもよい。動作９５８Ｂで、方法９５６は、分析物センサシステム３０８が、第２のクラスのリモートデバイス中のリモートデバイスから第２の接続要求が送信されたと判定することを含む。第２のクラスのリモートデバイスのうちのリモートデバイスは、ユーザに薬剤を送達するように適合されている。それゆえ、例えば、第２のクラスのリモートデバイス中のリモートデバイスは、薬剤送達デバイス９１５ａであり得る。第２のクラスのリモートデバイス中の第１クラスのリモートデバイスは、第１クラスのリモートデバイスのうちのリモートデバイスが第２のクラスのリモートデバイスに属さないように、またその逆に定義できる。
【０４４０】
動作９５８Ｃで、方法９５６は、分析物センサシステム３０８が複数の動作モードのいずれかを使用することを含む。様々な動作モードが本明細書に記載されており、実施形態では、このような動作モードは動作９５８Ｃに関連して使用され得る。しかし、例示目的で、特定の動作モードについて、方法９５６の実施形態、より具体的には動作９５８Ｃに関連してここで記載する。動作９５８Ｃによれば、複数のうちの第１の動作モードが、第２のクラスのリモートデバイス中のリモートデバイスを利用し、かつ第１のクラスのリモートデバイス中のリモートデバイスを利用しない、第１の構成に固有である。したがって、第１の構成の下では、薬剤送達デバイス９１５ａは分析物センサシステム３０８に接続されている／接続している、携帯電話９１０ａは分析物センサシステム３０８に接続されていない／接続していない。動作９５８Ｃに関連して使用され得る複数の動作モードのうちの第２の動作モードは、第２のクラスのリモートデバイス中のリモートデバイスを利用しない第２の構成に特有である。したがって、第２の構成の下では、携帯電話９１０ａは分析物センサシステム３０８に接続されている／接続しているが、薬剤送達デバイス９１５ａも、２人のユーザに薬剤を送達するように適合された他のパートナデバイス９１５も分析物センサシステム３０８に接続されていない／接続していない。動作９５８Ｃに関連して使用され得る複数の動作モードのうちの第３の動作モードは、第１のクラスのリモートデバイス中のリモートデバイスおよび第２クラスのリモートデバイス中のリモートデバイスを利用する第３の構成に特有である。したがって、第３の構成の下では、薬剤送達デバイス９１５ａおよび携帯電話９１０ａの両方が分析物センサシステム３０８に接続されている／接続している。
【０４４１】
図９Ｍ、９Ｒ、および９Ｓは、特定の実施形態による、方法９５６の動作９５８Ｃに関連して実行され得る追加の動作を示す。例えば、図９Ｍに示すように、動作９５８Ｃが複数の動作モードのうちの第１の動作モードの使用を含む場合、動作９５８Ｃは、動作９６２Ａで、ＤＭＰＩ７５０を使用して、第１のクラスのリモートデバイス中のリモートデバイスに提供された許可を修正する権限を、リモートデバイスおよび第２のクラスのリモートデバイスに提供することを含むことができる。例として、薬剤送達デバイス９１５ａは、ＤＭＰＩ７５０を使用して構成パラメータ５２０、より具体的には許可に関連するこのような構成パラメータ５２０を修正する許可を受信することができる。例示的な実施形態では、薬剤送達デバイス９１５ａが分析物データパラメータ（例えば、精度または較正パラメータなど）４つの分析物センサシステム３０８を制御する携帯デバイス９１０ａの能力を制限できるように、許可を修正することができる。
【０４４２】
図９Ｍをさらに参照すると、動作９５８Ｃが複数の動作モードのうちの第１の動作モードの使用を伴う場合、動作９５８Ｃは、動作９６２Ｂで、分析物センサシステム３０８が、第１のクラスのリモートデバイス中のリモートデバイスから、第２のクラスのリモートデバイス中のリモートデバイスが分析物センサシステム３０８と通信するための認証を受信することを含み得る。例えば、ユーザは、分析物センサシステム３０８との通信のために薬剤送達デバイス９１５ａを認証することができ、ユーザは携帯電話９１０ａを介して認証を付与する。加えて、動作９５８Ｃが複数の動作モードのうちの第１動作モードの使用を伴う場合、動作９５８Ｃは、任意選択により、動作９６２Ｃで、第２のクラスのリモートデバイス中のリモートデバイスからＤＭＰＩ７５０を介して受信された入力に応答して、分析物センサシステム３０８が第２のクラスのリモートデバイス中のリモートデバイス以外のデバイスとの接続を防止することを含む。それゆえ、例えば、管理送達デバイス９１５ａは、薬剤送達デバイス９１５ａのみが分析物センサシステム３０８に接続可能であるように、分析物センサシステム３０８を構成するＤＭＰＩ７５２を使用してもよい。
【０４４３】
図９Ｎ、図９Ｐ、および図９Ｑは、特定の実施形態による、方法９５６の動作９６２Ｃに関連して実行され得る追加の動作を示す。例えば、図９Ｎは、動作９６２Ｃ（第２のクラスのリモートデバイス中のリモートデバイス以外のデバイスとの接続の防止）が、動作９６６Ａで、第１アドバタイズメントスロットを使用して第２のクラスのリモートデバイス中のリモートのデバイスにアドバタイズすることを含んでもよく、動作９６６Ｂで、第２のアドバタイズメントスロットを使用して、第２のクラスのリモートデバイス中のリモートデバイス、または第２のクラスのリモートデバイス中のリモートデバイスに対するコントローラにアドバタイズすることをさらに含むことができる（例えば、図５Ｂを参照するとパートナデバイスコントローラ６４５）。このようにして、すべての利用可能なアドバタイズメントスロットまたは持続時間を使用して、薬剤送達デバイス９１５ａにアドバタイズすることができ、例えば、表示デバイス９１０、９１０’などの他のリモートデバイスにアドバタイズメントする機会がなくなり得るようにする。
【０４４４】
図９Ｐは、動作９６２Ｃ（リモートデバイスの第２のクラスのリモートデバイス以外のデバイスとの接続を防止する）が、動作９７０で、分析物センサシステム３０８がＤＭＰＩ７５０を使用して、リモートデバイスおよび第２のクラスのリモートデバイスに専用であり得る単一のアドバタイズメント期間６１４を含むように、アドバタイズメント構造６２２の修正を設定するかまたは引き起こすことを含むことができることを示す（例えば、図６を参照）。したがって、実施形態では、アドバタイズメント構造６２２が１つのみのアドバタイズメントスロットを含み、アドバタイズメントスロットが薬剤送達デバイス９１５ａにアドバタイズするために使用されるように、ＤＭＰＩ７５０を使用して構成パラメータ５２０を設定／修正することができる。このようにして、例えば表示デバイス９１０、９１０’などのリモートデバイスが分析物センサシステム３０８と接続することを防止し、それゆえ例示的な実装形態による第１の動作モードをサポートすることができる。
【０４４５】
図９Ｑは、動作９６２Ｃ（リモートデバイスの第２のクラスのリモートデバイス以外のデバイスとの接続を防止する）が、動作９７４で、分析物センサシステム３０８が、第２のクラスのリモートデバイス中のリモートデバイスのみからの接続要求を受け入れるのを含み得ることを示す。すなわち、ユーザに薬剤を送達するように適合されたデバイス以外のリモートデバイスが分析物センサシステム３０８に接続するのを防ぐ方法の一例は、ユーザに薬剤を送達するように適合されたデバイスから発信されていない接続要求を拒絶することを含む。実施形態では、接続要求とともに分析物センサシステム３０８に送信される１つ以上のパケットは、このようなパケットを送信するデバイスが薬剤を送達するように適合しているかどうかを識別し、分析物センサシステム３０８がパケット（複数可）を解析してどのタイプのパケット、したがってこの例では接続要求の発信元を判定し得るようにする。
【０４４６】
図９Ｍに戻ると、動作９６２Ｄで、動作９５８Ｃが複数の動作モードのうちの第１の動作モードの使用を含む場合、動作９５８Ｃは、任意選択により、分析物センサシステム３０８が、ＤＭＰＩ７５０を介して第２クラスのリモートデバイス中のリモートデバイスから受信された入力を使用して、第２クラスのリモートデバイス中のリモートデバイスに関連付けられたタイムアウトルールを修正することを含む。例えば、薬剤送達デバイス９１５ａは、ＤＭＰＩ７５０を使用して、構成パラメータ５２０を修正し、薬剤送達デバイス９１５ａまたは表示デバイス９１０、９１０’についても同様にタイムアウト設定を修正することができる。
【０４４７】
ここで図９Ｒを参照して、特定の実施形態に従って、方法９５６の動作９５８Ｃ（分析物センサシステム３０８が複数の動作モードのうちのいずれか１つを使用する）に関連して実行され得る追加の動作について記載する。より具体的には、図９Ｒは、複数の動作モードのうちの第２の動作モードを使用して、分析物センサシステム３０８に関連して実行され得る動作を示している。例えば、実施形態において、第２の動作モードを使用することは、第２のクラスのリモートデバイス中のリモートデバイスを除外するようにホワイトリストを修正すること（例えば、動作９７８Ａで）、第２のクラスのリモートデバイス中のリモートデバイスから受信された接続要求を拒絶すること（例えば、動作９７８Ｂ）、および第１のクラスのリモートデバイス中のリモートデバイスに対して排他的にアドバタイズすること（例えば、動作９７８Ｃ）、のうちの１つ以上を含む。これらの動作のそれぞれを使用して、ユーザに薬剤を送達するように適合されたデバイスが分析物センサシステム３０８に接続するのを防止することができる。
【０４４８】
図９Ｓは、動作９５８Ｃ（分析物センサシステム３０８が複数の動作モードのうちのいずれか１つを使用する）の実施形態に従って実装され得る追加のオプション動作を示す。より具体的には、図９Ｓは、複数の動作モードのうちの第３の動作モードを使用して分析物センサシステム３０８に関連して実行され得る例示的な動作を示す。複数のうちの第３の動作モードでは、表示デバイス９１０、９１０’は、分析物データを受信および／または提示してもよいが、例えばこのようなコマンド信号が分析物データの生成に関連している場合、分析物センサシステム３０８が実装する制御／コマンド信号を発行する能力を有しなくてもよい。いくつかの場合において、このバージョンの第３の動作モードは、本明細書では表示専用動作モードと呼ばれることがある。
【０４４９】
動作９８２Ａにおいて、動作９５８Ｃは、任意選択により、分析物センサシステム３０８が、ＤＭＰＩ７５０を介して、第２クラスのリモートデバイス中のリモートデバイスから、第１のクラスのリモートデバイス中のリモートデバイスに与えられる、分析物センサシステム３０８へのアクセスレベルの表示を受信することを含む。例えば、薬剤送達デバイス９１５ａは、ＤＭＰＩ７５０を使用して構成パラメータ５２０にアクセスし、それにより、表示デバイス９１０、９１０’などの他のリモートデバイスがシステム９００内で、いくつかの場合において具体的に分析物センサシステム３０８に接続できるかどうか、およびどのように接続できるかを管理することができ、および／またはこのようなリモートデバイスがシステム９００内でどのレベルの制御またはアクセスを有してもよく、例えば、分析物センサシステム３０８がどのレベルの制御／アクセスを利用できるかを含む。動作９８２Ｂで、動作９５８Ｃは、分析物センサシステム３０８が、ＤＭＰＩ７５０を使用して分析物センサシステム３０８へのアクセスレベルを実装することを含むことができる。動作９８２Ｃで、動作９５８Ｃは、任意選択により、アクセスレベルを第１のクラスのリモートデバイス中のリモートデバイスに通知することを含む。すなわち、例えば、携帯電話９１０ａおよび／またはそのユーザは、薬剤送達デバイス９１５ａがモバイルデバイス９１０ａに提供される制御レベルをどのように管理しているかを通知され得る。実施形態では、アクセスレベルに応じて、第１クラスのリモートデバイス中のリモートデバイスは、分析物センサシステム３０８から分析物データを受信できるが、第３の動作モードのために分析物センサシステム３０８によって使用される構成パラメータ５２０内の精度または較正パラメータにアクセスできない。すなわち、例えば、薬剤送達デバイス９１５ａは、表示デバイス９１０、９１０’（例えば、携帯電話および９１０ａ）に付与された許可を変更することにより、ＤＭＰＩ７５０を使用してこのプレイデバイス９１０、９１０’を表示専用モードにすることができる。
【０４５０】
システム９００の実施形態で使用することができる上述の動作モードに関連して、図４および図５Ｂを参照すると、分析物センサアプリケーション４２５ａ、パートナデバイスアプリケーション４２５ｂ、および薬剤送達アプリケーション６２５のうちの１つ以上が、ユーザに、使用されている動作モードに関する情報、ならびにシステム９００に関する動作モードおよび連関に関連するさらなる情報を提供し得る。例として、分析物センサシステムアプリケーション４２５ａは、薬剤送達、表示、またはハイブリッド動作モードのどれが使用されているかに関する情報を取得または追跡してもよい。したがって、分析物センサアプリケーション４２５ａは、システム９００が薬剤送達動作モードで動作しているという情報を、ユーザインターフェース４３５を介してユーザに提示することができる。分析物センサアプリケーション４２５ａは、分析物センサシステム３０８が範囲内にあり、１つ以上の表示デバイス９１０、９１０’に接続可能であるが、システム９００が薬剤送達動作モードにある結果として、分析物センサシステム３０８がこのような表示デバイス９１０、９１０’と分析物データを交換していないことを示す情報をさらに提供してもよい。
【０４５１】
いくつかの場合において、システム９００は、例えば、特定の条件下で使用される動作モードならびに、リモートデバイスの認証およびペアリングなどの、動作の態様を判定するために、分析物センサシステム３０８（記憶装置５１５）、表示デバイス３１０（記憶装置４１５）、パートナデバイス３１５（記憶装置６１５）、および／またはサーバシステム３３４（記憶装置３３４ｂ）に記憶された情報に依存し得る。例えば、データベース、テーブル、または他の形式の情報が、薬剤送達デバイス９１５ａ（例えば、各デバイスの識別番号に基づく）および各このようなパートナデバイス９１５がサポートし得るそれぞれの動作モードを含む許可されたパートナデバイス９１５のリストを提供することができ、パートナデバイスの認証およびペアリングに関する情報を提供し得る、などである。いくつかの場合において、記憶された情報は、パートナデバイス９１５のユニバースのシステム要件のマスタディレクトリとして機能できる。このようなマスタディレクタは、例えばサーバシステム３３４で管理されていてもよい。例えば、特定のパートナデバイス９１５がシステム９００で使用され得る場合、選択情報は分析物センサシステム３０８にダウンロードされ得る。
【０４５２】
本明細書に記載する、より一般的な動作モードに関して、接続モード相互間で遷移する場合、接続モードも変更する必要がある場合がある。例えば、ディスプレイ動作モードで動作するために、２つの表示デバイス９１０、９１０’は連続接続モデルを使用してもよい。しかし、薬剤送達デバイス９１５ａがアクティブ化され、動作モードが薬剤送達モードに遷移する場合、例えば、薬剤送達デバイス９１５ａ間で連続接続モデルが使用されるが、表示デバイス９１０、９１０’が、断続的接続モデル（例えば、通信セッション７２０ごと）および／またはアドバタイズメントブロードキャストモード（例えば、通信セッション７６０ごと）を使用してもよい。
【０４５３】
Ｌ．アプリケーションの統合およびインターフェース
図９Ａを参照し、本開示の実施形態に関連して記載したように、いくつかの場合において、ユーザは分析物センサシステム３０８および薬剤送達デバイス９１５ａ（例えば、インスリンポンプ）を使用している場合がある。実施形態では、ユーザのＰＡＮ９０２の要素は、例えばＷＡＮ９０４を介して提供されるリモートクラウドサービスに接続することができる。実施形態では、分析物センサアプリケーション４２５ａ（例として図４を参照）は、システム９００と対話するためのユーザのプライマリゲートウェイとして機能し得る。薬剤送達デバイス９１５ａは、薬剤送達アプリケーション６２５がユーザがシステム９００と対話するためのセカンダリゲートウェイとして機能するように、ローカルに実行されるアプリケーション（例えば、図５Ｂを参照する薬剤送達アプリケーション６２５）を有してもよい。いくつかの場合において、分析物センサシステム３０８は、断続接続モデルまたは本明細書に記載の別の接続モデルを使用して、分析物データを分析物センサアプリケーション４２５ａおよび薬剤送達デバイス９１５ａと定期的に共有してもよい。加えて、薬剤送達デバイス９１５ａは、例えば断続接続モデルごとに定期的に、または本明細書に記載の別の接続モデルを使用して、薬剤関連データをアプリケーション４２５と共有することができる。
【０４５４】
しかしながら、一方で分析物センサシステム３０８と分析物センサアプリケーション４２５ａ／薬剤送達デバイス９１５ａとの間、および他方で薬剤送達デバイス９１５ａと分析物センサアプリケーション４２５ａとの間で、異なる接続モデルおよびアドバタイズメント構造が使用されてもよい。したがって、分析物センサアプリケーション４２５ａおよび薬剤送達アプリケーション６２５を介して提供される情報に矛盾が生じる可能性がある。
【０４５５】
したがって、本開示の実施形態は、システム９００内のパートナデバイス９１５と表示デバイス９１０、９１０’との間でデータを共有するための統合インターフェースを含む。いくつかの場合において、この統合インターフェースは、システム９００が上記のハイブリッド動作モードで動作しているときに特に有用である。表示デバイス９１０、９１０’とパートナデバイス９１５（例えば、薬剤送達デバイス９１５ａ）との間の情報の協調させた共有は、例えば、表示デバイス９１０、９１０および／またはパートナデバイス９１５などの動作ステータスに関連する警告などの充実した情報を提供することを含む、インスリン視覚化を改善することができる。実施形態では、統合インターフェースは、ＤＭＰＩ７５０の一部として実装される（図１０Ａを参照）。
【０４５６】
実施形態において、統合インターフェースは、システム９００内の異なるデバイス上で実行されるアプリケーション間の通信および情報交換を促進する。例えば、図４および図５Ｂを参照すると、携帯電話９１０ａで実行できる分析物センサアプリケーション４２５ａは、このような統合インターフェースを使用して、パートナデバイスアプリケーション４２５ｂおよび／または薬剤送達デバイス９１５ａで実行される薬剤送達アプリケーション６２５と情報を交換することができる。実施形態において、分析物センサアプリケーション４２５ａは、サーバシステム３３４ｂから（例えば、分析物センサシステム３０８の製造者、分析物センサアプリケーション４２５ａのプロバイダ、薬剤送達デバイス９１５ａの製造者、および／またはパートナデバイスアプリケーション４２５ｂまたは薬剤送達アプリケーション６２５のプロバイダによって、管理またはサービスされる）、別のリモート位置から（例えば、アプリストアなどを含む）、または薬剤送達デバイス９１５ａから、このインターフェースを取得（例えば、ダウンロードおよび／またはインストール）してもよい。
【０４５７】
次いで、分析物センサアプリケーション４２５ａは、パートナデバイスアプリケーション４２５ｂからまたはパートナデバイスアプリケーション４２５ｂを経由して、薬剤送達デバイス９１５ａまたはその上で実行される薬剤送達アプリケーション６２５から情報を取得することができる。このような情報は、分析物センサシステム３０８と薬剤送達デバイス９１５ａとの間で交換されるペアリング／結合データ、薬剤送達デバイス９１５ａによって提供される薬剤（例えば、インスリン）投与量などに関する履歴データ、または他の情報（例えば、薬剤送達デバイス９１５ａ、医療情報、警告情報などに対するユーザ選好）を含み得る。また、例えば、警告情報は、パートナデバイスアプリケーション４２５ｂ、薬剤送達アプリケーション６２５、および／または薬剤送達デバイス９１５ａにより分析物センサアプリケーション４２５ａに提供され、分析物センサアプリケーション４２５ａがユーザに警告情報を渡すことができるようにする。このように、警告情報は、本質的に、ユーザおよび／またはユーザを監視する他のシステムまたは個人に、協調させた方法で流し込まれ、それゆえユーザが、あまりにも多くの異なる（およびいくつかの場合では過度に冗長）であるソースからのあまりにも多くの異なる警告を受けないようにすることを支援することができる。すなわち、分析物センサアプリケーション４２５ａは、システム９００の異なる要素から生じる警告のハブとして機能し、その警告が分析物データまたはインスリンデータなどに関連するかどうかにかかわらず、伝播および分配、ならびに、警告に関連付けられたエスカレーションおよび肯定応答処理を制御することができる。
【０４５８】
加えて、分析物センサアプリケーション４２５ａは、パートナデバイスアプリケーション４２５ｂ、薬剤送達アプリケーション６２５、および／または薬剤送達デバイス９１５ａに情報を提供するために使用され得る。例として、このような情報は、分析物センサシステム３０８に関連してもよく、その動作ステータス、使用されている動作モード、システム動作に関する履歴データ、ユーザ選好、および他のユーザ関連情報（例えば、健康管理）などを含む。いくつかの場合において、特定のデータ（例えば、分析物またはＥＧＶデータなど）は、パートナデバイスアプリケーション４２５ｂ、薬剤送達アプリケーション６２５、および／または薬剤送達デバイス９１５ａと共有されない場合があり、例えば、このような情報の共有は、システム９００に、パートナデバイスアプリケーション４２５ｂ、薬剤送達アプリケーション６２５、および／または薬剤送達デバイス９１５ａなどをクラス３医療デバイスとして分類することになり得る規制を受けさせる。ただし、他の場合には、このようなデータは共有される場合がある。
【０４５９】
分析物センサアプリケーション４２５ａ、パートナデバイスアプリケーション４２５ｂ、および／または薬剤送達アプリケーション６２５（例えば、図４および５Ｂを参照）の間／相互間の通信の観点で、これらのアプリケーションは、それらが取得およびインストールされると、互いにリンクすることができる。例えば、ユーザはこれらのアプリケーションの１つ以上をダウンロードし、ユーザインターフェース４３５を使用して分析物センサアプリケーション４２５ａを操作し、リンクする別のアプリケーション（パートナデバイスアプリケーション４２５ｂおよび／または薬剤送達アプリケーション６２５）を選択する。例えば、アプリケーション４２５ａの特定のメニューは、パートナデバイス９１５に関連付けられたアプリケーション（例えば、アプリケーション４２５ｂまたは６２５）とのリンク専用にすることができる。実施形態では、分析物センサアプリケーション４２５ａ、パートナデバイスアプリケーション４２５ｂ、および／または薬剤送達アプリケーション６２５のプロバイダによって事前に決定され得る構成（複数可）／設定に従って、アプリケーションはインストール時に自動的にリンクされ得る（実装に応じて、ユーザの承認の有無にかかわらず）。
【０４６０】
分析物センサアプリケーション４２５ａ、パートナデバイスアプリケーション４２５ｂ、および／または薬剤送達アプリケーション６２５の間／相互間の通信も、サーバ９２０ｂを介して提供されるリモートサービスを使用して促進され得る。例として、薬剤送達デバイス９１５ａから生じる薬剤関連情報および／または警告は、サーバ９２０ｂにアップロードされ、次いで、例えば、携帯電話９１０ａで実行される分析物センサアプリケーション４２５ａ（例えば、分析物センサシステム３０８のユーザまたはユーザの分析物データを監視する別の個人に属することができる）を介してダウンロードされ得る。
【０４６１】
実施形態において、分析物センサシステム３０８の製造者および／または分析物センサアプリケーション４２５ａの提供者によって維持されるサーバ（複数可）９２０ｂは、パートナデバイス９１５の製造者および／またはパートナデバイスアプリケーション４２５ｂおよび／または薬剤送達アプリケーション６２５のプロバイダに関連付けられたパートナデバイスアプリケーション４２５ｂおよび／または薬剤送達アプリケーション６２５のデータベースを含むことができる。このようにして、製造者／提供者が識別されると、関連するアプリケーション４２５ｂ、６２５をサーバ９２０ｂから取得することができる（例えば、分析物センサシステム３０８と薬剤送達デバイス９１５ａとの間のペアリング中または後に交換される識別情報を使用して）。
【０４６２】
また、実施形態では、薬剤送達アプリケーション６２５は、薬剤送達デバイス９１５ａのみと直接通信するインターフェースおよび／または能力を有してもよく、分析物センサアプリケーション４２５ａまたは分析物センサシステム３０８とは通信しないことも理解されたい。いくつかのこのような実施形態では、例えば、薬剤送達デバイス９１５ａは、薬剤送達アプリケーション６２５を含まなくてもよいが、代わりに、薬剤送達デバイス９１５ａは、携帯電話９１０ａで実行するパートナデバイス４２５ａを使用してもよく、および／または薬剤送達アプリケーション６２５は、パートナデバイスコントローラ６４５で実行してもよい。それゆえ、例示的な実装形態では、薬剤送達デバイス９１５ａは、分析物センサシステム３０８から、例えば分析物データ、ＥＧＶデータ、センサデータなどを含む情報を受信し、この情報をパートナデバイスコントローラ６４５で実行されている薬剤送達アプリケーションに提供し得る。
【０４６３】
例示的な実装形態では、薬剤送達デバイス９１５ａと併せて使用され得るパートナデバイスコントローラ６４５は、薬剤送達９１５ａへの無線接続性を提供し得る（例えば、いくつかの場合、薬剤送達デバイス９１５ａは、代わりにパートナデバイスコントローラ６４５に含まれ得る接続性インターフェース６０５を含まなくてもよい）。
【０４６４】
実施形態において、ユーザは、（例えば、分析物センサアプリケーション４２５ａ、パートナデバイスアプリケーション４２５ｂ、および／または薬剤送達アプリケーション６２５を介して）分析物データおよび薬剤の提供に関する利便性と安全性／精度とのトレードオフを少なくともある程度まで実施する能力を提供され得る。例えば、ユーザは、システム９００の状況において分析物センサシステム３０８への予想／必要な較正がどのように警告され得るかについてある程度の制御を提供され得る。それゆえ、実施形態に従って機能を提供することにより、ユーザが一方ではケア、安全性、または糖尿病管理の質と、利便性の迷惑、および他方ではユーザの相互作用の制御／レベルとの間のバランスを柔軟にとることができる。例示的な実装形態において、スライディングスケールの概念により、ユーザは、精度、較正、電力管理、および警告を管理するために使用できる様々な構成パラメータ５２０の異なるプリセット構成を選択することができる。特定の状況では、ユーザは、便宜上、ユーザの血糖値に関してある程度の柔軟性を有効にしたい場合があり、例えば、ユーザが重要な会議やその他のイベントを開催している場合、ユーザは警告または定期的な較正を無効にしたい場合がある。構成パラメータ５２０は、このような場合のために、例えば、ユーザがそれに応じて選択できるモード（例えば、会議モード）に事前設定することができる。ただし、安全性には、ユーザに提供できる柔軟性の程度に制限が必要になる場合があることを理解されたい。このような安全制限は、ユーザの医療情報、プロファイル、または時間の経過とともに収集されたデータに基づいて、ユーザ固有のものとなる場合がある。
【０４６５】
例としてさらに図９Ａを参照すると、実施形態は、例えば、薬剤送達デバイス９１５ａなどの、薬剤の送達に使用される表示デバイス９１０、９１０’ならびにパートナデバイス９１５を含むシステム９００の実装のセットアップに関連し、次に記載する。システム９００のこのような実装は、相互接続および相互運用することを目的とする異なる製造者からの異なるデバイスを含むことができ、簡単で柔軟なセットアップ手順を提供することが有利であり得る。
【０４６６】
したがって、本開示の実施形態は、システム９００のこのような実装のセットアップおよび初期構成を容易にすることに向けられている。いくつかのこのような実施形態は、少なくともユーザの観点から、薬剤送達デバイス９１５ａおよび分析物センサシステム３０８および／または分析物センサアプリケーション４２５ａが一緒に機能するように見えるように、統合されたそのままの体験を含む。すなわち、このような実施形態では、セットアップ処理は、関係のない部品のアセンブリのように感じられないように構成されるべきである。例えば、一方では表示デバイス９１０、９１０’と分析物センサシステム３０８との間、他方では薬剤送達装置９１５ａと分析物センサシステム３０８との間で同様のペアリング処理を使用することができる。
【０４６７】
実施形態では、システム９００内の様々なデバイスをセットアップする順序を調整するオプションをユーザに提供することができる。例えば、ユーザは、最初に分析物センサアプリケーション４２５ａをセットアップし、次にパートナデバイスアプリケーション４２５ｂおよび／または薬剤送達デバイス６２５をセットアップすること、またはその逆を選択することができる。加えて、いくつかの場合において、ユーザは、４２５ａおよび４２５ｂのアプリケーションを、分析物データ関連機能と薬剤送達データ機能の両方を含む単一のアプリケーションに本質的にマージするオプションを選択できる場合がある。実施形態では、単一のアプリケーションオプションは、ＤＭＰＩ７５０によって有効化／促進されてもよい。アプリケーション４２５ａおよび４２５ｂのマージとしての単一のアプリケーションは、各アプリケーション４２５ａおよび４２５ｂによって提供されるすべての機能の統合を伴う場合がある。このオプションを使用すると、単一のアプリケーションのみが使用されるため、セットアップ処理が合理化される場合がある。
【０４６８】
一例では、この単一の適用オプションは、分析物センサアプリケーション４２５ａのプロバイダが、例えば、分析物センサアプリケーション４２５ａのすべての構成要素／機能を含むソフトウェア設計キットをパートナデバイス９１５の製造者（例えば、薬剤送達デバイス９１５ａ）および／またはパートナデバイスアプリケーション４２５ｂまたは薬剤送達アプリケーション６２５のプロバイダに提供することによって、達成され得る。このようにして、プロバイダは、ソフトウェア設計キットを使用して、分析物センサアプリケーション４２５ａの機能をパートナデバイスアプリケーション４２５ｂまたは薬剤送達アプリケーション６２５に組み込むことができる。実施形態において、分析物センサシステム３０８および／または分析物センサアプリケーション４２５ａのプロバイダは、例えば、サーバ９２０ｂ（図９Ａを参照）内の分析物データ関連特徴（例えば、分析物センサシステム３０８および／または分析物センサアプリケーション４２５ａに関連して実装される任意の特徴）のデータベースを管理し得る。次いで、パートナデバイス９１５（例えば、薬剤送達デバイス９１５ａ）の製造者および／またはパートナデバイスアプリケーション４２５ｂまたは薬剤送達アプリケーション６２５のプロバイダは、このデータベースにアクセスして、関心のある任意の特徴（例えば、傾向分析物データ値の傾向を分析／表示する機能）に対するそれらのソフトウェア設計キットを、このような機能にアクセスできる場合（例えば、特定の機能へのアクセスを制限するために許可を実装することができる）に、取得し得る。ソフトウェア設計キットを入手し（例えば、ダウンロードして）、関連する機能をパートナデバイスアプリケーション４２５ｂまたは薬剤送達アプリケーション６２５に設計した２つを使用してもよい。
【０４６９】
これに代えてまたはこれに加えて、パートナデバイス９１５（例えば、薬剤送達デバイス９１５ａ）、パートナデバイスアプリケーション４２５ｂおよび／または薬剤送達アプリケーション６２５のプロバイダは、例えば、パートナデバイス９１５（例えば、薬剤送達デバイス９１５ａ）、パートナデバイスアプリケーション４２５ｂおよび／または薬剤送達アプリケーション６２５、２つのサーバ９２０ｂに関連する機能をアップロードしてもよい。例として、このような特徴は、インスリン視覚化ツールなどを含み得る。次いで、表示デバイス９１０、９１０’は、例えば、分析物センサアプリケーション４２５ｂに含めるための所望の機能をダウンロードするために、サーバ９２０ｂに直接または間接的にアクセスし得る。いくつかの場合において、分析物センサアプリケーション４２５ｂのプロバイダは、このような機能などを実装するためのダウンロード可能なコードを組み込むためのモジュールを作成し、広範なユーザ操作を必要とせずに基本的にプラグアンドプレイ方式で機能を実装できるようにする。
【０４７０】
セットアップ処理中に、図４を参照して、ユーザインターフェース４３５は、セットアップの進行／状態を示し得る。加えて、ユーザがセットアップ処理に関係する相互作用のレベルを調整するためのオプションが提供される場合がある。例えば、パワーユーザは、セットアップ処理中に構成をより詳細に制御するオプションを行使できる。
【０４７１】
いくつかの場合において、第１のデバイス／アプリケーションに適用される機能の共通セットを第２のデバイス／アプリケーションに伝えることができるセットアップ処理を合理化することができ、それゆえ、第２のデバイス／アプリケーションセットアップ処理が行われるときに、このようなバイパスされる共通の態様が可能になる。このような共通機能のセットアップは、セットアップ処理が完了するまでデバイスに直接接続できない場合があるため、システム９００内の相互接続パスまたはリンクを使用して異なるデバイス相互間で伝達できる。ここで、分析物センサアプリケーション４２５ａは、ＤＭＰＩ７５２を使用して構成パラメータ５２０にアクセスし、薬剤送達デバイス９１５ａを識別する情報に応じて薬剤送達デバイス９１５ａのシステム要件６５０に従って同じパラメータを構成できることに留意されたい。例として、薬剤送達デバイス９１５ａに関連付けられた識別番号または他の識別情報を使用して、薬剤送達デバイス９１５ａの所定のカスタマイズ可能な設定を識別でき、これらの設定はＤＭＰＩ７５０を使用してアプリケーション４２５ａで実装され、設定に従って構成パラメータ５２０を修正または設定することができる。さらに、このような識別情報は、薬剤送達デバイス９１５ａなどに伝送される分析物データを暗号化するために使用されてもよい。
【０４７２】
システム９００にわたる機能の統合に関する追加の実施形態は、例えば、サーバ９２０ｂを介して提供され得るサービスに関連して実施される機能を伴い得る。このようなサービスにより、医療専門家、医療機器、友人、家族などの他の個人またはエンティティが、分析物センサシステム３０８および／または薬剤送達デバイス９１５ａを使用して生成されたユーザの分析物データおよび／または医薬品データに関してユーザを監視または追跡することができる。このようにして、例えば、安全性の目的で、ユーザの血糖値またはインスリン送達を他者が監視することができる。この監視に関連して、ユーザをフォローしている個人またはエンティティに警告が提供される場合がある。
【０４７３】
図９Ａおよびシステム９００を例として一般的に参照すると、ユーザは、分析物データおよび／または薬剤データのどの態様がユーザのフォロワーにさらされているかを把握することができる。これに関連して、ユーザは、特定のフォロワーが特定のデータへのより大きなアクセスを持ち、異なる方法で警告に応答できるように、異なるフォロワーに異なる許可を設定できる。いくつかの場合において、デフォルトの許可はフォロワーのカテゴリに基づいて実装される場合があり、例えば、友人と家族はデフォルトで許可の第１のセットを有し、管理人はデフォルトで許可の第２のセットを有し、病院または医師はデフォルトでは、１／３の許可セットを有する。
【０４７４】
アクセス許可を構成する別の態様では、監視を実行しているデバイスの種類を使用する場合がある。例として、フォロワー以外の人にもっと広く見えるフォロワーのテレビにはより制限の厳しい許可を設定し、フォロワーの電話やコンピュータにはより制限の少ない許可を設定することができる。すなわち、実施形態では、ユーザは、所望のプライバシーレベルに従って許可をカスタマイズすることができる。許可は、設定がプライベートかパブリックか、例えば、レストラン対自宅であるなど、ロケーションベースの情報を使用して、適応可能な方法で設定することもできる。いくつかの場合において、フォロワーのタイムゾーンに基づいてアクセス許可が適応的に設定される場合がある（例えば、フォロワーが睡眠状態である可能性があることをタイムゾーンが示す場合、フォロワーを起こすように警告を構成できる）。分析物および／または薬剤データおよび関連する警告へのフォロワーのアクセスを構成するさらに別の態様は、ユーザをフォローするために使用されるデバイスのモードに関連している場合がある。例えば、フォロワーのデバイスはサイレントモードまたは機内モードであるか、または邪魔しない場合があるが、緊急事態の場合、分析物および／または薬剤データおよび／または警告自体に反映されるように、デバイス設定がオーバーライドされ、警告が例えば、デバイスが機内モードであるにもかかわらず提供される。加えて、フォロワーのデバイスは、警告を受信できないモードにある場合、例えばフォロワーに通知する代替手段が試行される可能性があるように示す場合があり、このような代替手段は、フォロワーのデバイスの場所を使用して配置される電子メールまたは固定電話であってもよい。
【０４７５】
サーバ９２０ｂを介して提供され得るサービスに関して、実施形態では、ＷＡＮ９０４を介したサーバ９２０ｂへのアクセスの可用性は、分析物センサシステム３０８の構成パラメータ５２０を設定または変更するための入力として機能し得る。例えば、分析物センサシステム３０８は、ＰＡＮ９０２内のサーバ９２０ｂへの（例えば、携帯電話９１０ａおよびセルネットワーク９２０ｃ、ルータ９２０ａなどを介した）直接または間接の接続の可用性を決定してもよい。次に、決定を使用して、構成パラメータ５２０を設定／修正して、例えば、分析物および／または薬剤データに対して使用できる警告のタイプを構成することができる。クラウドサービスが遍在するにつれて、このようなサービスを適応的に利用する能力がますます有利になる。
【０４７６】
次に、例えばサーバ９２０ｂを含むＷＡＮ９０４を介して提供され得るサービスのいくつかの例について説明する。前述のように、ＷＡＮ９０４を介して提供され得るサービスは、分析物センサシステム３０８のユーザのフォロワーを伴う。このようなフォロワーは、ＷＡＮ９０４を利用して、スマートフォン、テレビ、コンピュータなどの電子デバイスをＰＡＮ９０２に接続し、関連する分析物、薬剤送達、および／または、分析物センサシステム３０８の使用および／または薬剤送達デバイス９１５ａの使用に関連する他の情報を受信することができる。フォロワーの電子デバイスは、分析物センサシステム３０８および／または薬剤送達デバイス９１５ａのユーザをフォローするために特に設計されたアプリケーションを実行することができる。次に、このアプリケーションをフォロワーの電子デバイスで使用して、警告、例えば上記の様々な警告、インスリン値、インスリンの視覚化、ＣＧＭ値、トレンドなどを提供できる。
【０４７７】
実施形態において、ＷＡＮ９０４を介して提供され得る追加のクラウドサービスは、分析物センサシステム３０８および／または薬剤送達デバイス９１５ａのユーザに提供されるサービスを含み得る。例として、分析物センサアプリケーション４２５ａ、パートナデバイスアプリケーション４２５ｂ、および／または薬剤送達アプリケーション６２５（例えば、図４、図５Ｂ、図６を参照）は、分析物センサシステム３０８または薬剤送達デバイス９１５ａの使用および／またはセットアップに関連する、チュートリアル、ヘルプファイル、またはビデオへのウェブリンクを提供してもよい。このようなチュートリアル、ヘルプファイル、またはビデオは、分析物センサシステム３０８または薬剤送達デバイス９１５ａのそれぞれの製造者によって提供され得るか、または他のユーザ、例えば他のユーザによって提供され得る。
【０４７８】
ＷＡＮ９０４を介して提供され得るクラウドサービスの別の例は、システム９００のユーザに固有であり得る薬剤送達デバイス９１５ａの設定またはシステム要件６５０を取得することを伴い得る。このような設定またはシステム要件６５０は、ユーザのヘルスケア提供者によって決定されていてもよく、例えば、基礎注入速度、インスリン対炭水化物比などのうちの１つ以上を含み得る。これらの設定またはシステム要件６５０は、ＷＡＮ９０４を介してユーザに伝達され、ＤＭＰＩ７５０を使用して、分析物センサシステム３０８の構成パラメータ５２０を設定／変更するために使用され得る。
【０４７９】
一例では、医療提供者は、これらの設定またはシステム要件６５０をＷＡＮ９０４にアップロードしてもよい。その後、ユーザはサーバ９２０ｂを介してこれらの設定またはシステム要件６５０にアクセスでき、設定または適切な患者パラメータ５２０の変更を介して自動実装用の設定またはシステム要件６５０をダウンロードできる（例えば、ダウンロードはサーバ９２０ｂから分析物センサシステム３０８に直接送信する、または、例えば携帯電話９１０ａまたは他の表示デバイス９１０、９１０’のようなＷＡＮ９０４に接続可能な中間デバイスを利用してもよい）。この特定の例では、サーバ９２０ｂ（またはサーバ９２０ｂ内またはサーバ９２０ｂに関連して実装されるソフトウェア）は、定期的（例えば、毎週／毎月）薬剤送達と分析物データ（例えば、インスリンおよびグルコースデータ）に関連する情報を集取する。次に、サーバ９２０ｂおよび／またはそれに関連して実装されるソフトウェアは、情報を分析し、いくつかの場合にはユーザの生活様式および／または健康目標の考慮を含めて、設定、システム要件６５０、および／または構成パラメータ５２０の修正がユーザにとってより効果的であるかどうかを判定する。
【０４８０】
Ｍ．追加の実施形態
当業者は、本開示を検討すると、本明細書に明示的に記載されていない様々な追加の実施形態が本開示の精神および範囲内であることを理解するであろう。
【０４８１】
図１１は、コンピューティングモジュール１１００の例を示しており、場合によっては、コンピュータシステム上に常駐するプロセッサ／マイクロプロセッサ／コントローラを含むことができる（例えば、サーバシステム３３４に関連して、本明細書で説明する表示デバイスのいずれか（例えば、表示デバイス１２０、１３０、１４０、３１０（ａ、ｂなど）、９１０（ａ、ｂなど）、パートナデバイス３１５（ａ、ｂなど）、９１５（ａ、ｂなど）、および／または分析物センサシステム８、３０８など。コンピューティングモジュール１１００を使用して、本明細書で開示されるシステム、デバイス、装置、および方法の実施形態の様々な特徴および／または機能を実装することができる。分析物センサシステム３０８、表示デバイス３１０、９１０の実施形態を含む、本開示の様々な図を参照して説明されるシステム、デバイス、装置、および方法の文脈で本明細書に記載される上記の実施形態に関して、など、パートナデバイス３１５、９１５など、サーバシステム３３４、３３４ａ、３３４ｂ、サーバ９２０ｂ、および本明細書で説明および／または企図される前述のものなど、当業者は、本開示を検討すると、コンピューティングモジュール１１００によって実行され得るこれらの実施形態の機能に関する追加の変形および詳細を理解するであろう。これに関連して、本開示を検討すると、本開示の範囲または精神から逸脱することなく、本明細書で説明される他の実施形態（例えば、方法、処理、および／または動作など）に関して、本明細書で説明される様々な実施形態（例えば、システム、デバイス、および／または装置など）の特徴および態様が実装され得ることも、当業者によって理解されるであろう。
【０４８２】
本明細書で使用される場合、モジュールという用語は、本出願の１つ以上の実施形態に従って実行され得る機能の所与のユニットを説明し得る。本明細書で使用される場合、モジュールは、任意の形式のハードウェア、ソフトウェア、またはそれらの組み合わせを利用して実装され得る。例えば、モジュールを構成するために、１つ以上のプロセッサ、コントローラ、ＡＳＩＣ、ＰＬＡ、ＰＡＬ、ＣＰＬＤ、ＦＰＧＡ、論理構成要素、ソフトウェアルーチン、またはその他のメカニズムを実装できる。実装において、本明細書で説明される様々なモジュールは、個別のモジュールとして実装される場合があり、または説明される機能および特徴は、１つ以上のモジュール相互間で部分的または全体的に共有される場合がある。言い換えれば、この説明を読んだ後に当業者に明らかとなるように、本明細書で説明される様々な特徴および機能は、任意の所与のアプリケーションで実装され、様々な組み合わせおよび順列で１つ以上の別個のモジュールまたは共有モジュールで実装され得る。様々な機能または機能の要素が個別のモジュールとして個別に説明または主張されている場合でも、当業者は、これらの機能および機能が１つ以上の一般的なソフトウェアおよびハードウェア要素相互間で共有され得ることを理解するであろうし、このような説明はしてはならないこのような機能を実装するために、個別のハードウェアまたはソフトウェア構成要素が使用されることを要求または暗示する。
【０４８３】
アプリケーションの構成要素またはモジュールの全体または一部がソフトウェアを使用して実装される場合、一実施形態では、これらのソフトウェア要素は、それに関して説明した機能を実行できるコンピューティングまたは処理モジュールで動作するように実装できる。このような例示的なコンピューティングモジュールの１つを図１１に示す。様々な実施形態は、例示的なコンピューティングモジュール１１００に関して説明されている。この説明を読んだ後、関連技術の当業者には、他のコンピューティングモジュールまたはアーキテクチャを使用してアプリケーションを実装する方法が明らかになるだろう。
【０４８４】
ここで図１１を参照すると、コンピューティングモジュール１１００は、コンピューティングモジュール１１００が特に目的とするアプリケーションおよび／または環境に応じて、例えば、メインフレーム、スーパーコンピュータ、ワークステーションまたはサーバ、デスクトップ、ラップトップ、ノートブック、またはタブレットコンピュータ、ハンドヘルドコンピューティングデバイス（タブレット、ＰＤＡ、スマートフォン、携帯電話、パームトップなど）、他の表示デバイス、特定用途向けデバイス、または他の電子デバイスなどの内部に見られるコンピューティングまたは処理能力を表すことができる。
【０４８５】
コンピューティングモジュール１１００は、例えば、１つ以上のプロセッサ、マイクロプロセッサ、コントローラ、制御モジュール、またはプロセッサ１１１０などの他の処理デバイスを含むことができ、回路１１０５に含まれることができる。プロセッサ１１１０は、例えば、マイクロプロセッサ、コントローラ、または他の制御ロジックなどの専用処理エンジンを使用して実装されてもよい。図示の例では、プロセッサ１１１０は回路１１０５を介してバス１１５５に接続されているが、コンピューティングモジュール１１００の他の構成要素との相互作用を促進するため、または外部と通信するために任意の通信媒体を使用できる。
【０４８６】
コンピューティングモジュール１１００は、本明細書で単にメインメモリ１１１５と呼ばれる１つ以上のメモリモジュールも含むことができる。例えば、ランダムアクセスメモリ（ＲＡＭ）または他のダイナミックメモリは、プロセッサ１１１０または回路１１０５によって実行される情報および命令を記憶するために使用されてもよい。メインメモリ１１１５は、プロセッサ１１１０または回路１１０５によって実行される命令の実行中に一時変数または他の中間情報を記憶するためにも使用され得る。同様に、コンピューティングモジュール１１００は、プロセッサ１１１０または回路１１０５のための静的情報および命令を記憶するために、バス１１５５に結合された読み取り専用メモリ（ＲＯＭ）または他の静的記憶装置を含むことができる。
【０４８７】
コンピューティングモジュール１１００はまた、例えば、媒体ドライブ１１３０および記憶ユニットインターフェース１１３５を含み得る１つ以上の様々な形態の情報記憶デバイス１１２０を含み得る。媒体ドライブ１１３０は、固定またはリムーバブル記憶媒体１１２５をサポートするドライブまたは他のメカニズムを含んでもよい。例えば、ハードディスクドライブ、フロッピーディスクドライブ、磁気テープドライブ、光ディスクドライブ、ＣＤまたはＤＶＤドライブ（ＲまたはＲＷ）、または他のリムーバブルまたは固定媒体ドライブが提供されてもよい。したがって、取り外し可能な記憶媒体１１２５は、例えば、ハードディスク、フロッピーディスク、磁気テープ、カートリッジ、光ディスク、ＣＤまたはＤＶＤ、または媒体ドライブ１１３０によって読み取られる、書き込まれるまたはアクセスされる他の固定または取り外し可能な媒体を含み得る。これらの例が示すように、リムーバブル記憶媒体１１２５は、コンピュータソフトウェアまたはデータが記憶されたコンピュータで使用可能な記憶装置媒体を含んでもよい。
【０４８８】
代替実施形態では、情報記憶デバイス１１２０は、コンピュータプログラムまたは他の命令またはデータをコンピューティングモジュール１１００にロードできるようにする他の同様の手段を含むことができる。このような手段は、例えば、固定または取り外し可能な記憶装置ユニット１１４０および記憶装置ユニットインターフェース１１３５を含み得る。このようなリムーバブル記憶ユニット１１４０および記憶ユニットインターフェース１１３５の例には、プログラムカートリッジおよびカートリッジインターフェース、リムーバブルメモリ（例えば、フラッシュメモリまたは他のリムーバブルメモリモジュール）およびメモリスロット、ＰＣＭＣＩＡスロットおよびカード、およびその他の固定が含まれ得る。または、リムーバブル記憶ユニット１１４０およびコンピューティングモジュール１１００にソフトウェアおよびデータを転送できるようにするリムーバブル記憶ユニット１１４０および記憶ユニットインターフェース１１３５を含み得る。
【０４８９】
コンピューティングモジュール１１００は、通信インターフェース１１５０も含み得る。通信インターフェース１１５０を使用して、コンピューティングモジュール１１００と外部デバイスとの間でソフトウェアおよびデータを転送できるようにすることができる。通信インターフェース１１５０の例には、モデムまたはソフトモデム、ネットワークインターフェース（イーサネット、ネットワークインターフェースカード、ＷｉＭｅｄｉａ、ＩＥＥＥ８０２．ＸＸまたは他のインターフェースなど）、通信ポート（例えば、ＵＳＢポート、ＩＲポート、ＲＳ２３２ポートＢｌｕｅｔｏｏｔｈ（登録商標）インターフェース、またはその他のポート）、または本書で説明する通信媒体で動作するように構成されたその他の通信インターフェースが含まれる。通信インターフェース１１５０を介して転送されるソフトウェアおよびデータは、例として、電子、電磁（光学を含む）、または所定の通信インターフェース１１５０によって交換可能な他の信号であり得る信号で運ばれ得る。これらの信号は、チャネル１１４５を介して通信インターフェース１１５０に／から提供され得る。チャネル１１４５は信号を運ぶことができ、有線または無線の通信媒体を使用して実装することができる。チャネル１１４５のいくつかの非限定的な例には、電話回線、セルラまたは他の無線リンク、ＲＦリンク、光リンク、ネットワークインターフェース、ローカルまたはワイドエリアネットワーク、および他の有線または無線通信チャネルが含まれる。
【０４９０】
この文書では、用語「コンピュータプログラム媒体」および「コンピュータ使用可能媒体」および「コンピュータ可読媒体」、ならびにそれらの変形は、一般に、例えばメインメモリ１１１５、記憶ユニットインターフェース１１３５、リムーバブル記憶媒体１１２５、および／またはチャネル１１４５などの一過性または非一過性媒体を指すために使用される。これらおよび他の様々な形態のコンピュータプログラム媒体またはコンピュータ使用可能／読み取り可能媒体は、実行のために１つ以上の命令の１つ以上のシーケンスを処理装置に運ぶことに関与し得る。媒体上で具体化されるこのような命令は、一般に「コンピュータプログラムコード」または「コンピュータプログラム製品」または「命令」（コンピュータプログラムまたは他のグループの形でグループ化される）と呼ばれることがある。実行されると、このような命令は、コンピューティングモジュール１１００、それに関連する回路、および／またはそのプロセッサに接続され、本明細書で説明される本開示の特徴または機能を実行することを可能にし得る（例えば、上記および／または方法に関連して）例えば、それがシステム、装置、デバイスなどに組み込まれている場合を含む。
【０４９１】
様々な実施形態が、その特定の例示的な特徴を参照して記載されてきた。しかし、添付の特許請求の範囲に記載されている様々な実施形態のより広い精神および範囲から逸脱することなく、様々な修正および変更を加えることができることは明らかであろう。したがって、仕様と図は、制限的な意味ではなく例示的な意味で見なされるべきである。
【０４９２】
様々な例示的な実施形態および実装に関して上記で説明したが、個々の実施形態のうちの１つ以上で説明される様々な特徴、態様および機能は、それらが説明される特定の実施形態への適用可能性に限定されないことを理解されたい代わりに、単独または様々な組み合わせで、本出願の他の実施形態の１つ以上に、このような実施形態が説明されているかどうか、およびこのような特徴が説明された実施形態の一部として提示されているかどうかに適用することができる。したがって、本出願の広さおよび範囲は、上記の例示的な実施形態のいずれによっても限定されるべきではない。
【０４９３】
特に添付の特許請求の範囲において、本出願で使用される用語および句ならびにその変化形は、特に明示されない限り、限定的とは対照的に非限定的と解釈されるべきである。前述の例として、「含む」という用語は、「含むが、限定されない」などの意味として読まれるべきである。「例」という用語は、議論中のアイテムの例示的なインスタンスを提供するために使用され、その網羅的または限定的なリストではない。「ａ」または「ａｎ」という用語は、「少なくとも１つ」、「１つ以上」などを意味するものとして読まれるべきである。「セット」という用語は、セットに含まれるタイプの１つ以上のオブジェクトを含むように読む必要がある。「従来」、「伝統」、「普通」、「標準」、「既知」などの形容詞、および同様の意味の用語は、記載されている項目を特定の期間またはしかし、その代わりに、現在または将来いつでも利用可能または知られているかもしれない従来の、伝統的な、通常の、または標準の技術を包含するように読まれるべきである。同様に、複数形は、ある場合には単数形に適用可能であると認識され、逆もまた同様である。同様に、この文書が当業者に明らかまたは既知の技術に言及する場合、このような技術は、現在または将来のいつでも当業者に明らかまたは既知の技術を包含する。
【０４９４】
「１つ以上」、「少なくとも」、「ただし限定されない」などの広範な語句の存在は、場合によってはより狭い場合が意図または要求されることを意味するものと解釈してはならない。このような拡張フレーズは存在しない場合がある。「モジュール」という用語の使用は、モジュールの一部として説明または主張されている構成要素または機能がすべて共通のパッケージで構成されていることを意味するものではない。実際、制御ロジック、回路、または他の構成要素に関係なく、モジュールの様々な構成要素のいずれかまたはすべてを単一のパッケージに結合するか、個別に保守することができ、さらに複数のグループ化またはパッケージまたは複数の場所に分散することができる。
【０４９５】
加えて、本明細書に記載される様々な実施形態は、例示的なブロック図、フローチャート、および他の図に関して説明される。この文書を読んだ後、当業者に明らかになるように、図示された実施形態およびそれらの様々な代替形態は、図示された例に限定されることなく実装され得る。例えば、ブロック図とそれに付随する説明は、特定のアーキテクチャまたは構成を強制するものと解釈されるべきではない。さらに、本明細書で説明される様々な方法の動作およびサブ動作は、必ずしも説明または図に示される順序に限定されず、当業者は、本開示を検討することで、動作の順序の変形を理解するであろう。本開示の精神および範囲内にある本明細書に記載されている。
【０４９６】
加えて、本明細書に記載の方法の動作および副動作は、いくつかの場合において、システム、装置、デバイスの構成要素、要素、デバイス、モジュール、回路、プロセッサなどのうちの１つ以上によって実行または実装され得る。 環境、および／または本明細書に記載され、本開示の様々な図で参照されるコンピューティングモジュール、ならびにそこに示される１つ以上のサブ構成要素、要素、デバイス、モジュール、プロセッサ、回路など、および／またはそれに関して説明した。このような場合、方法またはその態様の説明は対応する構成要素、要素などを指す場合があるが、明示的な参照が行われるかどうかに関係なく、当業者は、対応する構成要素、要素などを使用できる。さらに、このような参照は、記載された方法を必ずしも特定の構成要素、要素などに限定するものではないことを理解されたい。したがって、当業者であれば、（サブ）構成要素、要素、デバイス、モジュール、および回路などに関連して上述した態様および特徴が、それらの変形を含めて、本開示の範囲から逸脱することなく、本明細書に記載の方法に関連して記載された様々な動作に適用でき、およびその逆も成り立つことを理解するであろう。
【符号の説明】
【０４９７】
１００  システム
１１０、１２０、１３０、１４０  表示デバイス
１３４  サーバシステム
１３６  パートナデバイス
８  分析物センサシステム
１０  連続分析物センサ
１２  センサ電子モジュール
【図１】
2021502141.tif 000003
【図２Ａ】
2021502141.tif 000004
【図２Ｂ】
2021502141.tif 000005
【図３Ａ】
2021502141.tif 000006
【図３Ｂ】
2021502141.tif 000007
【図３Ｃ】
2021502141.tif 000008
【図４】
2021502141.tif 000009
【図５Ａ】
2021502141.tif 000010
【図５Ｂ】
2021502141.tif 000011
【図６】
2021502141.tif 000012
【図７Ａ】
2021502141.tif 000013
【図７Ｂ】
2021502141.tif 000014
【図７Ｃ】
2021502141.tif 000015
【図７Ｄ】
2021502141.tif 000016
【図８】
2021502141.tif 000017
【図９Ａ】
2021502141.tif 000018
【図９Ｂ】
2021502141.tif 000019
【図９Ｃ】
2021502141.tif 000020
【図９Ｄ】
2021502141.tif 000021
【図９Ｅ】
2021502141.tif 000022
【図９Ｆ】
2021502141.tif 000023
【図９Ｇ】
2021502141.tif 000024
【図９Ｈ】
2021502141.tif 000025
【図９Ｊ】
2021502141.tif 000026
【図９Ｋ】
2021502141.tif 000027
【図９Ｌ】
2021502141.tif 000028
【図９Ｍ】
2021502141.tif 000029
【図９Ｎ】
2021502141.tif 000030
【図９Ｐ】
2021502141.tif 000031
【図９Ｑ】
2021502141.tif 000032
【図９Ｒ】
2021502141.tif 000033
【図９Ｓ】
2021502141.tif 000034
【図１０Ａ】
2021502141.tif 000035
【図１０Ｂ】
2021502141.tif 000036
【図１１】
2021502141.tif 000037
【国際調査報告】
2021502141.tif 000038
2021502141.tif 000039
2021502141.tif 000040
2021502141.tif 000041